(57)【要約】【課題】有効かつ信頼性のあるセンサデータの識別を可能にする。【解決手段】グルコースセンサデータ信号ディップ検出のための方法であって、（ａ）作用電極についての実数インピーダンス値を取得し、（ｂ）作用電極についてのＩｓｉｇの値を周期的に測定し、（ｃ）Ｉｓｉｇの値に関連するＳＧの値を計算し、（ｄ）Ｉｓｉｇの現在値と第１の閾値との比較、及びＳＧの現在値と第２の閾値との比較を行い、（ｅ）１ｋＨｚにおける実数インピーダンス値の傾向を評価し、（ｆ）（ｄ）及び（ｅ）によりディップ事象が存在するかどうかを判定し、ディップ事象が存在すると判定された場合に、ディスプレイ装置におけるＳＧの値の表示をブランク表示とし、ディップ事象が存在しないと判定された場合に、ディスプレイ装置におけるＳＧの値の表示を継続する。【選択図】図１０５
2020170011.tif 000002
【特許請求の範囲】
【請求項１】
グルコースセンサデータの初めの４〜１２時間の間の信号ディップ検出のための方法であって、グルコースセンサは、物理センサエレクトロニクスと、マイクロコントローラと、作用電極と、を含み、かつ、前記グルコースセンサデータを表示するディスプレイ装置と機能的に接続されており、前記方法は、
（ａ）前記マイクロコントローラにより、電気化学インピーダンス分光法（ＥＩＳ）手順を行い、前記作用電極についての実数インピーダンス値を取得する工程と、
（ｂ）前記物理センサエレクトロニクスにより、前記作用電極についての電極電流であるＩｓｉｇの値を周期的に測定する工程と、
（ｃ）前記マイクロコントローラにより、前記Ｉｓｉｇの値に関連するセンサグルコースであるＳＧの値を計算する工程と、
（ｄ）前記マイクロコントローラにより、前記Ｉｓｉｇの現在値と第１の閾値との比較、及び前記ＳＧの現在値と第２の閾値との比較を行う工程と、
（ｅ）前記マイクロコントローラにより、１ｋＨｚにおける前記実数インピーダンス値の傾向を評価する工程と、
（ｆ）前記マイクロコントローラにより、前記Ｉｓｉｇの現在値と前記第１の閾値との比較、及び前記ＳＧの現在値と前記第２の閾値との比較、及び前記傾向の評価に基づき、ディップ事象が存在するかどうかを判定する工程と、を含み、
前記Ｉｓｉｇの現在値が前記第１の閾値未満であり、前記ＳＧの現在値が前記第２の閾値未満であり、かつ、前記傾向の評価により２つの直近の前記実数インピーダンス値が増加していることが示されている場合に、ディップ事象が存在すると判定され、
ディップ事象が存在すると判定された場合に、前記ディスプレイ装置における前記ＳＧの値の表示をブランク表示とし、ディップ事象が存在しないと判定された場合に、前記ディスプレイ装置における前記ＳＧの値の表示を継続する工程を更に含む、方法。
【請求項２】
前記実数インピーダンス値は、フィルタ処理されていない、請求項１に記載の方法。
【請求項３】
前記第１の閾値は、１８ｎＡである、請求項１に記載の方法。
【請求項４】
前記第２の閾値は、８０ｍｇ／ｄＬである、請求項１に記載の方法。
【請求項５】
前記グルコースセンサは、複数の前記作用電極を含み、工程（ａ）〜（ｆ）は、複数の前記作用電極のそれぞれについて行われる、請求項１に記載の方法。
【請求項６】
グルコースセンサデータの初めの４時間の間の信号ディップ検出のための方法であって、グルコースセンサは、物理センサエレクトロニクスと、マイクロコントローラと、作用電極と、を含み、かつ、前記グルコースセンサデータを表示するディスプレイ装置と機能的に接続されており、前記方法は、
（ａ）前記マイクロコントローラにより、電気化学インピーダンス分光法（ＥＩＳ）手順を行い、前記作用電極についての実数インピーダンス値を取得する工程と、
（ｂ）前記物理センサエレクトロニクスにより、前記作用電極についての電極電流であるＩｓｉｇの値を周期的に測定する工程と、
（ｃ）前記マイクロコントローラにより、前記Ｉｓｉｇの現在値を第１の閾値と比較する工程と、
（ｄ）前記マイクロコントローラにより、１ｋＨｚにおける前記実数インピーダンス値の傾向を評価する工程と、
（ｅ）前記マイクロコントローラにより、前記比較、及び前記傾向の評価に基づき、ディップ事象が存在するかどうかを判定する工程と、を含み、
前記Ｉｓｉｇの現在値が前記第１の閾値未満であり、かつ、前記傾向の評価により２つの直近の前記実数インピーダンス値が増加していることが示されている場合に、ディップ事象が存在すると判定し、
ディップ事象が存在すると判定した場合に、前記ディスプレイ装置における前記グルコースセンサデータの表示をブランク表示とし、ディップ事象が存在しないと判定した場合に、前記ディスプレイ装置における前記グルコースセンサデータの表示を継続する工程を更に含む、方法。
【請求項７】
前記第１の閾値は、２５ｎＡである、請求項６に記載の方法。
【請求項８】
前記実数インピーダンス値は、フィルタ処理されていない、請求項６に記載の方法。
【請求項９】
前記方法は、前記グルコースセンサデータのブランク表示を開始した後に、前記マイクロコントローラにより、前記Ｉｓｉｇの現在値を第２の閾値と比較することによって、ブランク表示を継続すべきかどうかを判定する工程を更に含む、請求項６に記載の方法。
【請求項１０】
前記第２の閾値は、前記ディップ事象の開始時における前記Ｉｓｉｇの値の１．２倍である、請求項９に記載の方法。
【請求項１１】
前記Ｉｓｉｇの現在値が前記第２の閾値よりも大きい場合、前記グルコースセンサデータのブランク表示が継続される、請求項１０に記載の方法。
【請求項１２】
前記Ｉｓｉｇの現在値が前記第２の閾値よりも大きくない場合、前記グルコースセンサデータのブランク表示を終了する、請求項１０に記載の方法。
【請求項１３】
前記グルコースセンサは、複数の前記作用電極を含み、工程（ａ）〜（ｅ）は、複数の前記作用電極のそれぞれについて行われる、請求項６に記載の方法。
【発明の詳細な説明】
【技術分野】
【０００１】
本発明の実施形態は、全体的には、皮下及び埋め込み型センサ装置に関し、具体的な実施形態においては、連続的グルコース監視（ＣＧＭ）のためのシステム、デバイス及び方法に関する。
【背景技術】
【０００２】
長年にわたり、患者の血液中の特定の薬剤又は組成物を検出及び／又は定量するために種々のセンサが開発されてきており、患者及び医療従事者は、患者の体内の生理学的状態を監視することができる。例えば、対象が、対象の体内における血糖値を、連続的に監視することを希望する場合がある。それ故、糖尿病患者の血糖値の指標を得る際に使用するために、グルコースセンサが開発されている。かかる読み取り値は、患者に対してインスリンを定期的に投与することを典型的に含む治療レジメンの監視、及び／又は調整に特に有用であり得る。
【０００３】
現在、患者は、試験ストリップメータ、連続的グルコース測定システム（又は連続的グルコースモニタ）又は病院用ヘマキューなどのＢＧ測定装置（即ち、グルコースメータ）を使用して、自身の血糖値（ＢＧ）を測定することができる。ＢＧ測定装置は、患者のＢＧ値を測定するための種々の方法、例えば、患者の血液のサンプル、体液に接触するセンサ、光学センサ、酵素センサ、又は蛍光センサを使用する。ＢＧ測定装置がＢＧ測定値を生成した場合、ＢＧ測定装置に測定値が表示される。
【０００４】
現在の連続的グルコース測定システムは、皮下（又は短期）センサと、埋め込み型（又は長期）センサとを含む。これらのセンサは、テレメータ特性監視システムに適用されてきた。本発明は、例えば、参照によりその全内容が本明細書に組み込まれ、本発明の譲受人に譲渡された、特許文献１に記載されるように、電気化学センサを用いるテレメータシステムは、遠隔設置データ受信装置と、ユーザの特性を示す信号を生成するセンサと、センサから受信された信号を処理し、遠隔設置データ受信装置へ処理済みの信号を無線送信する送信機装置と、を含む。データ受信装置は、特性モニタ、他の装置にデータを提供するデータ受信機、ＲＦプログラマー、薬物送達装置（輸血ポンプなど）などであってよい。
【０００５】
データ受信装置（例えば、グルコース監視装置）、送信装置、センサ（例えば、グルコースセンサ）が無線又は電線接続を介して通信するか否かに関わらず、上記タイプの特性監視システムは、個々のユーザの固有の特徴に基づいて較正された後にのみ実用的に使用できる。現在の技術水準では、ユーザはセンサを外部から較正する必要がある。より具体的には、糖尿病患者の具体例に関連して、後者は、特性監視システムが使用される間、一日平均２〜４回、フィンガースティック血糖計の読み取り値を利用する必要がある。毎回、血糖値をリアルタイムにユーザへ提供するために、ユーザの指から血液が引き出され、血糖計により解析される。次に、ユーザは、このデータをユーザの現在の血糖値としてグルコース監視装置に入力し、グルコース監視システムの較正に用いる。
【０００６】
しかし、このような外部較正は、様々な理由において不利である。例えば、血糖計は完全に正確ではなく、固有の誤差の範囲を含む。また、完全に正確であっても、血糖計は不適切に使用されやすく、例えば、フィンガースティックを行う直前に、ユーザがキャンディやその他の糖含有物質を取り扱い、その糖の一部がユーザの指に付着していると、血糖値の分析は不正確な血糖値表示となる。また、フィンガースティックの使用ごとに伴う痛み及び不快感は、言うまでもなく不利である。
【０００７】
連続的グルコース監視（ＣＧＭ）における現在の技術水準は概ね補助的なものであり、臨床判定を行うためには、ＣＧＭ装置（例えば、埋め込み型センサ又は皮下センサを含む）によって提供される読み取り値を基準値無しでは使用できないことを意味する。基準値は、例えばＢＧ計を用いてフィンガースティックから得られなくてはならない。センサ／センシング部品から利用可能な情報量が限られているため、基準値が必要とされる。具体的には、センシング部品により現在提供される処理用の情報は、未加工センサ値（即ち、センサ電流又はＩｓｉｇ）及び対電圧（counter voltage）だけである。このため、分析の際に、未加工センサ信号の異常が明らかになった場合（例えば、信号が低下している場合）には、センサの故障と、ユーザ／患者の体内における生理的変化（体内でのグルコース濃度の変化）との間での区別を可能とする唯一の方法は、フィンガースティックを介した基準グルコース値の取得である。既知のように、基準フィンガースティックは、センサを較正するためにも使用される。
【０００８】
当該技術分野では、較正及びセンサの正常性の評価に必要なフィンガースティックをなくすか、又は少なくとも、その回数を最小にする方法を探し求めてきた。しかし、センサ故障モードの数、及び複雑度のレベルが膨大であるため、良好な解決策が見出されてこなかった。せいぜい、Ｉｓｉｇの直接評価、又は例えば、冗長な、かつ／若しくは直交冗長なセンサ及び／若しくは電極由来の複数のＩｓｉｇの比較に基づく診断法が開発された程度である。いずれの場合も、定義上、Ｉｓｉｇは体内のグルコース濃度に追随するため、分析物に対して独立ではない。このようにして、Ｉｓｉｇ自体は、センサ診断のための信頼できる情報源ではないし、連続的なセンサ性能を高い信頼度で予測できるものでもない。
【０００９】
これまで本技術分野において存在していた他の制限は、センサを動作させるだけでなく、リアルタイムのセンサ及び電極診断を行うことができ、センサの電源を管理しながら、冗長な電極を動作させることができる、センサエレクトロニクスが不足していることであった。確認のため、電極冗長性の概念は、かなり長い間存在していた。しかし、現在までのところ、一度に１回以上の読み取り値を得るためだけでなく、冗長電極の相対的な正常性、センサ全体の信頼性、及び、可能であれば、較正基準値に必要な周波数を調べるための、冗長電極の使用は、ほぼ成功していない。
【００１０】
本技術はまた、自己較正センサを提供し、様々な回路モデルを開発することによってセンサ診断を行うための、より正確で信頼性のある手段を探索する。このようなモデルにおいては、インテリジェント診断と、総障害解析と、リアルタイム自己較正に使用され得るパラメータに、回路素子を相関させる試みが一般的に行われる。しかし、このようなモデルのほとんどにおいて、成功は限定的であった。
【００１１】
短期センサ及び長期センサのそれぞれについて、患者は、連続的グルコースセンサが安定し、正確な読み取り値を提供するためには、一定時間待たなければならない。多くの連続的グルコースセンサにおいて、対象は、いずれかのグルコース測定値が利用される以前に、連続的グルコースセンサを安定化させるために３時間待たなければならない。これは、患者にとって不便であり、いくつかの場合、患者が連続的グルコース測定システムを利用しない原因となり得る。
【００１２】
更に、グルコースセンサが、最初に患者の皮膚又は皮下層に挿入された際、グルコースセンサは安定した状態で動作しない。患者のグルコース濃度を表す、センサからの電気的読み取り値は、広範囲の読み取り値にわたり変化する。そのため、まずセンサを安定化する必要がある。センサの電極を利用する前に、センサの電極を十分に「湿潤させる」又は水和させることが望ましい。センサの電極が十分に水和されていない場合には、その結果は、患者の生理学的状態の不正確な読み取り値になる可能性がある。電流血糖センサのユーザは、センサの電源をすぐに入れないよう指示される。利用するのが早すぎると、電流血糖センサは、最適な、又は効率的な動作を行わない。
【先行技術文献】
【特許文献】
【００１３】
【特許文献１】米国特許第６，８０９，６５３号明細書
【特許文献２】米国特許第４，５６２，７５１号明細書
【特許文献３】米国特許第４，６７８，４０８号明細書
【特許文献４】米国特許第４，６８５，９０３号明細書
【特許文献５】米国特許第４，５７３，９９４号明細書
【特許文献６】米国特許第５，３９１，２５０号明細書
【特許文献７】米国特許第５，４８２，４７３号明細書
【発明の概要】
【００１４】
本発明の一実施形態によれば、ユーザの体内におけるグルコース濃度を測定するためのグルコースセンサのリアルタイム較正のための方法であって、センサは、物理センサエレクトロニクスと、マイクロコントローラと、作用電極と、を有する、方法は、物理センサエレクトロニクスにより、作用電極についての電極電流（Ｉｓｉｇ）を測定する工程と、ユーザについての血糖（ＢＧ）値を取得する工程と、グルコースセンサ使用時間に基づく予想較正係数（ＣＦ）値を、マイクロコントローラにより計算する工程と、ＣＦ値、及びＢＧ値に基づいて、Ｉｓｉｇに関連する較正済みセンサグルコース（ＳＧ）値を、マイクロコントローラにより計算する工程と、を含む。
【００１５】
本発明の別の実施形態によれば、グルコースセンサデータの有効性を判定するための方法であって、グルコースセンサは、物理センサエレクトロニクスと、マイクロコントローラと、作用電極と、を有し、かつ、データをユーザに表示するように構成されたディスプレイ装置と機能的に接続されている、方法は、マイクロコントローラにより、電気化学インピーダンス分光法（ＥＩＳ）手順を行い、電極についての実数インピーダンス値を取得する工程と、マイクロコントローラにより、実数インピーダンス値をフィルタ処理する工程と、マイクロコントローラにより、実数インピーダンス値を分析して、値が安定であるかどうか判定する工程と、実数インピーダンス値が安定である場合に、直近の実数インピーダンス値を第１の閾値と比較する工程と、比較に基づき、センサデータが有効であるかどうか判定する工程と、を含む。
【００１６】
本発明の別の実施形態によれば、グルコースセンサデータの有効性を判定するための方法であって、グルコースセンサは、物理センサエレクトロニクスと、マイクロコントローラと、作用電極と、を含む、方法は、マイクロコントローラにより、電気化学インピーダンス分光法（ＥＩＳ）手順を行い、電極についての虚数インピーダンス値を取得する工程と、虚数インピーダンス値についての閾値基準を設定する工程と、閾値基準と直近の虚数インピーダンス値との間の差としての変化値を計算する工程と、センサに対する較正係数の測定値を取得する工程と、変化値と第１の閾値との比較、及び較正係数と第２の閾値との比較を、マイクロコントローラによって行う工程と、比較に基づき、センサデータが有効であり、センサが動作を継続可能であるか、又は、データが無効であり、センサを停止すべきかを判定する工程と、を含む。
【００１７】
本発明の別の実施形態では、グルコースセンサデータの初めの４〜１２時間の間の信号ディップ検出のための方法であって、グルコースセンサは、物理センサエレクトロニクスと、マイクロコントローラと、作用電極と、を含み、かつ、データをユーザに表示するように構成されたディスプレイ装置と機能的に接続されている、方法は、マイクロコントローラにより、電気化学インピーダンス分光法（ＥＩＳ）手順を行い、電極についての実数インピーダンス値を取得する工程と、物理センサエレクトロニクスにより、作用電極についての電極電流（Ｉｓｉｇ）の値を周期的に測定する工程と、マイクロコントローラにより、Ｉｓｉｇ値に関連するセンサグルコース（ＳＧ）値を計算する工程と、Ｉｓｉｇの現在値と第１の閾値との比較、及びＳＧの現在値と第２の閾値との比較を行う工程と、マイクロコントローラにより、実数インピーダンス値の傾向を評価する工程と、比較、及び評価に基づき、ディップ事象が存在するかどうかを判定する工程と、を含む。
【００１８】
本発明の更なる実施形態では、グルコースセンサデータの初めの４時間の間の信号ディップ検出のための方法であって、グルコースセンサは、物理センサエレクトロニクスと、マイクロコントローラと、作用電極と、を含み、かつ、データをユーザに表示するように構成されたディスプレイ装置と機能的に接続されている、方法は、マイクロコントローラにより、電気化学インピーダンス分光法（ＥＩＳ）手順を行い、電極についての実数インピーダンス値を取得する工程と、物理センサエレクトロニクスにより、作用電極についての電極電流（Ｉｓｉｇ）の値を周期的に測定する工程と、Ｉｓｉｇの現在値を第１の閾値と比較する工程と、マイクロコントローラにより、実数インピーダンス値の傾向を評価する工程と、比較、及び評価に基づき、ディップ事象が存在するかどうかを判定する工程と、を含む。
【００１９】
本発明の別の実施形態では、ユーザの体内におけるグルコース濃度を測定するためのグルコースセンサの初日較正（ＦＤＣ）のための方法であって、センサは、物理センサエレクトロニクスと、マイクロコントローラと、作用電極と、を含む、方法は、物理センサエレクトロニクスにより、作用電極についての電極電流（Ｉｓｉｇ）を測定する工程と、マイクロコントローラによって、較正比率（ＣＲ）を計算する工程と、較正比率を、ある閾値範囲と比較する工程と、比較に基づき、次の較正までの時間間隔を計算する工程と、を含む。
【図面の簡単な説明】
【００２０】
【図１】本発明の実施形態に係る皮下センサ挿入セットの透視図及びセンサ電子装置のブロック図である。
【図２Ａ】２つの面を有する基板を示し、ここで、第１の面は、電極構成を含み、第２の面は、電子回路を含む。
【図２Ｂ】センサの出力を検知する電子回路の一般的なブロック図を示す。
【図３】本発明の実施形態に係るセンサ電子装置及び複数の電極を含むセンサのブロック図を示す。
【図４】本発明の実施形態に係るセンサ及びセンサ電子装置を含む、本発明の代替的な実施形態を示す。
【図５】本発明の実施形態に係るセンサ電極、及びセンサ電極に印加する電圧の電子ブロック図を示す。
【図６Ａ】本発明の実施形態に係る安定化時間枠内でパルスを印加して安定化時間枠を短縮させる方法を示す。
【図６Ｂ】本発明の実施形態に係るセンサを安定化させる方法を示す。
【図６Ｃ】本発明の実施形態に係るセンサを安定化させる際のフィードバックの利用を示す。
【図７】本発明の実施形態に係るセンサを安定化する効果を示す。
【図８Ａ】本発明の実施形態に係る電圧発生装置を含むセンサ電子装置及びセンサのブロック図を示す。
【図８Ｂ】本発明のこの実施形態を実装する電圧発生装置を示す。
【図８Ｃ】本発明の実施形態に係る２つの電圧値を生成する電圧発生装置を示す。
【図８Ｄ】本発明の実施形態に係る３つの電圧発生システムを有する電圧発生装置を示す。
【図９Ａ】本発明の実施形態に係る電圧パルスを発生するマイクロコントローラを含むセンサ電子装置を示す。
【図９Ｂ】本発明の実施形態に係る解析モジュールを含むセンサ電子装置を示す。
【図１０】本発明の実施形態に係る水和エレクトロニクスを含むセンサシステムのブロック図を示す。
【図１１】水和時間の決定を補助する機械スイッチを含む本発明の実施形態を示す。
【図１２】本発明の実施形態に係る水和検出方法を示す。
【図１３Ａ】本発明の実施形態に係るセンサの水和方法を示す。
【図１３Ｂ】本発明の一実施形態に係るセンサの水和を検証するための更なる方法を示す。
【図１４Ａ】本発明の実施形態に係るセンサの水和を、センサを安定化することと組み合わせる方法を示す。
【図１４Ｂ】本発明の実施形態に係るセンサの水和を、センサを安定化することと組み合わせる方法を示す。
【図１４Ｃ】本発明の実施形態に係るセンサの水和を、センサを安定化することと組み合わせる方法を示す。
【図１５Ａ】本発明の実施形態に係る周期的交流信号の印加に対するシステム応答のＥＩＳに基づく分析を示す。
【図１５Ｂ】電気化学インピーダンス分光法用の既知の回路モデルを示す。
【図１６Ａ】本発明の実施形態に係る選択された０．１Ｈｚ〜１０００Ｍｈｚの周波数スペクトルについて、ＡＣ電圧＋ＤＣ電圧（ＤＣバイアス）が作用電極に対して印加された場合のナイキスト線図の例を示す。
【図１６Ｂ】相対的に低い周波数の直線適合を有するナイキスト線図の他の例と、相対的に高い周波数における実数インピーダンスの値に近似する切片と、を示す。
【図１６Ｃ】正弦波作動電位に対する無限及び有限グルコースセンサ反応をそれぞれ示す。
【図１６Ｄ】正弦波作動電位に対する無限及び有限グルコースセンサ反応をそれぞれ示す。
【図１６Ｅ】本発明の実施形態に係る大きさに対するボード線図を示す。
【図１６Ｆ】本発明の実施形態に係る位相に対するボード線図を示す。
【図１７】本発明の実施形態に係る、センサが経時劣化する（age）につれて変化するセンサインピーダンスのナイキスト線図を示す。
【図１８】本発明の実施形態に係る、安定化、及びセンサの使用時間の検出において、ＥＩＳ技術を適用する方法を示す。
【図１９】本発明の実施形態に係るＥＩＳ手順を実行するためのスケジュールを示す。
【図２０】本発明の実施形態に係る、是正措置と組み合わせたＥＩＳ手順を使用して、センサを検出及び修復する方法を示す。
【図２１Ａ】本発明の実施形態に係るセンサ是正措置の例を示す。
【図２１Ｂ】本発明の実施形態に係るセンサ是正措置の例を示す。
【図２２】正常に機能するセンサのナイキスト線図を示し、ここでは、センサ着用時間の進行に伴って、ナイキストスロープが徐々に増加し、切片が徐々に減少する。
【図２３Ａ】本発明の実施形態に係る２つの冗長な作用電極からの未加工電流信号（Ｉｓｉｇ）及び１ｋＨｚでの電極のそれぞれの実数インピーダンスを示す。
【図２３Ｂ】図２３Ａの第１の作用電極（ＷＥ１）に対するナイキスト線図を示す。
【図２３Ｃ】図２３Ａの第２の作用電極（ＷＥ２）に対するナイキスト線図を示す。
【図２４】本発明の実施形態に係る２つの冗長な作用電極に対する信号ディップの例及び１ｋＨｚでの電極のそれぞれの実数インピーダンスを示す。
【図２５Ａ】本発明の実施形態に係る、正常に機能するグルコースセンサに対する、比較的高い周波数における、実数インピーダンスと、虚数インピーダンスと、位相との実質的なグルコース独立性を示す。
【図２５Ｂ】本発明の実施形態に係る相対的に低い周波数における実数インピーダンスのグルコース依存性のレベルの変化の具体例を示す。
【図２５Ｃ】本発明の実施形態に係る相対的に低い周波数における位相のグルコース依存性のレベルの変化の具体例を示す。
【図２６】本発明の実施形態に係るセンサ挿入部位での酸素欠損の結果、グルコースセンサが感度を失ったときの、１ｋＨｚの実数インピーダンス、１ｋＨｚの虚数インピーダンス、相対的に高い周波数位相に対するトレンドを示す。
【図２７】本発明の実施形態に係る異なるグルコース濃度における酸素欠損のインビトロシミュレーションについてのＩｓｉｇ及び位相を示す。
【図２８Ａ】本発明の実施形態に係る冗長な作用電極ＷＥ１及びＷＥ２に伴う酸素欠損による感度損失の例、及び電極のＥＩＳ由来パラメータを示す。
【図２８Ｂ】本発明の実施形態に係る冗長な作用電極ＷＥ１及びＷＥ２に伴う酸素欠損による感度損失の例、及び電極のＥＩＳ由来パラメータを示す。
【図２８Ｃ】本発明の実施形態に係る冗長な作用電極ＷＥ１及びＷＥ２に伴う酸素欠損による感度損失の例、及び電極のＥＩＳ由来パラメータを示す。
【図２８Ｄ】図２８Ａ〜図２８Ｃの例に対する未加工ＩｓｉｇにおけるＥＩＳ誘起スパイクを示す。
【図２９】本発明の実施形態に係る閉塞によって引き起こされる酸素欠損による感度損失の例を示す。
【図３０Ａ】本発明の実施形態に係る、冗長な作用電極ＷＥ１及びＷＥ２に伴うバイオファウリングによる感度損失の例、及び電極のＥＩＳ由来パラメータを示す。
【図３０Ｂ】本発明の実施形態に係る、冗長な作用電極ＷＥ１及びＷＥ２に伴うバイオファウリングによる感度損失の例、及び電極のＥＩＳ由来パラメータを示す。
【図３０Ｃ】本発明の実施形態に係る、冗長な作用電極ＷＥ１及びＷＥ２に伴うバイオファウリングによる感度損失の例、及び電極のＥＩＳ由来パラメータを示す。
【図３０Ｄ】図３０Ａ〜図３０Ｃの例に対する未加工ＩｓｉｇにおけるＥＩＳ誘起スパイクを示す。
【図３１】本発明の実施形態に係るセンサ故障検出のための診断手順を示す。
【図３２Ａ】本発明の実施形態に係るセンサ故障検出のための別の診断手順を示す。
【図３２Ｂ】本発明の実施形態に係るセンサ故障検出のための別の診断手順を示す。
【図３３Ａ】本発明の実施形態に係る電流（Ｉｓｉｇ）ベース融合アルゴリズムを伴うトップレベルフロー図を示す。
【図３３Ｂ】本発明の実施形態に係るセンサグルコース（ＳＧ）ベース融合アルゴリズムを伴うトップレベルフロー図を示す。
【図３４】本発明の実施形態に係る図３３Ｂのセンサグルコース（ＳＧ）ベース融合アルゴリズムの詳細を示す。
【図３５】本発明の実施形態に係る図３３Ａの電流（Ｉｓｉｇ）ベース融合アルゴリズムの詳細を示す。
【図３６】本発明の実施形態に係る定常状態のセンサに対する較正の図である。
【図３７】本発明の実施形態に係る遷移中のセンサに対する較正の図である。
【図３８Ａ】本発明のセンサ較正用の実施形態に係るＥＩＳベース動的勾配（勾配調整付き）の図である。
【図３８Ｂ】本発明の実施形態に係る低始動検出を伴うＥＩＳ支援センサ較正フロー図を示す。
【図３９】本発明の実施形態に係るセンサに近接した干渉物のインビトロシミュレーションのためのセンサ電流（Ｉｓｉｇ）及び１ｋＨｚのインピーダンスの大きさを示す。
【図４０Ａ】図３９に示すシミュレーションについて、位相及びインピーダンスのそれぞれに対するボード線図を示す。
【図４０Ｂ】図３９に示すシミュレーションについて、位相及びインピーダンスのそれぞれに対するボード線図を示す。
【図４０Ｃ】図３９に示すシミュレーション用のナイキスト線図である。
【図４１】本発明の実施形態に係る干渉物の他のインビトロシミュレーションを示す。
【図４２Ａ】本発明の実施形態に係るＡＳＩＣブロック図を示す。
【図４２Ｂ】本発明の実施形態に係るＡＳＩＣブロック図を示す。
【図４３】本発明の実施形態に係る冗長作用電極を伴うセンサのためのポテンシオスタット構成を示す。
【図４４】図４３に示すポテンシオスタット構成を有するセンサに対する等価交流電極間回路を示す。
【図４５】本発明の実施形態に係る、グルコースセンサのアナログフロントエンドＩＣにおけるＥＩＳ回路のメインブロックの一部を示す。
【図４６Ａ】０度位相乗算による、０度位相の電流に対する、図４５に示すＥＩＳ回路の信号のシミュレーションを示す。
【図４６Ｂ】０度位相乗算による、０度位相の電流に対する、図４５に示すＥＩＳ回路の信号のシミュレーションを示す。
【図４６Ｃ】０度位相乗算による、０度位相の電流に対する、図４５に示すＥＩＳ回路の信号のシミュレーションを示す。
【図４６Ｄ】０度位相乗算による、０度位相の電流に対する、図４５に示すＥＩＳ回路の信号のシミュレーションを示す。
【図４６Ｅ】０度位相乗算による、０度位相の電流に対する、図４５に示すＥＩＳ回路の信号のシミュレーションを示す。
【図４６Ｆ】０度位相乗算による、０度位相の電流に対する、図４５に示すＥＩＳ回路の信号のシミュレーションを示す。
【図４７Ａ】９０度位相乗算による、０度位相の電流に対する、図４５に示すＥＩＳ回路の信号のシミュレーションを示す。
【図４７Ｂ】９０度位相乗算による、０度位相の電流に対する、図４５に示すＥＩＳ回路の信号のシミュレーションを示す。
【図４７Ｃ】９０度位相乗算による、０度位相の電流に対する、図４５に示すＥＩＳ回路の信号のシミュレーションを示す。
【図４７Ｄ】９０度位相乗算による、０度位相の電流に対する、図４５に示すＥＩＳ回路の信号のシミュレーションを示す。
【図４７Ｅ】９０度位相乗算による、０度位相の電流に対する、図４５に示すＥＩＳ回路の信号のシミュレーションを示す。
【図４７Ｆ】９０度位相乗算による、０度位相の電流に対する、図４５に示すＥＩＳ回路の信号のシミュレーションを示す。
【図４８】本発明の実施形態に係る回路モデルを示す。
【図４９Ａ】本発明の代替的な実施形態に係る回路モデルの図を示す。
【図４９Ｂ】本発明の代替的な実施形態に係る回路モデルの図を示す。
【図４９Ｃ】本発明の代替的な実施形態に係る回路モデルの図を示す。
【図５０Ａ】本発明の実施形態に係る等価回路シミュレーションを重ねたナイキスト線図である。
【図５０Ｂ】図５０Ａの高周波部分の拡大図である。
【図５１】本発明の実施形態に係る矢印Ａの方向にＣｄｌが増加するナイキスト線図を示す。
【図５２】本発明の実施形態に係る矢印Ａの方向にαが増加するナイキスト線図を示す。
【図５３】本発明の実施形態に係る矢印Ａの方向にＲｐが増加するナイキスト線図を示す。
【図５４】本発明の実施形態に係るワールブルクアドミッタンスが、矢印Ａ方向に増加するナイキスト線図を示す。
【図５５】本発明の実施形態に係るλが、矢印Ａの方向に増加するナイキスト線図を示す。
【図５６】本発明の実施形態に係るナイキスト線図上の膜容量の効果を示す。
【図５７】本発明の実施形態に係る矢印Ａの方向に膜抵抗を増大させたナイキスト線図を示す。
【図５８】本発明の実施形態に係る矢印Ａの方向にＲｓｏｌを増加させたナイキスト線図を示す。
【図５９Ａ】本発明の実施形態に係る始動時及び較正時の回路素子に関するＥＩＳパラメータにおける変化を示す。
【図５９Ｂ】本発明の実施形態に係る始動時及び較正時の回路素子に関するＥＩＳパラメータにおける変化を示す。
【図５９Ｃ】本発明の実施形態に係る始動時及び較正時の回路素子に関するＥＩＳパラメータにおける変化を示す。
【図６０Ａ】本発明の実施形態に係る始動時及び較正時の回路素子に関する異なるＥＩＳパラメータのセットにおける変化を示す。
【図６０Ｂ】本発明の実施形態に係る始動時及び較正時の回路素子に関する異なるＥＩＳパラメータのセットにおける変化を示す。
【図６０Ｃ】本発明の実施形態に係る始動時及び較正時の回路素子に関する異なるＥＩＳパラメータのセットにおける変化を示す。
【図６１Ａ】本発明の実施形態に係る始動時及び較正時の回路素子に関する、更に異なるＥＩＳパラメータのセットにおける変化を示す。
【図６１Ｂ】本発明の実施形態に係る始動時及び較正時の回路素子に関する、更に異なるＥＩＳパラメータのセットにおける変化を示す。
【図６１Ｃ】本発明の実施形態に係る始動時及び較正時の回路素子に関する、更に異なるＥＩＳパラメータのセットにおける変化を示す。
【図６２】本発明の実施形態に係る複数の電極に対するＥＩＳ応答を示す。
【図６３】本発明の実施形態に係るグルコースの増加によるＩｓｉｇ較正の効果を示すナイキスト線図である。
【図６４】本発明の実施形態に係るナイキスト線図に対する酸素（Ｖｃｎｔｒ）応答の効果を示す。
【図６５】本発明の実施形態に係る温度変化によるナイキスト線図のシフトを示す。
【図６６】本発明の実施形態に係るＩｓｉｇと血糖の関係を示す。
【図６７】図６７Ａ〜図６７Ｂは、本発明の実施形態に係るセンサドリフトを示す。
【図６８】本発明の実施形態に係る感度損失時の膜抵抗の増加を示す。
【図６９】本発明の実施形態に係る感度損失時のワールブルクアドミッタンスの低下を示す。
【図７０】本発明の実施形態に係る較正曲線を示す。
【図７１】本発明の実施形態に係るナイキスト線図上で見えるようになる高周波数の半円を示す。
【図７２】図７２Ａ〜図７２Ｂは、本発明の実施形態に係るＶｃｎｔｒレイル及びＣｄｌ減少を示す。
【図７３】本発明の実施形態に係る較正曲線の勾配の変化を示す。
【図７４】本発明の実施形態に係る変化するナイキスト線図の長さを示す。
【図７５】図７４のナイキスト線図の低周波領域及び高周波領域の拡大図を示す。
【図７６】図７６Ａ〜図７６Ｂは、本発明の実施形態に係る膜抵抗の増加、Ｃｄｌの減少、及びＶｃｎｔｒレイルの組み合わせ効果を示す。
【図７７】本発明の実施形態に係る２つの作用電極に対する相対的なＣｄｌ値を示す。
【図７８】本発明の実施形態に係る２つの作用電極に対する相対的なＲｐ値を示す。
【図７９】本発明の実施形態に係る、較正曲線に対する、ＥＩＳパラメータ変化の組み合わせ効果を示す。
【図８０】本発明の実施形態に係る低周波領域におけるナイキスト線図の長さは、感度損失があるほど長くなることを示す。
【図８１】本発明の実施形態に係る感度変化の検出に基づくセンサ自己較正のためのフロー図である。
【図８２】本発明の実施形態に係る感度損失によるナイキスト線図における水平シフトを示す。
【図８３】本発明の実施形態に係るナイキスト線図に基づく発見的ＥＩＳメトリック（metric）を開発する方法を示す。
【図８４】本発明の実施形態に係るＲｍと較正係数との関係を示す。
【図８５】本発明の実施形態に係るＲｍと正規化されたＩｓｉｇとの関係を示す。
【図８６】本発明の実施形態に係る、様々なグルコース濃度に対するＩｓｉｇ線図を、時間の関数として示す。
【図８７】本発明の実施形態に係る、様々なグルコース濃度に対するＣｄｌ線図を、時間の関数として示す。
【図８８】本発明の実施形態に係る図８６の線図の第２変曲点を示す。
【図８９】本発明の実施形態に係る図８８のピークに対応するＲｍ用の第２変曲点を示す。
【図９０】本発明の実施形態に係る較正係数（ＣＦ）とＲｍｅｍ＋Ｒｓｏｌとの間の関係の一例を示す。
【図９１Ａ】本発明の実施形態に係るセンサ寿命の最初の約８時間の全ての有効なＢＧにわたって、ＭＡＲＤのためのインビボ結果を示すチャートである。
【図９１Ｂ】本発明の実施形態に係るセンサ寿命の最初の約８時間の全ての有効なＢＧにわたって、中央ＡＲＤ数（median ARD number）を示すチャートである。
【図９２Ａ】本発明の実施形態に係る較正係数調整を示す。
【図９２Ｂ】本発明の実施形態に係る較正係数調整を示す。
【図９２Ｃ】本発明の実施形態に係る較正係数調整を示す。
【図９３Ａ】本発明の実施形態に係る較正係数調整を示す。
【図９３Ｂ】本発明の実施形態に係る較正係数調整を示す。
【図９３Ｃ】本発明の実施形態に係る較正係数調整を示す。
【図９４Ａ】本発明の実施形態に係る較正係数調整を示す。
【図９４Ｂ】本発明の実施形態に係る較正係数調整を示す。
【図９４Ｃ】本発明の実施形態に係る較正係数調整を示す。
【図９５】本発明の実施形態に係るＣｄｌにおける初期減衰の具体例を示す。
【図９６】本発明の実施形態に係る非ファラデー電流の除去のＩｓｉｇへの影響を示す。
【図９７Ａ】本発明の実施形態に係る２つの作用電極に対して非ファラデー電流を除去する前の較正係数を示す。
【図９７Ｂ】本発明の実施形態に係る２つの作用電極に対して非ファラデー電流を除去した後の較正係数を示す。
【図９８Ａ】本発明の実施形態に係る非ファラデー電流の除去のＭＡＲＤにおける効果を示す。
【図９８Ｂ】本発明の実施形態に係る非ファラデー電流の除去のＭＡＲＤにおける効果を示す。
【図９９】本発明の実施形態に係る経時的な二重層容量の図である。
【図１００】本発明の実施形態に係る、感度損失時の、Ｒｍｅｍ＋Ｒｓｏｌのずれと、高周波半円の出現を示す。
【図１０１Ａ】本発明の実施形態に係るコンビネータ論理を使用する感度損失を検出するためのフロー図を示す。
【図１０１Ｂ】本発明の別の実施形態に係るコンビネータ論理を使用する感度損失を検出するためのフロー図を示す。
【図１０２】本発明の実施形態に係る新しいセンサと使用済みセンサとを区別するためのマーカとして、ナイキストスロープを使用するための例示的な方法を示す。
【図１０３Ａ】本発明の実施形態に係る異なるセンサ構成に対して異なる長さを有するナイキスト線図の具体例を示す。
【図１０３Ｂ】本発明の実施形態に係る異なるセンサ構成に対して異なる長さを有するナイキスト線図の具体例を示す。
【図１０３Ｃ】本発明の実施形態に係る異なるセンサ構成に対して異なる長さを有するナイキスト線図の具体例を示す。
【図１０４】図１０３Ａ〜図１０３Ｃのセンサについて、ナイキスト線図の長さを時間の関数として示す。
【図１０５】本発明の実施形態に係る、センサデータのブランク表示（blank）、又はセンサの停止に関するフロー図を示す。
【図１０６】本発明の実施形態に係るセンサ停止のためのフロー図を示す。
【図１０７】本発明の実施形態に係る信号ディップ検出のためのフロー図を示す。
【図１０８Ａ】本発明の実施形態に係る、時間の関数としてのＩｓｉｇ及びＶｃｎｔｒを示す。
【図１０８Ｂ】本発明の実施形態に係る、時間の関数としてのグルコースを示す。
【図１０９Ａ】本発明の実施形態に係る、時間の関数としての較正比率を示す。
【図１０９Ｂ】本発明の実施形態に係る、時間の関数としてのグルコースを示す。
【図１１０Ａ】本発明の実施形態に係る、時間の関数としての較正係数の傾向を示す。
【図１１０Ｂ】本発明の実施形態に係る、時間の関数としての較正係数の傾向を示す。
【図１１１】本発明の実施形態に係る初日較正（ＦＤＣ）のフロー図を示す。
【図１１２】本発明の実施形態に係るＥＩＳベースの較正のためのフロー図を示す。
【発明を実施するための形態】
【００２１】
本発明の実施形態の詳細な説明は、添付の図面を参照して行われる。これらの図面において、同様の数字は、対応関係のある部分を示している。
【００２２】
以下の説明において、添付の図面を参照するが、それらの図面は本明細書の一部をなすものであり、また、本発明のいくつかの実施形態を示すものである。他の実施形態を使用してもよいこと、及び本発明の範囲から逸脱することなく構造的又は操作上の変更を行ってもよいことが理解される。
【００２３】
本明細書の発明は、方法、システム、デバイス、装置、プログラミング、及びコンピュータプログラム製品のフローチャートの図を参照して以下で説明される。フロー図のそれぞれのブロック及びフロー図中のブロックの組み合わせは、コンピュータプログラム命令を含むプログラミング命令によって実装され得ることは理解されたい（メニュー画面は図中で説明されている場合がある）。これらのコンピュータプログラム命令がコンピュータ又は他のプログラム可能データ処理装置（センサ電子装置内のコントローラ、マイクロコントローラ、又はプロセッサ）上にロードされ、マシンが形成され、これにより、コンピュータ又は他のプログラム可能データ処理装置上で実行する命令は、フロー図の１つのブロック又は複数のブロックで指定された機能を実行するための命令を生成する。これらのコンピュータプログラム命令は、コンピュータ又は他のプログラム可能なデータ処理装置を特定的に機能させることができるコンピュータ可読メモリに記憶されてもよく、これにより、コンピュータ可読メモリ内に記憶される命令は、フロー図の１つのブロック又は複数のブロックで指定される機能を実行する命令を含み、製造品を生産することができる。これらのコンピュータプログラム命令は、コンピュータ又は他のプログラム可能データ処理装置上にロードされ、これにより、コンピュータ又は他のプログラム可能装置上で一連の動作ステップが実行され、コンピュータ又は他のプログラム可能装置上で実行される命令がフロー図の１つのブロック又は複数のブロックで指定された機能、及び／又は本明細書において示されているメニューを実装するステップを実現するようなコンピュータ実装プロセスを形成することができる。プログラミング命令は、センサ装置、装置、及びシステムと併用される集積回路（ＩＣ）及び特定用途向け集積回路（ＡＳＩＣ）を含む電子回路を介して記憶及び／又は実装されてもよい。
【００２４】
図１は、本発明の実施形態に係る皮下センサ挿入セットの斜視図及びセンサ電子装置のブロック図である。図１に示すように、皮下センサセット１０は、可撓性センサ１２の能動部分の皮下配置などのために提供され（例えば、図２参照）、又はユーザの身体の選択された部位に配置される。センサセット１０の皮下又は経皮部分は、中空でスロット付きの挿入針１４及びカニューレ１６を含む。針１４は、皮下挿入部位でのカニューレ１６の皮下配置を迅速かつ容易にするために使用される。カニューレ１６の内部には、１つ以上のセンサ電極２０を、カニューレ１６に形成された窓２２を通してユーザの体液に露出するためのセンサ１２の検知部１８がある。本発明の一実施形態において、１つ以上のセンサ電極２０は、対電極と、基準電極と、１つ以上の作用電極とを含むことができる。挿入後、挿入針１４は引き抜かれ、カニューレ１６には検知部１８及びセンサ電極２０を残し、選択された挿入部位に配置される。
【００２５】
特定の実施形態では、皮下センサセット１０は、ユーザの状態を表す特定の血液パラメータを監視するために使用されるタイプの可撓性薄膜電気化学センサ１２の正確な配置を容易にする。センサ１２は、体内の血糖値を監視し、例えば、特許文献２から５、において説明されているような外部又は埋め込み型の自動化又は半自動化医薬輸液ポンプと共に使用することで、糖尿病患者へのインスリンの送達を制御することができる。
【００２６】
可撓性電気化学センサ１２の特定の実施形態は、ポリイミドフィルム又はシートのような選択された絶縁性材料の層の間に埋め込まれ又は収容された細長い薄膜導体と、膜とを含むように薄膜マスク技術に従って作製される。検知部１８の先端のセンサ電極２０は、センサ１２の検知部１８（又は能動部）が挿入部位に皮下に配置されている場合、患者血液又は他の体液と直接接触する絶縁層の１つを介して露出している。検知部１８は、絶縁層のうちの１つを介して露出する導電性接触パッドなどを終端する接続部２４に接合される。代替的な実施形態では、化学ベース、光学ベースなどの他のタイプの埋め込み型センサを使用することができる。
【００２７】
従来技術のように、接続部２４及び接触パッドは、センサ電極２０から導出される信号に応答してユーザの状態を監視する好適なモニタ又はセンサ電子装置１００への直接的な有線電気接続のために全体的に適合される。この一般的なタイプの可撓性薄膜センサの更なる説明は、参照により本明細書に援用されている特許文献６（発明の名称「ＭＥＴＨＯＤ  ＯＦ  ＦＡＢＲＩＣＡＴＩＮＧ  ＴＨＩＮ  ＦＩＬＭ  ＳＥＮＳＯＲＳ」）において見出すことができる。接続部２４は、モニタ又はセンサ電子装置１００に電子的に、又は図示されるようにコネクタブロック２８（又は同様のもの）によって便利に接続されてもよく、参照により本明細書にも組み込まれる、「ＦＬＥＸ  ＣＩＲＣＵＩＴ  ＣＯＮＮＥＣＴＯＲ」と称される特許文献７にも示され及び説明される。そのため、本発明の実施形態によれば、皮下センサセット１０は、有線又は無線の特性モニタシステムのいずれか一方と共に作動するよう構成又は形成されてもよい。
【００２８】
センサ電極２０は、様々なセンシング用途に使用され、様々な方法で構成されてもよい。例えば、センサ電極２０は、いくつかのタイプの生体分子が触媒剤として使用される生理学的パラメータ検出用途において用いられてもよい。例えば、センサ電極２０は、センサ電極２０との反応を触媒するグルコースオキシダーゼ（ＧＯｘ）酵素を有するグルコース及び酸素センサに用いられてもよい。センサ電極２０は、生体分子又は他の触媒剤と共に、血管又は非血管環境において人体内に配置されてもよい。例えば、センサ電極２０及び生体分子は、静脈内に配置され、血流にさらされることができ、又は人体の皮下又は腹膜領域内に配置されてもよい。
【００２９】
モニタ１００は、センサ電子装置１００としても称されてもよい。モニタ１００は、電源１１０、センサインターフェース１２２、処理エレクトロニクス１２４、及びデータフォーマットのエレクトロニクス１２８を含んでもよい。モニタ１００は、接続部２４のコネクタブロック２８に電気的に結合されたコネクタを介して、ケーブル１０２によってセンサセット１０に連結されてもよい。代替的な実施形態において、ケーブルを省略してもよい。本発明のこの実施形態では、モニタ１００は、センサセット１０の接続部１０４に直接接続するための適切なコネクタを含むことができる。センサセット１０は、センサセットの上にモニタ１００を配置しやすいように、例えばセンサセットの上など、異なる位置に配置される接続部１０４を有するように修正されてもよい。
【００３０】
本発明の実施形態において、センサインターフェース１２２、処理エレクトロニクス１２４、及びデータフォーマットエレクトロニクス１２８は、個別の半導体チップとして形成されるが、代替的な実施形態では、様々な半導体チップを単一の、又は複数のカスタマイズされた半導体チップ内に組み合わせてもよい。センサインターフェース１２２は、センサセット１０に接続されているケーブル１０２と接続される。
【００３１】
電源１１０は、電池であってもよい。電池は、３つの直列酸化銀３５７電池セルを含むことができる。代替的な実施形態において、リチウムベースの化学反応、アルカリ電池、ニッケル金属水素化物、又は同様のものなど、異なる電池化学反応を利用してもよいし、異なる数の電池を用いてもよい。モニタ１００は、ケーブル１０２及びケーブルコネクタ１０４を通して、電源１１０を介してセンサセットに電力を供給する。本発明の実施形態において、電力はセンサセット１０へ供給される電圧である。本発明の実施形態において、電力はセンサセット１０へ供給される電流である。本発明の実施形態において、電力は特定の電圧でセンサセット１０へ供給される電圧である。
【００３２】
図２Ａ及び図２Ｂは、本発明の実施形態に係る埋め込み型センサ及び埋め込み型センサを駆動するためのエレクトロニクスを示す。図２Ａは、２つの面を有する基板２２０を示し、第１の面２２２は電極構成を含み、第２の面２２４は電子回路を含む。図２Ａに示すように、基板の第１の面２２２は、基準電極２４８の両側に、対電極−作用電極２４０、２４２、２４４、２４６の２つの対を含む。基板の第２の面２２４は、電子回路を含む。図示のように、電子回路は、気密封止ケーシング２２６内に封入され、電子回路のための保護ハウジングを提供することができる。これにより、センサ基板２２０を、血管環境又は電子回路が流体にさらされ得る他の環境内に挿入することができる。電子回路を気密封止ケーシング２２６内に封入することにより、電子回路は、周囲の流体によるショートのリスク無しで動作することができる。図２Ａにも、電子回路の入力及び出力ラインが接続され得るパッド２２８を示す。電子回路自体は、様々な方法で製造されてもよい。本発明の実施形態によれば、電子回路は、業界共通の技術を使用して集積回路として製造されてもよい。
【００３３】
図２Ｂは、本発明の実施形態に係るセンサの出力を感知する電子回路の一般的なブロック図を示す。少なくとも一対のセンサ電極３１０は、データ変換器３１２にインターフェースしてもよく、その出力は、カウンタ３１４にインターフェースしてもよい。カウンタ３１４は、制御ロジック３１６によって制御されてもよい。カウンタ３１４の出力は、回線インターフェース３１８に接続してもよい。回線インターフェース３１８は、入力及び出力ライン３２０に接続してもよく、制御ロジック３１６にも接続してもよい。入力及び出力ライン３２０は、電力整流器３２２に接続されてもよい。
【００３４】
センサ電極３１０は、様々なセンシング用途に使用され、様々な方法で構成されてもよい。例えば、センサ電極３１０は、いくつかのタイプの生体分子が触媒剤として使用される生理学的パラメータ検出用途において用いられてもよい。例えば、センサ電極３１０は、センサ電極３１０との反応を触媒するグルコースオキシダーゼ（ＧＯｘ）酵素を有するグルコース及び酸素センサに用いられてもよい。センサ電極３１０は、生体分子又は他の触媒剤と共に、血管又は非血管環境において人体内に配置されてもよい。例えば、センサ電極３１０及び生体分子は、静脈内に配置され、血流にさらされることができる。
【００３５】
図３は、本発明の実施形態に係るセンサ電子装置及び複数の電極を含むセンサのブロック図を示す。センサセット又はシステム３５０は、センサ３５５及びセンサ電子装置３６０を含む。センサ３５５は、対電極３６５と、基準電極３７０と、作用電極３７５とを備える。センサ電子装置３６０は、電源３８０と、レギュレータ３８５と、信号プロセッサ３９０と、計測プロセッサ３９５と、表示／送信モジュール３９７とを含む。電源３８０は、レギュレータ３８５に電力（電圧、電流、又は電流を含む電圧のいずれかの形式）を供給する。レギュレータ３８５は、調整電圧をセンサ３５５に送信する。本発明の一実施形態では、レギュレータ３８５は、センサ３５５の対電極３６５に電圧を送信する。
【００３６】
センサ３５５は、測定される生理学的特性の濃度を示すセンサ信号を生成する。例えば、センサ信号は、血糖値の読み取り値を示してもよい。皮下センサを利用する本発明の実施形態では、センサ信号は、対象体内の過酸化水素のレベルを表してもよい。血液又は頭蓋センサを利用する本発明の実施形態では、酸素の量がセンサにより測定され、センサ信号によって表される。埋め込み型又は長期のセンサを利用する本発明の実施形態において、センサ信号は対象体内の酸素レベルを表してもよい。センサ信号は、作用電極３７５で測定される。本発明の一実施形態では、センサ信号は、作用電極で測定された電流であってよい。本発明の一実施形態では、センサ信号は作用電極で測定された電圧であってよい。
【００３７】
信号プロセッサ３９０は、センサ信号がセンサ３５５（例えば作用電極）で測定された後、センサ信号（例えば、測定した電流又は電圧）を受信する。信号プロセッサ３９０は、センサ信号を処理し、処理されたセンサ信号を生成する。計測プロセッサ３９５は、処理されたセンサ信号を受信し、処理されたセンサ信号を基準値を用いて較正する。本発明の実施形態において、基準メモリに基準値が記憶され、計測プロセッサ３９５へ提供される。計測プロセッサ３９５は、センサ測定値を生成する。センサ測定値は、計測メモリ（図示せず）に記憶されてもよい。センサ測定値は、ディスプレイ／送信装置に送られ、センサエレクトロニクスを有するハウジングのディスプレイに表示されるか、又は外部装置に送信されてもよい。
【００３８】
センサ電子装置３６０は、生理学的特性読み取り値を表示するためのディスプレイを含むモニタであってよい。センサ電子装置３６０は、デスクトップコンピュータ、ページャ、通信機能を含むテレビ、ラップトップコンピュータ、サーバ、ネットワークコンピュータ、携帯情報端末（ＰＤＡ）、コンピュータ機能を含む携帯電話、ディスプレイを含む輸血ポンプ、ディスプレイを含むグルコースセンサ、及び／又は輸血ポンプ／グルコースセンサの組み合わせに取り付けることもできる。センサ電子装置３６０は、ｂｌａｃｋｂｅｒｒｙ、ネットワークデバイス、ホームネットワークデバイス、又はホームネットワークに接続される電化製品に格納されてもよい。
【００３９】
図４は、本発明の実施形態に係るセンサ及びセンサ電子装置を含む、本発明の代替的な実施形態を示す。センサセット又はセンサシステム４００は、センサ電子装置３６０及びセンサ３５５を含む。センサは、対電極３６５と、基準電極３７０と、作用電極３７５とを備える。センサ電子装置３６０は、マイクロコントローラ４１０及びデジタルアナログ変換器（ＤＡＣ）４２０を備える。センサ電子装置３６０はまた、電流−周波数変換器（Ｉ／Ｆ変換器）４３０を備えてもよい。
【００４０】
マイクロコントローラ４１０は、ソフトウェアプログラムコードを含むか、又はプログラマブルロジックを備え、ソフトウェアプログラムコードは、実行されると信号をＤＡＣ４２０に送信する動作をマイクロコントローラ４１０に行わせ、プログラム可能なロジックは信号をＤＡＣ４２０に送信する動作をマイクロコントローラ４１０に行わせ、ここで、信号は電圧レベル又はセンサ３５５に印加される値を表す。ＤＡＣ４２０は、この信号を受けて、マイクロコントローラ４１０により指令されたレベルの電圧値を生成する。本発明の実施形態では、マイクロコントローラ４１０は、信号内の電圧レベルの表現を頻繁に変えたり、頻繁に変えない場合もある。例示的に、マイクロコントローラ４１０からの信号は、ＤＡＣ４２０に第１の電圧値を１秒間、第２の電圧値を２秒間、印加するように指令することができる。
【００４１】
センサ３５５は、電圧レベル又は値を受信してもよい。本発明の一実施形態では、対電極３６５は、入力として、基準電圧及びＤＡＣ４２０からの電圧値を有する演算増幅器の出力を受信してもよい。電圧レベルの印加により、センサ３５５は、測定される生理学的特性の濃度を示すセンサ信号を生成する。本発明の一実施形態では、マイクロコントローラ４１０は、作用電極からのセンサ信号（例えば、電流値）を測定してもよい。例示的に、センサ信号測定回路４３１はセンサ信号を測定してもよい。本発明の実施形態では、センサ信号測定回路４３１は、抵抗器を含んでもよく、電流が抵抗器を通り、センサ信号の値を測定してもよい。本発明の一実施形態では、センサ信号は、電流レベル信号であってもよく、センサ信号測定回路４３１は電流−周波数（Ｉ／Ｆ）変換器４３０であってもよい。電流−周波数変換器４３０は、電流読み取り値に関してセンサ信号を測定し、周波数ベースのセンサ信号に変換し、周波数ベースのセンサ信号をマイクロコントローラ４１０に送信してもよい。本発明の実施形態では、マイクロコントローラ４１０は、非周波数ベースのセンサ信号よりも容易に周波数ベースのセンサ信号を受信することができる。マイクロコントローラ４１０は、センサ信号を受信し、周波数ベース又は非周波数ベースであっても、血糖値などの対象の生理学的特性の値を決定する。マイクロコントローラ４１０は、実行又は動作すると、センサ信号を受信し、センサ信号を生理学的特性値に変換することができるプログラムコードを備えてもよい。本発明の一実施形態では、マイクロコントローラ４１０は、センサ信号を血糖値に変換してもよい。本発明の一実施形態では、マイクロコントローラ４１０は、対象の血糖値を決定するために内部メモリ内に記憶された測定値を利用してもよい。本発明の一実施形態では、マイクロコントローラ４１０は、マイクロコントローラ４１０の外部のメモリ内に記憶された測定値を利用して、対象の血糖値の決定を補助することができる。
【００４２】
マイクロコントローラ４１０は、マイクロコントローラ４１０によって生理学的特性値が決定された後、生理学的特性値の測定値を数期間にわたって記憶してもよい。例えば、血糖値は、センサから１秒おき又は５秒おきにマイクロコントローラ４１０に送られ、マイクロコントローラは、ＢＧ読み取りの５分又は１０分間にわたって、センサ測定値を保存してもよい。マイクロコントローラ４１０は、生理学的特性値の測定値をセンサ電子装置３６０上のディスプレイに転送してもよい。例えば、センサ電子装置３６０は、対象に対する血糖読み取り値を提供するディスプレイを含むモニタであってもよい。本発明の一実施形態では、マイクロコントローラ４１０は、生理学的特性値の測定値をマイクロコントローラ４１０の出力インターフェースに転送してもよい。マイクロコントローラ４１０の出力インターフェースは、生理学的特性値の測定値、例えば、血糖値を外部装置、例えば、輸血ポンプ、複合輸液ポンプ／グルコースメータ、コンピュータ、携帯情報端末、ページャ、ネットワークアプライアンス、サーバ、携帯電話、又は何らかのコンピューティング装置に転送してもよい。
【００４３】
図５は、本発明の実施形態に係るセンサ電極、及びセンサ電極に印加する電圧の電子ブロック図を示す。図５に示されている本発明の実施形態では、オペアンプ５３０又は他のサーボ制御装置は、回路／電極インターフェース５３８を通じてセンサ電極５１０に接続してもよい。センサ電極を通じてフィードバックを利用するオペアンプ５３０は、対電極５３６における電圧を調整することによって基準電極５３２と作用電極５３４との間で規定電圧（ＤＡＣが印加電圧として望み得る電圧）を維持しようとする。そして、対電極５３６から作用電極５３４に電流が流れ得る。このような電流を測定して、センサ電極５１０とセンサ電極５１０の近傍に配置され触媒剤として使用されたセンサの生体分子との電気化学反応を確認することができる。図５に開示される回路は、長期又は埋め込み型センサで利用することができ、又は短期又は皮下センサで利用されてもよい。
【００４４】
長期的センサの実施形態では、グルコースオキシダーゼ（ＧＯｘ）酵素がセンサ内の触媒剤として使用される場合、電流は、対電極５３６から作用電極５３４へ、酵素及びセンサ電極５１０の近傍に酸素がある場合にのみ流れてもよい。例示的には、基準電極５３２に設定された電圧が約０．５ボルトに維持されると、対電極５３６から作用電極５３４に流れる電流の量は、酵素及び電極を取り囲む領域に存在する酸素量に対する一体の傾きとほぼ直線的な関係を有する。そのため、血液中の酸素量の定量精度の向上は、基準電極５３２を約０．５ボルトに維持し、電流電圧曲線のこの領域を利用して血液酸素のレベルを変化させることにより得られてもよい。本発明の他の実施形態は、グルコースオキシダーゼ酵素とは異なる生体分子を有する異なるセンサを利用し、このため、基準電極で設定される０．５ボルト以外の電圧を有してもよい。
【００４５】
上述したように、センサ５１０の初期埋め込み又は挿入する際センサ５１０は、センサに対する対象の調整及びセンサで利用される触媒によって引き起こされる電気化学的副産物により、不正確な読み取り値を提供する可能性がある。多くのセンサは、センサ５１０が対象の生理学的パラメータの正確な読み取りを提供するために、安定化期間が必要とされる。安定化期間の間、センサ５１０は、正確な血糖値測定を提供しない。センサのユーザや製造業者は、センサが対象の体内又は対象の皮下層に挿入された後、センサが迅速に利用できるよう、センサ用の安定化時間枠を改善することを望んでもよい。
【００４６】
以前のセンサ電極システムおいて、安定化期間又は時間枠は１時間〜３時間であった。センサ（又はセンサの電極）は、センサの安定化期間又は時間枠を低下させ、制度の適時性を高めるために、１つのパルスの印加及びそれに続く別の電圧の印加ではなく、複数のパルスにさらされてもよい。図６Ａは、本発明の実施形態に係る安定化時間枠内でパルスを印加して安定化時間枠を短縮させる方法を示す。本発明のこの実施形態では、電圧印加装置は、第１の電圧を第１の時間又は期間に電極に印加する（６００）。本発明の実施形態において、第１の電圧は、直流定電圧であってもよい。この結果、アノード電流が発生する。本発明の代替的な実施形態で、デジタルアナログ変換器又は他の電圧源は、第１の期間に電圧を電極に提供してもよい。アノード電流とは、電子が電圧が印加された電極に向けて駆動されることを意味する。本発明の実施形態において、印加装置は電圧の代わりに電流を印加してもよい。センサに電圧を印加する本発明の実施形態では、第１の電圧が電極に印加された後、第２の時間、時間枠、又は期間の間、電圧レギュレータは待機（即ち、電圧を印加しない）してもよい（６０５）。換言すると、電圧印加装置は、第２の期間が経過するまで待機する。電圧が印加されない場合、結果としてカソード電流が生じ、その結果電圧が印加されない電極によって電子の取得が生じる。第１の期間に第１の電圧の電極への印加、その後の第２の期間に電圧が印加されないことが、何回も繰り返される（６１０）。これは、アノード及びカソードサイクルとして称されてもよい。本発明の一実施形態では、安定化方法の総反復回数は、３回であり、例えば第１の期間に電圧を３回印加し、その後、それぞれ第２の期間には電圧を印加しない。本発明の実施形態では、第１の電圧は１．０７ボルトであってもよい。本発明の実施形態では、第１の電圧は０．５３５ボルトであってもよい。本発明の実施形態において、第１の電圧はおよそ０．７ボルトであってもよい。
【００４７】
電圧が繰り返し印加され、電圧が印加されないことにより、センサ（及び電極）にアノード−カソードサイクルが生じる。アノード−カソードサイクルは、センサの挿入又はセンサの埋め込みに反応する患者の体内に生成される電気化学的副産物の低減をもたらす。本発明の一実施形態において、電気化学的副生成物は、バックグラウンド電流の発生原因となり、その結果、対象の生理学的パラメータの測定値が不正確になる。本発明の一実施形態では、電気化学的副産物を除去することができる。他の動作条件下で、電気化学的副産物を低減又は大幅に低減してもよい。良好な安定化方法によってアノード−カソードサイクルが平衡に到達し、電気化学的副産物を大幅に減少させ、バックグラウンド電流を最小化する。
【００４８】
本発明の実施形態において、センサの電極に印加される第１の電圧は、正の電圧であってよい。本発明の実施形態では、印加される第１の電圧は、負の電圧であってよい。本発明の一実施形態では、第１の電圧は、作用電極に印加されてもよい。本発明の一実施形態では、第１の電圧は、基準電極又は対電極に印加されてもよい。
【００４９】
本発明の実施形態では、電圧パルスの持続時間及び電圧を印加しない時間は、例えば、それぞれ３分間など、等しくてもよい。本発明の実施形態では、電圧印加又は電圧パルスの持続時間は異なる値であってもよく、例えば、第１の時間と第２の時間とが異なる場合がある。本発明の一実施形態では、第１の期間を５分間とし、待機期間を２分間としてもよい。本発明の一実施形態では、第１の期間を２分間とし、待機期間（又は第２の期間）を５分間としてもよい。換言すると、第１の電圧の印加の持続期間は２分間であってよく、５分間は電圧が印加されない場合もある。この時間枠は、例示的なものに過ぎず、限定するものではない。例えば、第１の時間枠は、２、３、５又は１０分間であってもよく、第２の時間枠は、５分、１０分、２０分又は同様の時間であってもよい。時間枠（例えば、第１の時間及び第２の時間）は、異なる電極、センサの固有の特性、及び／又は患者の生理学的特性に依存してもよい。
【００５０】
本発明の実施形態では、グルコースセンサを安定化させるために、３つ以上、又は３つ未満のパルスを利用してもよい。換言すると、反復の数は、３つより多く又は３つより少なくてもよい。例えば、４つの電圧パルス（例えば、高い電圧に続いて電圧なし）が電極の１方に印加されるか、又は６つの電圧パルスが電極の一方に印加されてもよい。
【００５１】
例示的に、皮下埋め込み型センサに対し、１．０７ボルトの３つの連続するパルス（その後にそれぞれの待機期間）で十分であってもよい。本発明の一実施形態では、０．７ボルトの連続した３つの電圧パルスを利用することができる。３つの連続するパルスは、血液又は頭蓋内流体内に埋め込まれたセンサ、例えば長期的若しくは永久的センサに対して、負又は正のいずれかの、より高い、又はより低い電圧値を有してもよい。加えて、３つより多いパルス（例えば、５、８、１２）を利用して、皮下、血液、又は頭蓋内流体センサのいずれかにおけるアノード電流とカソード電流との間のアノード−カソードサイクリングを生じさせてもよい。
【００５２】
図６Ｂは、本発明の実施形態に係るセンサを安定化させる方法を示す。図６Ｂに示される本発明の実施形態では、電圧印加装置が第１の電圧を第１の期間にセンサに印加し（６３０）、センサの電極でアノードサイクルを開始してもよい。電圧印加装置は、直流電源、デジタルアナログ変換器、又は電圧レギュレータであってもよい。第１の期間が経過した後、第２の電圧が第２の時間のセンサに印加され（６３５）、センサの電極でカソードサイクルを開始する。例示的に、電圧が印加されないのではなく、図６Ａに示される方法のように、第２の時間枠の間に（第１の電圧とは）異なる電圧がセンサに印加される。本発明の一実施形態では、第１の期間の第１の電圧の印加及び第２の期間の第２の電圧の印加は、何回も繰り返される（６４０）。本発明の一実施形態では、第１の期間の第１の電圧の印加及び第２の期間の第２の電圧の印加は、それぞれ、複数回繰り返すのではなく、安定化時間枠、例えば、１０分、１５分、又は２０分間印加されてもよい。この安定化時間枠は、例えば、センサ（及び電極）が安定化するまで、安定化シーケンスに対する時間枠の全体である。この安定化方法の利益は、センサのより速い動作、バックグラウンド電流の低減（言い換えると、いくらかのバックグラウンド電流の抑制）、及びより良好なグルコース応答である。
【００５３】
本発明の一実施形態では、第１の電圧は、５分間印加される０．５３５ボルトであってよく、第２の電圧は、２分間印加される１．０７０ボルトであってよく、０．５３５ボルトの第１の電圧は５分間印加され、１．０７０ボルトの第２の電圧は２分間印加され、０．５３５ボルトの第１の電圧は５分間印加され、１．０７０ボルトの第２の電圧は２分間印加されてもよい。換言すると、この実施形態では、電圧パルス発生スキームの３回の繰り返しがある。このパルス発生方法は、第２の時間枠、例えば、第２の電圧の印加の時間枠が、２分から５分、１０分、１５分、又は２０分に延長され得るという点で変更されてもよい。加えて、本発明のこの実施形態では、３回の繰り返しが適用された後、０．５３５ボルトの公称電圧が印加されてもよい。
【００５４】
１．０７０及び０．５３５ボルトは例示的な値である。他の電圧値は、様々な因子に基づき選択されてもよい。これらの因子として、センサに利用される酵素の種類、センサに利用される膜、センサの動作期間、パルスの長さ、及び／又はパルスの大きさを挙げることができる。ある動作条件下において、第１の電圧は１．００〜１．０９ボルトの範囲であってもよく、第２の電圧は０．５１０〜０．５６５ボルトの範囲であってもよい。他の動作実施形態では、第１の電圧と第２の電圧とを囲む範囲は、センサの電極の電圧感度に応じて、より高い範囲、例えば、０．３ボルト、０．６ボルト、０．９ボルトであってもよい。他の動作条件下では、電圧は、０．８ボルト〜１．３４ボルトの範囲内であってもよく、他の電圧は、０．３３５〜０．７３５の範囲内であってもよい。他の動作条件下では、より高い電圧の範囲は、より低い電圧の範囲よりも小さくてもよい。例示的に、より高い電圧は、０．９〜１．０９ボルトの範囲内であってもよく、より低い電圧は、０．２３５〜０．８３５ボルトの範囲内であってもよい。
【００５５】
本発明の一実施形態では、第１の電圧及び第２の電圧は、正の電圧であるか、あるいは、本発明の他の実施形態において、負の電圧であってもよい。本発明の一実施形態では、第１の電圧は、正であり、第２の電圧は、負であるか、あるいは、第１の電圧は、負であり、第２の電圧は、正であってもよい。第１の電圧は、繰り返しのそれぞれについて異なる電圧レベルであってもよい。本発明の一実施形態では、第１の電圧は、直流定電圧であってよい。本発明の他の実施形態では、第１の電圧は、ランプ電圧、正弦波形電圧、ステップ電圧、又は他の一般に利用される電圧波形であってもよい。本発明の一実施形態において、第２の電圧は、直流定電圧、ランプ電圧、正弦波形電圧、ステップ電圧、又は他の一般に利用される電圧波形であってもよい。本発明の一実施形態において、第１の電圧又は第２の電圧は、直流波形に乗った電圧交流信号であってもよい。本発明の一実施形態では、第１の電圧は、一方の種類の電圧、例えば、ランプ電圧であり、第２の電圧は、第２の種類の電圧、例えば、正弦波形電圧であってもよい。本発明の一実施形態では、第１の電圧（又は第２の電圧）は、繰り返しのそれぞれについて異なる波形形状を有してもよい。例えば、安定化方法に３つのサイクルがある場合、第１のサイクルにおいて第１の電圧はランプ電圧であり、第２のサイクルにおいて第１の電圧は定電圧であり、第３のサイクルにおいて第１の電圧は正弦波電圧であってもよい。
【００５６】
本発明の一実施形態では、第１の時間枠の持続時間及び第２の時間枠の持続時間は、同じ値を有することができるか、あるいは、第１の時間枠及び第２の時間枠の持続時間は、異なる値を有してもよい。例えば、第１の時間枠の持続時間は、２分であり、第２の時間枠の持続時間は、５分であり、繰り返し回数は３であるものとしてよい。上記の説明のように、安定化方法は、複数の繰り返しを含んでもよい。本発明の実施形態では、安定化方法を異なる回数で繰り返す間、第１の時間枠のそれぞれの時間枠の持続時間は変化し、第２の時間枠のそれぞれの時間枠の持続時間も変化してもよい。例示的に、アノード−カソードサイクリングの第１の繰り返しの間、第１の時間枠は、２分間であり、第２の時間枠は、５分間であってもよい。第２の繰り返しの間、第１の時間枠は、１分間であり、第２の時間枠は、３分間であってもよい。第３の繰り返しの間、第１の時間枠は、３分間であり、第２の時間枠は、１０分間であってもよい。
【００５７】
本発明の一実施形態において、０．５３５ボルトの第１の電圧が、センサ内の電極に２分間印加されてアノードサイクルを開始し、１．０７ボルトの第２の電圧が電極に５分間印加されてカソードサイクルを開始する。次いで、０．５３５ボルトの第１の電圧が、再び２分間印加されてアノードサイクルを開始し、１．０７ボルトの第２の電圧が５分間センサに印加される。３回目の繰り返しでは、０．５３５ボルトを２分間にわたって印加して、アノードサイクルを開始させた後、１．０７ボルトを５分間印加する。その後、センサが実際稼働している期間で、例えば、センサが対象の生理学的特性の読み取り値を提供する場合、センサに与えられる電圧は０．５３５である。
【００５８】
より短い持続時間の電圧パルスは、図６Ａ及び図６Ｂの実施形態において利用されてもよい。より短い持続時間の電圧パルスは、第１の電圧、第２の電圧、又はその両方を印加するために利用されてもよい。本発明の一実施形態では、第１の電圧に対するより短い持続時間の電圧パルスの大きさは、−１．０７ボルトであり、第２の電圧に対するより短い持続時間の電圧パルスの大きさは、高い大きさの約半分であり、例えば、−．５３５ボルトである。あるいは、第１の電圧に対するより短い持続時間のパルスの大きさは、０．５３５ボルトであってもよく、第２の電圧に対するより短い持続時間のパルスの大きさは、１．０７ボルトである。
【００５９】
短い持続時間のパルスを利用する本発明の実施形態において、電圧が第１の期間全体にわたって連続的に印加されなくてもよい。代わりに、電圧印加装置は、第１の期間に複数の短い持続時間のパルスを送ってもよい。換言すると、複数のミニ幅又は短い持続時間の電圧パルスが、第１の期間にわたってセンサの電極に印加されてもよい。各ミニ幅又は短い持続時間のパルスは、数ミリ秒の幅を有してもよい。例示的には、このパルス幅は、３０ミリ秒、５０ミリ秒、７０ミリ秒、又は２００ミリ秒であってよい。これらの値は例示的であり、限定的ではないことを意図する。図６Ａに示されている実施形態などの、本発明の一実施形態では、これらの短い持続時間のパルスは、第１の期間にセンサ（電極）に印加され、そして第２の期間に電圧は印加されない。
【００６０】
本発明の一実施形態では、各短い持続時間のパルスは、第１の期間内に同じ持続時間を有してもよい。例えば、それぞれの短い持続時間の電圧パルスは、５０ミリ秒の時間幅を有し、パルス間のそれぞれのパルス遅延時間は、９５０ミリ秒であってもよい。この例では、第１の時間枠について２分間が測定時間とされる場合、１２０個の短い持続時間の電圧パルスがセンサに印加されてもよい。本発明の一実施形態では、短い持続時間の電圧パルスのそれぞれは、異なる持続時間を有してもよい。本発明の一実施形態では、短い持続時間の電圧パルスのそれぞれは、同じ振幅値を有してよい。本発明の一実施形態では、短い持続時間の電圧パルスのそれぞれは、異なる振幅値を有してよい。センサに電圧を連続的に印加する代わりに、短い持続時間の電圧パルスを利用することによって、同じアノード及びカソードサイクリングが生じ得、センサ（例えば、電極）は、時間の経過と共により少ない全エネルギー又は電荷にさらされる。センサ（したがって電極）に印加されるエネルギーが少ないため、短い持続時間の電圧パルスを使用する場合、電極に電圧を連続的に印加するのと比べて利用する電力は少ない。
【００６１】
図６Ｃは、本発明の実施形態に係るセンサを安定化させる際のフィードバックの利用を示す。センサシステムは、センサを安定化させるために追加パルスが必要であるかどうかを決定するフィードバック機構を含んでもよい。本発明の一実施形態では、電極（例えば、作用電極）によって生成されるセンサ信号を分析して、センサ信号が安定化されているかどうかを判定してもよい。第１の電圧が、第１の時間枠で電極に印加され（６３０）、アノードサイクルを開始する。第２の電圧が、第２の時間枠で電極に印加され（６３５）、カソードサイクルを開始する。本発明の一実施形態では、解析モジュールが、センサ信号（例えば、センサ信号によって発生する電流、センサ内の特定の地点における抵抗、センサ内の特定のノードにおけるインピーダンス）を分析し、測定閾値に達したかどうかを判定することができる（６３７）（例えば、測定閾値に対して比較することによって正確な読み取り値をセンサが出しているかどうかを判定する）。センサ読み取り値が正確であると判定された場合、電極（したがってセンサ）が安定している（６４２）ことを表しており、第１の電圧及び／又は第２の電圧の追加の印加が生じなくてもよい。本発明の一実施形態では、安定性を達成しなかった場合、追加のアノード／カソードサイクルが、第１の期間に第１の電圧を電極に印加し（６３０）、第２の期間に第２の電圧を電極に印加する（６３５）ことによって開始される。
【００６２】
本発明の実施形態では、解析モジュールは、第１の電圧及び第２の電圧をセンサの電極に３回印加するアノード／カソードサイクルの後に使用されてもよい。本発明の一実施形態では、図６Ｃに示されるように、解析モジュールは、第１の電圧及び第２の電圧を１回印加した後に使用されてもよい。
【００６３】
本発明の一実施形態では、解析モジュールは、電極にわたって、又は２つの電極の間に電流が導入された後に発生する電圧を測定するために使用されてもよい。解析モジュールは、電極において又は受信レベルで、電圧レベルを監視してもよい。本発明の一実施形態では、電圧レベルがある閾値以上であれば、これはセンサが安定化されていることを意味してもよい。本発明の一実施形態では、電圧レベルが閾値レベルより低い場合、これは、センサが安定化されており、読み取り値を直ちに提供できる状態を示してもよい。本発明の一実施形態において、電流は、電極に、又は２、３の電極にわたって導入されてもよい。解析モジュールは、電極から放出される電流レベルを監視してもよい。本発明のこの実施形態では、解析モジュールは、センサ信号電流から大きさの順序で電流が異なる場合に電流を監視することが可能であってよい。電流が、電流閾値より高いか、又は低い場合、これは、センサが安定化されていることを意味するものとしてよい。
【００６４】
本発明の一実施形態では、解析モジュールは、センサの２つの電極の間のインピーダンスを測定してもよい。解析モジュールは、インピーダンスを閾値又は目標インピーダンス値と比較し、測定されたインピーダンスが目標又は閾値インピーダンスより低い場合に、センサ（したがってセンサ信号）は、安定化されてもよい。本発明の一実施形態では、解析モジュールは、センサの２つの電極の間の抵抗を測定してもよい。本発明のこの実施形態では、解析モジュールは、抵抗を閾値又は目標抵抗値と比較し、測定された抵抗値が閾値又は目標抵抗値より小さい場合に、解析モジュールは、センサが安定化され、センサ信号が利用できると判定してもよい。
【００６５】
図７は、本発明の実施形態に係るセンサを安定化する効果を示す。ライン７０５は、前の単一パルス安定化法が利用されたグルコースセンサに対する血糖センサ読み取り値を表している。ライン７１０は、３つの電圧パルスが印加される場合のグルコースセンサに対する血糖読み取り値を表す（例えば、３つの電圧パルスは２分の持続時間を有し、それぞれの後に電圧が印加されない５分間の持続時間が続く）。Ｘ軸７１５は、時間の量を表す。ドット７２０、７２５、７３０、７３５は、測定されたグルコースの読み取り値を表しており、この測定はフィンガースティックを利用して行われ、次いでグルコースメータ内に入力される。グラフで示されているように、以前の単一パルス安定化法では、所望のグルコース読み取り値、例えば、１００単位に安定化するために約１時間３０分かかった。対照的に、３パルス安定化法では、グルコースセンサを安定化するのに約１５分しかかからず、その結果、安定化時間枠が大幅に改善された。
【００６６】
図８Ａは、本発明の実施形態に係る電圧発生装置を含むセンサ電子装置及びセンサのブロック図を示す。電圧発生又は印加装置８１０は、電圧パルスを生成するエレクトロニクス、ロジック又は回路を含む。センサ電子装置３６０は、基準値及び他の有用なデータを受信するための入力装置８２０も備えてもよい。本発明の一実施形態では、センサ電子装置は、センサ測定値を記憶するための測定用メモリ８３０を備えてもよい。本発明のこの実施形態では、電源３８０は、電力をセンサ電子装置に供給してもよい。電源３８０は、電力をレギュレータ３８５に供給し、レギュレータ３８５は、調整電圧を電圧発生又は印加装置８１０に供給してもよい。接続端子８１１は、本発明の例示されている実施形態では、接続端子が、センサ３５５をセンサ電子装置３６０に連結又は接続することを表している。
【００６７】
図８Ａに示されている本発明の一実施形態において、電圧発生又は印加装置８１０は、電圧、例えば、第１の電圧又は第２の電圧を演算増幅器８４０の入力端子に供給する。電圧発生又は印加装置８１０は、電圧をセンサ３５５の作用電極３７５にも供給することができる。演算増幅器８４０の別の入力端子は、センサの基準電極３７０に結合される。電圧発生又は印加装置８１０から演算増幅器８４０に電圧が印加されると、対電極３６５で測定される電圧が、作用電極３７５で印加される電圧に近くなる、又は等しくなる。本発明の一実施形態では、電圧発生又は印加装置８１０は、対電極と作用電極との間に所望の電圧を印加するために利用することも可能である。これは、固定された電圧を対電極に直接印加することによって生じてもよい。
【００６８】
図６Ａ及び図６Ｂに示される本発明の一実施形態では、電圧発生装置８１０は、第１の時間枠においてセンサに印加される第１の電圧を発生する。電圧発生装置８１０は、第１の電圧をオペアンプ８４０に送り、オペアンプ８４０は、センサ３５５の対電極３６５の電圧を第１の電圧に駆動する。本発明の一実施形態では、電圧発生装置８１０はまた、第１の電圧を直接的に、センサ３５５の対電極３６５に送ることも可能である。図６Ａに示される本発明の実施形態では、電圧発生装置８１０は、次いで、第２の時間枠の間、第１の電圧をセンサ３５５に送らない。換言すると、電圧発生装置８１０は、オフにされるか、又はオフに切り換えられる。電圧発生装置８１０は、何回もの繰り返し、又は安定化時間枠の間、例えば、２０分間、第１の電圧を印加することと、電圧を印加しないこととのサイクリング動作を継続するようにプログラムされてもよい。図８Ｂは、本発明のこの実施形態を実装する電圧発生装置を示す。電圧レギュレータ３８５は、調整電圧を電圧発生装置８１０に送る。制御回路８６０は、スイッチ８５０の開閉を制御する。スイッチ８５０を閉じると、電圧が印加される。スイッチ８５０が開かれると、電圧が印加されない。タイマ８６５は、スイッチ８５０をオン、オフするように制御回路８６０に指令する信号を、制御回路８６０に送る。制御回路８６０は、何回（必要な繰り返しと一致する回数）もスイッチ８５０を開閉するよう回路に指令することができるロジックを含む。本発明の一実施形態では、タイマ８６５は、安定化シーケンスが完了したこと、即ち、安定化時間枠が経過したことを識別するための安定化信号を送信してもよい。
【００６９】
本発明の一実施形態では、電圧発生装置は、第１の時間枠で第１の電圧を発生し、第２の時間枠で第２の電圧を発生する。図８Ｃは、本発明のこの実施形態を実装する２つの電圧値を発生する電圧発生装置を示す。本発明のこの実施形態では、２位置スイッチ８７０が利用される。例示的に、第１のスイッチ位置８７１がタイマ８６５によってオンにされるか、又は閉じられ制御回路８６０に指令を送る場合、電圧発生装置８１０は、第１の時間枠で第１の電圧を発生する。第１の電圧が第１の時間枠で印加された後、タイマは、第１の時間枠が経過したことを示す信号を制御回路８６０に送信し、制御回路８６０は、スイッチ８７０を第２の位置８７２に移動するよう指示する。スイッチ８７０が、第２の位置８７２にあるときに、調整電圧は、電圧ステップダウン又はバック変換器８８０に送られ、これにより調整電圧をより低い値に下げる。次いで、より低い値は、第２の時間枠においてオペアンプ８４０に送られる。タイマ８６５が、第２の時間枠が経過したことを示す信号を制御回路８６０に送信した後、制御回路８６０は、スイッチ８７０を第１の位置に戻す。これは、所望の繰り返しの回数が完了する、又は安定化時間枠が経過するまで継続する。本発明の一実施形態において、センサ安定化時間枠が経過した後、センサはセンサ信号３５０を信号プロセッサ３９０に送信する。
【００７０】
図８Ｄは、センサに対する電圧の、より複雑な印加を実行するために利用される電圧印加装置８１０を示す。電圧印加装置８１０は、制御装置８６０、スイッチ８９０、正弦波電圧発生装置８９１、ランプ電圧発生装置８９２、及び定電圧発生装置８９３を備えてもよい。本発明の他の実施形態では、電圧印加は、直流信号又は他の様々な電圧パルス波形の上に電圧交流波を発生してもよい。図８Ｄに示されている本発明の実施形態では、制御装置８６０は、スイッチを３つの電圧発生システム８９１（正弦波）、８９２（ランプ）、８９３（直流定電圧）のうちの１つに切り換えることができる。この結果、電圧発生システムのそれぞれにおいて、特定の電圧波形を発生することになる。特定の動作条件下で、例えば、正弦波パルスが３つのパルスに対して印加される場合、制御装置８６０は、電圧印加装置８１０が正弦波電圧を発生するように、スイッチ８９０に、電圧レギュレータ３８５からの電圧を正弦波電圧発生器８９１へと接続させてもよい。他の動作条件の下で、例えば、ランプ電圧が３つのパルスのうちの第１のパルスについて第１の電圧としてセンサに印加され、正弦波電圧が３つのパルスのうちの第２のパルスについて第１の電圧としてセンサに印加され、直流定電圧が３つのパルスのうちの第３のパルスについて第１の電圧としてセンサに印加される場合、制御装置８６０は、スイッチ８９０に、アノード／カソードサイクルの第１の時間枠内で、電圧発生又は印加装置８１０からの電圧をランプ電圧発生システム８９２に、次いで正弦波電圧発生システム８９１に、次いで直流定電圧発生システム８９３に切り換えて接続させてもよい。本発明のこの実施形態では、制御装置８６０は、第２の時間枠において、例えば、第２の電圧の印加時に、電圧発生サブシステムのうちのいくつかをレギュレータ３８５からの電圧に接続するように、スイッチに指令するか、又は制御してもよい。
【００７１】
図９Ａは、本発明の実施形態に係る電圧パルスを発生するマイクロコントローラを含むセンサ電子装置を示す。高度センサ電子装置は、マイクロコントローラ４１０（図４を参照）、デジタルアナログ変換器（ＤＡＣ）４２０、オペアンプ８４０、及びセンサ信号測定回路４３１を備えてもよい。本発明の一実施形態では、センサ信号測定回路は、電流対周波数（Ｉ／Ｆ）変換器４３０であってよい。図９Ａに示されている本発明の実施形態において、マイクロコントローラ４１０内のソフトウェア又はプログラマブルロジックは、ＤＡＣ４２０に信号を送信する命令を提供し、次いで、特定の電圧を演算増幅器８４０に出力するようＤＡＣ４２０に指令する。マイクロコントローラ４１０は、図９Ａのライン９１１によって示されているように、特定の電圧を作用電極３７５に出力するようにも指令されてもよい。上で説明されているように、特定の電圧を演算増幅器８４０及び作用電極３７５に印加することによって、対電極で測定された電圧を特定の電圧の大きさに駆動してもよい。換言すると、マイクロコントローラ４１０は、センサ３５５（例えば、センサ３５５に連結された演算増幅器８４０）に印加されるべき電圧若しくは電圧波形を示す信号を出力する。本発明の代替的実施形態では、固定された電圧は、基準電極と作用電極３７５との間にＤＡＣ４２０から直接的に電圧を印加することによって設定されてもよい。同様の結果は、電圧を電極のそれぞれに印加することによっても得られ、差分は基準電極と作用電極との間に印加される固定された電圧に等しい。加えて、固定された電圧は、基準電極と対電極との間に電圧を印加することによって設定されてもよい。ある動作条件下では、マイクロコントローラ４１０は、特定の大きさの電圧がセンサに印加されるということを表すことを、ＤＡＣ４２０が認識する、特定の大きさのパルスを発生してもよい。第１の時間枠の後、マイクロコントローラ４１０は（プログラム又はプログラマブルロジックを介して）電圧を出力しないように（センサ電子装置３６０が図６Ａで説明されている方法に従って動作する場合）、又は第２の電圧を出力するように（センサ電子装置３６０が図６Ｂで説明されている方法に従って動作する場合）ＤＡＣ４２０に指令する第２の信号を出力する。マイクロコントローラ４１０は、第２の時間枠が経過した後に、次いで、印加されるべき第１の電圧（第１の時間枠に対して）を示す信号を送信し、次いで電圧は印加されないこと、又は第２の電圧が印加されるべきであること（第２の時間枠に対して）を指令する信号を送信するサイクルを繰り返す。
【００７２】
他の動作条件下で、マイクロコントローラ４１０は、ランプ電圧を出力するようにＤＡＣに指令する、ＤＡＣ４２０への信号を生成してもよい。他の動作条件下で、マイクロコントローラ４１０は、正弦波電圧をシミュレートする電圧を出力するようにＤＡＣ４２０に指令する、ＤＡＣ４２０への信号を生成してもよい。これらの信号は、前の段落又は以前本出願で上述されているパルス発生方法のいずれかに組み込むことも可能である。本発明の一実施形態では、マイクロコントローラ４１０は、命令及び／又はパルスのシーケンスを生成することができ、これをＤＡＣ４２０が受信し、パルスの特定のシーケンスが印加される意味だと理解する。例えば、マイクロコントローラ４１０は、第１の時間枠の第１の繰り返しに対する定電圧、第２の時間枠の第１の繰り返しに対するランプ電圧、第１の時間枠の第２の繰り返しに対する正弦波電圧、及び第２の時間枠の第２の繰り返しについて２つの値を有する方形波を生成するようにＤＡＣ４２０に指令する命令シーケンスを（信号及び／又はパルスを介し）送信してもよい。
【００７３】
マイクロコントローラ４１０は、安定化時間枠又は複数の繰り返しについて、このサイクリングを続けるためのプログラマブルロジック又はプログラムを含んでもよい。例示的に、マイクロコントローラ４１０は、いつ第１の時間枠又は第２の時間枠が経過したかを識別するための計数ロジックを含んでもよい。加えて、マイクロコントローラ４１０は、安定化時間枠が経過したことを識別する計数ロジックを含んでもよい。先行する時間枠のいずれかが経過した後に、計数ロジックは、新しい信号を送信する、又はＤＡＣ４２０への信号の送信を停止するようマイクロコントローラに指令してもよい。
【００７４】
マイクロコントローラ４１０を使用することにより、様々な大きさの電圧を複数の持続時間にわたって複数のシーケンスで印加することができる。本発明の一実施形態では、マイクロコントローラ４１０は１分間の第１の期間に大きさが約１．０ボルトである電圧パルスを送信し、次いで、４分間の第２の期間に大きさが約０．５ボルトである電圧パルスを送信し、４回このサイクルを繰り返すようにデジタルアナログ変換器４２０に指令する制御ロジック又はプログラムを備えることができる。本発明の一実施形態では、マイクロコントローラ４２０は、それぞれの繰り返しでそれぞれの第１の電圧に対して同じ大きさの電圧パルスを印加することをＤＡＣ４２０に行わせる信号を送信するようにプログラムされてもよい。本発明の一実施形態では、マイクロコントローラ４１０は、それぞれの繰り返しでそれぞれの第１の電圧に対して異なる大きさの電圧パルスを印加することをＤＡＣに行わせる信号を送信するようにプログラムされてもよい。本発明のこの実施形態では、マイクロコントローラ４１０は、それぞれの繰り返しにおいてそれぞれの第２の電圧に対して異なる大きさの電圧パルスを印加することをＤＡＣ４２０に行わせる信号を送信するようにもプログラムされてもよい。例示的に、マイクロコントローラ４１０は、第１の繰り返しにおいて約１．０ボルトの第１の電圧パルスを印加すること、第１の繰り返しにおいて約０．５ボルトの第２の電圧パルスを印加すること、第２の繰り返しにおいて０．７ボルトの第１の電圧及び０．４ボルトの第２の電圧を印加すること、並びに第３の繰り返しにおいて１．２ボルトの第１の電圧及び０．８ボルトの第２の電圧を印加することをＤＡＣ４２０に行わせる信号を送信するようにプログラムされてもよい。
【００７５】
マイクロコントローラ４１０は、第１の時間枠において複数の短い持続時間の電圧パルスを送るようにＤＡＣ４２０に指令するようにもプログラムされてもよい。本発明のこの実施形態では、第１の時間枠全体にわたって（例えば、２分間）１つの電圧が印加されるのではなく、複数のより短い持続時間のパルスがセンサに印加されてもよい。この実施形態では、マイクロコントローラ４１０は、第２の時間枠において複数の短い持続時間の電圧パルスをセンサに送るようにＤＡＣ４２０に指令するようにもプログラムされてもよい。例示的に、マイクロコントローラ４１０は、短い持続時間が５０ミリ秒又は１００ミリ秒である複数の短い持続時間の電圧パルスを印加することをＤＡＣに行わせる信号を送信してもよい。これらの短い持続時間のパルスの間に、ＤＡＣは、電圧を印加しなくてもよいし、又はＤＡＣは、最低電圧を印加してもよい。マイクロコントローラは、第１の時間枠、例えば、２分間に、短い持続時間の電圧パルスを印加することをＤＡＣ４２０に行わせてもよい。次いで、マイクロコントローラ４１０は、電圧を印加しないか、又は第２の時間枠で第２の電圧の大きさの、短い持続時間の電圧パルスを印加することのいずれかをＤＡＣに行わせる信号をセンサに送り、例えば、第２の電圧は０．７５ボルトとし、第２の時間枠を５分間としてもよい。本発明の一実施形態では、マイクロコントローラ４１０は、第１の時間枠及び／又は第２の時間枠で短い持続時間のパルスのそれぞれに対して異なる大きさの電圧を印加することをＤＡＣ４２０に行わせる信号をＤＡＣ４２０に送ってもよい。本発明の一実施形態では、マイクロコントローラ４１０は、第１の時間枠又は第２の時間枠で電圧の大きさのパターンを短い持続時間の電圧パルスに適用することをＤＡＣ４２０に行わせる信号をＤＡＣ４２０に送ってもよい。例えば、マイクロコントローラは、第１の時間枠で３０個の２０ミリ秒パルスをセンサに印加するようＤＡＣ４２０に指令する信号又はパルスを送信してもよい。３０個の２０ミリ秒パルスのそれぞれは、同じ大きさを有していても、異なる大きさを有していてもよい。本発明のこの実施形態では、マイクロコントローラ４１０は、第２の時間枠で短い持続時間のパルスを印加するようＤＡＣ４２０に指令するか、又は第２の時間枠の間に別の電圧波形を印加するようＤＡＣ４２０に指令してもよい。
【００７６】
図６〜図８の開示では、電圧の印加を開示しているが、安定化プロセスを開始するために電流をセンサに印加してもよい。例示的には、図６Ｂに示されている本発明の実施形態では、第１の電流は、アノード又はカソード応答を開始するために第１の時間枠で印加され、第２の電流は、反対のアノード又はカソード応答を開始するために第２の時間枠で印加されてもよい。第１の電流及び第２の電流の印加は、複数の繰り返しの間続けることができる、又は安定化時間枠において続いてもよい。本発明の一実施形態では、第１の電流は、第１の時間枠で印加され、第１の電圧は、第２の時間枠で印加されてもよい。換言すると、アノード又はカソードサイクルのうちの一方が、センサに印加されている電流によってトリガされ、アノード又はカソードサイクルのうちの他方が、センサに印加されている電圧によってトリガされてもよい。上記のように、印加される電流は、定電流、ランプ電流、ステップパルス電流、又は正弦波電流であってもよい。特定の動作条件下で、電流は、第１の時間枠で短い持続時間のパルスのシーケンスとして印加されてもよい。
【００７７】
図９Ｂは、本発明の一実施形態による、解析モジュールを安定化期間におけるフィードバックに利用するセンサ及びセンサエレクトロニクスを示す。図９Ｂでは、解析モジュール９５０をセンサ電子装置３６０に導入する。解析モジュール９５０は、センサからのフィードバックを利用して、センサが安定化しているかどうかを判定する。本発明の一実施形態では、マイクロコントローラ４１０は、ＤＡＣ４２０が電圧又は電流をセンサ３５５の一部に印加するようにＤＡＣ４２０を制御する命令又はコマンドを含んでもよい。図９Ｂは、電圧又は電流を、基準電極３７０と作用電極３７５との間に印加することが可能であることを示す。しかし、電圧又は電流は、電極間に、又は直接的に電極のうちの一方に印加することができ、本発明は、図９Ｂに示されている実施形態によって制限されるべきでない。電圧又は電流の印加は、点線９５５で示される。解析モジュール９５０は、センサ３５５内の電圧、電流、抵抗、又はインピーダンスを測定してもよい。図９Ｂは、測定は作用電極３７５で行われることを示すが、これは本発明を限定するものではなく、その理由は、本発明の他の実施形態ではセンサの電極間、又は直接的に、基準電極３７０若しくは対電極３６５のいずれかの電圧、電流、抵抗、又はインピーダンスを測定してもよいからである。解析モジュール９５０は、測定された電圧、電流、抵抗、又はインピーダンスを受信することができ、その測定値を記憶されている値（例えば、閾値）と比較してもよい。点線９５６は、解析モジュール９５０が、電圧、電流、抵抗、又はインピーダンスの測定値を読み取る又は測定を行うことを表す。特定の動作条件下で、測定された電圧、電流、抵抗、又はインピーダンスが、閾値より高い場合、センサは安定化しており、センサ信号は患者の生理学的状態の正確な読み取り値を提供している。他の動作条件下では、測定された電圧、電流、抵抗、又はインピーダンスが閾値を下回る場合、センサは安定化されている。他の動作条件下では、解析モジュール９５０は、測定された電圧、電流、抵抗、又はインピーダンスが特定の時間枠において、例えば、１分間又は２分間、安定していることを検証してもよい。これは、センサ３５５が安定化していること、及びセンサ信号が対象の生理学的パラメータ、例えば、血糖値の正確な測定値を送信していることを表してもよい。解析モジュール９５０が、センサが安定化し、センサ信号が正確な測定値を提供していると判定した後、解析モジュール９５０は、センサが安定化しており、マイクロコントローラ４１０がセンサ３５５のセンサ信号を使用すること、又は受信することを開始できることを示す信号（例えば、センサ安定化信号）をマイクロコントローラ４１０に送信してもよい。これは、点線９５７で表される。
【００７８】
図１０は、本発明の実施形態に係る水和エレクトロニクスを含むセンサシステムのブロック図を示す。センサシステムは、コネクタ１０１０、センサ１０１２、及びモニタ又はセンサ電子装置１０２５を備える。センサ１０１２は、電極１０２０と接続部１０２４とを備える。本発明の実施形態では、センサ１０１２は、コネクタ１０１０及びケーブルを介してセンサ電子装置１０２５に接続されてもよい。本発明の他の実施形態では、センサ１０１２は、センサ電子装置１０２５に直接的に接続されてもよい。本発明の他の実施形態では、センサ１０１２は、センサ電子装置１０２５と同じ物理的装置に組み込まれてもよい。モニタ又はセンサ電子装置１０２５は、電源１０３０、レギュレータ１０３５、信号プロセッサ１０４０、計測プロセッサ１０４５、及びプロセッサ１０５０を含んでもよい。モニタ又はセンサ電子装置１０２５は、水和検出回路１０６０を含んでもよい。水和検出回路１０６０は、センサ１０１２とインターフェースし、センサ１０２０の電極１０１２が十分に水和しているかどうかを判定する。電極１０２０が十分に水和していない場合、電極１０２０は、正確なグルコース読み取りを提供しないので、電極１０２０がいつ十分に水和されるかを知ることは重要である。電極１０２０が十分に水和されると、正確なグルコース読み取り値が得られる。
【００７９】
図１０に示す本発明の実施形態では、水和検出回路１０６０は、遅延又はタイマモジュール１０６５と、接続検出モジュール１０７０とを含んでもよい。短期的センサ又は皮下センサを利用する本発明の一実施形態では、センサ１０１２が皮下組織内に挿入された後、センサ電子装置又はモニタ１０２５は、センサ１０１２に接続される。接続検出モジュール１０７０は、センサ電子装置１０２５がセンサ１０１２に接続されたことを識別し、タイマモジュール１０６５に信号を送る。これは、検出器１０８３が接続を検出し、センサ１０１２がセンサ電子装置１０２５に接続されたことを示す信号を接続検出モジュール１０７０に送ることを表す矢印１０８４によって図１０に例示されている。埋め込み型又は長期センサが利用される実施形態では、接続検出モジュール１０７０は、埋め込み型センサが体内に挿入されたことを識別する。タイマモジュール１０６５は、接続信号を受信し、設定された又は確立された水和時間の間待つ。例示的に、水和時間は、２分間、５分間、又は２０分間であってもよい。これらの例は、例示的であり、限定的ではないことを意味する。時間枠は、設定された分数である必要はなく、任意の秒数も含むことができる。本発明の一実施形態では、タイマモジュール１０６５が、設定された水和時間の間待った後、タイマモジュール１０６５は、センサ１０１２が水和されたことを、水和信号を送信することによってプロセッサ１０５０に通知してもよいが、これはライン１０８６によって示される。
【００８０】
本発明のこの実施形態では、プロセッサ１０５０は、水和信号を受信し、水和信号が受信された後にのみ、センサ信号（例えば、センサ測定値）を利用することを開始することができる。本発明の別の実施形態では、水和検出回路１０６０は、センサ（センサ電極１０２０）と信号プロセッサ１０４０との間に結合されてもよい。本発明のこの実施形態では、水和検出回路１０６０は、設定された水和時間が経過したことをタイマモジュール１０６５が水和検出回路１０６０に通知するまで、センサ信号が信号プロセッサ１０４０に送られることを防止してもよい。これは、参照番号１０８０及び１０８１で標識される点線で示される。例示的に、タイマモジュール１０６５は、接続信号をスイッチ（又はトランジスタ）に送って、スイッチをオンにし、センサ信号を信号プロセッサ１０４０に進ませてもよい。本発明の代替的実施形態では、タイマモジュール１０６５は、接続信号を送信し、水和検出回路１０６０内のスイッチ１０８８をオンにして（又はスイッチ１０８８を閉じて）、水和時間が経過した後にレギュレータ１０３５からの電圧がセンサ１０１２に印加できるようにしてもよい。換言すると、本発明のこの実施形態では、レギュレータ１０３５からの電圧が、水和時間経過後までセンサ１０１２に印加されない。
【００８１】
図１１は、水和時間の決定を補助する機械スイッチを含む本発明の実施形態を示す。本発明の実施形態では、単一のハウジングは、センサアセンブリ１１２０及びセンサ電子装置１１２５を備えてもよい。本発明の一実施形態では、センサアセンブリ１１２０は、あるハウジング内にあり、センサ電子装置１１２５は、別のハウジング内にあってもよいが、センサアセンブリ１１２０及びセンサ電子装置１１２５は共に接続されてよい。本発明のこの実施形態では、接続検出機構１１６０は、機械スイッチであってもよい。機械スイッチは、センサ１１２０がセンサ電子装置１１２５に物理的に接続されていることを検出してもよい。本発明の一実施形態では、タイマ回路１１３５も、機械スイッチ１１６０が、センサ１１２０がセンサ電子装置１１２５に接続されていることを検出したときに起動されてもよい。換言すると、機械スイッチが閉じ、信号がタイマ回路１１３５に転送されてもよい。タイマ回路１１３５は、水和時間が経過すると、スイッチ１１４０に信号を送信し、レギュレータ１０３５が電圧をセンサ１１２０に印加する。換言すると、水和時間が経過するまで電圧は印加されない。本発明の一実施形態では、電流は、水和時間が経過すると、センサに印加されるものとして、電流が電圧の代わりに使用されてもよい。本発明の代替実施形態において、機械スイッチ１１６０が、センサ１１２０がセンサ電子装置１１２５に物理的に接続されていることを識別したときに、電力は、最初にセンサ１１２０に印加されてもよい。センサ１１２０に送られる電力により、結果的にセンサ信号がセンサ１１２０内の作用電極から出力されることになる。センサ信号は、測定され、プロセッサ１１７５に送られてもよい。プロセッサ１１７５は、カウンタ入力を備えてもよい。特定の動作条件下において、センサ信号がプロセッサ１１７５内に入力されたときから設定された水和時間が経過した後に、プロセッサ１１７５は、対象の体内のグルコースの正確な測定値としてセンサ信号を処理することを開始してもよい。換言すると、プロセッサ１１７０は、ポテンシオスタット回路１１７０から一定時間センサ信号を受け取るが、プロセッサのカウンタ入力から水和時間が経過したことを識別する命令を受け取るまで信号を処理しない。本発明の一実施形態では、ポテンシオスタット回路１１７０は、電流−周波数変換器１１８０を備えてもよい。本発明のこの実施形態では、電流−周波数変換器１１８０は、センサ信号を電流値として受信し、その電流値を周波数値に変換してもよく、周波数値は、プロセッサ１１７５での取り扱いが容易である。
【００８２】
本発明の実施形態において、センサ１１２０がセンサ電子装置１１２５から切断された場合、機械スイッチ１１６０は、プロセッサ１１７５にも通知してもよい。これは、図１１において点線１１７６で示される。これは、結果として、プロセッサ１１７０がセンサ電子装置１１２５の複数の部品、チップ、及び／又は回路への電源を切るか、又は電力を下げることになってもよい。センサ１１２０が接続されていない場合、センサ電子装置１１２５の部品又は回路が電源オンの状態にあると、電池又は電源の電力が流出することがある。従って、機械スイッチ１１６０が、センサ１１２０がセンサ電子装置１１２５から切断されたことを検出した場合、機械スイッチは、このことをプロセッサ１１７５に指示し、プロセッサ１１７５は、センサ電子装置１１２５の電子回路、チップ、又は部品のうちの１つ以上への電源を切るか、又は電力を下げてもよい。
【００８３】
図１２は、本発明の実施形態に係る電子的な水和検出方法を示す。本発明の一実施形態では、センサの接続を検出する電気的検出機構が利用されてもよい。本発明のこの実施形態では、水和検出エレクトロニクス１２５０は、交流電源１２５５及び検出回路１２６０を備えてもよい。水和検出エレクトロニクス１２５０は、センサ電子装置１２２５内に位置されてもよい。センサ１２２０は、対電極１２２１、基準電極１２２２、及び作用電極１２２３を備えてもよい。図１２に示すように、交流電源１２５５は、電圧設定装置１２７５、基準電極１２２２、検出回路１２６０に連結されている。本発明のこの実施形態では、図１２の点線１２９１に示すように、交流電源からの交流信号が基準電極接続部に印加される。本発明の実施形態において、交流信号は、インピーダンスを通じてセンサ１２２０に連結され、連結された信号は、センサ１２２０がセンサ電子装置１２２５に接続されている場合に大幅に減衰される。これにより、低レベル交流信号は、検出回路１２６０への入力で存在する。これは、大きく減衰された信号又は高レベルの減衰を有する信号とも称されてもよい。特定の動作条件下では、交流信号の電圧レベルは、Ｖａｐｐｌｉｅｄ＊（Ｃｃｏｕｐｌｉｎｇ）／（Ｃｃｏｕｐｌｉｎｇ＋Ｃｓｅｎｓｏｒ）とすることができる。検出回路１２６０が、検出回路１２６０の入力端子に高レベルの交流信号（低減衰信号）が存在していることを検出した場合、センサ１２２０は十分に水和又は活性化されていないため、マイクロコントローラ４１０に割り込みは送られない。例えば、検出回路１２６０の入力は、比較器であってもよい。センサ１２２０が十分に水和（湿潤）されている場合、対電極と基準電極との間に有効容量（例えば、図１２の静電容量Ｃｒ−ｃ）が形成され、基準電極と作用電極との間に有効容量（例えば、図１２の静電容量Ｃｗ−ｒ）が形成される。換言すると、有効容量は、２つのノード間に形成される静電容量に関係し、実際のコンデンサが２つの電極の間の回路内に置かれていることを表さない。本発明の一実施形態では、交流源１２５５からの交流信号は、静電容量Ｃｒ−ｃ及びＣｗ−ｒによって十分に減衰され、検出回路１２６０は、検出回路１２６０の入力端子のところで交流源１２５５からの低レベルの、又は大きく減衰された交流信号の存在を検出する。本発明のこの実施形態では、センサ１１２０とセンサ電子装置１１２５との間の既存の接続部の利用によりセンサへの接続部の数が低減されるため重要である。換言すると、図１１に開示されている機械スイッチは、センサ１１２０とセンサ電子装置１１２５との間のスイッチ及び関連する接続部を必要とする。センサ１１２０は、連続的にサイズを小型化し、部品をなくすことでこのサイズ縮小を達成しやすくなるので、機械スイッチをなくすと有利である。本発明の代替的実施形態では、交流信号は、異なる電極（例えば、対電極又は作用電極）に印加されてもよく、本発明は、同様に動作してもよい。
【００８４】
上記のように、検出回路１２６０が、検出回路１２６０の入力端子に低レベル交流信号が存在していることを検出した場合、検出回路１２６０は、後から、減衰が低い高レベル交流信号が入力端子のところに存在していることを検出してもよい。これは、センサ１２２０がセンサ電子装置１２２５から切断されていること、又はセンサが正常に動作していないことを表す。センサがセンサ電子装置１２２５から切断されている場合、交流源は、減衰がほとんどないか又は低いまま、検出回路１２６０の入力に連結されてもよい。上記のように、検出回路１２６０は、マイクロコントローラへの割り込みを生成してもよい。この割り込みは、マイクロコントローラが受け取り、マイクロコントローラは、センサ電子装置１２２５内の１つ又は複数の部品又は回路への電力を低減する、又は電力供給を止めてもよい。これは、第２の割り込みと称されてもよい。また、これは、センサ電子装置１２２５の電力消費を低減するのを、特にセンサ１２２０がセンサ電子装置１２２５に接続されていないときに助ける。
【００８５】
図１２に示されている本発明の代替的実施形態において、交流信号は、参照番号１２９１によって例示されているように、基準電極１２２２に印加され、インピーダンス測定装置１２７７は、センサ１２２０内の一領域のインピーダンスを測定してもよい。例示的には、この領域は、図１２の点線１２９２によって示されているように、基準電極と作用電極との間の一領域であってもよい。特定の動作条件下で、インピーダンス測定装置１２７７は、測定されたインピーダンスがインピーダンス閾値又は他の設定基準より低い値に減少した場合に信号を検出回路１２６０に送信してもよい。これは、センサが十分に水和されていることを表す。他の動作条件下で、インピーダンス測定装置１２７７は、インピーダンスがインピーダンス閾値より高くなると、信号を検出回路１２６０に送信してもよい。そして、検出回路１２６０は、割り込みをマイクロコントローラ４１０に送信する。本発明の別の実施形態では、インピーダンス測定装置１２７７は、割り込み又は信号を直接マイクロコントローラに送信してもよい。
【００８６】
本発明の代替の実施形態では、交流源１２５５は、直流源で置き換えられてもよい。直流源が利用される場合、抵抗測定素子が、インピーダンス測定素子１２７７の代わりに利用されてもよい。抵抗測定素子を利用する本発明の一実施形態では、抵抗が抵抗閾値又は設定基準を下回った後、抵抗測定素子は、センサが十分に水和されていること、及び電力がセンサに印加され得ることを示す信号を、検出回路１２６０（点線１２９３によって表されている）に又は直接的にマイクロコントローラに送信してもよい。
【００８７】
図１２に示されている本発明の実施形態では、検出回路１２６０が、交流源からの低レベルの、又は大きく減衰された交流信号を検出した場合、割り込みが、マイクロコントローラ４１０に対して生成される。この割り込みは、センサが十分に水和されていることを示す。本発明のこの実施形態では、割り込みに応答して、マイクロコントローラ４１０は、電圧又は電流をセンサ１２２０に印加することをデジタル−アナログ変換器４２０に指令するか、又は行わせるためにデジタルアナログ変換器４２０に伝えられる信号を発生する。図６Ａ、図６Ｂ、又は図６Ｃ又はパルスの印加を説明している関連する文において上述されているパルス又は短い持続時間のパルスの異なるシーケンスのいずれかがセンサ１２２０に印加されてもよい。例示的には、ＤＡＣ４２０からの電圧は、オペアンプ１２７５に印加されてもよく、その出力がセンサ１２２０の対電極１２２１に印加される。この結果、センサ信号が、センサ、例えば、センサの作用電極１２２３によって生成される。センサが十分に水和したため、割り込みによって識別されるように、作用電極１２２３において生成されたセンサ信号は、グルコースを正確に測定する。センサ信号は、センサ信号測定装置４３１によって測定され、センサ信号測定装置４３１は、そのセンサ信号をマイクロコントローラ４１０に送信し、そこで対象の生理学的状態のパラメータが測定される。割込の発生は、センサが十分に水和されていること、及びセンサ１２２０が正確なグルコース測定値を現在供給していることを表す。本発明のこの実施形態では、水和期間は、センサのタイプ及び／又は製造者、及び対象の体内への挿入又は埋め込みへのセンサの反応に依存してもよい。例示的には、１つのセンサ１２２０は、５分間の水和時間を有し、１つのセンサ１２２０は、１分間、２分間、３分間、６分間、又は２０分間の水和時間を有してもよい。また、センサに対する水和時間の許容可能な長さはいずれでもよいが、より短い時間が好ましい。
【００８８】
センサ１２２０が接続されているが、十分に水和又は湿潤されていない場合、有効容量Ｃｒ−ｃ及びＣｗ−ｒは、交流源１２５５からの交流信号を減衰しなくてもよい。センサ１１２０内の電極は、挿入前に乾燥しており、電極が乾燥しているため、２つの電極の間に良好な電気的経路（又は導電性経路）は存在しない。したがって、高レベルの交流信号又は減衰の少ない交流信号は、そのまま、検出回路１２６０によって検出され、割り込みは生成されなくてもよい。センサが挿入されると、電極は、導電性の体液中に浸漬される。この結果、直流抵抗の低い漏れ経路が生じる。また、境界層キャパシタが、金属／流体界面に形成される。換言すると、金属／流体界面の間にかなり大きな静電容量が形成され、この大きな静電容量は、センサの電極の間に直列に接続される２つのコンデンサのように見える。これは、有効容量と称されてもよい。実際的に、電極の上にある電解質の導電度が測定される。本発明のいくつかの実施形態では、グルコース制限膜（ＧＬＭ）は、インピーダンスブロッキングの電気効率も示す。未水和のＧＬＭであると、インピーダンスが高くなるが、高水分のＧＬＭであると、インピーダンスは低くなる。正確なセンサ測定値を得るためには、インピーダンスが低いことが望ましい。
【００８９】
図１３Ａは、本発明の実施形態に係るセンサの水和方法である。本発明の実施形態では、センサは、センサ電子装置に物理的に接続されてもよい（１３１０）。接続の後、本発明の一実施形態では、タイマ又はカウンタが起動されて、水和時間をカウントしてもよい（１３２０）。水和時間が経過した後、センサへの電圧の印加を開始するためにセンサ電子装置内のサブシステムに信号が送信されてもよい（１３３０）。上述のように、本発明の一実施形態では、マイクロコントローラは、信号を受け取って、ＤＡＣに電圧をセンサに印加するように指令することができるか、本発明の別の実施形態において、スイッチがレギュレータに電圧をセンサに印加させるための信号を受け取ることができる。水和時間は、５分間、２分間、１０分間であってもよく、対象及びセンサのタイプによっても変化してもよい。
【００９０】
本発明の代替的実施形態では、センサがセンサ電子装置に接続された後に、交流信号（例えば、低電圧交流信号）がセンサ、例えば、センサの基準電極に印加されてもよい（１３４０）。交流信号が印加されてもよいのは、センサをセンサ電子装置に接続することで、交流信号をセンサに印加することができるからである。交流信号の印加後に、電圧が印加されるセンサ内の電極と他２つの電極の間に有効容量が形成される（１３５０）。検出回路は、検出回路の入力に交流信号のどのレベルが存在するかを決定する（１３６０）。有効容量が電極の間に良好な導電路を形成し、その結果、交流信号が減衰することで、低レベル交流信号（又は減衰の大きい交流信号）が検出回路の入力のところに存在する場合、検出回路によって割り込みが発生し（１３７０）、割り込みがマイクロコントローラに送られる。
【００９１】
マイクロコントローラは、検出回路が発生した割り込みを受け取り、電圧をセンサの電極、例えば、対電極に印加することをデジタルアナログ変換器に指令するか、又は行わせる信号をデジタルアナログ変換器に送信する（１３８０）。センサの電極に電圧を印加すると、その結果、センサはセンサ信号１３９０を生成するか、又は発生する。センサ信号測定装置４３１は、生成したセンサ信号を測定し、センサ信号をマイクロコントローラに送信する。マイクロコントローラは、作用電極に連結されている、センサ信号測定装置からセンサ信号を受信し（１３９５）、センサ信号を処理して対象又は患者の生理学的特性の測定値を抽出する。
【００９２】
図１３Ｂは、本発明の一実施形態に係るセンサの水和を検証するための更なる方法を示す。図１３Ｂに示されている本発明の実施形態では、センサは、センサ電子装置に物理的に接続される（１３１０）。本発明の一実施形態では、交流信号は、センサ内の電極、例えば、基準電極に印加される（１３４１）。あるいは、本発明の一実施形態では、直流信号がセンサ内の電極に印加される（１３４１）。交流信号が印加されると、インピーダンス測定素子は、センサ内の点におけるインピーダンスを測定する（１３５１）。あるいは、直流信号が印加されると、抵抗測定素子は、センサ内の点における抵抗値を測定する（１３５１）。抵抗又はインピーダンスが、それぞれ抵抗閾値又はインピーダンス閾値（他の設定基準）より低い場合、インピーダンス（又は抵抗）測定素子は、検出回路に送信を行い（又は信号を送信させることができ）（１３６１）、検出回路は、センサが水和されていることを識別する割り込みをマイクロコントローラに送る。参照番号１３８０、１３９０、及び１３９５は、同一の動作を表すので、図１３Ａ及び図１３Ｂでは同一である。
【００９３】
マイクロコントローラは、割り込みを受け取り、電圧をセンサに印加するための信号をデジタルアナログ変換器に送信する（１３８０）。本発明の代替的実施形態では、デジタルアナログ変換器は、上記のように電流をセンサに印加できる。センサ、例えば、作用電極は、患者の生理学的パラメータを表す、センサ信号を生成する（１３９０）。マイクロコントローラは、センサ信号測定装置からセンサ信号を受信し（１３９５）、センサ信号をセンサ内の電極、例えば作用電極で測定する。マイクロコントローラは、センサ信号を処理して、対象又は患者の生理学的特性の測定値、例えば、患者の血糖値を抽出する。
【００９４】
図１４Ａ及び図１４Ｂは、本発明の実施形態に係るセンサの水和を、センサを安定化することと組み合わせる方法を示す。図１４Ａに図示の本発明の実施形態において、センサはセンサ電子装置に接続される（１４０５）。交流信号は、センサの電極に印加される（１４１０）。検出回路は、検出回路の入力に交流信号のどのレベルが存在するかを決定する（１４２０）。検出回路は、低レベルの交流信号が入力のところに存在していると決定する場合（交流信号への減衰の高いレベルを表す）、割り込みが、マイクロコントローラに送られる（１４３０）。上で説明されているように、割り込みがマイクロコントローラに送られると、マクロコントローラは、安定化シーケンス、即ち、複数の電圧パルスをセンサの電極に印加することを始めるか、又は開始することを知る（１４４０）。例えば、マイクロコントローラは、デジタルアナログ変換器に、３つの電圧パルス（＋０．５３５ボルトの大きさを有する）をセンサに印加することを行わせることができ、３つの電圧パルスのそれぞれの後に、電圧パルス（印加される１．０７ボルトの大きさを有する）３つ分の期間が続く。これは、電圧の安定化シーケンスを送信することと称されてもよい。マイクロコントローラは、これを、リードオンリーメモリ（ＲＯＭ）又はランダムアクセスメモリ内のソフトウェアプログラムを実行することによって行わせてもよい。安定化シーケンスが実行を終了した後、センサは、測定され、マイクロコントローラに送信される、センサ信号を生成してもよい（１４５０）。
【００９５】
本発明の一実施形態では、検出回路は、水和時間閾値が経過した後でも、高レベルの交流信号が検出回路の入力（例えば、比較器の入力）に存在し続けていると決定する（１４３２）ことができる。例えば、水和時間閾値は、１０分間であってもよい。１０分間経過した後、検出回路は、高レベルの交流信号が存在していることがまだ検出されていてもよい。この時点で、検出回路は、マイクロコントローラに水和補助信号を送信（１４３４）してもよい。マイクロコントローラが水和補助信号を受信した場合、マイクロコントローラは、電圧パルス又は一連の電圧パルスを印加し、センサの水和を補助することをＤＡＣに行わせる信号を送信（１４３６）してもよい。本発明の一実施形態において、マイクロコントローラは、安定化シーケンス又は他の電圧パルスの一部を印加して、センサの水和を補助することをＤＡＣに行わせる信号を送信してもよい。本発明のこの実施形態では、電圧パルスを印加すると、その結果、低レベルの交流信号（又は減衰の大きい信号）が検出回路において検出されてもよい（１４３８）。この時点で、検出回路はステップ１４３０で開示されるように、割り込みを送信してもよく、マイクロコントローラは安定化シーケンスを開始してもよい。
【００９６】
図１４Ｂは、水和方法とフィードバックが安定化プロセスにおいて利用される、安定化方法との組み合わせの第２の実施形態を示す。センサは、センサ電子装置に接続される（１４０５）。センサには、交流信号（又は直流信号）が印加される（１４１１）。本発明の一実施形態では、交流信号（又は直流信号）は、例えば基準電極のようなセンサの電極に印加される。インピーダンス測定装置（又は抵抗測定装置）は、センサの所定領域内のインピーダンス（又は抵抗）を測定する（１４１６）。本発明の一実施形態では、基準電極と作用電極との間のインピーダンス（又は抵抗）を測定してもよい。測定されたインピーダンス（又は抵抗）は、インピーダンス又は抵抗値と比較され（１４２１）、これにより、そのインピーダンス（又は抵抗）がセンサ内で十分に低くなり、センサが水和されることを示すかどうかを調べる。インピーダンス（又は抵抗）が、インピーダンス（又は抵抗）値又は他の設定基準（閾値であってもよい）より低い場合、マイクロコントローラに割り込みが送られる（１４３１）。割り込みを受け取った後、マイクロコントローラは、安定化シーケンスの電圧（又は電流）をセンサに印加することをＤＡＣに指令する信号をＤＡＣに送信する（１４４０）。安定化シーケンスがセンサに印加された後、センサ信号が、センサ内に（例えば、作用電極に）生成され、センサ信号測定装置によって測定され、センサ信号測定装置によって送信され、マイクロコントローラによって受信される（１４５０）。センサは水和され、安定化シーケンスの電圧がセンサに印加されているので、センサ信号は、生理学的パラメータ（即ち、血糖）を正確に測定したものとなっている。
【００９７】
図１４Ｃは、安定化方法と水和法とを組み合わせた本発明の第３の実施形態を示す。本発明のこの実施形態では、センサは、センサ電子装置に接続される（１５００）。センサが、センサ電子装置に物理的に接続された後、交流信号（又は直流信号）は、センサの電極（例えば、基準電極）に印加される（１５１０）。同時に、又はほぼ同時に、マイクロコントローラは、安定化電圧シーケンスをセンサに印加する（１５２０）ことをＤＡＣに行わせる信号を送信する。本発明の代替的実施形態では、安定化電流シーケンスが、安定化電圧シーケンスの代わりに、センサに印加されてもよい。検出回路は、検出回路の入力端子に交流信号（又は直流信号）のどのレベルが存在するかを決定する（１５３０）。検出回路の入力端子に、減衰が大きい交流信号（又は直流信号）を表す、低レベル交流信号（又は信号）が存在している場合、割り込みが、マイクロコントローラに送られる（１５４０）。マイクロコントローラは、安定化シーケンスを既に開始しているので、マイクロコントローラは、割り込みを受け取り、センサが十分に水和されていることを示す第１のインジケータを設定する（１５５０）。安定化シーケンスが完了した後、マイクロコントローラは、安定化シーケンスの完了を示す第２のインジケータを設定する（１５５５）。安定化シーケンス電圧を印加するとその結果、センサ、例えば作用電極は、センサ信号測定回路によって測定され、マイクロコントローラに送信される、センサ信号を生成する（１５６０）。安定化シーケンスが完了していることを示す第２のインジケータが設定され、水和が完了していることを示す第１のインジケータが設定された場合、マイクロコントローラは、センサ信号を利用する（１５７０）ことができる。１つ又は両方のインジケータがセットされていない場合、マイクロコントローラは、センサ信号が対象の生理学的測定の正確な測定値を示さないので、センサ信号を利用しなくてもよい。
【００９８】
上述の水和及び安定化プロセスは、一般的に、より大きな連続的グルコース監視（ＣＧＭ）方法の一部として使用されてもよい。連続的グルコース監視における現在の技術水準は概ね補助的なものであり、臨床判定を行うためには、ＣＧＭ装置（例えば、埋め込み型センサ又は皮下センサを含む）によって提供される読み取り値を基準値無しでは使用できないことを意味する。基準値は、例えばＢＧ計を用いてフィンガースティックから得られなくてはならない。センサ／センシング部品から利用可能な情報量が限られているため、基準値が必要とされる。具体的には、センシング部品により現在提供される処理用の情報は、未加工センサ値（即ち、センサ電流又はＩｓｉｇ）及び対電圧だけであり、ここで、対電圧とは、対電極と基準電極との間の電圧である（例えば、図５参照）。このため、分析の際に、未加工センサ信号の異常が明らかになった場合（例えば、信号が低下している場合）には、センサの故障と、ユーザ／患者の体内における生理的変化（体内でのグルコース濃度の変化）との間での区別を可能とする唯一の方法は、フィンガースティックを介した基準グルコース値の取得である。既知のように、基準フィンガースティックは、センサを較正するためにも使用される。
【００９９】
本明細書で説明されている本発明の実施形態は、連続的グルコース監視の向上と改善を行い、結果として、より自律性の高いシステム、更には関係する装置及び方法を実現し、基準フィンガースティックの必要性を最小限にし、又はなくし、それによって、臨床決定を、高い信頼度レベルで、センサ信号だけから得られる情報に基づいて行えるようにすることに関する。本発明の実施形態によるセンサ設計の観点からは、そのような自律性は、電極冗長性、センサ診断、及びＩｓｉｇ及び／又はセンサグルコース（ＳＧ）融合を通じて達成されてもよい。
【０１００】
更に以下で調べるように、冗長性は、複数の作用電極を（例えば、対電極及び基準電極に加えて）使用して患者の血糖（ＢＧ）レベルを示す複数の信号を発生することを通じて実現され得る。複数の信号を使用して、（作用）電極の相対的正常性、センサの全体的信頼性、及び仮にあったとして、較正基準値が必要になる頻度を評価してもよい。
【０１０１】
センサ診断は、センサの正常性をリアルタイムで調べられるようにする追加の（診断）情報を使用することを含む。この点に関して、電気化学インピーダンス分光法（ＥＩＳ）から、異なる周波数におけるセンサインピーダンス及びインピーダンス関連パラメータの形態でそのような追加情報を得られることが発見されている。更に、有利的に、いくつかの周波数範囲について、インピーダンス及び／又はインピーダンス関連データが、実質的にグルコース独立であることが更に発見されている。そのようなグルコース独立性により、ロバストで信頼性の高いセンサグルコース値を（融合方法を通じて）生成することだけでなく、個別の電極の、またグルコース依存のＩｓｉｇから実質的に独立しているセンサ全体の状態、正常性、使用時間、及び効率を評価することにも、様々なＥＩＳベースのマーカ又はインジケータの使用が可能になる。
【０１０２】
例えば、グルコース独立のインピーダンスデータの分析により、例えば、１ｋＨｚの実数インピーダンス、１ｋＨｚの虚数インピーダンス、及びナイキストスロープに対する値を使用し、センサがどれだけ速く水和し、データ収集に使用できるようになるかについて、センサの効率に関する情報が提供される（以下で更に詳しく説明する）。更に、グルコース独立のインピーダンスデータからは、センサ膜表面上に存在し得る、グルコースがセンサ内を通過するのを一時的に妨げ、信号がディップすることを引き起こし得る、潜在的閉塞に関する情報が提供される（例えば、１ｋＨｚの実数インピーダンスに対する値を使用して）。加えて、グルコース独立のインピーダンスデータからは、例えば、１ｋＨｚ以上の周波数における位相角及び／又は虚数インピーダンスに対する値を使用し、長時間の着用時のセンサ感度損失−−潜在的に挿入部位の局部的酸欠による−−に関する情報が提供される。
【０１０３】
以下に更に詳しく記載されるように、電極冗長性及びＥＩＳに関して、並びに他の文脈において、融合アルゴリズムを使用することで、それぞれの冗長電極についてＥＩＳによって提供される診断情報を受け取り、それぞれの電極の信頼性を独立して評価してもよい。次いで、それぞれの独立した信号について信頼性の尺度である、重みを加えることができ、患者／対象に見えるセンサグルコース値を生成するために使用され得る単一の融合信号が計算されてもよい。
【０１０４】
上記のことからわかるように、冗長性、ＥＩＳを使用したセンサ診断、及びＥＩＳベースの融合アルゴリズムを組み合わせて使用することにより、ＣＧＭシステム全体の信頼性を現在利用可能なものに比べて高めることができる。冗長性は、少なくとも２点に関して有益である。第１に、冗長性は、複数の信号を送ることによって単一の障害発生のリスクを取り除く。第２に、単一の電極で十分であると思われる場合にも複数の（作用）電極を設けることによって、冗長電極の出力を主電極に対するチェックとして使用することができ、それによって、頻繁な較正の必要性を軽減し、場合によってはなくしてもよい。加えて、ＥＩＳ診断では、基準グルコース値（フィンガースティック）を必要とすることなくそれぞれの電極の正常性を自律的に精査し、それによって必要な基準値の数を減らす。しかし、技術ＥＩＳ及びＥＩＳ診断方法の使用は、冗長システム、即ち、１つ以上の作用電極を有するシステムに限定されない。むしろ、本発明の実施形態に関連して以下で説明されるように、ＥＩＳは、単一及び／又は複数電極センサと接続して使用すると有利であり得る。
【０１０５】
ＥＩＳ又は交流インピーダンス方法では、周期的な小振幅交流信号の印加に対するシステム応答を調べる。これは、図１５Ａに例示的に示されており、Ｅは印加される電位、Ｉは電流、及びインピーダンス（Ｚ）はΔＥ／ΔＩとして定義されている。しかし、インピーダンスは、本質的に、ΔＥ／ΔＩとして数学的に単純に定義されてもよいが、これまで、ＥＩＳ技術の連続的グルコース監視の応用の商業化に成功していない。これは、一部は、グルコースセンサが非常に複雑なシステムであり、今のところ、グルコースセンサに対するＥＩＳ出力の複雑さを完全に説明することができる数学的モデルがまだ開発されていないからである。
【０１０６】
電気化学インピーダンス分光法を記述するために使用される単純化された電気回路モデルの１つが、図１５Ｂに示される。この図において、ＩＨＰはＩｎｎｅｒ  Ｈｅｌｍｈｏｌｔｚ  Ｐｌａｎｅ（内部ヘルムホルツ面）の略であり、ＯＨＰはＯｕｔｅｒ  Ｈｅｌｍｈｏｌｔｚ  Ｐｌａｎｅ（外部ヘルムホルツ面）の略であり、ＣＥは対電極であり、ＷＥは作用電極であり、Ｃｄは二重層容量であり、Ｒｐは分極抵抗であり、Ｚｗはワールブルクインピーダンスであり、Ｒｓは液抵抗である。後者４つの要素−−二重層容量（Ｃｄ）、ワールブルクインピーダンス（Ｚｗ）、分極抵抗（Ｒｐ）、及び液抵抗（Ｒｓ）−−のそれぞれは、センサの性能に関して重要な役割を果たし、低又は高周波交流作動電位を印加することによって別々に測定されてもよい。例えば、ワールブルクインピーダンスは、−−主に低周波インピーダンスである−−電気化学系の拡散インピーダンスに密接に関係し、したがって、全ての拡散制限のある電気化学センサ内に存在する。そのため、これらの要素のうちの１つ以上をグルコースセンサの１つ以上の要素及び／又は層に相関させることによって、ＥＩＳ技術をセンサ診断ツールとして使用してもよい。
【０１０７】
既知のように、インピーダンスは、その大きさと位相に関して定義され得るものであり、大きさ（｜Ｚ｜）は電圧差振幅と電流振幅との比であり、位相（θ）は電流が電圧より先に進んでいる位相ずれである。回路が直流（ＤＣ）のみで駆動される場合、インピーダンスは抵抗と同じである、即ち、抵抗は、位相角がゼロである、インピーダンスの特別なケースである。しかし、複素量としてのインピーダンスは、その実部と虚部とで表されてもよい。ここで、実数インピーダンス及び虚数インピーダンスは、以下の式を使用してインピーダンスの大きさ及び位相から求めることができる。
実数インピーダンス（ω）＝大きさ（ω）×ｃｏｓ（位相（ω）／１８０×π）
虚数インピーダンス（ω）＝大きさ（ω）×ｓｉｎ（位相（ω）／１８０×π）
式中、ωは、大きさ（オーム）と位相（度）が測定される入力周波数を表す。一方のインピーダンスと他方の電流及び電圧との関係−−前者が後者の測定値に基づきどのように計算され得るかを含めて−−については、本発明の実施形態において使用するために開発された特定用途向け集積回路（ＡＳＩＣ）を含むセンサエレクトロニクスと関連して更に詳しく以下で調べる。
【０１０８】
図１５Ｂに示されている回路モデルを続きとして使用すると、システム全体のインピーダンスは、以下のように簡略化される。
【数１】
2020170011.tif 000003
式中、Ｚｗ（ω）はワールブルクインピーダンスであり、ωは角速度であり、ｊは虚数単位（電流と混同しないように、伝統的な「ｉ」の代わりに使用する）、Ｃｄ、Ｒｐ、及びＲｓはそれぞれ二重層容量、分極抵抗、及び液抵抗である（既に定義されているとおりである）。
ワールブルクインピーダンスは、以下のように計算できる。
【数２】
2020170011.tif 000004
式中、Ｄは拡散率であり、Ｌはセンサ膜厚さであり、Ｃは過酸化物濃度であり、ｍ：１／２は４５°のナイキストスロープに対応する。
【０１０９】
ナイキスト線図は、グラフ表現であり、インピーダンスの実部（Ｒｅａｌ  Ｚ）は、周波数スペクトルにわたって虚部（Ｉｍｇ  Ｚ）に対してプロットされる。図１６Ａは、ナイキスト線図の一般化された例を示し、Ｘの値はインピーダンスの実部であり、Ｙの値はインピーダンスの虚部である。位相角は、−−大きさ｜Ｚ｜を有するベクトルを定義する−−インピーダンス点（Ｘ，Ｙ）とＸ軸との間の角度である。
【０１１０】
図１６Ａのナイキスト線図は、０．１Ｈｚ〜１０００Ｍｈｚまでの選択される周波数で作用電極と対電極との間に交流電圧を直流電圧（ＤＣバイアス）と共に印加することによって生成される（即ち、周波数掃引）。右から始め、周波数は、０．１Ｈｚから高くなってゆく。それぞれの周波数で、実数及び虚数インピーダンスが計算され、プロットされてもよい。図示されているように、電気化学系の典型的なナイキスト線図は、変曲点のところで直線と交わる半円のような形状をとるものとしてよく、この半円と直線は、プロットされたインピーダンスを示す。特定の実施形態において、変曲点でのインピーダンスは、ナイキスト線図で識別するのが最も容易であり、切片を定義することができるため、特に重要である。典型的には、変曲点は、Ｘ軸に近く、変曲点のＸの値は、分極抵抗と液抵抗との和（Ｒｐ＋Ｒｓ）に近似する。
【０１１１】
図１６Ｂを参照すると、ナイキスト線図は、典型的には、低周波領域１６１０及び高周波数領域１６２０に関して記述することができ、「より高い周波数」及び「より低い周波数」というラベルは、相対的に使用されており、限定することを意図していない。そのため、例えば、低周波領域１６１０は、例示的に、約０．１Ｈｚから約１００Ｈｚ（又はそれ以上の周波数）の周波数範囲について得られるデータ点を含み、高周波領域１６２０は、例示的に、約１ｋＨｚ（又はそれ以下の周波数）から約８ｋＨｚ（及びそれ以上の周波数）の周波数範囲について得られるデータ点を含んでもよい。低周波領域１６１０では、ナイキストスロープは、ナイキスト線図内の低周波データ点の直線適合１６３０の勾配を表す。このように、より高周波領域１６２０では、虚数インピーダンスの値が最小となり、無視できるようになる。したがって、切片１６００は、本質的に、より高い周波数（例えば、この場合には約１ｋＨｚ〜８ｋＨｚの範囲内）の実数インピーダンスの値である。図１６Ｂでは、切片１６００は、約２５キロオームである。
【０１１２】
図１６Ｃ及び図１６Ｄは、グルコースセンサが正弦波（即ち、交流）作動電位にどのように応答するかを示す。これらの図において、ＧＬＭは、センサのグルコース制限膜であり、ＡＰは接着促進剤であり、ＨＳＡはヒト血清アルブミンであり、ＧＯＸはグルコースオキシダーゼ酵素（層）であり、Ｅｄｃは直流電位であり、Ｅａｃは交流電位であり、
【数３】
2020170011.tif 000005
交流印加時の過酸化物濃度である。図１６Ｃに示されているように、交流電位周波数、分子拡散率、及び膜厚さの関数である、センサ拡散長が、膜（ＧＯＸ）長さに比べて小さい場合、システムは、一定の位相角（即ち、無限大）の比較的直線的な応答を与える。対照的に、拡散長が膜（ＧＯＸ）の長さに等しい場合、システム応答は有限となり、その結果、図１６Ｄに示されているように、半円のナイキスト線図が得られる。後者は、通常、低周波ＥＩＳについて当てはまり、非ファラデープロセスで無視できるほど小さい。
【０１１３】
ＥＩＳ分析を行う場合には、様々な周波数の交流電圧、及び直流バイアスが、例えば、作用電極と基準電極との間に印加されてもよい。この点で、ＥＩＳは、印加を単純な直流電流又は単一周波数の交流電圧に制限している可能性のある以前の方法に対する改善法である。全体的には、ＥＩＳは、μＨｚからＭＨｚの範囲内の周波数で実行されてもよいが、本発明の実施形態では、より狭い周波数範囲（例えば、約０．１Ｈｚ〜約８ｋＨｚの範囲）で十分であってもよい。したがって、本発明の実施形態では、約０．１Ｈｚ〜約８ｋＨｚの周波数範囲内に収まり、プログラム可能な振幅が少なくとも最大１００ｍＶまで、好ましくは約５０ｍＶである交流電位を印加することができる。
【０１１４】
上述の周波数範囲内では、比較的高い周波数−−即ち、一般的に約１ｋＨｚ〜約８ｋＨｚの範囲内に収まる周波数−−が、センサの静電容量に関する性質を精査するために使用される。膜の厚さ及び透磁率（permeability）に応じ、相対的に高い周波数におけるインピーダンスの典型的な範囲は、例えば約５００オーム〜２５キロオームの間であってもよく、典型的な位相の範囲は、例えば０度と−４０度との間であってよい。その一方で、比較的低い周波数−−即ち、一般的に約０．１Ｈｚから約１００Ｈｚの範囲内に収まる周波数−−は、センサの抵抗に関する性質を精査するために使用される。ここで、電極設計及び電極配線（metallization）の程度に応じ、出力実数インピーダンスに対する典型的な機能範囲は、例えば、約５０キロオーム〜３００キロオームの範囲とすることができ、位相に対する典型的な範囲は、約−５０度〜約−９０度までの範囲とすることができる。上記の例示的な範囲は、例えば、図１６Ｅ及び図１６Ｆのボード線図に示される。
【０１１５】
上述されるように、「より高い周波数」及び「より低い周波数」というフレーズは、絶対的な意味ではなく、互いに関して相対的に使用されることが意図されており、これらは、上述の典型的なインピーダンス及び位相範囲とともに、例示的であり、限定することを意図していない。しかしながら、基本原理は、依然として同じであり、センサの静電容量及び抵抗に関する挙動は、周波数スペクトルにわたるインピーダンスデータを分析することによって精査することができ、典型的には、より低い周波数は、抵抗のより大きい部品（例えば、電極など）に関する情報を与えるが、より高い周波数は、容量性部品（例えば、膜）に関する情報を提供する。しかし、それぞれの場合における実際の周波数範囲は、例えば、（単一又は複数の）電極のタイプ、（単一又は複数の）電極の表面積、膜厚さ、膜の透磁率、及び同様の特性を含む、全体的設計に依存する。高周波回路部品とセンサ膜との間、更には低周波回路部品と例えば電極を含むファラデープロセスとの間の一般的対応に関しては、図１５Ｂも参照されたい。
【０１１６】
ＥＩＳは、センサが単一の作用電極を備えるセンサシステム、更にセンサが複数の（冗長）作用電極を備えるセンサシステムにおいて使用されてもよい。一実施形態において、ＥＩＳは、センサの使用時間（又はエージング）に関して価値のある情報を提供する。具体的には、異なる周波数において、インピーダンスの大きさと位相角が変化する。図１７に見られるように、センサインピーダンス、−−特に、ＲｐとＲｓとの和は、−−センサ使用時間（sensor age）及びセンサの動作条件を反映する。そのため、新しいセンサは、通常、図１７の異なる線図からわかるように、使用済みセンサに比べて高いインピーダンスを有する。このように、ＲｐとＲｓとの和のＸ値を考慮することによって、閾値を使用してセンサの使用時間がいつセンサの規定された動作寿命を超えたかを判断することができる。なお、図１７〜図２１に示され、以下で説明されている実例に関して、変曲点における実数インピーダンスの値（即ち、Ｒｐ＋Ｒｓ）が、センサの経時劣化、状態、安定化、及び水和を判定するために使用されるが、代替的実施形態では、実数インピーダンスに加えて、又はその代わりに、例えば、虚数インピーダンス、位相角、ナイキストスロープなどの他のＥＩＳ由来パラメータを使用することができる。
【０１１７】
図１７は、センサの寿命にわたるナイキスト線図の一例を示す。矢印で示されている点は、周波数スペクトルにわたる掃引のそれぞれに対する各変曲点である。例えば、初期化前（時間ｔ＝０において）、Ｒｓ＋Ｒｐは、８．５キロオームより高く、初期化後（時間ｔ＝０．５時間）、Ｒｓ＋Ｒｐの値は、８キロオーム以下に下がった。次の６日間にわたり、Ｒｓ＋Ｒｐは減少し続け、指定されたセンサ寿命の終わりでは、Ｒｓ＋Ｒｐは６．５キロオームより低い値に下がった。このような例に基づき、閾値は、Ｒｓ＋Ｒｐ値がセンサの指定された動作寿命の終わりをいつ示すかを指定するように設定することができる。したがって、ＥＩＳ技術は、センサが指定された動作時間を超えて再利用されることを許す抜け穴を閉じることができる。換言すると、センサが指定された寿命に達した後に患者がセンサの接続を切断し、その後再び再接続することによってセンサを再利用しようとした場合に、ＥＩＳは、異常に低いインピーダンスを測定し、それによって、システムがセンサを拒絶し、患者に新しいセンサを使用するよう促すことが可能になる。
【０１１８】
加えて、ＥＩＳは、センサのインピーダンスがセンサが使い古されて正常に動作できないことを示す低インピーダンス閾値レベル以下に下がったときを検出することによってセンサ故障を検出することを可能にしてもよい。次いで、システムは、特定の動作寿命の前にセンサを終了させてもよい。より詳細に調べられるように、センサインピーダンスを使用して、他のセンサ故障（モード）を検出することもできる。例えば、様々な理由からセンサが低電流状態（即ち、センサ故障）に入ったときに、センサインピーダンスは特定の高インピーダンス閾値を超えて高くなってもよい。例えば、タンパク質若しくはポリペプチドファウリング、マクロファージ付着、又は他の要因によりインピーダンスがセンサ動作時に異常に高くなる場合、システムは、指定されたセンサ動作寿命の前にセンサを終了してもよい。
【０１１９】
図１８は、本発明の実施形態に係るセンサの安定化の際、及び使用時間を検出する際、ＥＩＳ技術をどのように応用できるかを示す。図１８のロジックは、上述した水和手順及びセンサ初期化手順が完了した後開始する（１８００）。換言すると、センサが十分水和され、第１の初期化手順が適用されていると、センサが初期化される。初期化手順は、詳細な記述で予め記述された電圧パルスの形態をとることが好ましい。しかし、代替的な実施形態では、初期化手順について、異なる波形を用いることができる。例えば、パルスの代わりに正弦波を用いることができ、センサの湿潤又はコンディショニングを促進することができる。加えて、波形の一部がセンサの通常動作電圧、即ち、０．５３５ボルトより高いことが必要であってもよい。
【０１２０】
ブロック１８１０ではＥＩＳ手順が適用され、インピーダンスは、第１の高閾値と第１の低閾値の両方と比較される。第１の高閾値及び第１の低閾値の一例は、それぞれ、７キロオーム及び８．５キロオームであるが、これらの値は、必要に応じてより高く又はより低く設定することができる。インピーダンス、例えば、Ｒｐ＋Ｒｓが第１の高閾値より高い場合、センサは、ブロック１８２０で追加の初期化手順（例えば、１つ以上の追加のパルスの印加）に入る。理想的には、センサを初期化するために適用される全初期化手順の数は、センサの電池寿命とセンサを安定化するために要する総時間数の両方に対する影響を制限するように最適化される。したがって、ＥＩＳを適用することによって、最初に実行する初期化を少なくすることができ、また初期化回数を徐々に増やし、センサをすぐに使えるように初期化の正しい回数のみを与えることができる。同様に、代替的実施形態では、ＥＩＳを水和手順に適用して、図１３〜図１４で説明されているように、水和プロセスを補助するのに必要な初期化の回数を最小にすることができる。
【０１２１】
一方、インピーダンス、例えば、Ｒｐ＋Ｒｓが第１の低閾値以下である場合、センサは、ブロック１８６０で故障していると判定され、直ちに終了させられる。センサを交換及び水和プロセスを再開するためにメッセージがユーザに与えられる。インピーダンスが高閾値及び低閾値以内であれば、センサはブロック１８３０で正常に動作を開始する。そして、ロジックは、追加ＥＩＳが実行されるブロック１８４０に進み、センサの使用時間をチェックする。ロジックが初めてブロック１８４０に達すると、マイクロコントローラはＥＩＳを行い、センサの使用時間を測定し、ユーザが同じセンサから接続及び切断できる抜け穴を閉じる。ＥＩＳ手順の将来の繰り返しにおいてロジックがブロック１８４０に戻ると、マイクロプロセッサは、センサの指定された寿命の間に固定された間隔でＥＩＳを実行する。好ましい一実施形態は、固定された間隔は、２時間毎に設定されるが、より長い又はより短い期間が使用されてもよい。
【０１２２】
ブロック１８５０では、インピーダンスが、高閾値及び低閾値の第２セットと比較される。そのような第２の高閾値及び低閾値の一例は、それぞれ、５．５キロオーム及び８．５キロオームであるものとしてよいが、これらの値は、必要に応じてより高く又はより低く設定することができる。インピーダンス値が第２の高閾値及び低閾値の範囲内に留まっている限り、ロジックはブロック１８３０に進み、センサは指定されたセンサ寿命、例えば、５日に達するまで正常に動作する。無論、ブロック１８４０に関して説明されるように、ＥＩＳは、指定されたセンサ寿命全体にわたりスケジュールされた定期的間隔で実行される。しかし、ＥＩＳが実行された後、ブロック１８５０でインピーダンスが第２のより低い閾値以下に下がる、又は第２のより高い閾値以上に上昇したと判定された場合、センサはブロック１８６０で停止される。更なる代替的実施形態では、誤ったセンサ読み取り値に対して二次チェックを実行することができる。例えば、ＥＩＳが、インピーダンスが第２の高閾値及び低閾値の範囲外となっていることを示した場合、ロジックは、第２のＥＩＳを実行して、閾値の第２のセットの条件が実際には満たされていないことを確認してから（又は第１のＥＩＳが正しく実行されたことを確認してから）ブロック１８６０でセンサの終わりを判定することができる。
【０１２３】
図１９は、上記の説明に基づいており、本発明の好ましい実施形態による診断ＥＩＳ手順を実行するために可能なスケジュールの詳細を示す。それぞれの診断ＥＩＳ手順は、オプションであり、必要に応じて、診断ＥＩＳ手順をスケジュールしない、又は１つ以上の診断ＥＩＳ手順の任意の組み合わせを有することが可能である。図１９のスケジュールは、点１９００でのセンサ挿入時に開始する。センサの挿入後、センサは、水和期間１９１０に入る。この水和期間は、十分に水和されていないセンサは、既に説明されているように、ユーザに不正な読み取り値を与える可能性があるため、重要である。点１９２０での任意的な第１の診断ＥＩＳ手順は、この水和期間１９１０でスケジュールされ、センサが確実に水和されるようにする。第１の診断ＥＩＳ手順１９２０は、センサインピーダンス値を測定し、センサが十分水和されたかどうかを判定する。第１の診断ＥＩＳ手順１９２０において、インピーダンスが、設定された高閾値及び低閾値の範囲内にあり、十分な水和を示していると判定された場合、センサコントローラは、点１９３０においてセンサの電源オンを許す。逆に、第１の診断ＥＩＳ手順１９２０において、インピーダンスが設定された高閾値及び低閾値の範囲外にあり、不十分な水和が示されていると判定された場合、センサ水和期間１９１０は延長されてもよい。延長された水和の後に、センサの電極間で特定の静電容量に達した後（センサが十分に水和されていることを意味する）、点１９３０で電源オンを行うことができる。
【０１２４】
任意的な第２の診断ＥＩＳ手順１９４０は、点１９３０でセンサが電源オンになってから点１９５０でセンサ初期化が開始する前までにスケジュールされる。ここでスケジュールされるように、第２の診断ＥＩＳ手順１９４０は、センサが１９５０での初期化の開始前に再利用されているかどうかを検出することができる。センサが再利用されているかどうかを判断するための試験は、図１８の説明で詳述された。しかし、初期化が完了した後に経時劣化テストが実行される図１８に関する前の説明とは異なり、図１９の経時劣化テストは初期化前に実行されるものとして示されている。図１９で説明されているＥＩＳ手順の時刻表は、本出願の全体的な教示に影響を及ぼすことなく組み変えることができること、またステップのいくつかの順序を入れ替えることができることを理解することは重要である。既に説明されているように、第２の診断ＥＩＳ手順１９４０は、センサのインピーダンス値を決定し、次いでインピーダンス値を設定されている高閾値及び低閾値と比較することによって再利用されるセンサを検出する。インピーダンスが設定されている閾値から外れている場合、センサが再利用されていることを示しており、したがってセンサは拒絶され、ユーザに新しいセンサと交換するよう促してもよい。これは、古いセンサの再利用から生じ得る合併症を防止する。逆に、インピーダンスが設定された閾値内にある場合には、センサ初期化１９５０を、新たなセンサが使用されていることを信頼して開始することができる。
【０１２５】
任意的な第３の診断ＥＩＳ手順１９６０は、点１９５０で初期化が開始した後にスケジュールされる。第３の診断ＥＩＳ手順１９６０は、センサが完全に初期化されたかどうかを判断するためにセンサのインピーダンス値をテストする。第３の診断ＥＩＳ手順１９６０は、センサが完全に初期化されるのに必要な最短時間で実行されるべきである。このときに実行されると、センサの寿命は、完全に初期化されたセンサが未使用である時間を制限することによって最大化され、初期化過剰は、初期化が行われ過ぎる前にセンサの完全な初期化を確認することによって回避される。過剰な初期化を防止することは、過剰な初期化の結果、電流を抑制し、読み取り値が不正確となり得るため、重要である。しかし、不完全な初期化も同様に問題であるため、第３の診断ＥＩＳ手順１９６０がセンサの初期化が不完全であると示す場合、点１９７０において、センサを完全に初期化するための任意選択的な初期化を実行してもよい。初期化不足は、過剰な電流が生じる結果、実際のグルコース濃度に関係しなくなるため不利である。初期化不足及び初期化過剰は危険であるため、第３の診断ＥＩＳ手順は、使用されるときにセンサが正常に機能していることを確認する上で重要な役割を果たす。
【０１２６】
加えて、任意的な周期的診断ＥＩＳ手順１９８０は、センサが完全に初期化された後の時間でスケジュールされてもよい。ＥＩＳ手順１９８０は、任意の設定間隔でスケジューリングすることができる。以下で更に詳しく説明されるように、ＥＩＳ手順１９８０は、異常な電流又は異常な対電極電圧などの他のセンサ信号によってもトリガされてもよい。更に、ＥＩＳ手順１９８０を望みに応じて減らして又は増やしてスケジュールすることができる。好ましい実施形態では、水和プロセス、センサ寿命チェック、初期化プロセス、又は周期的診断テストで使用されるＥＩＳ手順は、同じ手順である。代替的な実施形態では、ＥＩＳ手順は、特定のインピーダンス範囲に注目する必要があるかどうかに応じて様々なＥＩＳ手順に対して短縮又は延長することができる（即ち、チェックされる周波数範囲を減らしたり増やしたりする）。周期的診断ＥＩＳ手順１９８０は、インピーダンス値を監視して、センサが最適なレベルで確実に動作し続けることを確保する。
【０１２７】
センサは、汚染化学種、センサ使用時間、又は汚染化学種とセンサ使用時間との組み合わせによりセンサ電流が低下した場合には最適なレベルで動作しなくてもよい。特定の長さを超えて経時劣化したセンサは、もはや有用ではないが、汚染化学種によって損なわれたセンサは、修復可能かもしれない。汚染化学種は、電極の表面積又は反応副産物の拡散経路を縮小する可能性があり、それによってセンサ電流が低下する。これらの汚染化学種が帯電し、特定の電圧の下で電極又は膜表面に徐々に集まる。以前であれば、汚染化学種はセンサの有用性を打ち壊すであろう。今では、周期的診断ＥＩＳ手順１９８０が、汚染化学種の存在を示すインピーダンス値を検出した場合、是正措置をとることができる。是正措置がいつとられるかは、図２０に関して説明されている。したがって、周期的診断ＥＩＳ手順１９８０は、極端に有用なものとなっているが、それは、場合によってはセンサ電流を通常レベルまで回復させ、センサの寿命を延ばすことができるセンサ是正措置をトリガしてもよいためである。センサ是正措置の２つの可能な実施形態は、下記図２１Ａ及び図２１Ｂの説明において説明される。
【０１２８】
加えて、任意のスケジュールされた診断ＥＩＳ手順１９８０は、特定のイベントが差し迫っていると判定されたときに一時的に中断されるか、又は再スケジュールされてもよい。そのようなイベントは、例えば、センサを較正するために患者がテストストリップメータを使用して自分のＢＧ値を測定するとき、較正エラー、及び再度テストストリップメータを使用して患者のＢＧ値を測定する必要があることを患者に警告するとき、又は高血糖若しくは低血糖警告が発行されたが認められないときを含む、患者側でセンサ読み取り値をチェックすることを必要とする任意の状況を含んでもよい。
【０１２９】
図２０は、本発明の実施形態に係る診断ＥＩＳ手順とセンサ是正措置とを組み合わせる方法を示す。ブロック２０００の診断手順は、図１９で詳述されているように周期的診断ＥＩＳ手順１９８０のいずれであってよい。この方法のロジックは、センサのインピーダンス値を検出するために診断ＥＩＳ手順がブロック２０００で実行されたときに開始する。指摘されているように、特定の実施形態において、ＥＩＳ手順は、直流バイアスと周波数が変化する交流電圧との組み合わせを印加し、ＥＩＳ手順を実行することによって検出されるインピーダンスは、ナイキスト線図上にマッピングされ、ナイキスト線図内の変曲点は、分極抵抗と液抵抗との和に近似する（即ち、実数インピーダンス値）。ブロック２０００診断ＥＩＳ手順がセンサのインピーダンス値を検出した後、ロジックはブロック２０１０へ移動する。
【０１３０】
ブロック２０１０では、設定された高閾値及び低閾値と比較して正常か否かを判定する。ブロック２０１０で、インピーダンスが高閾値及び低閾値の設定された境界内にある場合、正常なセンサ動作が、ブロック２０２０で再開され、図２０のロジックは、別の診断ＥＩＳ手順がスケジュールされるときまで終了する。逆に、ブロック２０１０で、インピーダンスが異常である（即ち、高閾値及び低閾値の設定された境界外にある）場合、ブロック２０３０の是正措置がトリガされる。センサ寿命期間中に許容可能である高閾値及び低閾値の一例は、それぞれ、５．５キロオーム及び８．５キロオームオームであるが、これらの値は、必要に応じてより高く又はより低く設定することができる。
【０１３１】
ブロック２０３０の是正措置は、異常なインピーダンス値を引き起こした可能性のある、任意の汚染化学種を除去するために実行される。好ましい実施形態では、是正措置は、作用電極と基準電極との間に逆電流又は逆電圧を印加することによって実行される。是正措置の詳細は、図２１に関して更に詳しく説明される。ブロック２０３０で是正措置が実行された後、インピーダンス値はブロック２０４０で診断ＥＩＳ手順によって再びテストされる。次いで、是正措置の成功は、ブロック２０４０の診断ＥＩＳ手順からのインピーダンス値を設定された高閾値又は低閾値と比較したときブロック２０５０で判定される。ブロック２０１０と同様に、インピーダンスが設定された閾値内にある場合、正常であるとみなされ、インピーダンスが設定された閾値を外れている場合、異常であるとみなされる。
【０１３２】
センサのインピーダンス値がブロック２０５０で正常な値に回復されたと判定された場合、正常なセンサ動作がブロック２０２０で行われる。インピーダンスがまだ正常でなく、いずれかのセンサ使用時間が異常なインピーダンスの原因であるか、又は是正措置が汚染化学種を除去するのに成功しなかったことを示している場合、センサは、ブロック２０６０で停止される。いくつかの代替的実施形態では、センサを直ちに停止する代わりに、センサが、ユーザに待機し、設定された期間が経過した後に更なる是正措置を実行することを最初に要求するセンサメッセージを生成してもよい。この代替的ステップは、インピーダンス値が最初の是正措置が実行された後に高閾値及び低閾値の境界の範囲内にあるという状況に近づいているかどうかを判定するために別のロジックと連結されてもよい。例えば、センサインピーダンス値に変化が見られない場合、センサは停止することを決定することができる。しかし、最初の是正措置の後にセンサインピーダンス値がプリセットされた境界に近づいていて、それでもまだ、境界から外れている場合に、追加の是正措置を実行することが可能である。更に別の代替的実施形態において、センサは、フィンガースティックメータ測定を行ってセンサが本当に故障しているかどうかを更に確認することによってセンサを較正するようにユーザに要求するメッセージを生成してもよい。上記の実施形態は全て、不正確な読み取り値を出力する故障センサをユーザが使用することを防ぐように作動する。
【０１３３】
図２１Ａは、既に述べたセンサ是正措置の一実施形態を示す。本実施形態では、汚染化学種によって形成される閉塞は、作用電極と基準電極との間で、センサに印加される電圧を逆転させることによって除去される。逆にされた直流電圧は、帯電した汚染化学種を電極又は膜表面から持ち上げて、拡散経路から不要物を除去する。不要物が除去された経路により、センサの電流は正常レベルに復帰し、センサは正確な読み取り値を与えることができる。これにより、この是正措置は、他の何らかの形で有効なセンサの交換に付随する時間と費用の負担をユーザから取り除く。
【０１３４】
図２１Ｂは、既に記載されたセンサ是正措置の代替的実施形態を示す。この実施形態では、作用電極と基準電極との間に印加される逆転された直流電圧が交流電圧と組み合わされている。交流電圧を加えることによって、特定の強く吸着されている化学種、又は表層上の化学種は、交流電圧がその力を電極から更に遠くまで及ぼし、センサの全ての層を貫通することができるので除去されてもよい。交流電圧は任意の数の異なる波形をとってもよい。使用することが可能な波形のいくつかの例として、方形波、三角波、正弦波、又はパルスが挙げられる。前の実施形態と同様に、汚染化学種が除去さると、センサは、正常な動作に戻ることができ、センサの寿命と精度の両方が改善される。
【０１３５】
上記の例は、主にセンサ診断における実数インピーダンスデータの使用を示しているが、本発明の実施形態は、センサ診断手順における他のＥＩＳベースの、また実質的に検体独立の、パラメータ（実数インピーダンスに加えて）の使用にも関する。例えば、既に述べているように、例えば、１ｋＨｚの実数インピーダンス及び１ｋＨｚの虚数インピーダンスに対する値などの、（実質的に）グルコース独立のインピーダンスデータ、更にはナイキストスロープの分析から、水和し、データ収集に使用できるようになるまでの速さについてセンサの効率に関する情報が提供される。更に、例えば１ｋＨｚの実数インピーダンスに対する値などの、（実質的に）グルコース独立のインピーダンスデータから、センサ膜表面上に存在し得る、グルコースがセンサ内を通過するのを一時的に妨げ、信号がディップすることを引き起こし得る、潜在的閉塞（単一又は複数）に関する情報が提供される。
【０１３６】
加えて、例えば、１ｋＨｚ以上の周波数におけるより高い周波数の位相角及び／又は虚数インピーダンスに対する値などの、（実質的に）グルコース独立のインピーダンスデータから、長時間の着用時のセンサ感度損失に関する情報が提供されるが、この感度損失は潜在的に挿入部位の局部的酸欠によるものとしてよい。この点で、酸欠によって引き起こされる感度損失に対する基本的なメカニズムについて以下のように説明することができる。即ち、局部の酸素が欠乏すると、センサ出力（即ち、Ｉｓｉｇ及びＳＧ）は、グルコースではなく酸素に依存し、したがって、センサはグルコースに対する感度を失う。０．１Ｈｚの実数インピーダンス、対電極電圧（Ｖｃｎｔｒ）、及びＩｓｉｇにおけるＥＩＳ誘導スパイクを含む、他のマーカも、酸欠によって引き起こされる感度損失の検出に使用されてもよい。更に、冗長センサシステムにおいて、２つ又はそれ以上の作用電極の間の１ｋＨｚの実数インピーダンス、１ｋＨｚの虚数インピーダンス、及び０．１Ｈｚの実数インピーダンスの相対的差を、バイオファウリングによる感度損失の検出に使用してもよい。
【０１３７】
本発明の実施形態によれば、ＥＩＳベースのセンサ診断は、少なくとも３つの主要因、即ち、潜在的センサ故障モードである（１）信号始動、（２）信号ディップ、及び（３）感度損失のうちの１つ以上に関係するＥＩＳデータの考察及び分析を伴う。重要なことに、パラメータが実質的に検体独立である場合に、そのような診断分析及び手順で使用されるインピーダンス関連パラメータの大半が１つの周波数で、又は周波数範囲内で調べることができるという本明細書における発見により、患者の体内の検体のレベルとは無関係にセンサ診断手順を実行できる。そのため、ＥＩＳベースのセンサ診断は、例えば、検体に依存するＩｓｉｇの大きな変動によってトリガされてもよいが、そのようなセンサ診断手順において使用されるインピーダンス関連パラメータは、検体のレベルとはそれ自体実質的に無関係である。以下で更に詳しく調べるが、グルコースがＥＩＳ由来パラメータの大きさ（又は他の特性）に影響を及ぼすと見ることができる状況の大半において、そのような効果は、通常、例えば、ＩＣ内のソフトウェアを介して、測定値から取り除くことができるくらい十分に小さい−−例えば、ＥＩＣベースの測定とそれに対するグルコースの効果との間の差が少なくとも一桁である−−効果であることも知られている。
【０１３８】
定義により、「始動」は、挿入後の最初の数時間（例えば、ｔ＝０〜６時間）の間のセンサ信号の完全性を称する。例えば、電流装置において、挿入後の最初の２時間の間の信号は、信頼できないものとみなされ、したがって、センサグルコース値は、患者／ユーザから隠される。センサが水和に長時間を要する状況では、センサ信号は、挿入後数時間は低い。ＥＩＳの使用により、センサが挿入された後すぐに（ＥＩＳ手順を実行することによって）追加のインピーダンス情報が利用可能である。その際、全インピーダンスの式が、１ｋＨｚの実数インピーダンスを使用して低始動検出の背後にある原理を説明するために使用されてもよい。比較的高い周波数−−この場合、１ｋＨｚ以上−−では、虚数インピーダンスは非常に小さく（インビボデータで確認されるように）、全インピーダンスは、以下のように低下する。
【数４】
2020170011.tif 000006
【０１３９】
センサ湿潤が徐々に完了すると、二重層容量（Ｃｄ）が増加する。その結果、上記の式で示されているように、全インピーダンスはＣｄに反比例するため、全インピーダンスは減少する。これは、例えば、図１６Ｂに示されている実数インピーダンスの軸上の切片１６００の形態で示される。重要なのは、１ｋＨｚの虚数インピーダンスも、同じ目的に使用することができることであり、これは容量成分も含み、また容量成分に反比例する。
【０１４０】
低始動検出に対する別のマーカは、ナイキストスロープであり、これは、比較的低い周波数のインピーダンスだけに依存し、次いで、これは全インピーダンスのワールブルクインピーダンス成分に対応する（例えば、図１５Ｂを参照）。図２２は、正常に機能しているセンサに対するナイキスト線図を示しており、矢印Ａは、ｔ＝０から始まる、時間の進行、即ち、センサ着用時間を示す。そのため、比較的低い周波数でのＥＩＳは、センサ挿入のすぐ後（ｔ＝０）に実行され、第１の（ナイキスト）スロープを有する第１の直線適合２２００でプロットされる実数及び虚数インピーダンスデータを生成する。ｔ＝０の後の時間間隔において、第１のナイキストスロープより大きい第２の（ナイキスト）スロープを有する第２の直線適合２２１０を生成する第２の（より低い）周波数掃引が実行され、同様のことが続けられる。センサの水和が進むにつれ、ナイキストスロープは増大し、切片は減少し、ライン２２００、２２１０などで反映されるように、より急勾配になり、Ｙ軸に近づく。低始動検出に関連して、臨床データは、典型的にはセンサの挿入及び初期化の後のナイキストスロープの劇的な増大があり、その後特定のレベルに安定化することを示す。これに対する１つの説明は、センサが徐々に湿潤するにつれ、化学種拡散率、更には濃度が、劇的な変化を受けるというものであり、これはワールブルクインピーダンスに反映される。
【０１４１】
図２３Ａにおいて、第１の作用電極ＷＥ１に対するＩｓｉｇ２２３０は、予想より低く（約１０ｎＡで）始まり、第２の作用電極ＷＥ２に対するＩｓｉｇ２２４０に追いつくのにある程度の時間を要する。そのため、この特定の例では、ＷＥ１は、低始動を有するものとして指定される。ＥＩＳデータは、この低始動を２通りに反映する。第１に、図２３Ａに示されているように、ＷＥ１の１ｋＨｚ（２２３５）の実数インピーダンスは、ＷＥ２の１ｋＨｚの実数インピーダンス２２４５よりかなり高い。第２に、ＷＥ２に対するナイキストスロープ（図２３Ｃ）と比較したときに、ＷＥ１に対するナイキストスロープ（図２３Ｂ）は、より低く始まり、より大きな切片２２３７を有し、安定化するのに更に時間がかかる。後で説明するように、これら２つのシグネチャ−−１ｋＨｚの実数インピーダンスとナイキストスロープ−−を融合アルゴリズムにおける診断入力として使用して、融合信号を計算するときに２つの電極のうちのどちらがより大きな重みを有することができるかを決定することができる。加えて、これらのマーカのうちの一方又は両方を診断手順で使用して、センサが全体として許容可能かどうか、又は停止して交換すべきかどうかを判定することができる。
【０１４２】
定義により、信号（又はＩｓｉｇ）ディップは、大抵事実上一時的、例えば、数時間程度である、低センサ信号の場合を称する。そのような低信号は、例えば、センサ表面上の生物学的閉塞の何らかの形態によって、又は挿入部位に印加される（例えば、横になって寝ている間の）圧力によって引き起こされてもよい。この期間中、センサデータは、信頼できないものとみなされる、しかし、信号は最終的には回復する。ＥＩＳデータにおいて、このタイプの信号ディップ−−患者の身体内の血糖の変化によって引き起こされるものとは反対に−−は、図２４に示されているように１ｋＨｚの実数インピーダンスデータに反映される。
【０１４３】
具体的には、図２４において、第１の作用電極ＷＥ１に対するＩｓｉｇ２２５０及び第２の作用電極ＷＥ２に対するＩｓｉｇ２２６０の両方が、左端で約２５ｎＡから始まる（即ち、６ｐｍで）。時間が経過するにつれ、両方のＩｓｉｇが変動するが、これはセンサの付近のグルコース変動を反映する。最初の１２時間かそこらの間（即ち、午前６時ぐらいまで）、各１ｋＨｚの実数インピーダンス２２５５、２２６５のように、両方のＩｓｉｇはかなり安定している。しかし、約１２時間から１８時間までの間−−即ち、午前６時から正午までの間−−では、ＷＥ２に対するＩｓｉｇ２２６０は、ディップを開始し、次の数時間の間、午後９時くらいまで、下降の傾向を続ける。この期間中、ＷＥ１にするＩｓｉｇ２２５０は、いくらかのディッピングも示すが、Ｉｓｉｇ２２５０は、ＷＥ２に対するＩｓｉｇ２２６０に比べてかなり安定しており、またディップは相当小さい。ＷＥ１及びＷＥ２に対するＩｓｉｇの挙動も、各１ｋＨｚの実数インピーダンスデータに反映される。そのため、図２４に示されているように、上記の期間中に、ＷＥ１に対する１ｋＨｚの実数インピーダンス（２２５５）はかなり安定を保たれるが、ＷＥ２に対する１ｋＨｚの実数インピーダンス（２２６５）では著しい増加がある。
【０１４４】
定義により、感度損失は、センサ信号（Ｉｓｉｇ）が長い期間にわたって低くなり応答しなくなる、通常は復元可能でない場合を称する。感度損失は、様々な理由で発生してもよい。例えば、電極被毒は、作用電極の活性表面積を大幅に減らし、それによって、電流の振幅を大きく制限する。挿入部位には低酸素又は酸素欠損により感度損失が発生してもよい。加えて、感度損失は、センサ膜を通るグルコース及び酸素の両方の通過を制限するいくつかの形態の極端な表面閉塞（即ち、生物学的又は他の要因によって引き起こされるより永続的な形態の信号ディップ）によって生じる可能性があり、それによって、電極内に電流を発生する化学反応の数／頻度を減らし、最終的に、センサ信号（Ｉｓｉｇ）を低下させる。なお、上で述べた感度損失の様々な原因は、短期的（７〜１０日間の着用）と長期的（６ヶ月間の着用）の両方のセンサに当てはまる。
【０１４５】
ＥＩＳデータにおいて、感度損失には、位相の絶対値（｜ｐｈａｓｅ｜）と虚数インピーダンスの絶対値（｜ｉｍａｇｉｎａｒｙ  ｉｍｐｅｄａｎｃｅ｜）の増大が比較的高い周波数範囲（例えば、それぞれ１２８Ｈｚ以上、及び１ｋＨｚ以上）で先行することが多い。図２５Ａは、センサ電流２５００がグルコースに応答する−−即ち、Ｉｓｉｇ２５００がグルコースの変動に反応する−−が、例えば１ｋＨｚの実数インピーダンス２５１０、１ｋＨｚの虚数インピーダンス２５３０、及び約１２８Ｈｚ以上の周波数に対する位相（２５２０）などの、関連する全てのインピーダンス出力は、定常状態にあり、実質的にグルコース独立である、正常に機能しているグルコースセンサの一例を示す。
【０１４６】
具体的には、図２５Ａの上のグラフは、最初の数時間後に、１ｋＨｚの実数インピーダンス２５１０が約５キロオームでかなりの定常状態を保つ（１ｋＨｚの虚数インピーダンス２５３０は約−４００オームでかなりの定常状態を保つ）ことを示す。換言すると、１ｋＨｚでは、実数インピーダンスデータ２５１０及び虚数インピーダンスデータ２５３０は、実質的にグルコース独立であり、これらは、分析対象の特定のセンサの正常性、状態、及び最終的に、信頼性に対するシグネチャ、又は独立したインジケータとして使用されてもよい。しかし、既に述べたように、異なるインピーダンス関連パラメータは、異なる周波数範囲においてグルコース独立性を示すものとしてよく、範囲は、それぞれの場合において、全体的センサ設計、例えば、電極のタイプ、電極の表面積、膜の厚さ、膜の透磁率などに依存してもよい。
【０１４７】
そのため、図２５Ｂの例−−９０％の短いチューブレス電極設計の場合−−では、上のグラフは、ここでもまた、センサ電流２５０１が、グルコースに応答すること、及び最初の数時間の後に、１ｋＨｚの実数インピーダンス２５１１は約７．５キロオームでかなりの定常状態を保つことを示す。図２５Ｂの下のグラフは、０．１Ｈｚ（２５１８）と１ｋＨｚ（２５１１）との間の周波数に対する実数インピーダンスデータを示す。これからわかるように、０．１Ｈｚ（２５１８）における実数インピーダンスデータは、かなりグルコース依存である。しかし、参照番号２５１６、２５１４、及び２５１２で示されているように、実数インピーダンスは、周波数が０．１Ｈｚから１ｋＨｚまで高くなるにつれ、即ち、インピーダンスデータを測定する際の周波数が１ｋＨｚに近ければ近いほど、益々グルコース独立となる。
【０１４８】
図２５Ａを再び参照すると、真ん中のグラフは、比較的高い周波数における位相２５２０が、実質的にグルコース独立であることを示す。しかし、分析対象のセンサに対するこのパラメータ（位相）に関連する「比較的高い周波数」は、１２８Ｈｚ以上の周波数を意味することに留意されたい。この点で、グラフは、１２８Ｈｚから８ｋＨｚまでの範囲の全ての周波数に対する位相は、図示されている期間全体にわたって安定していることを示す。その一方で、図２５Ｃの下のグラフを見ると、１２８Ｈｚ（以上）の位相２５２２は安定しているが、位相２５２４は次第に１２８Ｈｚより低くなっていく周波数において変動する−−即ち、益々グルコース依存になり、程度も変化する−−ことがわかる。なお、図２５Ｃの例に対する電極設計は、図２５Ｂで使用されているものと同じであること、及び前者の上のグラフは、後者の上のグラフと同一であることに留意されたい。
【０１４９】
図２６は、挿入部位における酸欠による感度損失の一例を示す図である。この場合、挿入部位は、４日目の直後（図２６の暗色垂直線によって示される）に酸欠になり、センサ電流２６００が低くなり、応答しなくなる。１ｋＨｚの実数インピーダンス２６１０は、安定したままであり、センサに物理的閉塞が生じていないことを示す。しかし、各下向きの矢印によって示されているように、比較的高い周波数の位相２６２２及び１ｋＨｚの虚数インピーダンス２６３２の変化は、感度損失と呼応しており、このタイプの損失が挿入部位における酸欠によるものであることを示す。具体的には、図２６は、より高い周波数（２６２０）における位相及び１ｋＨｚの虚数インピーダンス（２６３０）は、センサが感度を失う前に−−暗色垂直線で示されている−−より負になり、センサ感度損失が続くと下に向かう傾向を続ける。そのため、上で指摘されているように、この感度損失に、比較的高い周波数範囲（例えば、それぞれ１２８Ｈｚ以上、及び１ｋＨｚ以上）における位相の絶対値（｜ｐｈａｓｅ｜）と虚数インピーダンスの絶対値（｜ｉｍａｇｉｎａｒｙ  ｉｍｐｅｄａｎｃｅ｜）の増大が先行するか、又は感度損失は、この増大によって予測される。
【０１５０】
上で説明されているシグネチャは、生体外テストによって検証することができ、その一例は図２７に示されている。図２７は、センサの生体外テストの結果を示しており、そこでは異なるグルコース濃度における酸欠がシミュレートされている。上のグラフでは、Ｉｓｉｇは、グルコース濃度が１００ｍｇ／ｄｌ（２７１０）から２００ｍｇ／ｄｌ（２７２０）、３００ｍｇ／ｄｌ（２７３０）、４００ｍｇ／ｄｌ（２７４０）と上昇し、次いで２００ｍｄ／ｄｌ（２７５０）まで下がって戻るときにグルコース濃度とともに変動している。下のグラフでは、比較的高い周波数における位相は、一般的に安定しており、それがグルコース独立であることを示す。しかし、例えば、０．１％  Ｏ２などの非常に低い酸素濃度では、比較的高い周波数の位相は、丸で囲まれている領域と矢印２７６０、２７７０で示されているように、変動する。また、変動の大きさ及び／又は方向（即ち、正又は負）は、様々な要因に依存する。例えば、グルコース濃度対酸素濃度の比が高ければ高いほど、位相の変動の大きさは高くなる。加えて、特定のセンサ設計、更には（即ち、埋め込み後の時間で測定されるような）センサの使用時間は、そのような変動に影響を及ぼす。そのため、例えば、センサが古ければ古いほど、摂動の影響を受けやすい。
【０１５１】
図２８Ａ〜図２８Ｄは、冗長作用電極ＷＥ１及びＷＥ２で酸欠によって引き起こされる感度損失の別の例を示している。図２８Ａに示されているように、１ｋＨｚの実数インピーダンス２８１０は、センサ電流２８００が変動し、最終的に応答しなくなるとしても定常状態にある。また、上述されるように、１ｋＨｚの虚数インピーダンス２８２０の変化は、センサの感度損失と呼応している。しかし、それに加えて、図２８Ｂは、０．１０５Ｈｚにおける実数インピーダンスデータ及び虚数インピーダンスデータ（それぞれ、２８３０及び２８４０）を示す。後者は、「０．１ｋＨｚデータ」とより一般的に称され得るもので、０．１ｋＨｚにおける虚数インピーダンスはかなりの定常状態にあるように見えるが、０．１ｋＨｚの実数インピーダンス２８３０は、センサが感度を失うにつれかなり増大することを示す。更に、図２８Ｃに示されているように、酸欠による感度損失があると、Ｖｃｎｔｒ  ２８５０は１．２ボルトにレイルする。
【０１５２】
要するに、図は、酸欠によって引き起こされる感度損失が、より低い１ｋＨｚの虚数インピーダンス（即ち、後者はより負になる）、より高い０．１０５Ｈｚの実数インピーダンス（即ち、後者はより正になる）、及びＶｃｎｔｒレイルと結び付けられるという発見を示している。更に、酸欠プロセス及びＶｃｎｔｒレイルは、電気化学的回路内の静電容量成分の増大と結び付けられることが多い。なお、後で説明する診断手順のいくつかにおいて、０．１０５Ｈｚの実数インピーダンスは、この比較的低い周波数の実数インピーダンスデータが検体依存であり得るように見えるため、使用され得ない。
【０１５３】
最後に、図２８Ａ〜図２８Ｄの例に関連して、１ｋＨｚ以上の周波数のインピーダンスの測定は、典型的には、ＩｓｉｇにおいてＥＩＳ誘導スパイクを引き起こすことに留意されたい。これは、図２８Ｄに示されており、ＷＥ２に対する未加工Ｉｓｉｇは、時間に関してプロットされている。スパイクが始まったときのＩｓｉｇの大幅な増大は、二重層容量の電荷による、非ファラデープロセスである。そのため、酸欠によって引き起こされる感度損失も、上で説明されているように、より低い１ｋＨｚの虚数インピーダンス、より高い０．１０５Ｈｚの実数インピーダンス、及びＶｃｎｔｒレイルに加えて、より高いＥＩＳ誘導スパイクと結び付けられてもよい。
【０１５４】
図２９は、感度損失の別の例を示す。このケースは、図２４と関連して上で説明されているＩｓｉｇディップの極端なバージョンとして考えることができる。ここで、センサ電流２９１０は、挿入時から低いものとして観察され、挿入手順に問題があり、その結果、電極閉塞が生じたことを示す。１ｋＨｚの実数インピーダンス２９２０は、大幅に高いが、比較的高い周波数の位相２９３０及び１ｋＨｚの虚数インピーダンス２９４０は、両方とも、図２５Ａに示されている正常に機能しているセンサに対する同じパラメータ値と比較したときにかなり大きく負である値にシフトされている。比較的高い周波数の位相２９３０及び１ｋＨｚの虚数インピーダンス２９４０におけるシフトは、感度損失が酸欠によるものであり、次いで酸欠はセンサ表面の閉塞によって引き起こされた可能性があることを示す。
【０１５５】
図３０Ａ〜図３０Ｄは、別の冗長センサシステムに対するデータを示しており、そこでは、２つ又はそれ以上の作用電極の間の１ｋＨｚの実数インピーダンスと１ｋＨｚの虚数インピーダンス、更には０．１Ｈｚの実数インピーダンスの相対的差を、バイオファウリングによる感度損失の検出に使用することができる。この例では、ＷＥ１は、ＷＥ２に対するより高い１ｋＨｚの実数インピーダンス３０１０、より低い１ｋＨｚの虚数インピーダンス３０２０、及び０．１０５ｋＨｚにおけるかなり高い実数インピーダンス（３０３０）から明らかなように、ＷＥ２に比べて大きな感度損失を示している。しかし、それに加えて、この例では、Ｖｃｎｔｒ  ３０５０はレイルしない。更に、図３０Ｄに示されているように、未加工Ｉｓｉｇデータにおけるスパイクの高さは、時間が進行してもあまり変化しない。これは、バイオファウリングによる感度損失に関して、Ｖｃｎｔｒレイルとスパイクの高さの増大とが相関していることを示している。加えて、未加工Ｉｓｉｇデータにおけるスパイクの高さは時間とともにあまり変化しないという事実は、回路の容量成分が時間とともに大幅に変化することはなく、したがってバイオファウリングによる感度損失が回路の抵抗成分（即ち、拡散）に関係することを示している。
【０１５６】
上で説明されているインピーダンス関連パラメータのうちの様々なものが、個別に、又は組み合わせて、（１）ＥＩＳベースのセンサ診断手順、及び／又は（２）より信頼性の高いセンサグルコース値を生成するための融合アルゴリズムへの入力として使用されてもよい。前者に関して、図３１は、ＥＩＳベースのデータ−−即ち、インピーダンス関連パラメータ、又は特性−−が、センサが正常に動作しているかどうか、又は交換すべきかどうかをリアルタイムで判定するために診断手順でどのように使用できるかを示している。
【０１５７】
図３１のフロー図に示されている診断手順は、分析対象の特定のセンサに適切である限り、例えば、１時間毎、３０分毎、１０分毎、又は他の任意の時間間隔−−連続的間隔を含む−−などの周期的間隔でのＥＩＳデータの収集に基づく。それぞれのそのような間隔において、周波数スペクトル全体（即ち、「完全掃引」）についてＥＩＳが実行されるか、又は選択された周波数範囲、又は単一周波数であっても、実行されてもよい。そのため、例えば、１時間毎のデータ収集スキームでは、ＥＩＳは、μＨｚからＭＨｚの範囲内の周波数で実行されるか、又は上で説明されているように、例えば、約０．１Ｈｚから約８ｋＨｚなどの、周波数のより狭い範囲で実行されてもよい。本発明の実施形態では、ＥＩＳデータ収集は、完全掃引とより狭い範囲のスペクトルとで交互に、又は他のスキームに従って実施されてもよい。
【０１５８】
ＥＩＳ実施の時間周波数及びデータ収集は、様々な要因によって決定されてもよい。例えば、ＥＩＳのそれぞれの実施では、特定の量の電力を消費し、この電力は、典型的にはセンサの電池、即ち、後で説明されるＡＳＩＣを含む、センサエレクトロニクスを動作させる電池によって供給される。したがって、電池容量は、残りのセンサ寿命とともに、ＥＩＳが動作する回数、更にはそのような動作毎にサンプリングされた周波数の幅を決定するのに役立ってもよい。加えて、本発明の実施形態では、特定の周波数でのＥＩＳパラメータ（例えば、１ｋＨｚでの実数インピーダンス）は、第１のスケジュール（例えば、数秒に１回、又は数分に１回）に基づき監視されるが、他のパラメータ、及び／又は他の周波数における同じパラメータは、第２のスケジュール（例えば、頻度を減らして）に基づき監視され得ることが求められ得る状況を企図している。これらの状況において、診断手順を特定のセンサ及び要件に合わせて手直しし、これにより、電池電力を温存し、不要な、及び／又は冗長なＥＩＳデータ収集を回避することができる。
【０１５９】
なお、本発明の実施形態において、図３１に示されているような診断手順は、センサのリアルタイム監視を実行するために実施される一連の個別の「テスト」を伴う。複数のテスト、又はマーカ−−「マルチマーカ」とも称される−−は、ＥＩＳが実行される毎に（即ち、ＥＩＳ手順が実行される毎に）、例えば、センサが故障しているか、又は故障しつつあるかを含む、センサの状態若しくは品質を検出するために使用することができる、複数のインピーダンス由来パラメータ、又は特性に関するデータが収集され得るので実装される。センサ診断を実行する際に、場合によっては、故障を示すことができる診断テストがあり得るが、他の診断は、故障がないことを示してもよい。したがって、複数のインピーダンス関連パラメータが利用可能であること、及びマルチテスト手順の実施は、これらの複数のテストのうちのいくつかは他のテストのうちのいくつかに対する妥当性チェックとして働き得るので、有益である。そのため、マルチマーカ手順を使用するリアルタイム監視は、ある程度の組み込み冗長性を含んでもよい。
【０１６０】
上記を念頭に置き、図３１に示されている診断手順のロジックは、ＥＩＳデータを入力として供給するために、センサが挿入され／埋め込まれ、ＥＩＳ実行が行われた後に、３１００から始まる。３１００において、ＥＩＳデータを入力として使用することにより、最初に、センサがまだ適所にあるかどうかが判定される。そのため、｜Ｚ｜勾配が、テストされる周波数帯域（又は範囲）にわたって一定である及び／又は位相角が約−９０°である場合、センサがもはや位置付けられていないと判定され、例えば、患者／ユーザへセンサのプルアウトが発生したことを示すアラートが送信される。センサのプルアウトを検出するための本明細書で説明されている特定のパラメータ（及び各値）は、センサが身体から外に出され、膜がもはや水和されなくなると、インピーダンススペクトル応答がちょうどコンデンサのように見えるという発見に基づく。
【０１６１】
センサがまだ適所にあると判定された場合、ロジックはステップ３１１０に進み、センサが適切に初期化されているかどうかを判定する。図示されているように、「Ｉｎｉｔ．Ｃｈｅｃｋ」が、（ｉ）１ｋＨｚで｜（Ｚｎ−Ｚ１）／Ｚ１｜＞３０％であるかどうか（式中、Ｚ１は最初に測定された実数インピーダンスであり、Ｚｎは上で説明されているように次の間隔における測定されたインピーダンスである）、また（２）位相角が０．１Ｈｚで１０°より大きいかどうかを、判定することによって実行される。これらの質問のいずれか１つに対する答えが「Ｙｅｓ」である場合、テストは満足のいくものである、即ち、テスト１は不合格でない。そうでない場合、テスト１は、不合格としてマークされる。
【０１６２】
ステップ３１２０で、テスト２は、位相角−４５°で、２つの連続するＥＩＳ実行の間の周波数の差（ｆ２−ｆ１）は、１０Ｈｚより大きい。ここでもまた、「Ｎｏ」の答えは、不合格としてマークされ、そうでない場合、テスト２は、合格している。
【０１６３】
ステップ３１３０におけるテスト３は、水和テストである。ここで、現在の（current）インピーダンスＺｎが１ｋＨｚにおける初期化後インピーダンスＺｐｉより小さいかどうかの問い合わせがある。もしそうであれば、このテストは合格であり、そうでなければ、テスト３は、不合格としてマークされる。ステップ３１４０におけるテスト４も水和テストであるが、このときにはより低い周波数である。したがって、このテストでは、初期化後のセンサの動作時にＺｎが０．１Ｈｚで３００キロオームより小さいかどうかを尋ねる。また、「Ｎｏ」の答えは、センサがテスト４に失敗したことを示す。
【０１６４】
ステップ３１５０において、テスト５は、低周波ナイキストスロープが、０．１Ｈｚから１Ｈｚまで全体的に増大しているかどうかを問い合わせる。既に説明されているように、正常に動作しているセンサの場合、比較的低い周波数のナイキストスロープは時間の経過とともに増大してゆくべきである。そのため、このテストは、問い合わせに対する答えが「Ｙｅｓ」であれば合格であり、そうでなければ、テストは不合格としてマークされる。
【０１６５】
ステップ３１６０は、この実施形態に対する診断手順の最後のテストである。ここで、問い合わせは、実数インピーダンスが全体的に減少しているかどうかというものである。また、既に説明されたように、正常に動作しているセンサでは、時間が経過するにつれ、実数インピーダンスは減少してゆくべきであることが期待される。したがって、ここでの「Ｙｅｓ」の答えは、センサが正常に動作していることを意味し、そうでなければ、センサはテスト６に不合格である。
【０１６６】
６つのテスト全てが実行された後、センサが正常に動作しているかどうか、又は故障しているかどうかに関する決定が３１７０で下される。この実施形態では、センサは、６つのテストのうちの少なくとも３つに合格した場合に正常に動作している（３１７２）と判定される。言い換えると、故障している（３１７４）と判定されるためには、センサは、６つのテストのうちの少なくとも４つで不合格になっていなければならない。いくつかの代替的実施形態では、センサ故障に対して正常な動作を評価するために異なるルールが使用されてもよい。それに加えて、本発明の実施形態では、テストのそれぞれに重みを付けることができ、センサ動作全体を判定する際に（正常対故障）、割り当てられた重みは、例えば、そのテストの重要性、又はそのテストについて問い合わされる特定のパラメータの重要性を反映する。例えば、１つのテストに別のテストの２倍の重み、ただし、第３のテストの重みの半分の重みを付ける、などとすることができる。
【０１６７】
他の代替的実施形態では、それぞれのテストについて異なる数のテスト及び／又はＥＩＳ由来パラメータの異なるセットが使用されてもよい。図３２Ａ及び図３２Ｂは、７つのテストを含むリアルタイム監視の診断手順の一例を示す。図３２Ａを参照すると、ロジックは、センサが挿入され／埋め込まれ、ＥＩＳ手順が実行された後に、３２００から始まり、ＥＩＳデータを入力として供給する。３２００において、ＥＩＳデータを入力として使用することにより、最初に、センサがまだ適所にあるかどうかが判定される。そのため、｜Ｚ｜勾配が、テストされる周波数帯域（又は範囲）にわたって一定である及び／又は位相角が約−９０°である場合、センサがもはや位置付けられていないと判定され、例えば、患者／ユーザへセンサのプルアウトが発生したことを示すアラートが送信される。その一方で、センサが、適所にあると判定された場合、ロジックは、診断チェックの開始（３２０２）に進む。
【０１６８】
３２０５において、テスト１は、瞬時テスト１で後の測定Ｚｎを最初の測定から２時間経過してから行うよう指定することを除き、図３１に関連して上で説明されている診断手順のテスト１と類似している。したがって、この例では、Ｚｎ＝Ｚ２ｈｒである。より具体的には、テスト１で、（センサ埋め込みと）初期化から２時間後の実数インピーダンスを初期化前値と比較する。同様に、テスト１の第２の部分では、初期化から２時間後の位相と初期化前位相との間の差が、０．１Ｈｚで１０°より大きいかどうかを尋ねる。前のように、問い合わせのいずれか１つへの答えが肯定的であれば、センサは正常に水和されて初期化されていると判定され、テスト１は合格し、そうでなければ、センサはこのテストで不合格となっている。なお、瞬時テストで初期化から２時間後にインピーダンス及び位相の変化を問い合わせるとしても、２つの連続するＥＩＳの実行の間の時間間隔は、例えば、センサ設計、電極冗長性のレベル、診断手順が冗長テストを含む程度、電池電力などを含む、様々な要因に応じて短くなっても、長くなってもよい。
【０１６９】
３２１０に進むと、ロジックは、次に、感度損失チェックを、２時間の間隔（ｎ＋２）の後に、１ｋＨｚにおけるインピーダンスの大きさのパーセンテージの変化、更にはＩｓｉｇの変化が、３０％より大きいかどうかを問い合わせることによって実行する。両方の問い合わせに対する答えが「Ｙｅｓ」である場合、センサは感度を失っていると判定され、したがって、テスト２は、不合格と判定される。なお、テスト２は、本明細書において３０％の好ましいパーセンテージ差に基づいて示されているが、他の実施形態では、１ｋＨｚにおけるインピーダンスの大きさのパーセンテージ差及びＩｓｉｇのパーセンテージ差は、このテストを実施することを目的として１０％〜５０％の範囲内にあるものとしてよいことに留意されたい。
【０１７０】
テスト３（３２２０の）は、図３１に例示されているアルゴリズムのテスト５に類似している。ここで、前のように、質問は、低周波ナイキストスロープが、０．１Ｈｚから１Ｈｚまで全体的に増加しているかどうかである。そうであれば、このテストは合格であり、そうでなければ、テストは、不合格である。３２２０に示されているように、このテストは、センサが故障しているとみなされ得るか、又は少なくとも、更なる診断テストをトリガし得る限度となる、低周波ナイキストスロープのパーセント変化に対して、閾値の設定、又は許容可能な範囲の設定の影響も受けやすい。本発明の実施形態では、低周波ナイキストスロープのパーセント変化に対するそのような閾値／許容可能な範囲は、約２％〜約２０％の範囲内に収まってもよい。いくつかの好ましい実施形態において、閾値は、約５％としてもよい。
【０１７１】
ロジックは、次に、別の低周波テストである３２３０に進むが、このときは、位相及びインピーダンスの大きさを伴う。より具体的には、位相テストは、０．１Ｈｚでの位相が時間が経過するにつれて連続的に増加されたか否かを問う。もしそうであれば、テストは不合格である。パラメータの傾向が監視されている他のテストと同様に、テスト４の低周波位相テストは、センサが故障しているとみなされ得るか、又は少なくとも、懸念を引き起こし得る限度となる、低周波位相のパーセント変化に対して、閾値の設定、又は許容可能な範囲の設定の影響も受けやすい。本発明の実施形態では、低周波位相のパーセント変化に対するそのような閾値／許容可能な範囲は、約５％〜約３０％の範囲内に収まってもよい。いくつかの好ましい実施形態において、閾値は、約１０％としてもよい。
【０１７２】
指摘されているように、テスト４は、低周波インピーダンスの大きさのテストも含み、そこでは、問い合わせは、０．１Ｈｚにおけるインピーダンスの大きさが時間の経過とともに連続的に増大しているかどうかである。もしそうであれば、テストは不合格である。なお、テスト４は、位相テスト又はインピーダンスの大きさのテストのいずれかに失敗した場合に「不合格」と考えられる。テスト４の低周波のインピーダンスの大きさのテストは、センサが故障しているとみなされ得るか、又は少なくとも、懸念を引き起こし得る限度となる、低周波のインピーダンスの大きさのパーセント変化に対して、閾値の設定、又は許容可能な範囲の設定の影響も受けやすい。本発明の実施形態では、低周波のインピーダンスの大きさのパーセント変化に対するそのような閾値／許容可能な範囲は、約５％〜約３０％の範囲内に収まってもよい。いくつかの好ましい実施形態において、閾値は、約１０％とすることができ、その場合、正常なセンサのインピーダンスの大きさに対する範囲は、一般的に、約１００キロオーム〜約２００キロオームの間である。
【０１７３】
テスト５（３２４０における）は、テスト２の補助として考えられ得る別の感度損失チェックである。ここで、Ｉｓｉｇのパーセント変化及び１ｋＨｚにおけるインピーダンスの大きさのパーセント変化の両方が３０％を超える場合、センサは感度損失から回復していると判定される。換言すると、センサは、感度損失が何らかの理由からテスト２によって検出されなかったとしても、すでに何らかの感度損失を被っていると判定される。テスト２と同様に、テスト５は、３０％の好ましいパーセンテージ差に基づいて示されているが、他の実施形態では、Ｉｓｉｇのパーセンテージ差及び１ｋＨｚにおけるインピーダンスの大きさのパーセンテージ差は、このテストを実施することを目的として１０％〜５０％の範囲内にあるものとしてよい。
【０１７４】
３２５０に進むと、テスト６で、観察されたデータ及び特定のセンサ設計に基づき判定された特定の故障基準を用いてセンサ機能性テストを行う。具体的には、一実施形態では、センサは、以下の３つの基準のうちの少なくとも２つが満たされている場合に、故障していると判定され、したがって、グルコースに応答する可能性がないと判定されてもよい。（１）Ｉｓｉｇは、１０ｎＡ未満であり、（２）１ｋＨｚにおける虚数インピーダンスは、−１５００オーム未満であり、（３）１ｋＨｚにおける位相は、−１５°未満である。そのため、テスト６は、（１）〜（３）のうちのどれか２つが満たされていない場合に合格したと判定される。なお、他の実施形態では、このテストのＩｓｉｇ分岐は、Ｉｓｉｇが約５ｎＡ未満から約２０ｎＡである場合に不合格であるものとしてよい。同様に、第２の分岐は、１ｋＨｚにおける虚数インピーダンスが約−１０００オーム未満から約−２０００オームである場合に不合格であるものとしてよい。最後に、位相分岐は、１ｋＨｚにおける位相が約−１０°未満〜約−２０°である場合に不合格であるものとしてよい。
【０１７５】
最後に、ステップ３２６０で、別の感度チェックを行い、その際に、パラメータは低周波数で評価される。そのため、テスト７では、０．１Ｈｚにおいて、一方の、虚数インピーダンスとＩｓｉｇ（ｎ＋２）との比と、他方の、比の前の値との間の差の大きさは比の前の値の大きさの３０％より大きいかどうかを問い合わせる。もしそうであれば、テストは不合格であり、そうでなければ、テストは、合格である。ここで、テスト７は、３０％の好ましいパーセンテージ差に基づいて示されているが、他の実施形態では、パーセンテージ差は、このテストを実施することを目的として１０％〜５０％の範囲内に収まるものとしてよい。
【０１７６】
７つのテスト全てが実行された後、センサが正常に動作しているかどうか、又はセンサが故障している（若しくは故障しようとしている）ことを示す警告が送り出されるべきかどうかに関する決定が３２７０で下される。図示されているように、この実施形態では、センサは、７つのテストのうちの少なくとも４つに合格した場合に正常に動作している（３２７２）と判定される。言い換えると、故障している、又は少なくとも懸念を引き起こす（３２７４）と判定されるためには、センサは、７つのテストのうちの少なくとも４つで不合格でなければならない。センサが「不良」である（３２７４）と判定された場合、その影響に対する警告が、例えば、患者／ユーザに送信されてもよい。既に指摘されているように、代替的実施形態において、センサ故障／懸念に対して正常な動作を評価するために異なるルールが使用されてもよい。それに加えて、本発明の実施形態では、テストのそれぞれに重みを付けることができ、センサ動作全体を判定する際に（正常対故障）、割り当てられた重みは、例えば、そのテストの重要性、又はそのテストについて問い合わされる特定のパラメータの重要性を反映する。
【０１７７】
既に指摘されているように、本発明の実施形態では、上述のインピーダンス関連パラメータのうちの様々なものが、個別に、又は組み合わせて、より信頼性の高いセンサグルコース値を生成するための１つ以上の融合アルゴリズムへの入力として使用されてもよい。具体的には、単一センサ（即ち、単一作用電極）システムとは異なり、複数の検知電極では、２つ又はそれ以上の作用電極から得られる複数の信号を融合して単一のセンサグルコース値を得ることができるので、より信頼性の高いグルコース読み出し値を出力することが知られている。そのような信号融合では、ＥＩＳによって与えられる定量的入力を利用して、冗長作用電極から最も信頼性の高い出力センサグルコース値を計算する。なお、次の考察で冗長電極として第１の作用電極（ＷＥ１）及び第２の作用電極（ＷＥ２）に関して様々な融合アルゴリズムを説明することができるが、これは、例示するものであって、限定するものではなく、本明細書で説明されているアルゴリズム及びそれらの基本原理は、２つより多い作用電極を有する冗長センサシステムに適用可能であり、そのような冗長センサシステムにおいて使用されてもよい。
【０１７８】
図３３Ａ及び図３３Ｂは、２つの代替的方法に対する最上位のフロー図を示しており、それぞれ融合アルゴリズムを含む。具体的には、図３３Ａは、電流（Ｉｓｉｇ）ベースの融合アルゴリズムを伴うフロー図であり、図３３Ｂは、センサグルコース（ＳＧ）融合を対象とするフロー図である。図を見るとわかるように、２つの方法の主な違いは、較正の時間である。そのため、図３３Ａは、Ｉｓｉｇ融合について、融合３５４０が完了してから較正３５９０が実行されることを示す。即ち、ＷＥ１からＷＥｎへの冗長Ｉｓｉｇは、単一のＩｓｉｇ３５８９に融合され、次いで、単一のセンサグルコース値３５９８を出力するように較正される。一方、ＳＧ融合について、較正３４３５が、ＷＥ１からＷＥｎへのそれぞれの個別のＩｓｉｇについて完了し、作用電極のそれぞれに対する較正されたＳＧ値（例えば、３４３６、３４３８）を出力する。そのため、ＳＧ融合アルゴリズムは、複数のＩｓｉｇのそれぞれの独立した較正を行い、これは本発明の実施形態において好ましいものとしてよい。較正された後、複数の較正済みＳＧ値は、単一のＳＧ値３４９８に融合される。
【０１７９】
図３３Ａ及び３３Ｂに示されているフロー図のそれぞれは、スパイクフィルタ処理プロセス（３５２０、３４２０）を含むことに留意することが重要である。感度損失に関係する考察において上で説明されたように、１ｋＨｚ以上の周波数のインピーダンスの測定では、典型的に、ＥＩＳ誘導スパイクがＩｓｉｇ内に生じる。このため、ＥＩＳ手順がＳＧ融合及びＩｓｉｇ融合の両方について電極ＷＥ１からＷＥｎのそれぞれに対して実行された後、最初にＩｓｉｇ３４１０、３４１２など及び３５１０、３５１２などをフィルタ処理して、各フィルタ処理済みＩｓｉｇ３４２２、３４２４など及び３５２２、３５２４などを得ることが好ましい。次いで、フィルタ処理済みＩｓｉｇは、Ｉｓｉｇ融合において使用されるか、又は最初に較正され、次いで、ＳＧ融合において使用されるが、これは以下で説明する。次の考察で明らかになるように、融合アルゴリズムは両方とも、様々な要因に基づく重みの計算及び割り当てを伴う。
【０１８０】
図３４は、ＳＧ融合に対する融合アルゴリズム３４４０の詳細を示す。本質的に、融合重みが決定される前にチェックする必要のある要因が４つある。第１に、完全性チェック３４５０は、正常なセンサ動作に対する指定された範囲内（例えば、所定の下方閾値及び上方閾値）に、パラメータ（ｉ）Ｉｓｉｇ、（ｉｉ）１ｋＨｚの実数及び虚数インピーダンス、（ｉｉｉ）０．１０５Ｈｚの実数及び虚数インピーダンス、及び（ｉｖ）ナイキストスロープのそれぞれが収まっているかどうかを判定することを伴う。図示されているように、完全性チェック３４５０は、境界チェック３４５２及びノイズチェック３４５６を含み、これらのチェックのそれぞれについて、上述のパラメータは入力パラメータとして使用される。なお、簡単さのため、１つ以上の周波数における実数及び／又は虚数インピーダンスは、図３３Ａ〜図３５上に、単にインピーダンスの略記号「Ｉｍｐ」で表されている。加えて、実数及び虚数インピーダンスは両方とも、インピーダンスの大きさ及び位相（図３３Ａ及び図３３Ｂ上に入力として示されてもいる）を使用して計算されてもよい。
【０１８１】
境界チェック３４５２及びノイズチェック３４５８のそれぞれからの出力は、冗長作用電極のそれぞれに対する各信頼度指数（ＲＩ）である。そのため、境界チェックからの出力は、例えば、ＲＩ＿ｂｏｕｎｄ＿Ｗｅ１（３５４３）及びＲＩ＿ｂｏｕｎｄ＿Ｗｅ２（３４５４）を含む。同様に、ノイズチェックについては、その出力は、例えば、ＲＩ＿ｎｏｉｓｅ＿Ｗｅ１（３４５７）及びＲＩ＿ｎｏｉｓｅ＿Ｗｅ２（３４５８）を含む。それぞれの作用電極に対する境界及びノイズの信頼度指数は、正常なセンサ動作に対する上述の範囲への適合に基づき計算される。そのため、いずれかのパラメータが特定の電極に対する指定された範囲外にある場合、その特定の電極に対する信頼度指数は減少する。
【０１８２】
なお、上述のパラメータに対する閾値、又は範囲は、特定のセンサ及び／又は電極設計を含む、様々な要因に依存してもよい。それでもなお、好ましい一実施形態において、上述のパラメータのうちのいくつかに対する典型的な範囲は、例えば以下のとおりであってよく、即ち、１ｋＨｚの実数インピーダンスに対する境界閾値＝［０．３ｅ＋４  ２ｅ＋４］、１ｋＨｚの虚数インピーダンスに対する境界閾値＝［−２ｅ＋３，０］、０．１０５Ｈｚの実数インピーダンスに対する境界閾値＝［２ｅ＋４  ７ｅ＋４］、０．１０５Ｈｚの虚数インピーダンスに対する境界閾値＝［−２ｅ＋５  −０．２５ｅ＋５］、及びナイキストスロープに対する境界閾値＝［２  ５］である。ノイズは、例えば、二次中心差分法を使用して計算することができ、この方法では、ノイズがそれぞれの変数バッファに対する中央値のある割合（例えば、３０％）を超えた場合に、ノイズ限界から外れているとされる。
【０１８３】
第２に、センサディップは、センサ電流（Ｉｓｉｇ）と１ｋＨｚの実数インピーダンスとを使用して検出されてもよい。そのため、図３４に示されているように、Ｉｓｉｇ及び「Ｉｍｐ」は、ディップ検出３４６０の入力として使用される。ここで、第１のステップは、Ｉｓｉｇ間に発散があるかどうか、及びそのような発散が１ｋＨｚの実数インピーダンスデータに反映されるかどうかを判定することである。これは、Ｉｓｉｇ類似度指数（ＲＩ＿ｓｉｍ＿ｉｓｉｇ１２）３４６３と１ｋＨｚの実数インピーダンス類似度指数（ＲＩ＿ｓｉｍ＿ｉｍｐ１２）３４６４との間のマッピング３４６５を使用することによって実行されてもよい。このマッピングは重要であり、ディップが実でない場合に偽陽性を回避するのに役立つ。Ｉｓｉｇ発散が実である場合、アルゴリズムは、より高いＩｓｉｇを有するセンサを選択する。
【０１８４】
本発明の実施形態によれば、２つの信号（例えば、２つのＩｓｉｇ、又は２つの１ｋＨｚの実数インピーダンスデータ点）の発散／収束は、以下のように計算することができる。
ｄｉｆｆ＿ｖａ１＝ａｂｓ（ｖａ１−（ｖａ１＋ｖａ２）／２）；
ｄｉｆｆ＿ｖａ２＝ａｂｓ（ｖａ２−（ｖａ１＋ｖａ２）／２）；
ＲＩ＿ｓｉｍ＝１−（ｄｉｆｆ＿ｖａ１＋ｄｉｆｆ＿ｖａ２）／（ｍｅａｎ（ａｂｓ（ｖａ１＋ｖａ２））／４）
式中、ｖａ１及びｖａ２は２つの変数であり、ＲＩ＿ｓｉｍ（類似度指数）は信号の収束又は発散を測定する指数である。この実施形態では、ＲＩ＿ｓｉｍは、０と１との間を境界としなければならない。このため、上で計算されたＲＩ＿ｓｉｍが０未満である場合、０に設定され、１より大きい場合、１に設定される。
【０１８５】
マッピング３４６５は、通常線形回帰（ＯＬＲ）を使用することによって実行される。しかし、ＯＬＲではうまくいかない場合、ロバスト中央値勾配線形回帰（robust median slope linear regression）（ＲＭＳＬＲ）が使用されてもよい。例えば、Ｉｓｉｇ類似度指数及び１ｋＨｚの実数インピーダンス指数では、（ｉ）Ｉｓｉｇ類似度指数を１ｋＨｚの実数インピーダンス類似度指数にマッピングする手順、（ｉｉ）１ｋＨｚの実数インピーダンス類似度指数をＩｓｉｇ類似度指数にマッピングする手順の２つの手順が必要である。両方のマッピング手順で、ｒｅｓ１２とｒｅｓ２１の２つの残余が生成される。ディップ信頼度指数３４６７、３４６８のそれぞれを以下のように計算することができる。
ＲＩ＿ｄｉｐ＝１−（ｒｅｓ１２＋ｒｅｓ２１）／（ＲＩ＿ｓｉｍ＿ｉｓｉｇ＋ＲＩ＿ｓｉｍ＿１Ｋ＿ｒｅａｌ＿ｉｍｐｅｄａｎｃｅ）
【０１８６】
第３の要因は感度損失３４７０であり、これは、例えば、過去８時間以内の、１ｋＨｚの虚数インピーダンスの傾向を使用して検出されてもよい。１つのセンサの傾向が負に変わると、アルゴリズムは他のセンサを利用する。両方のセンサが感度を失った場合、単純平均を取る。傾向は、ノイズが多くなる傾向を有するが強いローパスフィルタを使用して１ｋＨｚの虚数インピーダンスを平滑化することによって、また、例えば、過去８時間内の時間に関して相関係数又は線形回帰を使用して相関係数が負であるか、又は勾配が負であるかを判定することによって計算されてもよい。感度損失信頼度指数３４７３、３４７４のそれぞれに、１又は０の二進値を割り当てる。
【０１８７】
ｗｅ１、ｗｅ２、．．．、ｗｅｎのそれぞれに対する全信頼度指数（ＲＩ）は、以下のように計算される。
ＲＩ＿ｗｅ１＝ＲＩ＿ｄｉｐ＿ｗｅ１×ＲＩ＿ｓｅｎｓｉｔｉｖｉｔｙ＿ｌｏｓｓ＿ｗｅ１×ＲＩ＿ｂｏｕｎｄ＿ｗｅ１×ＲＩ＿ｎｏｉｓｅ＿ｗｅ１
ＲＩ＿ｗｅ２＝ＲＩ＿ｄｉｐ＿ｗｅ２×ＲＩ＿ｓｅｎｓｉｔｉｖｉｔｙ＿ｌｏｓｓ＿ｗｅ２×ＲＩ＿ｂｏｕｎｄ＿ｗｅ２×ＲＩ＿ｎｏｉｓｅ＿ｗｅ２
ＲＩ＿ｗｅ３＝ＲＩ＿ｄｉｐ＿ｗｅ３×ＲＩ＿ｓｅｎｓｉｔｉｖｉｔｙ＿ｌｏｓｓ＿ｗｅ３×ＲＩ＿ｂｏｕｎｄ＿ｗｅ３×ＲＩ＿ｎｏｉｓｅ＿ｗｅ３
ＲＩ＿ｗｅ４＝ＲＩ＿ｄｉｐ＿ｗｅ４×ＲＩ＿ｓｅｎｓｉｔｉｖｉｔｙ＿ｌｏｓｓ＿ｗｅ４×ＲＩ＿ｂｏｕｎｄ＿ｗｅ４×ＲＩ＿ｎｏｉｓｅ＿ｗｅ４
．
．
．
ＲＩ＿ｗｅｎ＝ＲＩ＿ｄｉｐ＿ｗｅｎ×ＲＩ＿ｓｅｎｓｉｔｉｖｉｔｙ＿ｌｏｓｓ＿ｗｅｎ×ＲＩ＿ｂｏｕｎｄ＿ｗｅｎ×ＲＩ＿ｎｏｉｓｅ＿ｗｅｎ
【０１８８】
個別の作用電極の各信頼度指数を計算した後、電極のそれぞれに対する重みを以下のように計算することができる。
ｗｅｉｇｈｔ＿ｗｅ１＝ＲＩ＿ｗｅ１／（ＲＩ＿ｗｅ１＋ＲＩ＿ｗｅ２＋ＲＩ＿ｗｅ３＋ＲＩ＿ｗｅ４＋．．．＋ＲＩ＿ｗｅｎ）
ｗｅｉｇｈｔ＿ｗｅ２＝ＲＩ＿ｗｅ２／（ＲＩ＿ｗｅ１＋ＲＩ＿ｗｅ２＋ＲＩ＿ｗｅ３＋ＲＩ＿ｗｅ４＋．．．＋ＲＩ＿ｗｅｎ）
ｗｅｉｇｈｔ＿ｗｅ３＝ＲＩ＿ｗｅ３／（ＲＩ＿ｗｅ１＋ＲＩ＿ｗｅ２＋ＲＩ＿ｗｅ３＋ＲＩ＿ｗｅ４＋．．．＋ＲＩ＿ｗｅｎ）
ｗｅｉｇｈｔ＿ｗｅ４＝ＲＩ＿ｗｅ４／（ＲＩ＿ｗｅ１＋ＲＩ＿ｗｅ２＋ＲＩ＿ｗｅ３＋ＲＩ＿ｗｅ４＋．．．＋ＲＩ＿ｗｅｎ）
．
．
．
ｗｅｉｇｈｔ＿ｗｅｎ＝ＲＩ＿ｗｅｎ／（ＲＩ＿ｗｅ１＋ＲＩ＿ｗｅ２＋ＲＩ＿ｗｅ３＋ＲＩ＿ｗｅ４＋．．．＋ＲＩ＿ｗｅｎ）
【０１８９】
次いで、上記に基づき、融合されたＳＧ３４９８が以下のように計算される。
ＳＧ＝ｗｅｉｇｈｔ＿ｗｅ１×ＳＧ＿ｗｅ１＋ｗｅｉｇｈｔ＿ｗｅ２×ＳＧ＿ｗｅ２＋ｗｅｉｇｈｔ＿ｗｅ３×ＳＧ＿ｗｅ３＋
ｗｅｉｇｈｔ＿ｗｅ４×ＳＧ＿ｗｅ４＋．．．＋ｗｅｉｇｈｔ＿ｗｅｎ×ＳＧ＿ｗｅｎ
【０１９０】
最後の係数は、センサ融合の瞬時重み変化によって引き起こされるような、最終的なセンサ読み出し値中のアーチファクトに関係する。これは、ローパスフィルタ３４８０を適用して、それぞれの電極に対するＲＩを平滑化するか、又はローパスフィルタを最終的ＳＧに適用することによって回避されてもよい。前者が使用される場合、フィルタ処理された信頼度指数−−例えば、ＲＩ＿Ｗｅ１＊及びＲＩ＿Ｗｅ２＊（３４８２、３４８４）−−は、それぞれの電極に対する重みの計算、したがって融合されたＳＧ３４９８の計算において使用される。
【０１９１】
図３５は、Ｉｓｉｇ融合に対する融合アルゴリズム３５４０の詳細を示す。図からわかるように、このアルゴリズムは、２つを除き、ＳＧ融合に対する図３４に示されているものと実質的に類似している。第１に、すでに指摘されているように、Ｉｓｉｇ融合では、較正はプロセスの最終ステップをなし、単一の融合されたＩｓｉｇ３５８９が較正されて単一のセンサグルコース値３５９８を生成する。図３３Ｂも参照されたい。第２に、ＳＧ融合では複数の電極に対するＳＧ値を使用して、最終的ＳＧ値３４９８を計算しているが、融合されたＩｓｉｇ値３５８９は、複数の電極に対するフィルタ処理済みＩｓｉｇ（３５２２、３５２４など）を使用して計算される。
【０１９２】
糖尿病に罹っていない母集団を伴う１つの閉ループ研究において、上述の融合アルゴリズムが１日目に、低始動問題が最も重大であり、したがってセンサの精度及び信頼性に実質的な影響を及ぼし得るときに、並びに全体の期間（即ち、センサの７日間の寿命）にわたって平均絶対的相対的差異（ＭＡＲＤ）のかなりの改善をもたらすことが判明した。この研究では、以下の３つの異なる方法を使用して高電流密度（公称）メッキによる８８％の分散レイアウト設計に対するデータを評価した。（１）Ｍｅｄｔｒｏｎｉｃ  ＭｉｎｉｍｅｄのＦｅｒｒａｒｉ  Ａｌｇｏｒｉｔｈｍ  １．０（上で説明されているようなＳＧ融合アルゴリズム）を使用する融合を介した１つのセンサグルコース値（ＳＧ）の計算、（２）１ｋＨｚのＥＩＳデータを使用してより良好なＩＳＩＧ値を識別することによる１つのＳＧの計算（上で説明されているＩｓｉｇ融合アルゴリズムを通じて）、及び（３）より高いＩＳＩＧ値を使用することによる（即ち、ＥＩＳを使用しない）１つのＳＧの計算。この研究に対するデータの詳細を以下に示す。
【表１】
2020170011.tif 000007
【表２】
2020170011.tif 000008
【表３】
2020170011.tif 000009
【０１９３】
上記データにより、第１のアプローチで、第１日目のＭＡＲＤ（％）は１９．５２％であり、全体ＭＡＲＤが１２．２８％となることが分かった。第２のアプローチでは、第１日目のＭＡＲＤが１５．９６％であり、全体ＭＡＲＤが１１．８３％である。最後に、第３のアプローチについては、第１日目のＭＡＲＤは１７．４４％であり、全体としては１２．２６％である。そのため、冗長電極を有する設計では、１ｋＨｚのＥＩＳを用いたより良いＩｓｉｇに基づくＳＧの計算（即ち、第２の手法）が最も有利となることが現れる。具体的には、例えば、ＥＩＳを使用して、より良好な低始動検出を行うために、第１日目の低ＭＡＲＤが起因してもよい。加えて、全体的なＭＡＲＤのパーセンテージは、この研究のＷＥ１及びＷＥ２に対する１３．５％の総平均ＭＡＲＤより１％以上低い。上述のアプローチでは、データ遷移は、例えば、図３３Ａ〜図３５に関連して上で説明されているようなローパスフィルタ３４８０などを使用することによって遷移の重大さを最小にするフィルタ処理方法によって処理できる。
【０１９４】
ここで、例えば低始動、感度損失、及び信号ディップ事象を含むセンサ診断は、センサ設計、電極の数（即ち、冗長性）、電極分布／構成などを含む、様々な要因に依存することを繰り返しておく。したがって、ＥＩＳ由来パラメータが実質的にグルコース独立であるものとしてよい実際の周波数、又は周波数範囲、したがって、上述の故障モードのうちの１つ以上に対する独立したマーカ、若しくは予測因子も、特定のセンサ設計に依存してもよい。例えば、上で説明されているように、感度損失は、比較的高い−−虚数インピーダンスが実質的にグルコース独立である−−周波数の虚数インピーダンスを使用して予測され得ることが発見されているが、グルコース依存性のレベル、したがって、感度損失に対するマーカとして虚数インピーダンスを使用するための特定の周波数範囲は、実際のセンサ設計に応じて（高い方に、又は低い方に）ずれる可能性がある。
【０１９５】
より具体的には、センサ設計が冗長作用電極の使用に向かうほど、後者はセンサの全体的サイズを維持するために次第に小型化していかなければならない。そのため、電極のサイズは、特定の診断について問い合わせできる周波数に影響を及ぼす。この点で、本明細書で説明され、図３３Ａ〜図３５に示されている融合アルゴリズムは、例示的であるとみなされ、制限するものとしてみなされるべきでなく、それぞれのアルゴリズムは、分析対象のセンサのタイプに基づき、最小量のグルコース依存性を示す周波数でＥＩＳ由来パラメータを使用するために必要に応じて修正され得ることに留意することが重要である。
【０１９６】
加えて、実験データから、ヒトの組織構造も異なる周波数におけるグルコース依存性に影響を及ぼし得ることが示されている。例えば、子供では、０．１０５Ｈｚの実数インピーダンスは、低始動検出に対する実質的にグルコース独立であるインジケータであることが判明している。これは、子供の組織構造の変化、例えば、ワールブルクインピーダンスの結果として生じると考えられ、これは抵抗成分に大きく関係している。干渉物質検出に関係する後の説明も参照されたい。
【０１９７】
本発明の実施形態は、センサ較正の最適化の際のＥＩＳの使用にも関する。背景としては、現在の方法論では、その後のＩｓｉｇ値を較正するために使用され得る、Ｉｓｉｇに対するＢＧの線図の勾配を、以下のように計算する。
【数５】
2020170011.tif 000010
ただし式中、αは、時定数の指数関数であり、βは、血糖分散（blood glucose variance）の関数であり、ｏｆｆｓｅｔは、定数である。定常状態にあるセンサでは、この方法はかなり正確な結果をもたらす。例えば図３６に図示されているように、ＢＧ及びＩｓｉｇは、かなり直線的な関係に従い、ｏｆｆｓｅｔを定数に取ることができる。
【０１９８】
しかし、上述の直線関係は、例えば、センサが遷移している期間などでは正しくない状況もある。図３７に示されているように、Ｉｓｉｇ−ＢＧの対１及び２は、ＩｓｉｇとＢＧとの関係に関して対３及び４と大幅に異なることは明らかである。これらのタイプの状態に対して、定数ｏｆｆｓｅｔを使用すると、不正確な結果を生じる傾向がある。
【０１９９】
この問題に対処するために、本発明の一実施形態は、ＥＩＳベースの動的なオフセットを使用することを対象とし、センサ状態ベクトルを以下のように定義するためにＥＩＳ測定値が使用される。
Ｖ＝｛ｒｅａｌ＿ｉｍｐ＿１Ｋ，ｉｍｇ＿ｉｍｐ＿１Ｋ，Ｎｙｑｕｉｓｔ＿ｓｌｏｐｅ，Ｎｙｑｕｉｓｔ＿Ｒ＿ｓｑｕａｒｅ｝
ただし式中、ベクトル内の要素の全ては、実質的にＢＧ独立である。なお、Ｎｙｑｕｉｓｔ＿Ｒ＿ｓｑｕａｒｅは、ナイキストスロープを計算するために使用される線形回帰のＲ平方、即ち、比較的低い周波数の実数インピーダンスと虚数インピーダンスとの間の相関係数の平方であり、低いＲ平方は、センサ性能に異常があることを示す。それぞれのＩｓｉｇ−ＢＧ対について、状態ベクトルが割り当てられる。状態ベクトルの有意差が検出された−−例えば、図３７に示されている例に対して｜Ｖ２−Ｖ３｜−−場合、１及び２と比較したときに３及び４について異なるオフセット値が割り当てられる。そのため、この動的オフセットアプローチを使用することによって、ＩｓｉｇとＢＧとの間の直線関係を維持することが可能である。
【０２００】
第２の実施形態では、ＥＩＳベースのセグメント分割アプローチを較正に使用することができる。図３７の例、及びベクトルＶを使用することで、１及び２のときのセンサ状態は、３及び４のときのセンサ状態と著しく異なると判定されてもよい。したがって、較正バッファは、以下のように、２つのセグメントに分けることができる。
Ｉｓｉｇ＿ｂｕｆｆｅｒ１＝［Ｉｓｉｇ１，Ｉｓｉｇ２］、ＢＧ＿ｂｕｆｆｅｒ１＝［ＢＧ１，ＢＧ２］
Ｉｓｉｇ＿ｂｕｆｆｅｒ２＝［Ｉｓｉｇ３，Ｉｓｉｇ３］、ＢＧ＿ｂｕｆｆｅｒ２＝［ＢＧ３，ＢＧ３］
そのため、センサが１及び２のときに動作する場合、Ｉｓｉｇ＿ｂｕｆｆｅｒ１及びＢＧ＿ｂｕｆｆｅｒ１は、較正に使用される。しかし、センサが３及び４のときに動作する場合、即ち、遷移期間に、Ｉｓｉｇ＿ｂｕｆｆｅｒ２及びＢＧ＿ｂｕｆｆｅｒ２が、較正に使用される。
【０２０１】
更に別の実施形態では、勾配を調節するためにＥＩＳが使用される、ＥＩＳベースの動的勾配アプローチが、較正の目的に使用されてもよい。図３８Ａは、この方法をセンサ精度を改善するためにどのように使用できるかの例を示している。この図では、データ点１〜４は、離散的な血糖値である。図３８Ａからわかるように、データ点１と３との間にセンサディップ３８１０があり、ディップは上で説明されているセンサ状態ベクトルＶを使用して検出されてもよい。図３８Ａの参照番号３８２０で示されているように、ディップでは、勾配は上向きに調節され過小読み取りを低減することができる。
【０２０２】
更なる実施形態において、ＥＩＳ診断を使用して、例えば、低始動事象、感度損失事象、及び他の類似の状況にきわめて有用である、センサ較正のタイミングを決定することができる。既知のように、大半の電流方法では、プリセットされたスケジュール、例えば、日に４回などのスケジュールに基づく定期的較正を必要とする。しかし、ＥＩＳ診断を使用する場合、較正はイベントドリブンとなり、これらは、必要な回数だけ、最も生産的なときに、実行すればよい。ここでもまた、状態ベクトルＶを使用して、センサ状態がいつ変化したかを判定し、実際に変更されている場合に較正を要求することができる。
【０２０３】
より具体的には、図示されている一例において、図３８Ｂは、低始動検出を伴うＥＩＳ支援センサ較正のフロー図を示している。ナイキストスロープ、１ｋＨｚの実数インピーダンス、及び境界チェック３８５０を使用することで（例えば、図３３Ａ〜図３５の融合アルゴリズムに関連するＥＩＳ由来パラメータに対するすでに説明されている境界チェック及び関連する閾値を参照）、信頼度指数３８５３は始動のために設定することができ、したがって、１ｋＨｚの実数インピーダンス３８５１及びナイキストスロープ３８５２が、対応する上限より低いときに、ＲＩ＿ｓｔａｒｔｕｐ＝１であり、センサは較正できる状態にある。換言すると、信頼度指数３８５３は、「高」（３８５４）であり、ロジックは、３８６０の較正に進むことができる。
【０２０４】
その一方で、１ｋＨｚの実数インピーダンス及びナイキストスロープが対応する上限（又は閾値）より高い場合に、ＲＩ＿ｓｔａｒｔｕｐ＝０であり（即ち、「低」であり）、センサは較正できる状態にない（３８５６）、即ち、低始動問題が存在している可能性がある。ここで、１ｋＨｚの実数インピーダンス及びナイキストスロープの傾向を使用して、両方のパラメータがいつ範囲内に入るかを予測することができる（３８７０）。これが非常に短い時間（例えば、１時間未満）しか要しないと推定される場合、アルゴリズムは、センサの準備が整うまで、即ち、上述のＥＩＳ由来パラメータが範囲内に収まる（３８７４）まで待機し、その時点でアルゴリズムは較正に進む。しかし、待機時間が比較的長い場合（３８７６）、センサはすぐに較正され、次いで、勾配又はオフセットが１ｋＨｚの実数インピーダンス及びナイキストスロープの傾向に応じて徐々に調節され得る（３８８０）。なお、調節を実行することによって、低始動によって引き起こされる重大な過大読み取り又は過小読み取りが回避されてもよい。既に指摘されているように、ＥＩＳ由来パラメータ及び瞬時較正アルゴリズムで使用される関係情報は、実質的にグルコース独立である。
【０２０５】
なお、図３８Ｂに関連する上記の説明では、単一の作用電極、更にはその作用電極の始動に対する信頼度指数の計算を示しているが、これは例示するためのものであり、限定するものではない。したがって、２つ又はそれ以上の作用電極を備える冗長センサでは、複数の（冗長）作用電極のそれぞれについて、境界チェックが実行され、始動信頼度指数が計算されてもよい。次いで、各信頼度指数に基づき、グルコース測定値を得るために続けることができる少なくとも１つの作用電極が識別され得る。換言すると、単一の作用電極を有するセンサでは、後者が低始動を示す場合、センサの実際の使用（グルコースを測定するための）は、低始動期間が終了するまで遅延されなければならないことがある。この期間は、典型的には、１時間程度又はそれ以上であり得るため、明らかに不利である。対照的に、冗長センサでは、本明細書で説明されている方法を利用することにより、適応型、又は「スマート」、始動が可能であり、データ収集に進むことができる電極は、かなり短い時間で、例えば、数分程度で、識別され得る。次いで、これにより、ＭＡＲＤが小さくなるが、それは、低始動が一般的にＭＡＲＤの約１／２％の増加をもたらすからである。
【０２０６】
更に別の実施形態では、ＥＩＳは、較正バッファの調節を補助することができる。既存の較正アルゴリズムでは、バッファサイズは、常に４、即ち、４つのＩｓｉｇ−ＢＧ対であり、重みは、すでに指摘されているように、時定数の指数関数であるα、及び血糖分散の関数であるβに基づく。ここで、ＥＩＳは、バッファのフラッシングのタイミング、バッファ重みの調節の仕方、及び適切なバッファサイズを決定するのに役立ってもよい。
【０２０７】
本発明の実施形態は、干渉物質検出のためのＥＩＳの使用も対象とする。具体的には、センサが輸液カテーテル内に留置されるセンサと薬液注入カテーテルとの組み合わせを備える輸液セットを用意することが望ましい。そのようなシステムでは、センサに関する輸液カテーテルの物理的配置は、主に注入される薬剤及び／又はその不活性成分によって引き起こされる可能性のあるセンサ信号に対する潜在的影響（即ち、干渉）により、いくらか問題になることがある。
【０２０８】
例えば、インスリンと併用される希釈剤は、防腐剤としてｍ−クレゾールを含む。インビトロ研究では、ｍ−クレゾールは、インスリン（したがってｍ−クレゾール）がセンサに近接して注入されている場合にグルコースセンサにマイナスの影響を及ぼすことが判明している。したがって、センサ及び輸液カテーテルが単一の針内に組み込まれるシステムは、センサ信号に対するｍ−クレゾールの効果を検出し、調節することができなければならない。ｍ−クレゾールはセンサ信号に影響を及ぼすので、センサ信号それ自体と独立してこの干渉物質を検出する手段を有していることが好ましい。
【０２０９】
実験から、センサ信号に対するｍ−クレゾールの影響は一時的であり、したがって可逆であることが示された。それでもなお、インスリン注入位置がセンサに近すぎる場合、ｍ−クレゾールは、電極に対して「毒作用」を及ぼす傾向があり、後者はもはや、インスリン（及びｍ−クレゾール）が患者の組織内に吸収されるまでグルコースを検出することができない。この点で、典型的には、インスリン注入の開始から、センサがグルコース検出能力を再び獲得するまでに約４０分の期間があることが判明した。しかし、有利には、同じ期間において、グルコース濃度と極めて独立して１ｋＨｚのインピーダンスの大きさが大幅に増大することも発見されている。
【０２１０】
具体的に、図３９は、生体外実験に対するＩｓｉｇ及びインピーダンスデータを示しており、この場合、センサは、１００ｍｇ／ｄｌのグルコース溶液中に留置され、１ｋＨｚのインピーダンスが、丸で囲まれたデータ点３９２０によって示されているように、１０分毎に測定された。次いで、ｍ−クレゾールを加えて、溶液を０．３５％のｍ−クレゾールにした（３９３０）。これからわかるように、ｍ−クレゾールが加えられた後、Ｉｓｉｇ３９４０は、最初に、劇的に増大し、次いで、下降し始める。その後、溶液中のグルコースの濃度を、更に１００ｍｇ／ｄｌのグルコースを加えて倍にした。しかし、これは、電極がグルコースを検出できなくなったので、Ｉｓｉｇ３９４０に影響を及ぼさなかった。
【０２１１】
その一方で、ｍ−クレゾールは、インピーダンスの大きさと位相の両方に劇的な影響を及ぼした。図４０Ａは、位相に対するボード線図を示しており、図４０Ｂは、ｍ−クレゾールを加える前と加えた後の両方に対するインピーダンスの大きさのボード線図を示している。これからわかるように、ｍ−クレゾールが加えられた後、インピーダンスの大きさ４０１０は、周波数スペクトルにわたる大きさにおいて、少なくとも一桁、初期化後値４０２０から増加した。それと同時に、位相４０３０は、初期化後値４０４０と比較して完全に変化した。図４０Ｃのナイキスト線図上について。ここでは、初期化前曲線４０５０及び初期化後曲線４０６０は、正常に機能しているセンサについて予測されるとおりであるように見える。しかし、ｍ−クレゾールを加えた後、曲線４０７０は、大きく異なる。
【０２１２】
上記の実験では、ｍ−クレゾールが加えられた後もＩｓｉｇに依存し続けるという重要な実用上の落とし穴を識別している。図３９を再び参照すると、センサ信号を監視している患者／ユーザは、自分のグルコース濃度にスパイクが生じてしまった、また自分でボーラスを投与すべきであるという誤った印象を植え付けられる可能性がある。次いで、ユーザは、ボーラスを投与し、そのときに、Ｉｓｉｇがすでに再び下降し始めている。換言すると、患者／ユーザには、全てが正常に見える可能性があるということである。しかし、現実的には、本当に生じているのは、患者がボーラスの投与前に患者のグルコース濃度に応じて低血糖事象を受ける危険性を患者にもたらし得る不要な用量のインスリンをただ単に投与したということである。このシナリオでは、可能な限りグルコース独立である干渉物質を検出する手段の望ましさを強める。
【０２１３】
図４１は、別の実験を示しており、そこでは、センサは１００ｍｇ／ｄｌのグルコース溶液で初期化され、その後、グルコースは１時間で４００ｍｇ／ｄｌまで上げられ、次いで、１００ｍｇ／ｄｌに戻された。次いで、ｍ−クレゾールを加えて、濃度を０．３５％に増加させ、センサを２０分間にわたって、この溶液中に残した。最後に、センサを１００ｍｇ／ｄｌのグルコース溶液中に留置して、ｍ−クレゾールに曝した後にＩｓｉｇを回復させた。これからわかるように、初期化後に、１ｋＨｚのインピーダンスの大きさ４１１０は、約２キロオームであった。ｍ−クレゾールを加えると、インピーダンスの大きさ４１１０と同様に、Ｉｓｉｇ４１２０はスパイクを生じた。更に、センサが１００ｍｄ／ｄｌのグルコース溶液に戻されたときに、インピーダンスの大きさ４１１０も、ほぼ正常のレベルに戻った。
【０２１４】
上記の実験からわかるように、ＥＩＳは、干渉剤−−この場合は、ｍ−クレゾール−−の存在を検出するために使用することができる。特に、干渉物質は、周波数スペクトル全体にわたってインピーダンスの大きさを増大させる形でセンサに影響を及ぼすので、インピーダンスの大きさは、干渉を検出するために使用されてもよい。干渉が検出された後、センサ動作電圧が干渉物質が測定されない点まで変化するか、又はデータ報告が一時的に停止され、センサは患者／ユーザに対して、薬剤の投与のせいで、センサがデータを報告できない（測定されたインピーダンスが注入前レベルに戻るまで）ことを指示することができる。なお、干渉物質の影響は、インスリンに含まれる防腐剤によるものなので、インピーダンスの大きさは、注入されるインスリンが即効性であろうと遅効性であろうと関係なく上で説明されているのと同じ挙動を示す。
【０２１５】
重要なのは、上で述べたように、インピーダンスの大きさ、及び確実には１ｋＨｚにおける大きさは、実質的にグルコース独立であるという点である。図４１を参照すると、グルコース濃度が１００ｍｇ／ｄｌから４００ｍｇ／ｄｌまで−−４倍増加−−増大するときに、１ｋＨｚのインピーダンスの大きさが約２０００オームから約２２００オームまで増加するか、又は約１０％増大することがわかり得る。換言すると、インピーダンスの大きさの測定に対するグルコースの影響は、測定されたインピーダンスに比べてほぼ一桁小さいように見える。「信号対雑音」比のこのレベルは、典型的には、フィルタでノイズ（即ち、グルコース効果）を除去することができるくらいに十分小さく、その結果のインピーダンスの大きさは、実質的にグルコース独立である。加えて、インピーダンスの大きさは、上で説明されている生体外実験に対して使用された緩衝液と比較して、実際のヒトの組織中のグルコース独立性のなおいっそう高い程度を示していることが重視されるべきである。
【０２１６】
本発明の実施形態は、アナログフロントエンド集積回路（ＡＦＥ  ＩＣ）も対象としており、これはカスタム特定用途向け集積回路（ＡＳＩＣ）であり、（ｉ）複数のポテンシオスタットをサポートし、酸素又は過酸化物のいずれかに基づく多端子グルコースセンサとインターフェースし、（ｉｉ）マイクロコントローラとインターフェースして、小消費電力センサシステムを形成し、（ｉｉｉ）ＥＩＳ由来パラメータの測定値に基づきＥＩＳ診断、融合アルゴリズム、及び他のＥＩＳベースのプロセスを実行するために必要なアナログ電子回路を提供する。より具体的には、ＡＳＩＣは、広い周波数範囲にわたってセンサの実数及び虚数インピーダンスパラメータを測定する診断能力、更には、マイクロプロセッサチップと双方向通信することを可能にするデジタルインターフェース回路を組み込む。更に、ＡＳＩＣは、非常に低いスタンバイ及び動作電力で動作を可能にする電力制御回路、並びに外部マイクロプロセッサの電力をオフにできるようにするリアルタイムクロック及び水晶発振器を備える。
【０２１７】
図４２Ａ及び図４２Ｂは、ＡＳＩＣのブロック図を示しており、以下の表１は、いくつかの信号が単一のパッド上に多重化されている、パッド信号の説明（図４２Ａ及び図４２Ｂの左側に示されている）を示す。
【表４】
2020170011.tif 000011
【０２１８】
図４２Ａ及び図４２Ｂ及び表１を参照し、ＡＳＩＣについて説明する。
【０２１９】
電力プレーン
ＡＳＩＣは、２．０ボルトから４．５ボルトまでの動作入力範囲を有する、電源パッドＶＢＡＴ（４２１０）から電力の供給を受ける１つの電力プレーンを有する。この電力プレーンは、このプレーン内のいくつかの回路のために電圧を下げるレギュレータを有する。電源はＶＤＤＢＵ（４２１２）と称され、テスト及びバイパス用の出力パッドを有する。ＶＢＡＴ電源上の回路は、ＲＣ発振器、リアルタイムクロック（ＲＣ  ｏｓｃ）４２１４、電池保護回路、レギュレータ制御装置、パワーオンリセット回路（ＰＯＲ）、及び様々な入力／出力を備える。ＶＢＡＴ電力プレーン上のパッドは、４０℃及びＶＢＡＴ＝３．５０Ｖで７５ｎＡ未満の電流を引き込むように構成される。
【０２２０】
ＡＳＩＣは、ロジックに電力を供給するためのＶＤＤ電源も有する。ＶＤＤ電源電圧範囲は、少なくとも１．６ボルトから２．４ボルトまでプログラム可能である。ＶＤＤ電力プレーン上の回路は、デジタルロジックの大部分、タイマ（３２ｋｈｚ）、及びリアルタイムクロック（３２ｋｈｚ）を備える。ＶＤＤ電源プレーンは、必要に応じて他の電圧プレーンにインターフェースするレベルシフタを備える。レベルシフタは、別の電力プレーンに電力が供給されていない場合に電力供給される任意の電力プレーンが１０ｎＡを超える電流の増大を有しないように調節されるインターフェースを有する。
【０２２１】
ＡＳＩＣは、オンボードレギュレータ（シャットダウン制御付き）及び外部ＶＤＤソース用のオプションを備える。レギュレータ入力は、別のパッド、ＲＥＧ＿ＶＤＤ＿ＩＮ（４２１６）であり、ＶＢＡＴ上の他のＩ／Ｏと共通の静電放電（ＥＳＤ）保護回路を有する。オンボードレギュレータは、出力パッド、ＲＥＧ＿ＶＤＤ＿ＯＵＴ（４２１７）を有する。ＡＳＩＣは、ＲＥＧ＿ＶＤＤ＿ＯＵＴパッドとは分離している、ＶＤＤに対する入力パッドも有する。
【０２２２】
ＡＳＩＣは、ＶＤＤＡ（４２１８）とも称される、アナログ電力プレーンを備え、ＶＤＤオンボードレギュレータ又は外部ソースのいずれかによって電力を供給され、通常はフィルタ処理されたＶＤＤによって電力を供給される。ＶＤＤＡ供給回路は、ＶＤＤの０．１ボルト以内で動作するように構成され、それによって、ＶＤＤＡとＶＤＤ電力プレーンとの間のレベルシフトの必要性をなくす。ＶＤＤＡ電源は、センサアナログ回路、アナログ測定回路、及び他のノイズ感知回路に電力を供給する。
【０２２３】
ＡＳＩＣは、指定されたデジタルインターフェース信号用のパッド電源、ＶＰＡＤを備える。パッド電源は、少なくとも１．８Ｖから３．３Ｖまでの動作電圧範囲を有する。これらのパッドは、別々の電源パッドを有し、外部ソースから電力を供給される。これらのパッドは、他のオンボード回路へのレベルシフタも組み込んでおり、これにより、ＶＤＤロジック供給電圧と独立して柔軟なパッド電力供給範囲を可能にする。ＡＳＩＣは、ＶＰＡＤ電源が有効化されていないときに、他の供給電流が１０ｎＡを超えて増大しないようにＶＰＡＤリング信号を調節することができる。
【０２２４】
バイアス生成器
【０２２５】
ＡＳＩＣは、バイアス生成回路、ＢＩＡＳ＿ＧＥＮ（４２２０）を有し、これは、ＶＢＡＴ電源から電力を供給され、システム用の供給電圧とともに安定するバイアス電流を発生する。出力電流は、以下の仕様を有する。（ｉ）電源感度：１．６Ｖ〜４．５Ｖの供給電圧から±２．５％未満、及び（ｉｉ）電流精度：トリミングの後±３％未満。
【０２２６】
ＢＩＡＳ＿ＧＥＮ回路は、スイッチングされる電流とスイッチングされない電流とを発生し、動作にバイアス電流を必要とする回路に電力を供給する。ＢＩＡＳ＿ＧＥＮ回路の動作電流ドレインは、２．５Ｖ〜４．５ＶのＶＢＡＴで２５℃のときに０．３μＡ未満である（バイアス出力電流を除く）。最後に、バイアス電流の温度係数は、一般的、４，０００ｐｐｍ／℃から６，０００ｐｐｍ／℃までの範囲である。
【０２２７】
電圧基準
【０２２８】
本明細書で説明されているようなＡＳＩＣは、ＶＢＡＴ電源から電力を供給される、低電力電圧基準を有するように構成される。電圧基準は、ＶＢＡＴ又はＶＤＤＢＵによって電力を供給されるロジックから信号を受け付けることができる有効化入力を有する。ＡＳＩＣは、ＶＢＡＴが通電されるときに有効化信号がこの信号インターフェースからの供給電力から１０ｎＡを超える電流の増大を引き起こさないように設計される。
【０２２９】
基準電圧は、以下の仕様を有する。（ｉ）出力電圧：トリミングの後１．２２０±３ｍＶ、（ｉｉ）電源感度：１．６Ｖから４．５Ｖの入力で±６ｍＶ未満、（ｉｉｉ）温度感度：０℃から６０℃で±５ｍＶ未満、及び（ｉｖ）出力電圧デフォルト精度（トリムなし）：１．２２０Ｖ±５０ｍＶ。加えて、供給電流は、４．５Ｖ、４０℃で８００ｎＡ未満である。この実施形態では、基準出力は、ＶＤＤ電圧レギュレータがロジックの絶縁破壊電圧を超えるレベルにオーバーシュートしないように基準を無効化するときにＶＳＳＡに強制される。
【０２３０】
３２ｋＨｚの発振器
【０２３１】
ＡＳＩＣは、ＶＤＤＡ電源から導出される電力を供給され、ソフトウェアにより水晶発振器パッド（ＸＴＡＬＩ，ＸＴＡＬＯ）の容量をトリムすることができる、低消費電力３２．７６８ｋＨｚ水晶発振器４２２２を備える。具体的に、周波数トリム範囲は、少なくとも−５０ｐｐｍから＋１００ｐｐｍまでであり、トリム範囲全体にわたってステップサイズは最大２ｐｐｍである。ここで、水晶は、それぞれの水晶端子上で負荷容量７ｐＦ、Ｌｓ＝６．９５１２ｋＨ、Ｃｓ＝３．３９５２ｆＦ、Ｒｓ＝７０ｋ、シャント容量＝１ｐＦ、及びＰＣ基板寄生容量２ｐＦと仮定することができる。
【０２３２】
ＡＳＩＣは、パッドＣＬＫ＿３２ｋＨＺ上で利用可能なＶＰＡＤレベルの出力を有し、出力は、ソフトウェアとロジック制御の下で無効化され得る。デフォルトでは、３２ｋＨｚの発振器を出力に駆動する。入力ピン、ＯＳＣ３２Ｋ＿ＢＹＰＡＳＳ（４２２４）は、３２ｋＨｚ発振器を無効化することができ（電力ドレインなし）、ＸＴＡＬＩパッドへのデジタル入力を可能にする。この機能に関連する回路は、ＯＳＣ３２Ｋ＿ＢＹＰＡＳＳがｌｏｗである場合に発振器電流以外のＯＳＣ３２Ｋ＿ＢＹＰＡＳＳ信号のいずれかの状態で１０ｎＡを超えるＡＳＩＣ電流を加えないように構成される。
【０２３３】
３２ｋＨｚの発振器は、バイパス状態を除き、ＶＤＤＡプレーンが通電されたときに常に動作可能である必要がある。ＯＳＣ３２Ｋ＿ＢＹＰＡＳＳが真である場合、３２ｋＨｚ発振器アナログ回路は低電力状態に入り、ＸＴＡＬＩパッドは、レベルが０からＶＤＤＡまでであるデジタル入力を受け付けるように構成される。３２ｋＨｚ発振器出力は、４０％から６０％の間のデューティサイクルを有する。
【０２３４】
タイマ
【０２３５】
ＡＳＩＣは、２で除算される３２ｋＨｚの発振器からのクロックと同期するタイマ４２２６を備える。これは、プリセット可能であり、２つのプログラム可能なタイムアウトを有する。これは、合計１７分４秒までのカウントを与える２４個のプログラム可能ビットを有する。タイマは、ＣＬＫ＿３２ＫＨｚパッドへのクロック供給を無効化し、ＶＰＡＤプレーン上のマイクロプロセッサ（μＰ）インターフェース信号を所定の状態に設定するプログラム可能な遅延も有する（マイクロプロセッサウェイクアップ制御信号については以下の節を参照）。これは、マイクロプロセッサが外部クロックがない場合にサスペンドモードに入るのを可能にする。しかし、この機能は、プログラム可能ビットを使ってソフトウェアにより無効化されてもよい。
【０２３６】
タイマは、ＣＬＫ＿３２ＫＨＺクロック出力を有効化し、ＵＰ＿ＷＡＫＥＵＰをｈｉｇｈレベルに設定することによってマクロプロセッサをウェイクアップするプログラム可能な遅延も備える。電源低状態から電源ＯＫ状態へのＰＯＲ２（ＶＤＤ  ＰＯＲ）の遷移は、３２ｋＨｚ発振器、ＣＬＫ＿３２ＫＨＺクロック出力を有効化し、ＵＰ＿ＷＡＫＥＵＰをｈｉｇｈレベルに設定する。電力シャットダウン及び電源投入は、プログラム可能な制御ビットで制御されるように構成される。
【０２３７】
リアルタイムクロック（ＲＴＣ）
【０２３８】
ＡＳＩＣは、アンゲートされた自走３２ｋＨｚ発振器から動作する４８ビット読み出し可能／書き込み可能２進カウンタも有する。リアルタイムクロック４２２８への書き込みは、クロックの書き込み前にキーによるアドレスへの書き込みを必要とする。クロックへの書き込みアクセスは、キーアドレスへの書き込み後１ミリ秒から２０ミリ秒までの間に終了するように構成される。
【０２３９】
リアルタイムクロック４２２８は、１／２カウント（ＭＳＢ＝１、他の全てのビット０）へのＰＯＲ１＿ＩＮ（ＶＢＡＴ  ＰＯＲ）又はＰＯＲ２＿ＩＮ（ＶＤＤ＿ＰＯＲ）のいずれかによるパワーオンリセットでリセットされるように構成される。本発明の実施形態では、リアルタイムクロックは、プログラム可能な割り込み機能を有し、シングルイベントアップセット（ＳＥＵ）に対してロバストとなるように設計されており、これはレイアウト技術又は必要ならば適切なノードに静電容量を追加することによって実現され得る。
【０２４０】
ＲＣ発振器
【０２４１】
ＡＳＩＣは、ＶＢＡＴ電源又はＶＢＡＴ誘導電源から電力を供給されるＲＣクロックを更に備える。ＲＣ発振器は、アナログテストモード（デジタルテストに関する節を参照）でレジスタビットに書き込み、０からＶＢＡＴレベルで信号をＧＰＩＯ＿ＶＢＡＴに印加することによって発振器がバイパスされ得ることを除き、常に動作している。ＲＣ発振器は、トリミング可能でなく、以下の仕様を備える。（ｉ）７５０Ｈｚから１５００Ｈｚまでの周波数、（ｉｉ）５０％±１０％の範囲のデューティサイクル、（ｉｉｉ）２５℃で２００ｎＡ未満の電流消費、（ｉｖ）１Ｖから４．５ＶのＶＢＡＴ電源で±２％より小さく、１．８Ｖから４．５ＶのＶＢＡＴ電源で１％よりも良い周波数変化、及び（ｖ）ＶＢＡＴ＝３．５Ｖで１５℃から４０℃の温度で＋２、−２％より小さい周波数変化。ＲＣ周波数は、３２ｋＨｚの水晶発振器で、又は外部周波数ソースで測定され得る（発振器較正回路の節を参照）。
【０２４２】
リアルタイムＲＣクロック（ＲＣ発振器ベース）
【０２４３】
ＡＳＩＣは、ＲＣ発振器に基づく４８ビット読み出し可能／書き込み可能２進リップルカウンタを備える。ＲＣリアルタイムクロックへの書き込みは、クロックの書き込み前にキーによるアドレスへの書き込みを必要とする。クロックへの書き込みアクセスは、キーアドレスへの書き込み後１ミリ秒から２０ミリ秒までの間に終了し、保護ウィンドウに対する時間は、ＲＣクロックで生成されるように構成される。
【０２４４】
リアルタイムＲＣクロックにより、水晶発振器がシャットダウンした場合に相対的タイムスタンプを使用することができ、１／２カウント（ＭＳＢ＝１、他は全て０）へのＰＯＲ１＿ＩＮ（ＢＡＴ  ＰＯＲ）上でリセットされるように構成される。リアルタイムＲＣクロックは、レイアウト技術によって、又は必要な場合に適切なノードに静電容量を追加することによってシングルイベントアップセット（ＳＥＵ）に対してロバストとなるように設計されている。ＰＯＲ２＿ＩＮの立ち下がりエッジで、又はＡＳＩＣがバッテリ・ロー状態に入る場合に、ＲＴリアルタイムクロック値は、ＳＰＩポートを介して読み出せるレジスタ内に取り込むことができる。このレジスタ及び関連するロジックは、ＶＢＡＴ又はＶＤＤＢＵ電力プレーン上にある。
【０２４５】
電池保護回路
【０２４６】
ＡＳＩＣは、比較器を使用して電池電圧を監視し、ＶＢＡＴ電力プレーンから誘導される電力を供給される電池保護回路４２３０を備える。電池保護回路は、ＶＢＡＴ電源に印加される電力で常に動作しているように構成される。電池保護回路は、信号のクロック同期にＲＣ発振器を使用することができ、また３Ｍオーム全抵抗外部分圧器を含む、３０ｎＡ未満の平均電流ドレインを有することができる。
【０２４７】
電池保護回路は、２．９０Ｖの電池閾値に対して０．４２１の比を有する外部スイッチング分圧器を使用する。ＡＳＩＣは、０．４２１±０．５％の比を持つ内部分圧器も有する。この分圧器は、ＢＡＴＴ＿ＤＩＶ＿ＥＮ（４２３２）とＶＳＳＡ（４２３４）との間に接続され、分圧器出力は、ＢＡＴＴ＿ＤＩＶ＿ＩＮＴ（４２３６）と称されるピンである。パッケージ化された部分におけるピンの数を節約するために、この実施形態におけるＢＡＴＴ＿ＤＩＶ＿ＩＮＴは、パッケージ内部でＢＡＴＴ＿ＤＩＶに接続されている。また、この構成では、ＢＡＴＴ＿ＤＩＶ＿ＥＮは、パッケージから出なくてよいので、パッケージピン２本を節約できる。
【０２４８】
電池保護回路は、入力ピン、ＢＡＴＴ＿ＤＩＶ（４２３８）上の電圧を、１秒毎に約２回サンプリングするように構成され、サンプル時間は、ＲＣ発振器から生成される。ＡＳＩＣは、ＲＣ発振器の分周器を調節して、サンプリング時間間隔を０．５００秒±５ミリ秒に調節することができ、ＲＣ発振器はその動作許容範囲内で動作する。好ましい一実施形態において、ＡＳＩＣは、テスト時により頻繁なサンプリング間隔を使用できるようにテストモードを有する。
【０２４９】
比較器入力は、０からＶＢＡＴボルトまでの入力を受け付けるように構成される。比較器入力、ＢＡＴＴ＿ＤＩＶへの入力電流は、０からＶＢＡＴボルトの入力に対して１０ｎＡ未満である。比較器サンプリング回路はパッド、ＢＡＴＴ＿ＤＩＶ＿ＥＮに、節電のためサンプリング時間においてのみオフチップ抵抗分割器を有効化するために外部回路によって使用され得る正パルスを出力する。電圧のｈｉｇｈロジックレベルはＶＢＡＴ電圧であり、ｌｏｗレベルはＶＳＳレベルである。
【０２５０】
ＢＡＴＴ＿ＤＩＶ＿ＥＮパッドの出力抵抗は、ＶＢＡＴ＝３．０Ｖで２キロオーム未満であるものとする。これにより、分圧器をこの出力から直接駆動することができる。電池残量の低下を示すプログラム可能な数の連続サンプルの後、比較器制御回路は、割り込み出力パッド、ＵＰ＿ＩＮＴへの割り込みをトリガする。サンプルのデフォルトの数は４であるが、連続サンプルの数は、４から１２０までの間でプログラム可能である。
【０２５１】
上記のＵＰ＿ＩＮＴの生成後の電池残量の低下を示すプログラム可能な数の連続サンプルの後に、比較器制御回路はＡＳＩＣを低電力モードに入れる信号を生成するように構成される。ＶＤＤレギュレータは無効化され、ｌｏｗ信号はパッド、ＶＰＡＤ＿ＥＮに対してアサートされる。これは、バッテリ・ロー状態と称される。ここでもまた、連続サンプルの数は、４から１２０までの間でプログラム可能であり、サンプルのデフォルトの数は４である。
【０２５２】
比較器は、ＢＡＴＴ＿ＤＩＶ上の立ち下がり及び立ち上がり電圧に対する個別のプログラム可能な閾値を有する。これは、バッテリ・ロー状態に応じて回路に対して２つの値を多重化するためデジタルロジックで実装される。したがって、バッテリ・ロー状態がｌｏｗの場合、立ち下がり閾値が適用され、バッテリ・ロー状態がｈｉｇｈの場合、立ち上がり閾値が適用される。具体的に、比較器は、１．２２から１．６４５±３％までの１６個のプログラム可能な閾値を有し、プログラム可能な閾値のＤＮＬは、０．２ＬＳＢ未満に設定される。
【０２５３】
比較器閾値は、２０℃から４０℃までの間で±１％未満の変化を示す。立ち下がり電圧に対するデフォルトの閾値は、１．４４Ｖであり（公称分圧器を使用して３．４１ＶのＶＢＡＴ閾値）、立ち上がり電圧に対するデフォルトの閾値は、１．５３Ｖである（公称分圧器を使用して３．６３ＶのＶＢＡＴ閾値）。ＡＳＩＣがバッテリ・ロー状態に入った後、比較器がバッテリＯＫの連続する４つの指示を検知した場合に、ＡＳＩＣはマクロプロセッサ始動シーケンスを開始する。
【０２５４】
電池電力プレーンのパワーオンリセット
【０２５５】
パワーオンリセット（ＰＯＲ）出力は、入力ＶＢＡＴのスルーが５０μ秒の期間内に１．２ボルトより高い場合、又はＶＢＡＴ電圧が１．６±０．３ボルト未満である場合に、パッドｎＰＯＲ１＿ＯＵＴ（４２４０）で生成される。このＰＯＲは、５ミリ秒の最小パルス幅まで伸長される。ＰＯＲ回路の出力は、負論理となるように、またＶＢＡＴ電力プレーン上のパッド、ｎＰＯＲ１＿ＯＵＴに向かうように構成される。
【０２５６】
ＩＣは、電池電力プレーンＰＯＲに対する入力パッド、ｎＰＯＲ１＿ＩＮ（４２４２）を有する。この入力パッドは、５０ナノ秒より短いパルスがロジックにリセットを引き起こさないようにＲＣフィルタを有する。この実施形態では、ｎＰＯＲ１＿ＯＵＴは、通常動作で、ｎＰＯＲ１＿ＩＮに外部接続され、それによって、テストのためにアナログ回路をデジタル回路から分離する。ｎＰＯＲ１＿ＩＮは、電力プレーンのどれかにおける全てのロジックのリセットを引き起こし、全てのレジスタをデフォルト値に初期化する。したがって、リセットステータスレジスタＰＯＲビットがセットされ、他の全てのリセットステータスレジスタはクリアされる。ＰＯＲリセット回路は、電源投入後５秒を超える時間にわたってＶＢＡＴ電源から０．１μＡを超える電流を消費しないように構成される。
【０２５７】
ＶＤＤパワーオンリセット（ＰＯＲ）
【０２５８】
ＡＳＩＣは、電源投入後に、又はＶＤＤがプログラム可能な閾値より低くなった場合に、ＶＤＤ電圧プレーンリセット信号を発生する電圧比較器回路も有する。範囲は、いくつかの電圧閾値でプログラム可能である。デフォルト値は、１．８Ｖ〜１５％（１．５３Ｖ）である。ＰＯＲ２は、ヒステリシスを実装する、立ち上がり電圧に対してプログラム可能な閾値を有する。立ち上がり閾値も、１．６０Ｖ±３％のデフォルト値で、プログラム可能である。
【０２５９】
ＰＯＲ信号は、負論理であり、ＶＤＤ電力プレーン上に出力パッド、ｎＰＯＲ２＿ＯＵＴ（４２４４）を有する。ＡＳＩＣは、ＶＢＡＴ電力プレーン上に負論理のＰＯＲオープンドレイン出力、ｎＰＯＲ２＿ＯＵＴ＿ＯＤ（４２４６）も有する。これは、他のシステム部品にＰＯＲを印加するために使用することが可能である。
【０２６０】
ＶＤＤから電力を受けるロジックは、入力パッド、ｎＰＯＲ２＿ＩＮ（４２４８）から誘導されるＰＯＲを有する。ｎＰＯＲ２＿ＩＮパッドは、ＶＤＤ電力プレーン上にあり、５０ナノ秒より短いパルスがロジックにリセットを引き起こさないようにＲＣフィルタを有する。ｎＰＯＲ２＿ＯＵＴは、通常使用の下でｎＰＯＲ２＿ＩＮ入力パッドに外部的に接続されるように構成され、それによって、アナログ回路をデジタル回路から分離する。
【０２６１】
生成されるリセットは、ＶＤＤがプログラム可能な閾値より高くなった後にアクティブ時間の少なくとも７００ミリ秒に延ばされ、これにより、水晶発振器が確実に安定化される。ＰＯＲリセット回路は、電源を投入してから５秒を超える時間にＶＤＤ電源から０．１μＡ以下の電流、及び電源を投入してから５秒を超える時間にＶＢＡＴ電源から０．１μＡ以下の電流を消費する。ＰＯＲ閾値を記憶するレジスタは、ＶＤＤ電力プレーンから電力を供給される。
【０２６２】
センサインターフェースエレクトロニクス
【０２６３】
本発明の一実施形態において、センサ回路は、過酸化物又は酸素センサの任意の組み合わせで最大５つまでのセンサＷＯＲＫ電極（４３１０）をサポートするが、追加の実施形態では、更に多数のそのような電極に対応することもできる。過酸化物センサＷＯＲＫ電極は電流を吐き出すが、酸素センサＷＯＲＫ電極は電流を吸い込む。この実施形態では、センサは、図４３に示されているようなポテンシオスタット構成で構成され得る。
【０２６４】
センサエレクトロニクスは、未使用のセンサエレクトロニクスへの電流をオフにすることによって電流ドレインを最小にするためそれぞれの電極インターフェース回路用にプログラム可能な電力制御装置を有する。センサエレクトロニクスは、ＲＥ（基準）電極４３３０からのフィードバックを使用するＣＯＵＮＴＥＲ電極４３２０を駆動するためのエレクトロニクスも備える。この回路に流れる電流は、節電のため使用しないときにオフにプログラムされてもよい。インターフェースエレクトロニクスは、ＣＯＵＮＴＥＲ及びＲＥ電極が（冗長）ＷＯＲＫ電極のどれかに接続されるようにマルチプレクサ４２５０を備える。
【０２６５】
ＡＳＩＣは、以下のセンサインターフェースを備えるように構成される。（ｉ）ＲＥ：ＷＯＲＫ電圧を設定するためのエレクトロニクスに対する溶液の基準電位を確定する基準電極、（ｉｉ）ＷＯＲＫ１〜ＷＯＲＫ５：所望の還元／酸化（レドックス）反応が生じる作用センサ電極、及び（ｉｉｉ）ＣＯＵＮＴＥＲ：このパッドからの出力はシステムＶＳＳに関するＲＥ電極上の知られている電圧を維持する。本発明のこの実施形態では、ＡＳＩＣは、ＷＯＲＫ電圧を最大５つまでのＷＯＲＫ電極について個別に設定することができるように構成され、その分解能及び精度は５ｍＶ以上である。
【０２６６】
ＷＯＲＫ電圧は、酸素モードでＶＳＳＡに関して少なくとも０から１．２２Ｖの間でプログラム可能である。過酸化物モードでは、ＷＯＲＫ電圧は、ＶＳＳＡに関して少なくとも０．６から２．０５４ボルトの間でプログラム可能である。ＶＤＤＡが２．１５Ｖ未満である場合、ＷＯＲＫ電圧は、ＶＤＤＡ−０．１Ｖで使用可能である。ＡＳＩＣは、過酸化物センサモードでＷＯＲＫ電極電流を測定する電流測定回路を備える。これは、例えば、電流−電圧又は電流−周波数変換器で実装することができ、これは以下の仕様を有することができる。（ｉ）電流範囲：０〜３００ｎＡ、（ｉｉ）電圧出力範囲：過酸化物／酸素モードでＷＯＲＫ電極と同じ、（ｉｉｉ）出力オフセット電圧：最大±５ｍＶ、及び（ｉｖ）未較正分解能：±０．２５ｎＡ。
【０２６７】
較正係数を利得に適用し、１０秒以下の収集時間を仮定した後の電流測定精度は、以下のとおりである。
５ｐＡ〜１ｎＡ：±３％±２０ｐＡ
１ｎＡ〜１０ｎＡ：±３％±２０ｐＡ
１０ｎＡ〜３００ｎＡ：±３％±０．２ｎＡ
【０２６８】
電流−周波数変換器（ＩｔｏＦｓ）のみでは、周波数範囲は、０Ｈｚから５０ｋＨｚの間であってよい。電流変換器は、過酸化物モードにおけるＷＯＲＫ電極のＶＳＳに関して指定された電圧範囲内で動作しなければならない。ここで、電流ドレインは、デジタルアナログ（ＤＡＣ）電流を含む１変換器当たり１０ｎＡ未満のＷＯＲＫ電極電流で２．５Ｖ電源から２μＡ未満である。
【０２６９】
電流変換器は、ソフトウェア制御によって有効化又は無効化されてもよい。無効化された場合、ＷＯＲＫ電極は、非常に高いインピーダンス値、即ち、１００Ｍオームを超える値を示す。ここでもまた、ＩｔｏＦｓのみについて、Ｉ／Ｆ変換器の出力は、３２ビットカウンタに向かい、マイクロプロセッサ及びテストロジックによって読み出され、そこに書き込まれ、それによってクリアされ得る。カウンタ読み出し中に、カウンタのクロック動作は、正確な読み出しを行えるようにサスペンドされる。
【０２７０】
本発明の実施形態では、ＡＳＩＣは、酸素センサモードでＷＯＲＫ電極電流を測定する電流測定回路も備える。この回路は、電流−電圧又は電流−周波数変換器として実装され、プログラム可能ビットが、酸素モードで動作するように電流変換器を構成するために使用されてもよい。前のように、電流変換器は、酸素モードにおけるＶＳＳに関してＷＯＲＫ電極の指定された電圧範囲内で動作しなければならない。ここでもまた、電流範囲は、３．７ｐＡ〜３００ｎＡであり、電圧出力範囲は、酸素モードにおけるＷＯＲＫ電極と同じであり、出力オフセット電圧は、最大±５ｍＶであり、未較正分解能は、３．７ｐＡ±２ｐＡである。
【０２７１】
較正係数を利得に適用し、１０秒以下の収集時間を仮定した後の電流測定精度は、以下のとおりである。
５ｐＡ〜１ｎＡ：±３％±２０ｐＡ
１ｎＡ〜１０ｎＡ：±３％±２０ｐＡ
１０ｎＡ〜３００ｎＡ：±３％±０．２ｎＡ
【０２７２】
電流−周波数変換器（ＩｔｏＦｓ）のみでは、周波数範囲は、０Ｈｚから５０ｋＨｚの間であってよく、電流ドレインは、ＤＡＣ電流を含む、１変換器当たり１０ｎＡ未満のＷＯＲＫ電極電流で２．５Ｖ電源から２μＡ未満である。電流変換器は、ソフトウェア制御によって有効化又は無効化されてもよい。無効化された場合、ＷＯＲＫ電極は、非常に高いインピーダンス値、即ち、１００Ｍオームを超える値を示す。また、ＩｔｏＦｓのみについて、Ｉ／Ｆ変換器の出力は、３２ビットカウンタに向かい、マイクロプロセッサ及びテストロジックによって読み出され、そこに書き込まれ、それによってクリアされ得る。カウンタ読み出し中に、カウンタのクロック動作は、正確な読み出しを行えるようにサスペンドされる。
【０２７３】
本発明の実施形態では、基準電極（ＲＥ）４３３０は、４０℃で．０５ｎＡ未満の入力バイアス電流を有する。ＣＯＵＮＴＥＲ電極は、ＲＥ電極上の所望の電圧を維持するようにその出力を調節する。これは、ＣＯＵＮＴＥＲ電極４３２０への出力で実際のＲＥ電極電圧とＤＡＣによって設定されるターゲットＲＥ電圧との間の差を最小にすることを試みる増幅器４３４０で実現される。
【０２７４】
ＲＥ設定電圧は、少なくとも０から１．８０Ｖまでの間でプログラム可能であり、ＣＯＵＮＴＥＲ増幅器の共通モード入力範囲は、少なくとも０．２０から（ＶＤＤ−０．２０）Ｖを含む。レジスタビットは、必要ならば、共通モード入力範囲を選択するために、またＣＯＵＮＴＥＲの動作のモードをプログラムすることに備えるために使用され得る。ＷＯＲＫ電圧は、５ｍＶ以上の分解能及び精度で設定される。なお、通常モードでは、ＣＯＵＮＴＥＲ電圧はプログラムされたＲＥターゲット値に対してＲＥ電圧を維持するレベルを求める。しかし、強制カウンタモードでは、ＣＯＵＮＴＥＲ電極電圧は、プログラムされたＲＥターゲット電圧に強制される。
【０２７５】
全ての電極駆動回路は、電極間負荷を駆動することができ、どのような使用状況であっても発振を起こさないように構成される。図４４は、図４３に示されているようなポテンシオスタット構成を備える本発明の実施形態による等価ａｃ電極間回路を示している。図４４に示されている等価回路は、電極、即ち、ＷＯＲＫ１〜ＷＯＲＫ５、ＣＯＵＮＴＥＲ、及びＲＥの間のものであってよく、値の範囲は各回路要素に対して以下のとおりである。
Ｒｕ＝［２００〜５ｋ］オーム
Ｃｃ＝［１０〜２０００］ｐＦ
Ｒｐｏ＝［１〜２０］キロオーム
Ｒｆ＝［２００〜２０００］キロオーム
Ｃｆ＝［２〜３０］μＦ
【０２７６】
初期化時に、ＷＯＲＫ電極及びＣＯＵＮＴＥＲ電極に対する駆動電流は、すでに説明されている通常のポテンシオスタット動作の場合と比べて大きい電流を供給する必要がある。そのようなものとして、プログラム可能なレジスタビットは、付加的な駆動に必要な場合により高い電力状態になるように電極駆動回路をプログラムするために使用されてもよい。電極電流が典型的には３００ｎＡ未満である通常ポテンシオスタットモードで低電力動作を達成することが重要である。
【０２７７】
好ましい実施形態では、初期化時に、ＷＯＲＫ１からＷＯＲＫ５の電極は、０からＶＤＤボルトまで５ｍＶに等しいか、又はそれ以下のステップでプログラム可能であり、それらの駆動又はシンク電流出力能力は、０．２０Ｖから（ＶＤＤ−０．２０Ｖ）まで最小２０μＡである。また、初期化時に、ＡＳＩＣは、一般的に、測定値の±２％±４０ｎＡの精度で最大２０μＡまで１つのＷＯＲＫ電極の電流を測定することができるように構成される。更に、初期化時に、ＲＥ設定電圧は、すでに説明されているようにプログラム可能であり、ＣＯＵＮＴＥＲ  ＤＲＩＶＥ  ＣＩＲＣＵＩＴ出力は、ＣＯＵＮＴＥＲ電極を０．２０Ｖから（ＶＤＤ−０．２０Ｖ）として最小５０μＡを吐き出すか、又は吸い込むことができなければならず、初期化回路への供給電流（ＶＤＤ及びＶＤＤＡ）は、吐き出される出力電流を超えて５０μＡ未満である必要がある。
【０２７８】
電流較正器
【０２７９】
本発明の実施形態では、ＡＳＩＣは、較正を目的として任意のＷＯＲＫ電極に誘導することができる電流基準を有する。この点に関して、較正器は、電流出力に電流を引き込むか又は電流を供給させるプログラム可能ビットを含む。プログラム可能電流は、少なくとも１０ｎＡ、１００ｎＡ及び３００ｎＡを含み、その精度は、許容範囲０の外部精密抵抗を想定して、±１％±１ｎＡよりも良好である。較正器は、基準抵抗用にパッド、ＴＰ＿ＲＥＳ（４２６０）に接続された１メガオーム精密抵抗器を使用する。加えて、電流基準は、初期化及び／又はセンサ状態を目的として、ＣＯＵＮＴＥＲ電極又はＲＥ電極に誘導することができる。一定の電流は、ＣＯＵＮＴＥＲ電極又はＲＥ電極に印加されてもよく、電極電圧は、ＡＤＣにより測定してもよい。
【０２８０】
高速ＲＣ発振器
【０２８１】
図４２を再び参照すると、ＡＳＩＣは、アナログ／デジタル変換器（ＡＤＣ）４２６４、ＡＤＣシーケンサ４２６６及び３２ｋＨｚよりも高速クロックを必要とする他のデジタル機能を供給する、高速ＲＣ発振器４２６２を更に含む。高速ＲＣ発振器は、３２ｋＨｚクロック（３２．７６８ｋＨｚ）に位相ロックされ、５２４．３ｋＨｚ〜１０４８ｋＨｚでプログラム可能な出力周波数を与える。加えて、高速ＲＣ発振器は、５０％±１０％のデューティサイクル、０．５％ｒｍｓ未満の位相ジッタ、１０μＡ未満の電流及びＶＤＤ動作範囲（１．６〜２．５Ｖの電圧範囲）にわたって安定な周波数を有する。高速ＲＣ発振器のデフォルトは、「オフ」（即ち、無効）であり、この場合、電流引き込みは、１０ｎＡ未満である。しかし、ＡＳＩＣは、高速ＲＣ発振器を有効化するプログラム可能ビットを有する。
【０２８２】
アナログ／デジタル変換器
【０２８３】
ＡＳＩＣは、以下の特性を備えた１２ビットＡＤＣ（４２６４）を含む。（ｉ）３２ｋＨｚクロックから動作して１．５ミリ秒未満の変換をもたらすことができること、（ｉｉ）高速ＲＣ発振器からクロックを供給されたとき、より高速な変換を行うことができること、（ｉｉｉ）少なくとも１０ビットの精度（１２ビット±４カウント）を有すること、（ｉｖ）１．２２０Ｖの基準電圧入力を有し、２０℃〜４０℃において温度感度が０．２ｍＶ／℃未満であること、（ｖ）フルスケール入力範囲は、０〜１．２２Ｖ、０〜１．７７４Ｖ、０〜２．４４Ｖ及び０〜ＶＤＤＡであり、１．７７４〜２．４４Ｖの範囲は、変換範囲をより低いＶＤＤＡ電圧に対応するより低い値に縮小するプログラム可能ビットを有すること、（ｖｉ）その電源から５０μＡ未満の電流消費を有すること、（ｖｉ）３２ｋＨｚクロック又は高速ＲＣクロックから動作可能な変換器を有すること、（ｖｉｉ）１ＬＳＢ未満のＤＮＬを有すること及び（ｖｉｉｉ）変換終了時に割り込みを発すること。
【０２８４】
図４２Ａ及び図４２Ｂに示すように、ＡＳＩＣは、ＡＤＣ４２６４の入力にアナログマルチプレクサ４２６８を有し、両方ともソフトウェアによって制御可能である。好ましい実施形態では、少なくとも以下の信号がマルチプレクサに接続される。
（ｉ）ＶＤＤ−コア電圧及びレギュレータ出力
（ｉｉ）ＶＢＡＴ−電池電源
（ｉｉｉ）ＶＤＤＡ−アナログ電源
（ｉｖ）ＲＥ−センサの基準電極
（ｖ）ＣＯＵＮＴＥＲ−センサの対電極
（ｖｉ）ＷＯＲＫ１〜ＷＯＲＫ５−センサの作用電極
（ｖｉｉ）温度センサ
（ｖｉｉｉ）少なくとも２つの外部ピンアナログ信号入力
（ｉｘ）ＥＩＳ積分器出力
（ｘ）Ｉ／Ｖ電流変換器出力。
【０２８５】
ＡＳＩＣは、ＡＤＣの負荷が、ＣＯＵＮＴＥＲ、ＲＥ、ＷＯＲＫ１〜ＷＯＲＫ５、温度センサの入力及び負荷による悪影響を受けるであろう任意の他の入力について±０．０１ｎＡを超えることとならないように構成される。マルチプレクサは、ＡＤＣの入力電圧範囲よりも高い電圧を有する任意の入力用の分圧器と、分割された入力の入力抵抗を負荷感応入力に対して１ｎＡ未満に低下させることとなるバッファ増幅器と、を含む。次いで、バッファ増幅器は、少なくとも０．８ＶからＶＤＤＡ電圧の共通モード入力範囲及び０．８Ｖ〜ＶＤＤＡ−０．１Ｖの入力範囲から３ｍＶ未満のオフセットを有する。
【０２８６】
好ましい実施形態では、ＡＳＩＣは、ＡＤＣ測定値がプログラムされたシーケンスにおいて取り込まれるモードを有する。したがって、ＡＳＩＣは、以下のプログラム可能なパラメータによるＡＤＣ測定用の最大８つの入力ソースの測定を監視するプログラム可能なシーケンサ４２６６を含む。
（ｉ）ＡＤＣ  ＭＵＸ入力
（ｉｉ）ＡＤＣ範囲
（ｉｉｉ）遅延が０．４８８ミリ秒ステップで０〜６２ミリ秒でプログラム可能である、測定前の遅延時間
（ｉｖ）それぞれの入力に対する測定の数は、０〜２５５
（ｖ）測定のサイクル数は、０〜２５５、測定の周期は、（例えば、プログラム内の外ループとして）複数回の最大８回の入力測定のシーケンスの繰り返しを指す。
（ｖｉ）測定サイクル間の遅延、その遅延は、０．４８８ミリ秒ステップで０〜６２ミリ秒でプログラム可能である。
【０２８７】
シーケンサ４２６６は、オートメジャー開始コマンドを受信すると起動するように構成され、測定値は、ＳＰＩインターフェースを介して検索するためにＡＳＩＣに格納されてもよい。シーケンサ時間軸（time base）が３２ｋＨｚクロックと高速ＲＣ発振器４２６２との間でプログラム可能であることに留意されたい。
【０２８８】
センサ診断
【０２８９】
詳細に上述したように、本発明の実施形態は、例えば、センサ診断手順及びＩｓｉｇ／ＳＧ融合アルゴリズムにおけるインピーダンス及びインピーダンス関連パラメータの使用を対象とする。その目的で、好ましい実施形態において、本明細書に記載のＡＳＩＣは、ポテンシオスタット構成において、ＲＥ電極及びＣＯＵＮＴＥＲ電極に対する任意のＷＯＲＫセンサ電極のインピーダンスの大きさ及び位相角を測定する能力を有する。これは、例えば、ＷＯＲＫ電極電圧に重畳された正弦波状の波形に応じて電流波形の振幅及び位相を測定することにより行われる。例えば、図４２Ｂの診断回路４２５５を参照されたい。
【０２９０】
ＡＳＩＣは、例えば、電極マルチプレクサ４２５０を介して任意の電極に対する任意の電極の抵抗成分及び容量成分を測定する能力を有する。このような測定がセンサ平衡に干渉し、安定した電極電流を記録するための整定時間又はセンサ初期化を必要としてもよいことに留意されたい。上記で議論したように、ＡＳＩＣは、広範囲の周波数にわたってインピーダンス測定に使用されてもよいが、本発明の実施形態の目的では、相対的により狭い周波数範囲を使用してもよい。具体的には、ＡＳＩＣの正弦波測定能力は、約０．１０Ｈｚ〜約８１９２Ｈｚのテスト周波数を含んでもよい。このような測定を行う場合、本発明の実施形態に従った最小周波数分解能は、以下の表２に示すように制限してもよい。
【表５】
2020170011.tif 000012
【０２９１】
正弦波振幅は、５ｍＶステップで少なくとも１０ｍＶｐ−ｐから５０ｍＶｐ−ｐ及び１０ｍＶステップで６０ｍＶｐ−ｐ〜１００ｍＶｐ−ｐでプログラム可能である。好ましい実施形態では、振幅精度は、±５％又は±５ｍＶのうちのいずれか大きいものよりも良好である。加えて、ＡＳＩＣは、以下の表３で指定された精度を有して電極インピーダンスを測定してもよい。
【表６】
2020170011.tif 000013
【０２９２】
本発明の一実施形態では、ＡＳＩＣは、精度を向上させるためにインピーダンス計算において使用することができる入力波形位相を、時間軸に対して測定することができる。ＡＳＩＣはまた、オンチップ抵抗器を有し、上記の電極インピーダンス回路を較正してもよい。オンチップ抵抗器は、続いて、既知の１メガオームオンチップ精密抵抗器と比較することにより、較正されてもよい。
【０２９３】
波形のデータサンプリングはまた、インピーダンスを決定するために使用されてもよい。データは、計算及び処理用のシリアル・ペリフェラル・インターフェース（ＳＰＩ）を備えた外部マイクロプロセッサに送信されてもよい。変換された電流データは、データを失うことなくＳＰＩインターフェースを介して外部装置にデータの２０００回のＡＤＣ変換を転送することができるように、十分にバッファリングされる。これは、データ転送要求割り込みを提供するために最大８ミリ秒の待ち時間を想定している。
【０２９４】
本発明の実施形態では、正弦波による電極インピーダンスの測定の代わりに、又はそれに加えて、ＡＳＩＣは、ステップ入力により電極電流を測定してもよい。ここで、ＡＳＩＣは、５ｍＶよりも良好な分解能で１０〜２００ｍＶのプログラム可能振幅ステップを電極に供給して、結果として得られる電流波形をサンプリング（測定）することができる。サンプリングの持続時間は、０．２５秒ステップで少なくとも２秒にプログラム可能であってもよく、電流測定用のサンプリング間隔は、約０．５ミリ秒〜８ミリ秒の少なくとも５つのプログラム可能な二進数重み付けステップを含んでもよい。
【０２９５】
電極電圧サンプルの分解能は、最大±０．２５ボルトまでの範囲で１ｍＶよりも小さい。この測定は、データ変換の必要な動的範囲を低減するために、好適な安定電圧に関するものとすることができる。同様に、電極電流サンプルの分解能は、最大２０μＡまでの範囲で０．０４μＡよりも小さい。測定極性がプログラム可能である場合、電流測定値は、単極とすることができる。
【０２９６】
本発明の実施形態では、電流測定は、Ｉ／Ｖ変換器を使用してもよい。更に、ＡＳＩＣは、電流測定を較正するためにオンチップ抵抗器を有してもよい。オンチップ抵抗器は、続いて、既知の１メガオームオンチップ精密抵抗器と比較することにより、較正されてもよい。電流測定サンプル精度は、±３％又は±１０ｎＡのうちのいずれか大きい方よりも良好である。従来のように、変換された電流データは、データを失うことなくＳＰＩインターフェースを介して外部装置にデータの２０００回のＡＤＣ変換を転送することができるように、十分にバッファリングされる。これは、データ転送要求割り込みを提供するために最大８ミリ秒の待ち時間を想定している。
【０２９７】
較正電圧
【０２９８】
ＡＳＩＣは、ＡＤＣを較正するための精密電圧基準を含む。出力電圧は、±１．５％未満の出力変動を伴って１．０００Ｖ±３％であり、安定性は、２０℃〜４０℃の温度範囲にわたって±３ｍＶよりも良好である。この精密較正電圧は、製造中に外部の精密電圧と比較することによって、オンチップＡＤＣを介して較正してもよい。製造時に、較正係数は、より高い精度を達成するために（このＡＳＩＣ上ではない）システム不揮発性メモリに記憶してもよい。
【０２９９】
較正電圧回路のドレイン電流は、好ましくは２５μＡ未満である。更に、較正電圧回路は、使用しないとき、電池電力を節約するために、１０ｎＡ未満まで電力を低下することができる。
【０３００】
温度センサ
【０３０１】
ＡＳＩＣは、−１０℃〜６０℃の範囲でセルシウス度当たり９〜１１ｍＶの感度を有する温度変換器を有する。温度センサの出力電圧は、ＡＤＣが０〜１．２２ＶのＡＤＣ入力範囲で温度関連電圧を測定することができるようになっている。温度センサの電流ドレインは、好ましくは２５μＡ未満であり、温度センサは、使用しないとき、電池電力を節約するために、１０ｎＡ未満に電力を低下させることができる。
【０３０２】
ＶＤＤ電圧レギュレータ
【０３０３】
ＡＳＩＣは、以下の特性を備えたＶＤＤ電圧レギュレータを有する。
（ｉ）最小入力電圧範囲：２．０Ｖ〜４．５Ｖ。
（ｉｉ）最小出力電圧：デフォルト値を２．０Ｖとして、１．６〜２．５Ｖ±５％。
（ｉｉｉ）ドロップアウト電圧：Ｉｌｏａｄ＝１００μＡ、Ｖｉｎ＝２．０Ｖで、Ｖｉｎ−Ｖｏｕｔ＜０．１５Ｖ。
（ｉｖ）出力電圧は、プログラム可能であり、精度は、
以下の表４による指示値の２％以内である。
【表７】
2020170011.tif 000014
（ｖ）レギュレータは、２．８Ｖの入力電圧を使用して、２．５Ｖで１ｍＡの出力を供給することができる。
（ｖｉ）外部レギュレータが使用される場合、レギュレータはまた、開回路にしてもよい入出力パッドを有する。レギュレータ回路の電流引き込みは、この非動作モードにおいて好ましくは１００ｎＡ未満である。
（ｖｉｉ）１０μＡ〜１ｍＡの負荷からの出力電圧の変化は、好ましくは２５ｍＶ未満である。
（ｖｉｉｉ）１ｍＡ負荷での出力電流を除外する電流ドレインは、ソースから１００μＡ未満である。
（ｉｘ）０．１ｍＡ負荷での出力電流を除外する電流ドレインは、ソースから１０μＡ未満である。
（ｘ）１０μＡ負荷での出力電流を除外する電流ドレインは、ソースから１μＡ未満である。
【０３０４】
汎用比較器
【０３０５】
ＡＳＩＣは、ＶＤＤＡから電力供給される少なくとも２つの比較器４２７０、４２７１を含む。比較器は、１．２２Ｖを基準として用いて、閾値を生成する。比較器の出力は、プロセッサによって読み出されてよく、構成レジスタによって決定された立ち上がり又は立下りエッジ上でマスク可能な割り込みを作成する。
【０３０６】
比較器は、使用されていない場合、電力を低減する電力制御を有し、電力供給は、比較器毎に５０ｎＡ未満である。比較器の応答時間は、好ましくは、２０ｍＶオーバードライブ信号に対して５０ｕ秒であり、オフセット電圧は±８ｍＶ未満である。
【０３０７】
比較器は、プログラム可能なヒステリシスも有し、ヒステリシスのオプションは、立ち上がり入力上で、閾値＝１．２２Ｖ＋Ｖｈｙｓｔ、立ち下がり入力上で閾値＝１．２２−Ｖｈｙｓｔ、又は無ヒステリシス（Ｖｈｙｓｔ＝２５±１０ｍＶ）を含む。いずれかの比較器からの出力は、いずれの電力プレーンのいずれのＧＰＩＯで利用可能である。（ＧＰＩＯの節を参照されたい）。
【０３０８】
ＲＥ上のセンサ接続検知回路
【０３０９】
アナログスイッチトキャパシタ回路は、センサが接続されているかどうかを判定するために、ＲＥ接続のインピーダンスを監視する。具体的には、約２０ｐＦのコンデンサは、ＶＳＳからＶＤＤへの出力スイングを伴うインバータによって駆動される１６Ｈｚの周波数でスイッチングされる。比較器は、ＲＥパッド上で電圧スイングを感知し、スイングが閾値未満である場合、比較器出力は接続を示す。上記の比較は、パルスの両方の遷移に対して行われる。接続を示すには、両方の遷移に対するスイングが閾値より低くなることが必要であり、いずれかの位相に対して高いスイングが示される比較は、切断を示す。接続信号／切断信号は、状態の遷移が少なくとも１／２秒で新しい状態への安定した指示を必要とするようにデバウンスされる。
【０３１０】
回路は、２０ｐＦのコンデンサと並列の、抵抗５００キロオーム、１メガオーム、２メガオーム、４メガオーム、８メガオーム、及び１６メガオームによって定義された６つの閾値を有する。この並列等価回路は、ＲＥパッドと、電力レイルの間のいずれかの電圧となっている可能性のある仮想グランドとの間にある。閾値精度は、±３０％よりも良好である。
【０３１１】
センサ接続検知回路の出力は、センサが接続されているか又は切断されている場合に割り込み又はプロセッサ始動をプログラム可能に生成することができる。この回路は、ｎＰＯＲ２＿ＩＮが高レベルであり、ＶＤＤ及びＶＤＤＡが存在している場合に必ずアクティブである。この回路に対する電流ドレインは、平均１００ｎＡ未満である。
【０３１２】
ＷＡＫＥＵＰパッド
【０３１３】
ＷＡＫＥＵＰ回路は、ＶＤＤ電源によって電力供給され、０Ｖ〜ＶＢＡＴの範囲を有する入力を伴う。ＷＡＫＥＵＰパッド４２７２は、８０±４０ｎＡの弱いプルダウンを有する。この電流は、ＢＩＡＳ＿ＧＥＮ４２２０の出力から誘導することができる。回路よって消費される平均電流は、０Ｖ入力で５０ｎＡ未満である。
【０３１４】
ＷＡＫＥＵＰ入力は、１．２２±０．１Ｖの立ち上がり入力電圧閾値であるＶｉｈを有し、立ち下がり入力閾値は、立ち上がり閾値の−２５ｍＶ±１２ｍＶである。好ましい実施形態において、ＷＡＫＥＵＰ入力に関連する回路は、値が−．２〜ＶＢＡＴ電圧であるいずれかの入力に対し、１００ｎＡ以下の電流を引き込む（この電流は、入力プルダウン電流を除く）。ＷＡＫＥＵＰパッドは、少なくとも１／２秒間デバウンスされる。
【０３１５】
ＷＡＫＥＵＰ回路の出力は、ＷＡＫＥＵＰパッドが状態を変えた場合に割り込み又はプロセッサ始動をプログラム可能に生成することができる。（イベントハンドラの節を参照されたい）。なお、電池保護回路がローバッテリ状態を示す場合、ＷＡＫＥＵＰパッド回路が低電流である１ｎＡ未満を想定するように構成されていることが重要である。
【０３１６】
ＵＡＲＴ  ＷＡＫＥＵＰ
【０３１７】
ＡＳＩＣは、ｎＲＸ＿ＥＸＴパッド４２７４を監視するように構成されている。ｎＲＸ＿ＥＸＴレベルが１／２秒以上連続的に高い（ＵＡＲＴ  ＢＲＥＡＫ）場合、ＵＡＲＴ  ＷＡＫＥＵＰイベントが生成される。原因となるＵＡＲＴ  ＷＡＫＥＵＰイベントのサンプリングは、１／４秒と短い間に連続的な高レベルで生成される可能性がある。ＵＡＲＴ  ＷＡＫＥＵＰイベントは、割り込み、ＷＡＫＥＵＰ、及び／又はマイクロプロセッサリセット（ｎＲＥＳＥＴ＿ＯＤ）をプログラム可能に生成できる。（イベントハンドラの節を参照されたい）。
【０３１８】
好ましい実施形態において、ＵＡＲＴ  ＷＡＫＥＵＰ入力に関連した回路は、１００ｎＡ以下の電流を引き込み、ＵＡＲＴ  ＷＡＫＥＵＰパッド回路は、電池保護回路がバッテリ・ロー状態を示す場合、低電流である１ｎＡ未満を想定するように構成される。ＵＡＲＴ  Ｗａｋｅｕｐ入力は、１．２２±０．１Ｖの立ち上がり入力電圧閾値であるＶｉｈを有する。立ち下がり入力閾値は、立ち上がり閾値の−２５ｍＶ±１２ｍＶである。
【０３１９】
マイクロプロセッサのウェイクアップ制御信号
【０３２０】
ＡＳＩＣは、マイクロプロセッサの電力管理の制御を助けるための信号を生成できる。具体的には、ＡＳＩＣは以下の信号を生成し得る。
（ｉ）ｎＳＨＵＴＤＮ−ｎＳＨＵＴＤＮは、オフチップＣＤＤレギュレータの電力有効化を制御してもよい。ｎＳＨＵＴＤＮパッドは、ＶＢＡＴ電力レイル上にある。電池保護回路がバッテリ・ロー状態を示す場合、ｎＳＨＵＴＤＮはｌｏｗとなり、そうでない場合ｎＳＨＵＴＤＮはｈｉｇｈとなる。
（ｉｉ）ＶＰＡＤ＿ＥＮ−ＶＰＡＤ＿ＥＮは、ＶＰＡＤ電力を供給する外部レギュレータの電力有効化を制御してもよい。この外部信号に対応する内部信号により、ＶＰＡＤパッドからの入力がＶＰＡＤ電力が無効化されたときにフローティング入力による余分な電力を引き起こさないことを確保する。ＶＰＡＤ＿ＥＮパッドは、ＶＢＡＴ電力レイル上の出力である。電池保護信号が電池残量の低下を示す場合、ＶＰＡＤ＿ＥＮ信号はｌｏｗである。ＶＰＡＤ＿ＥＮ信号は、タイマを始動するソフトウェアコマンドによってｌｏｗに設定されてもよく、タイマの終端カウントはＶＰＡＤ＿ＥＮを強制的にｌｏｗにする。以下のイベントは、電池保護信号が良好な電池であることを示す場合にＶＰＡＤ＿ＥＮ信号をｈｉｇｈにしてもよい（詳細はイベントハンドラの節を参照）。ｌｏｗからｈｉｇｈに遷移するｎＰＯＲ２＿ＩＮ、ＳＷ／タイマ（プログラム可能）、ＷＡＫＥＵＰ遷移、ｌｏｗからｈｉｇｈ、及び／又はｈｉｇｈからｌｏｗ（プログラム可能）、センサ接続遷移、ｌｏｗからｈｉｇｈ、及び／又はｈｉｇｈからｌｏｗ（プログラム可能）、ＵＡＲＴ  Ｂｒｅａｋ、及びＲＴＣ時間イベント（プログラム可能）。
（ｉｉｉ）ＵＰ＿ＷＡＫＥＵＰ−ＵＰ＿ＷＡＫＥＵＰは、マイクロプロセッサウェイクアップバッドへ接続されてもよい。これは、マイクロプロセッサをスリープモード又は同様のパワーダウンモードからウェイクアップさせることを意図している。ＵＰ＿ＷＡＫＥＵＰパッドは、ＶＰＡＤ電力レイル上にある出力である。ＵＰ＿ＷＡＫＥＵＰ信号は、負論理、正論理、又はパルスとしてプログラム化され得る。ＵＰ＿ＷＡＫＥＵＰ信号は、タイマを始動するソフトウェアコマンドによってｌｏｗに設定されてもよく、タイマの終端カウントはＵＰ＿ＷＡＫＥＵＰを強制的にｌｏｗにする。以下のイベントは、電池保護信号が良好な電池であることを示す場合にＵＰ＿ＷＡＫＥＵＰ信号をｈｉｇｈにしてもよい（詳細はイベントハンドラの節を参照）。ｌｏｗからｈｉｇｈに遷移するｎＰＯＲ２＿ＩＮ、ＳＷ／タイマ（プログラム可能）、ＷＡＫＥＵＰ遷移、ｌｏｗからｈｉｇｈ、及び／又はｈｉｇｈからｌｏｗ（プログラム可能）、センサ接続遷移、ｌｏｗからｈｉｇｈ、及び／又はｈｉｇｈからｌｏｗ（プログラム可能）、ＵＡＲＴ  Ｂｒｅａｋ、及びＲＴＣ時間イベント（プログラム可能）。ＷＡＫＥＵＰ信号は、プログラム可能な量によって遅延されてもよい。ＷＡＫＥＵＰがパルスになるようにプログラム化された場合、パルス幅がプログラム化されてもよい。
（ｉｖ）ＣＬＫ＿３２ＫＨＺ−ＣＬＫ＿３２ＫＨＺパッドは、低速度クロックを供給するためにマイクロプロセッサへ接続してもよい。クロックは、オン／オフにプログラム可能であり、プログラム可能にオンにしてウェイクアップイベントを起こす。ＣＬＫ＿３２ＫＨＺパッドは、ＶＰＡＤ電力レイル上の出力である。電池保護信号が電池残量の低下を示す場合、ＣＬＫ＿３２ＫＨＺ信号はｌｏｗとなる。ＣＬＫ＿３２ＫＨＺ出力は、プログラム可能なビットによってオフにプログラム化されてもよい。デフォルトは、オンである。ＣＬＫ＿３２ＫＨＺ信号は、タイマを始動するソフトウェアコマンドによって無効化されてもよく、タイマの終端カウントはＣＬＫ＿３２ＫＨＺを強制的にｌｏｗにする。以下のイベントは、電池保護信号が良好な電池であることを示す場合にＣＬＫ＿３２ＫＨＺ信号を有効化してもよい（詳細はイベントハンドラの節を参照）。ｌｏｗからｈｉｇｈに遷移するｎＰＯＲ２＿ＩＮ、ＳＷ／タイマ（プログラム可能）、ＷＡＫＥＵＰ遷移、ｌｏｗからｈｉｇｈ、及び／又はｈｉｇｈからｌｏｗ（プログラム可能）、センサ接続遷移、ｌｏｗからｈｉｇｈ、及び／又はｈｉｇｈからｌｏｗ（プログラム可能）、ＵＡＲＴ  Ｂｒｅａｋ、ＲＴＣ時間イベント（プログラム可能）、及び電池保護回路による電池残量の低下の検出。
（ｖ）ｎＲＥＳＥＴ＿ＯＤ−ｎＲＥＳＥＴ＿ＯＤは、マイクロプロセッサに接続し、マイクロプロセッサをリセットさせてもよい。ｎＲＥＳＥＴ＿ＯＤは、イベントを起こすようプログラム可能である。ｎＲＥＳＥＴ＿ＯＤパッドは、ＶＰＡＤ電力レイル上の出力である。このパッドは、オープンドレイン（ｎｆｅｔ出力）である。電池保護信号が電池残量の低下を示す場合、ｎＲＥＳＥＴ＿ＯＤ信号がｌｏｗである。ｎＲＥＳＥＴ＿ＯＤアクティブ時間は、１〜２００ミリ秒までプログラム可能である。デフォルトは、２００ミリ秒である。以下のイベントは、ｎＲＥＳＥＴ＿ＯＤ信号がｌｏｗにアサートされるようにしてもよい（更なる詳細にはイベントハンドラの節を参照）：ｎＰＯＲ２＿ＩＮ、ＳＷ／タイマ（プログラム可能）、ＷＡＫＥＵＰ遷移、ｌｏｗからｈｉｇｈ、及び／又はｈｉｇｈからｌｏｗ（プログラム可能）、センサ接続遷移、ｌｏｗからｈｉｇｈ、及び／又はｈｉｇｈからｌｏｗ（プログラム可能）、ＵＡＲＴ  Ｂｒｅａｋ、及びＲＴＣ時間イベント（プログラム可能）。
（ｖｉ）ＵＰ＿ＩＮＴ−ＵＰ＿ＩＮＴは、割り込みを伝えるためにマイクロプロセッサへ接続してもよい。ＵＰ＿ＩＮＴは、イベントを起こすようプログラム可能である。ＵＰ＿ＩＮＴパッドは、ＶＰＡＤ電力レイル上にある出力である。電池保護信号が電池残量の低下を示す場合、ＵＰ＿ＩＮＴ信号はｌｏｗである。ＵＰ＿ＩＮＴ信号は、タイマを始動するソフトウェアコマンドによってｈｉｇｈに設定されてもよく、タイマの終端カウントはＵＰ＿ＩＮＴを強制的にｈｉｇｈにする。以下のイベントにより、電池保護信号が良好な電池であることを示す場合にＵＰ＿ＩＮＴ信号がｈｉｇｈになるようアサートされる（詳細はイベントハンドラの節を参照）。ＳＷ／タイマ（プログラム可能）、ＷＡＫＥＵＰ遷移、ｌｏｗからｈｉｇｈ、及び／又はｈｉｇｈからｌｏｗ（プログラム可能）、センサ接続遷移、ｌｏｗからｈｉｇｈ及び／又はｈｉｇｈからｌｏｗ（プログラム可能）、ＵＡＲＴ  Ｂｒｅａｋ、ＲＴＣ時間イベント（プログラム可能）、電池保護回路による電池残量の低下の検出、及びマスクされていないときのＡＳＩＣ割り込みのいずれか。
【０３２１】
ＡＳＩＣは、マイクロプロセッサに対するブートモード制御としての役を果たすＧＰＩＯ１及びＧＩＰＯ０パッドを有する。ＰＯＲ２イベントは、ビットがＧＰＩＯ１＆ＧＰＩＯ０（それぞれＭＳＢ、ＬＳＢ）にマッピングされる２ビットカウンタをリセットする。ＵＡＲＴ  ｂｒｅａｋの立ち上がりエッジでカウンタが１だけ増分され、カウンタは４を法としてカウントし、状態１１で増分された場合にゼロになる。ブートモードカウンタは、ＳＰＩを介して予め設定可能である。
【０３２２】
イベントハンドラ／ウォッチドッグ
【０３２３】
ＡＳＩＣは、システム状態及び入力信号の変化を含む、イベントに対する応答を定義するためにイベントハンドラを組み込んでいる。イベントは、割り込みの全てのソースを含む（例えば、ＵＡＲＴ＿ＢＲＫ、ＷＡＫＥ＿ＵＰ、センサ接続．．．など）。刺激に対するイベントハンドラの応答は、ＳＰＩインターフェースを通じてソフトウェアによってプログラム可能である。しかし、いくつかの応答は、ハードワイヤ（プログラム不可）されていてもよい。
【０３２４】
イベントハンドラの動作は、有効化／無効化ＶＰＡＤ＿ＥＮ、有効化／無効化ＣＬＫ＿３２ＫＨＺ、アサートｎＲＥＳＥＴ＿ＯＤ、アサートＵＰ＿ＷＡＫＥＵＰ、及びアサートＵＰ＿ＩＮＴを含む。イベントウォッチドッグタイマ１からタイマ５は、２５０ミリ秒〜１６，３８４秒まで２５０ミリ秒増分で個別にプログラム可能である。イベントウォッチドッグタイマ６から８のタイムアウトは、ハードコーディングされている。タイマ６及びタイマ７に対するタイムアウトは、１分であり、タイマ８に対するタイムアウトは５分である。
【０３２５】
ＡＳＩＣは、イベントによってトリガされた場合、マイクロプロセッサの応答を監視するためのウォッチドッグ機能も有する。イベントウォッチドッグは、マイクロプロセッサがイベント誘導活動を認識することに失敗したときに起動される。イベントウォッチドッグは、起動された後、プログラム可能な動作のシーケンスであるイベントウォッチドッグタイマ１〜５を実行し、その後、ハードワイヤされた動作のシーケンスであるイベントウォッチドッグタイマ６〜８を実行して、マクロプロセッサの応答を再獲得する。この動作のシーケンスは、マイクロプロセッサへの割り込み、リセット、ウェイクアップ、アサート３２ＫＨｚクロック、パワーダウン、及びパワーアップを含む。
【０３２６】
これらのアクションのシーケンスにおいて、マイクロプロセッサが記録された活動の認識能力を再獲得した場合、イベントウォッチドッグはリセットされる。ＡＳＩＣがマイクロプロセッサから確認を取得するのに失敗した場合、イベントウォッチドッグは、ＵＡＲＴ＿ＢＲＫがマイクロプロセッサを再起動させる状態でマイクロプロセッサをパワーダウンし、アラームを起動する。起動されると、アラーム状態が、プログラム可能な繰り返しパターンでパッドＡＬＡＲＭ上に約１ｋＨｚの周波数の方形波を発生する。プログラム可能なパターンは、プログラム可能なバーストオン及びオフ時間がある２つのプログラム可能なシーケンスを有する。アラームは、ＳＰＩポートを介してプログラムされ得る別のプログラム可能なパターンを有する。これは、プログラム可能なバーストオン及びオフ時間がある２つのプログラム可能なシーケンスを有する。
【０３２７】
デジタル／アナログ（Ｄ／Ａ）
【０３２８】
好ましい実施形態において、ＡＳＩＣは、下記の特性を備えた２つの８ビットＤ／Ａ変換器４２７６、４２７８を有する。
（ｉ）Ｄ／Ａは、５０ｐＦ未満の負荷で１ミリ秒未満で整定する。
（ｉｉ）Ｄ／Ａは、少なくとも８ビットの精度を有する。
（ｉｉｉ）出力範囲は、０〜１．２２Ｖ又は０〜ＶＤＤＡのいずれかにプログラム可能である。
（ｉｖ）Ｄ／Ａ電圧基準の温度感度は、１ｍＶ／℃未満である。
（ｖ）ＤＮＬは、１ＬＳＢ未満である。
（ｖｉ）Ｄ／Ａによって消費される電流は、ＶＤＤＡ供給から２μＡ未満である。
（ｖｉｉ）それぞれのＤ／Ａは、パッドへの出力ｌを有する。
（ｖｉｉｉ）Ｄ／Ａ出力は、高インピーダンスである。負荷電流は、１ｎＡ未満である必要がある。
（ｉｘ）Ｄ／Ａパッドは、レジスタからデジタル信号を出力するようにプログラムすることができる。出力スイングは、ＶＳＳＡからまでＶＤＤＡである。
【０３２９】
充電器／データダウンローダインターフェース
【０３３０】
このＴＸ＿ＥＸＴ＿ＯＤ４２８０は、入力が信号入力パッド上のＴＸ＿ＵＰである、オープンドレイン出力である。これは、ＴＸ＿ＥＸＴ＿ＯＤパッドがＵＡＲＴアイドル状態でオープン状態になることを許す。ＴＸ＿ＥＸＴ＿ＯＤパッドは、その電圧を監視する比較器を有する。電圧がデバウンス期間（１／４秒）に比較器閾値電圧より高い場合、出力ｎＢＡＴ＿ＣＨＲＧ＿ＥＮ（４２８１）はｌｏｗになる。この比較器及びこの機能を有する他の関連する回路は、ＶＢＡＴ及び／又はＶＤＤＢＵプレーン上にある。
【０３３１】
この機能に関連する回路は、ｎＢＡＴ＿ＣＨＲＧ＿ＥＮのアサートを無効化することなく外部装置との通常の通信の結果から生じるＴＸ＿ＥＸＴ＿ＯＤパッド上でｌｏｗを許さなければならない。ＰＯＲ１がアクティブである場合、ｎＢＡＴ＿ＣＨＲＧ＿ＥＮはｈｉｇｈになる（アサートされない）。比較器の閾値電圧は０．５０Ｖから１．２Ｖの間である。比較器はヒステリシスを有し、立ち下がり閾値は、立ち上がり閾値より約２５ｍＶ低い。
【０３３２】
ｎＲＸ＿ＥＸＴパッドは、このパッド上で信号を反転し、ＲＸ＿ＵＰに出力する。このように、ｎＲＸ＿ＥＸＴ信号はｌｏｗでアイドル状態になる。ｎＲＸ＿ＥＸＴは、ＶＢＡＴ電圧に達するまで入力を受け付けなければならない。ｎＲＸ＿ＥＸＴ閾値は、１．２２Ｖ±３％である。この比較器の出力は、マイクロプロセッサが読み出すためにＳＰＩバス上で利用可能である。
【０３３３】
ｎＲＸ＿ＥＸＴパッドは、８０±３０ｎＡとなる電流をプログラム可能に吐き出す手段も組み込み、最高電圧はＶＢＡＴである。ＡＳＩＣレイアウトは、マスク層の変化を最小数に抑えて５０ｎＡ未満のステップで３０ｎＡから２００ｎＡまでこの電流を調節するマスクプログラム可能なオプションを有する。プログラム可能ビットは、ＵＡＲＴブレーク検出をブロックし、ＲＸ＿ＵＰを強制的にｈｉｇｈにするために利用可能である。通常動作では、このビットは、ｎＲＸ＿ＥＸＴへの電流吐き出しを可能にする前にｈｉｇｈにセットされ、次いで、ＲＸ＿ＵＰ上でグリッチが発生しないこと、又はＵＡＲＴブレークイベントが発生することを確実にするように電流吐き出しが無効化された後にｌｏｗにセットされる。ウェットコネクタ検出器を実装することに留意し、ｎＲＸ＿ＥＸＴへの電流ソースがアクティブである間に、低レベルの入力電圧を示すＲＸ比較器は、漏れ電流を示す。ＡＳＩＣは、ｎＲＸ＿ＥＸＴパッド上に約１００キロオームのプルダウン抵抗器を備える。このプルダウンは、電流ソースがアクティブであるときに切断される。
【０３３４】
センサ接続スイッチ
【０３３５】
ＡＳＩＣは、ＶＳＳ（４２８４）に対する低抵抗を検出することができる、パッド、ＳＥＮ＿ＣＯＮＮ＿ＳＷ（４２８２）を有するものとする。ＳＥＮ＿ＣＯＮＮ＿ＳＷは、ＳＥＮ＿ＣＯＮＮ＿ＳＷ＝０Ｖで５から２５μＡの電流を吐き出し、最大開回路電圧は．４Ｖである。ＡＳＩＣレイアウトは、マスク層の変化を最小数に抑えて５ｕＡ未満のステップで１ｕＡから２０ｕＡまでこの電流を調節するマスクプログラム可能なオプションを有する。ＳＥＮ＿ＣＯＮＮ＿ＳＷは、ＳＥＮ＿ＣＯＮＮ＿ＳＷとＶＳＳＡ（４２３４）との間に、閾値が２ｋから１５キロオームの間である抵抗の存在を検出する関連する回路を有する。この回路の平均電流ドレインは、最大５０ｎＡである。サンプリングは、この低い電流を達成するために使用されなければならない。
【０３３６】
発振器の較正回路
【０３３７】
ＡＳＩＣは、その入力を内部又は外部のクロック源に誘導することができるカウンタを有する。一方のカウンタは、他方のカウンタに対してプログラム可能なゲート間隔を生成する。ゲート間隔は、３２ｋＨｚ発振器由来の１〜１５秒を含む。いずれかのカウンタに誘導することができるクロックは、３２ｋＨｚ、ＲＣ発振器、高速ＲＣ発振器及び任意のＧＰＩＯパッドからの入力である。
【０３３８】
発振器バイパス
【０３３９】
ＡＳＩＣは、発振器出力のそれぞれについて外部クロックを代替することができる。ＡＳＩＣは、特定のＴＥＳＴ＿ＭＯＤＥがアサートされたときにのみ書き込みすることができるレジスタを有する。このレジスタは、ＲＣ発振器に対する外部入力を可能にするビットを有し、他のアナログテスト制御信号と共有されてもよい。しかし、このレジスタは、ＴＥＳＴ＿ＭＯＤＥがアクティブでなければ、いかなる発振器バイパスビットもアクティブにすることはない。
【０３４０】
ＡＳＩＣはまた、ＲＣ発振器をバイパスするための外部クロック用入力パッドを有する。パッド、ＧＰＩＯ＿ＶＢＡＴは、ＶＢＡＴの電力プレーン上にある。ＡＳＩＣは、３２ｋＨｚ発振器用のバイパス有効化パッド、ＯＳＣ３２Ｋ＿ＢＹＰＡＳＳを更に含む。ｈｉｇｈのとき、３２ＫＨＺ発振器出力は、ＯＳＣ３２ＫＨＺ＿ＩＮパッドを駆動することによって供給される。通常、ＯＳＣ３２ＫＨＺ＿ＩＮパッドが水晶に接続されていることに留意されたい。
【０３４１】
ＡＳＩＣは、ＨＳ＿ＲＣ＿ＯＳＣをバイパスする外部クロック用の入力を有する。バイパスは、プログラム可能なレジスタビットによって有効化される。このＨＳ＿ＲＣ＿ＯＳＣは、ＶＤＤプレーン上のＧＰＩＯ又はＶＰＡＤプレーン上のＧＰＩＯのいずれかによってプログラム可能に供給されてもよい。
【０３４２】
ＳＰＩスレーブポート
【０３４３】
ＳＰＩスレーブポートは、チップ選択入力（ＳＰＩ＿ｎＣＳ）４２８９と、クロック入力（ＳＰＩ＿ＣＫ）４２８６と、シリアルデータ入力（ＳＰＩ＿ＭＯＳＩ）４２８７と、シリアルデータ出力（ＳＰＩ＿ＭＩＳＯ）４２８８と、からなるインターフェースを含む。チップ選択入力（ＳＰＩ＿ｎＣＳ）は、アクティブ低入力であり、オフチップＳＰＩマスタによってアサートされてＳＰＩトランザクションを開始し、限定する。ＳＰＩ＿ｎＣＳがｌｏｗにアサートされると、ＳＰＩスレーブポートは、ＳＰＩスレーブとして自己構成し、クロック入力（ＳＰＩ＿ＣＫ）に基づいてデータトランザクションを行う。ＳＰＩ＿ｎＣＳが非アクティブであるとき、ＳＰＩスレーブポートは、自己リセットし、リセットモードにとどまる。このＳＰＩインターフェースがブロック転送を支援するため、マスタは、転送の終了までＳＰＩ＿ｎＣＳをｌｏｗに維持すべきである。
【０３４４】
ＳＰＩクロック入力（ＳＰＩ＿ＣＫ）は、ＳＰＩマスタによって常にアサートされることとなる。ＳＰＩスレーブポートは、ＳＰＩ＿ＣＫの立ち上がりエッジを用いて着信データをＳＰＩ＿ＭＯＳＩ入力上でラッチし、ＳＰＩ＿ＣＫの立ち下がりエッジを用いて発信データをＳＰＩ＿ＭＩＳＯ出力上に駆動する。シリアルデータ入力（ＳＰＩ＿ＭＯＳＩ）は、ＳＰＩマスタからＳＰＩスレーブにデータを転送するために使用される。全てのデータビットは、ＳＰＩ＿ＣＫの立ち下がりエッジの後にアサートされる。シリアルデータ出力（ＳＰＩ＿ＭＩＳＯ）は、ＳＰＩスレーブからＳＰＩマスタにデータを転送するために使用される。全てのデータビットは、ＳＰＩ＿ＣＫの立ち下がりエッジの後にアサートされる。
【０３４５】
ＳＰＩ＿ｎＣＳ、ＳＰＩ＿ＣＫ及びＳＰＩ＿ＭＯＳＩは、ＳＰＩマスタの電源が切られない限り、ＳＰＩマスタによって常に駆動される。ＶＰＡＤ＿ＥＮがｌｏｗである場合、これらの入力は、これらの入力に関連付けられる電流ドレインが１０ｎＡ未満であり、ＳＰＩ回路がリセット又は非アクティブに保持されているように調整される。ＳＰＩ＿ＭＩＳＯは、ＳＰＩ＿ｎＣＳがアクティブであるときにＳＰＩスレーブポートによってのみ駆動される、あるいはそうでない場合には、ＳＰＩ＿ＭＩＳＯは、トライステート状態である。
【０３４６】
チップ選択（ＳＰＩ＿ｎＣＳ）は、ＳＰＩデータトランザクションのデータ転送パケットを定義し、フレーム化する。データ転送パケットは、３つの部分からなる。４ビットコマンドセクションの後に１２ビットアドレスセクションがあり、次いで、任意の個数の８ビットデータバイトが続く。コマンドビット３は、方向ビットとして使用される。「１」は、書き込み操作を示し、「０」は、読み出し操作を示す。コマンドビット２、１及び０の組み合わせは、以下の定義を有する。未使用の組み合わせは、未定義である。
（ｉ）００００：データ読み出しとアドレスインクリメント
（ｉｉ）０００１：データ読み出し、アドレスの変更なし
（ｉｉｉ）００１０：データ読み出し、アドレスデクリメント
（ｉｖ）１０００：データ書き込みとアドレスインクリメント
（ｖ）１００１：データ書き込み、アドレスの変更なし
（ｖｉ）１０１０：データ書き込み、アドレスデクリメント
（ｖｉｉ）ｘ０１１：テストポートアドレッシング
【０３４７】
１２ビットアドレスセクションは、開始バイトアドレスを定義する。第１のデータバイトの後にＳＰＩ＿ｎＣＳがアクティブのままである場合、マルチバイト転送を示すために、それぞれのバイトが転送された後、アドレスは、１だけ増分される。アドレス（アドレス＜１１：０＞）のビット＜１１＞は、最高アドレスビットを示す。アドレスは、限度に到達した後に最低値に戻る。
【０３４８】
データは、バイト形式であり、ブロック転送は、全てのバイトが１つのパケットで転送されるように、ＳＰＩ＿ｎＣＳを拡張することによって実施することができる。
【０３４９】
マイクロプロセッサ割り込み
【０３５０】
ＡＳＩＣは、ホストマイクロプロセッサに割り込みを送信することを目的とする、ＶＰＡＤ論理レベルの出力、ＵＰ＿ＩＮＴを有する。マイクロプロセッサ割り込みモジュールは、割り込みステータスレジスタ、割り込みマスクレジスタ及び全ての割り込みステータスに論理ＯＲ演算を適用して１つのマイクロプロセッサ割り込みにする機能からなる。割り込みは、エッジ検知及びレベル検知の両方の形式をサポートするように実装される。割り込みの極性は、プログラム可能である。デフォルト割り込み極性は、ＴＢＤである。
【０３５１】
好ましい実施形態では、ＡＦＥ  ＡＳＩＣ上の全ての割り込みソースは、割り込みステータスレジスタに記録されることとなる。対応する割り込みステータスビットに「１」を書き込むと、対応する保留中の割り込みがクリアされる。ＡＦＥ  ＡＳＩＣ上の全ての割り込みソースは、割り込みマスクレジスタを通じてマスク可能である。対応する割り込みマスクビットに「１」を書き込むと、対応する保留中の割り込みのマスキングが有効化される。対応する割り込みマスクビットに「０」を書き込むと、対応する割り込みのマスキングが無効化される。割り込みマスクレジスタのデフォルト状態は、ＴＢＤである。
【０３５２】
汎用入力／出力（ＧＰＩＯ）／パラレルテストポート
【０３５３】
本発明の実施形態では、ＡＳＩＣは、ＶＰＡＤレベル信号上で動作する８個のＧＰＩＯを有してもよい。ＡＳＩＣは、ＶＢＡＴレベル信号上で動作する１つのＧＰＩＯ及びＶＤＤレベル信号上で動作する１つのＧＰＩＯを有する。全てのＧＰＩＯは、少なくとも以下の特性を有する。
（ｉ）レジスタビットは、それぞれのＧＰＩＯの選択及び方向を制御する。
（ｉｉ）ＡＳＩＣは、ＳＰＩインターフェース上で読み出すことができる入力としてＧＰＩＯを構成するための手段を有する。
（ｉｉｉ）ＡＳＩＣは、割り込みを発生するための入力としてＧＰＩＯを構成するための手段を有する。
（ｉｖ）ＡＳＩＣは、ＳＰＩインターフェース上で書き込むことができるレジスタビットによって制御される出力として、それぞれのＧＰＩＯを構成するための手段を有する。
（ｖ）プログラム可能であるように、ＡＳＩＣは、ＧＰＩＯ＿ＶＢＡＴ又はＧＰＩＯ＿ＶＤＤに印加される入力信号を（ＶＰＡＤ電力プレーン上の）ＧＰＩＯに出力することができる。（レベルシフト機能）。
（ｖｉ）ＡＳＩＣは、発振器較正回路への入力として、それぞれのＧＰＩＯを構成するための手段を有する。
（ｖｉｉ）ＡＳＩＣは、それぞれの電力プレーン上の少なくとも１つのＧＰＩＯに対するそれぞれの汎用比較器出力を構成するための手段を有する。比較器出力の極性は、プログラム可能なビットによってプログラム可能である。
（ｖｉｉｉ）ＧＰＩＯは、マイクロプロセッサ割り込み発生機能を有する。
（ｉｘ）ＧＰＩＯは、ドレイン出力をオープンにするようにプログラム可能である。
（ｘ）ＶＰＡＤ電力プレーン上のＧＰＩＯは、マイクロプロセッサの起動制御を実装するように構成可能である。
【０３５４】
パラレルテストポートは、ＶＰＡＤ電圧プレーン上の８ビットＧＰＩＯを共有する。テストポートは、レジスタの内容及び様々な内部信号を観察するために使用されることとなる。このポートの出力は、通常モードにおいてポート構成レジスタによって制御される。ＧＰＩＯ＿Ｏ１Ｓ＿ＲＥＧレジスタ及びＧＰＩＯ＿Ｏ２Ｓ＿ＲＥＧレジスタの両方に８’ｈＦＦを書き込みすると、テストポートデータは、ＧＰＩＯ出力に誘導されることとなるが、ＧＰＩＯ＿ＯＮ＿ＲＥＧレジスタに８’ｈ００を書き込むと、テストポートデータは、無効化されることとなり、ＧＰＩＯ出力上へのＧＰＩＯデータが有効化される。
【０３５５】
レジスタ及び予めグループ化された内部信号は、ＳＰＩスレーブポートを通じてターゲットレジスタにアドレッシングすることによってこのテストポート上で観察することができる。ＳＰＩパケットは、１２ビットのターゲットレジスタアドレスが続く４’ｂ００１１に設定されたコマンドビットを有する。パラレルテストポートは、次のテストポートアドレッシングコマンドを受信するまで、アドレッシングされたレジスタの内容を表示し続ける。
【０３５６】
アナログテストポート
【０３５７】
ＩＣは、パッド、ＴＰ＿ＡＮＡＭＵＸ（４２９０）を供給するマルチプレクサを有し、これは、テストのために内部アナログ回路ノードに視認性をもたらすこととなる。ＩＣはまた、パッド、ＴＰ＿ＲＥＳ（４２６０）を供給するマルチプレクサを有し、これは、テストのために内部アナログ回路ノードに視認性をもたらすこととなる。このパッドはまた、様々なシステム較正を行うために通常のアプリケーションにおいて精密１メガ抵抗器を提供することとなる。
【０３５８】
チップＩＤ
【０３５９】
ＡＳＩＣは、３２ビットマスクプログラム可能ＩＤを含む。ＳＰＩインターフェースを使用するマイクロプロセッサは、このＩＤを読み取り可能となる。このＩＤは、アナログ電子機器ブロックに配置されるべきであるため、ＩＤの変更は、チップの経路切替を必要としない。設計は、ＩＤを変更するために、１つの金属又は１つの接点マスクの変更のみが必要とされるようにすべきである。
【０３６０】
スペアテスト出力
【０３６１】
ＡＳＩＣは、ＳＰＩインターフェース上で送信されるコマンドの下で８ビットＧＰＩＯに多重化することができる１６個のスペアデジタル出力信号を有する。これらの信号は、２つの８ビットバイトとして編成されることとなり、未使用時にはＶＳＳに接続されることとなる。
【０３６２】
デジタルテスト
【０３６３】
ＡＳＩＣは、２つの入力ピン、ＴＥＳＴ＿ＣＴＬ０（４２９１）及びＴＥＳＴ＿ＣＴＬ１（４２９２）を使用する、テストモードコントローラを有する。テストコントローラは、以下の機能性（ＴＥＳＴ＿ＣＴＬ＜１：０＞）を有するテスト制御信号の組み合わせから信号を生成する。
（ｉ）０は、通常動作モードである。
（ｉｉ）１は、アナログテストモードである。
（ｉｉｉ）２は、スキャンモードである。
（ｉｖ）３は、ＧＰＩＯ＿ＶＢＡＴへの入力によって制御されるＶＤＤ＿ＥＮを用いるアナログテストモードである。
【０３６４】
テストコントローラロジックは、ＶＤＤ電力プレーンとＶＤＤＢＵ電力プレーンとの間で分割される。スキャンモード中、ＬＴ＿ＶＢＡＴのテストは、デジタルロジックへのアナログ出力を調整するために、ｈｉｇｈにアサートされるべきである。ＡＳＩＣは、高速デジタルテストを合理的に可能な程度のデジタルロジックに実装されたスキャン連鎖を有する。
【０３６５】
漏れテストピン
ＡＳＩＣは、ＬＴ＿ＶＢＡＴと呼ばれるピンを有し、このピンは、ｈｉｇｈのときに、全てのアナログブロックを非アクティブモードに移すこととなるため、漏れ電流のみが電源から引き出されることとなる。ＬＴ＿ＶＢＡＴは、アナログブロックからの全てのデジタル出力を、インターフェースロジックの電流ドレインに影響を与えないように、安定したｈｉｇｈ又はｌｏｗの状態にする。ＬＴ＿ＶＢＡＴパッドは、１０ｋ〜４０ｋオーム以下の抵抗値によるプルダウンを有するＶＢＡＴプレーン上にある。
【０３６６】
電源要件
【０３６７】
本発明の実施形態では、ＡＳＩＣは、最低でも、マイクロプロセッサのクロックがオフであり、３２ｋＨｚリアルタイムクロックが進行し、回路がセンサ接続、ＷＡＫＥ＿ＵＰピンのレベルの変化又はｎＲＸ＿ＥＸＴ入力上のＢＲＥＡＫを検出するためにアクティブである、低電力モードを含む。このモードは、最大４．０μＡのＶＢＡＴ（ＶＤＤＢＵ）、ＶＤＤ及びＶＤＤＡからの全電流ドレインを有する。電池保護回路が電池残量の低下を検出すると（電池保護回路の説明を参照されたい）、ＡＳＩＣは、ＶＢＡＴ及びＶＤＤＢＵ電力プレーンのみがアクティブであるモードに移行する。これは、ローバッテリ状態と呼ばれる。このモードにおけるＶＢＡＴ電流は、３μＡ未満である。
【０３６８】
その電圧が１．５３５Ｖに設定されたＨ２Ｏ２（過酸化物）モードにおいてアクティブな任意の１つのＷＯＲＫ電極、１．００Ｖに設定されたＶＳＥＴ＿ＲＥでオンのＣＯＵＮＴＥＲ増幅器、ＷＯＲＫとＣＯＵＮＴＥＲとの間に接続された２０メガ負荷抵抗器、一緒に接続されたＣＯＵＮＴＥＲ及びＲＥを有するポテンシオスタット構成に対してプログラムされたＡＳＩＣにより、１分毎の１つのＷＯＲＫ電極電流測定を仮定すると、全ての電源の平均電流ドレインは、７μＡ未満である。較正後の測定電流は、２６．７５ｎＡ±３％とする。追加のＷＯＲＫ電極を有効化すると、結合電流ドレインが２５ｎＡのＷＯＲＫ電極電流を伴って２μＡ未満だけ増加する。
【０３６９】
ＣＯＵＮＴＥＲ電極に関してＷＯＲＫ電極のうちの１つのインピーダンスを測定可能にする診断機能を有するポテンシオスタット構成に対してプログラム可能なＡＳＩＣにより、ＡＳＩＣは、以下を満たすように構成されている。
（ｉ）テスト周波数：０．１、０．２、０．３、０．５Ｈｚ、１．０、２．０、５．０、１０、１００、１０００及び４０００Ｈｚ。
（ｉｉ）上記周波数の測定は、５０秒を超えないものとする。
（ｉｉｉ）ＡＳＩＣに供給される全電荷は、８ミリクーロン未満である。
【０３７０】
環境
【０３７１】
本発明の好ましい実施形態では、ＡＳＩＣは、
（ｉ）０〜７０℃の商用温度範囲で動作し、全ての仕様を満たす。
（ｉｉ）−２０℃〜８０℃で機能的に動作するが、その場合に精度が低下する恐れがある。
（ｉｉｉ）−３０〜８０℃の温度範囲で保管した後に動作することが期待される。
（ｉｖ）１％〜９５％の相対湿度範囲で動作することが期待される。
（ｖ）ＥＳＤ保護は、特に指定しない限り、ＴＢＤパッケージ内に包装されたとき、全てのピンで±２ｋＶ人体モデルよりも大きい。
（ｖｉ）ＷＯＲＫ１〜ＷＯＲＫ５、ＣＯＵＮＴＥＲ、ＲＥ、ＴＸ＿ＥＸＴ＿ＯＤ及びｎＲＸ＿ＥＸＴパッドが±４ｋＶ人体モデルよりも耐性であるように構成されている。
（ｖｉｉ）ＷＯＲＫ１〜ＷＯＲＫ５及びＲＥパッドの漏れ電流が４０℃で０．０５ｎＡ未満となるように構成されている。
【０３７２】
本発明の実施形態では、ＡＳＩＣは、０．２５ミクロンＣＭＯＳプロセスで作製されてもよく、ＡＳＩＣ用のバックアップデータは、ＤＶＤディスク、９１６−ＴＢＤ上にある。
【０３７３】
本明細書で詳細に上述したように、ＡＳＩＣは、（ｉ）複数のポテンシオスタットを支援し、酸素又は過酸化物のいずれかに基づく多端子グルコースセンサとインターフェースし、（ｉｉ）マイクロコントローラとインターフェースして、小消費電力センサシステムを形成し、（ｉｉｉ）ＥＩＳ由来パラメータの測定に基づくＥＩＳ診断を実施するために、必要なアナログエレクトロニクスを提供する。ＥＩＳ由来パラメータの測定及び計算について、本明細書における発明の実施形態に従ってここで説明する。
【０３７４】
上述したように、０．１Ｈｚ〜８ｋＨｚの範囲内の周波数でのインピーダンスは、センサ電極の状態に関する情報を提供することができる。ＡＦＥ  ＩＣ回路は、測定強制信号を生成するための回路と、インピーダンスを計算するために使用される測定値を決定するための回路と、が組み込まれている。この回路に関する設計上の考慮事項は、電流ドレイン、精度、測定の速度、必要な処理量及び制御マイクロプロセッサによって必要とされるオンタイムの長さを含む。
【０３７５】
本発明の好ましい実施形態では、ＡＦＥ  ＩＣが電極のインピーダンスを測定するために使用する技術では、電極を駆動する直流電圧に正弦波電圧を重ね合わせ、結果生じる交流電流の位相及び振幅を測定する。正弦波を生成するために、ＡＦＥ  ＩＣは、デジタル合成正弦波電流が組み込まれている。このデジタル技術が使用されるのは、周波数及び位相を水晶由来の時間軸によって精密に制御することができ、直流から８ｋＨｚまでの周波数を容易に発生させることができるためである。この正弦波電流は、交流成分を電極電圧に加えるために、電圧源と直列の抵抗器を介して印加される。この電圧は、交流強制電圧である。次いで、この電圧は、選択されたセンサ電極を駆動する増幅器によってバッファリングされる。
【０３７６】
電極を駆動する電流は、強制正弦波から結果得られた交流電流成分を含み、電圧に変換される。次いで、この電圧は、合成正弦波に対して固定された位相を有する矩形波で乗算することによって処理される。次いで、この乗算された電圧は、積分される。プログラム可能な数の積分間隔、駆動正弦波の１／２周期の整数個分、の終了後、電圧は、ＡＤＣによって測定される。積分された電圧の値を伴う計算により、インピーダンスの実部及び虚部を求めることができる。
【０３７７】
インピーダンス測定のための積分器を用いることの利点は、測定のノイズ帯域幅が、波形をサンプリングするのみに対して大幅に低減されることである。また、サンプリング時間要件は、大幅に低減され、ＡＤＣの要求速度を緩和する。
【０３７８】
図４５は、（図４２Ｂにおいて参照番号４２５５によって指定された）ＡＦＥ  ＩＣ内のＥＩＳ回路の主ブロックを示す。ＩＤＡＣ４５１０は、システムクロックに同期して階段状正弦波を発生する。このシステムクロックの高い周波数は、デジタルコードを含むルックアップテーブルを通してＩＤＡＣに入る。このコードは、正弦波に近似した出力電流を生成するＩＤＡＣを駆動する。この正弦波電流は、抵抗器の両端間に強制され、直流オフセット、ＶＳＥＴ８（４５２０）を有する交流成分、Ｖｉｎ＿ａｃを与える。ＩＤＡＣ回路が無効化されると、直流出力電圧は、ＶＳＥＴ８に戻るため、電極平衡に対する攪乱は、最小化される。次いで、この電圧は、直列の抵抗器、Ｒｓｅｎｓｅを通して電極を駆動する増幅器４５３０によってバッファリングされる。Ｒｓｅｎｓｅの両端間の差動電圧は、電流に比例する。この電圧は、電圧に＋１又は−１のいずれかを乗算する乗算器４５４０に渡される。これは、スイッチ及び差動増幅器（計器増幅器）によって行なわれる。システムクロックは、乗算機能を制御し、正弦波に対して０、９０、１８０又は２７０度に設定することができる位相クロック４５５０を生成するために分割される。
【０３７９】
図４６Ａ〜図４６Ｆ及び図４７Ａ〜図４７Ｆのプロットは、実抵抗を表す０度位相ずれを有する電流に対する、図４５に示す回路の信号のシミュレーションを示す。これらの例示的なシミュレーションに対して、シミュレーション入力値は、０．１５０Ｖに等しい電流センス電圧を与えるように選択された。インピーダンス及び位相を導出するための十分な情報を得るために、２つの積分が必要であり、１つは、０度位相乗算（図４６Ａ〜図４６Ｆ）によるものであり、もう１つは、９０度位相乗算（図４７Ａ〜図４７Ｆ）によるものである。
【０３８０】
インピーダンスの計算
【０３８１】
積分器出力を記述する方程式は、以下に提供される。簡単にするために、正弦波周期の１／２のみを考察する。図４６Ａ〜図４６Ｆ及び図４７Ａ〜図４７Ｆのプロットからわかるように、積分器出力は、近似的に、積分された１／２周期の数を乗算した１／２正弦波周期の積分値となる。積分時間に関連する乗算スイッチが積分器に対する信号の「ゲーティング」機能を実行し、これが積分の範囲の設定とみなすことができることに留意されたい。乗算信号は、生成された正弦波に対する固定位相を有する。固定位相は、ソフトウェアにより０、９０、１８０又は２７０度に設定することができる。正弦波が乗算方形波に対して同位相（０度シフト）である場合、積分の範囲は、π（１８０°）〜０（０°）となる。正弦波を９０度ずらした場合、積分の範囲は、３／４π（２７０°）〜１／４π（９０°）とみなすことができる。
【０３８２】
駆動正弦波に対して同位相（０°）の乗算方形波を有する式を以下に示す。これは、電流の実成分に比例した電圧を与えることとなる。なお、Φは、乗算方形波に対する正弦波の位相ずれであり、Ｖｏｕｔは、積分器出力であり、Ａａｍｐｌは、電流正弦波振幅である。また、正弦波の周期は、１／ｆであり、ＲＣは、積分器の時定数である。
【数６】
2020170011.tif 000015
【０３８３】
Φ＝０の場合、
【数７】
2020170011.tif 000016
である。これは、電流の実部に相当する。
【０３８４】
電流の虚数成分に比例する出力を生成する、駆動正弦波に対する乗算矩形波直交位相（９０°）については、下式のとおりである。
【数８】
2020170011.tif 000017
【０３８５】
Φ＝０の場合、
【数９】
2020170011.tif 000018
である。これは、電流の虚部に相当する。
【０３８６】
図４６Ａ〜図４６Ｆに示す第１の例示的なプロットでは、Ａａｍｐｌは、１５０Ｖ、周波数は、１ｋＨｚ、Φ＝０、積分器に対するＲＣは、ＲＣ＝０．５ミリ秒を与える２０メガオーム及び２５ｐＦである。これらの数値を方程式に代入すると、図４６のプロットの積分器出力と十分に対比される、０．０９５４９Ｖを与える。積分期間にわたって出力される積分器出力が、積分開始から測定までのデルタ電圧であることに留意されたい。
【０３８７】
９０°方形波乗算について、ｓｉｎ（０）＝０であるため、その結果は、０となるべきである。シミュレーション結果は、この値に近い。
【０３８８】
位相を計算するためには、
【数１０】
2020170011.tif 000019
であるため、これは、
【数１１】
2020170011.tif 000020
となり、式中、Ｖｏｕｔ９０は、乗算に対する９０°位相ずれを有する積分器出力であり、Ｖｏｕｔ０は、０°位相ずれに対する積分器出力である。Ｖｏｕｔ９０及びＶｏｕｔ０の出力は、１／２サイクルの同じ数に対して積分される又はサイクル数により正規化される必要がある。実際のソフトウェア（例えば、ＡＳＩＣ）実装では、積分サイクル（３６０°）のみが可能とされているのは、整数個のサイクルが乗算器前の回路内のオフセットを相殺するからであることに留意することが重要である。
【０３８９】
電流の大きさは、
【数１２】
2020170011.tif 000021
から求めることができる。この電流は、上記で計算されたような位相角を有する。
【０３９０】
上記の分析は、乗算信号に対して電流振幅及びその位相を決定することができることを示す。強制電圧は、乗算信号に関して固定された位相（０、９０、１８０又は２７０度）で発生され、強制電圧が精密に制御されるようにデジタル方式で行われる。しかし、強制正弦波が電極に印加される前に、少なくとも１つの増幅器が経路内にあり、このことが不要な位相ずれ及び振幅誤差を持ち込むこととなる。これは、電極近傍で電気的に得られる強制正弦波信号を積分することによって補償することができる。したがって、強制電圧の振幅及び位相ずれを決定することができる。電流及び電圧の波形の両方に対する経路が同一の回路で処理されることとなるため、いかなるアナログ回路の利得及び位相誤差も相殺されることとなる。
【０３９１】
注目する変数は、インピーダンスであるため、Ａａｍｐｌを実際に計算する必要がなくてもよい。電流波形及び電圧波形が同一経路を通して積分されるため、電流と電圧との比には単純な関係が存在する。乗算機能の位相を記述するために、下付き文字を追加して積分された電流センス電圧ＶＩ＿ｏｕｔ及び積分された電極電圧をＶＶ＿ｏｕｔを呼び出すと、下式のとおりである。
【数１３】
2020170011.tif 000022
【０３９２】
インピーダンスは、電圧を電流で徐算したものとなる。したがって、
【数１４】
2020170011.tif 000023
【０３９３】
電圧及び電流の大きさはまた、０度位相及び９０度位相の積分電圧の二乗の平方根から求めることができる。そのため、下式もまた用いてもよい。
【数１５】
2020170011.tif 000024
波形の積分は、比較的高い周波数、例えば、約２５６Ｈｚを超える周波数に対して、１つのハードウェア積分器で行ってもよい。高い周波数では、４つの測定サイクルを必要とし、（ｉ）同位相センサ電流用の測定サイクル、（ｉｉ）９０度位相ずれのセンサ電流用の測定サイクル、（ｉｉｉ）同位相強制電圧用の測定サイクル及び（ｉｖ）９０度位相ずれの強制電圧用の測定サイクルである。
【０３９４】
２つの積分器は、比較的低い周波数、例えば、約２５６Ｈｚ未満の周波数に対して使用してもよく、積分値は、積分器結果をシステムマイクロプロセッサにおいて数値的に組み合わせたものからなる。サイクル毎に何回の積分があるのかを知ることで、マイクロプロセッサは、０度及び９０度の成分を適切に計算することができる。
【０３９５】
積分を強制交流波形と同期させ、低周波数で少なくとも４つの部分に積分を分割することにより、マイクロプロセッサ内の積分部分の組み合わせが乗算機能を達成することができるため、ハードウェア乗算器が不要となる。したがって、実電流情報及び虚電流情報を得るためには、１つの積分経路のみが必要である。より低い周波数については、増幅位相誤差は、より小さくなり、したがって、ある周波数未満、例えば、１Ｈｚ〜５０Ｈｚ、好ましくは約１Ｈｚ未満で、強制電圧位相を決定する必要がなくなる。また、振幅は、より低い周波数で一定であると仮定してもよいため、インピーダンスを決定するためには、安定化後に１つの測定サイクルのみが必要であってもよい。
【０３９６】
上記のように、１つのハードウェア積分器が比較的高い周波数に対して使用されるが、比較的低い周波数に対しては、２つの積分器を使用してもよい。この点に関して、図４５の回路図は、ＡＦＥ  ＩＣにおけるＥＩＳ回路を、比較的高いＥＩＳ周波数用に使用されるものとして示す。これらの周波数では、積分器は、サイクルにわたって積分している間に飽和しない。実際には、複数のサイクルが最も高い周波数に対して積分されるのは、これが、より大きな信号対雑音比を結果としてもたらすより大きな出力信号を提供することとなるためである。
【０３９７】
例えば、約５００Ｈｚ未満の周波数などの、比較的低い周波数については、積分器出力は、共通パラメータで飽和することができる。したがって、これらの周波数については、交互に切り替えられる２つの積分器が用いられる。即ち、第１の積分器が積分している間、第２の積分器は、ＡＤＣによって読み出され、次いで、第１の積分器の積分時間が終わった時点で積分するように準備させるためにリセット（ゼロ合わせ）される。このようにして、信号は、積分間に間隙を有することなく積分することができる。これは、図４５に示すＥＩＳ回路に、第２の積分器及び関連するタイミング制御部を追加することとなろう。
【０３９８】
安定化サイクルの考慮事項
【０３９９】
上記の分析は、電流波形がサイクル毎に変化しない定常状態条件に対するものである。この状態は、抵抗器−コンデンサ（ＲＣ）回路網に正弦波が印加された直後には、コンデンサの初期状態により、満たされない。電流位相は、０度で開始し、定常状態値まで進む。しかし、電流ドレインを減少させるために最小の時間を消費すること、また、ＤＣセンサ測定（Ｉｓｉｇ）を行うための適切な時間を割り当てることが、測定のためには望ましい。したがって、十分に正確な測定値を得るために必要なサイクル数を決定する必要がない。
【０４００】
抵抗とコンデンサとを直列接続した簡易ＲＣ回路の方程式は、下式のとおりである。
【数１６】
2020170011.tif 000025
上式をＩ（ｔ）について解くと、下式が得られる。
【数１７】
2020170011.tif 000026
式中、Ｖｃ０は、コンデンサ電圧の初期値であり、Ｖｍは、駆動正弦波の大きさであり、ωは、ラジアン周波数（２πｆ）である。
第１の項は、非定常状態条件を定義する項を含む。システムの整定を高速化するための一方法は、第１の項を０に等しいとおくことであり、これは、
例えば、
【数１８】
2020170011.tif 000027
を設定することによって行ってもよい。
【０４０１】
これは、実際には必要ではない場合があるが、直流定常状態点からＶｃｉｎｉｔに直ちにジャンプするように、強制正弦波の初期位相を設定することが可能である。この技術は、可能な時間短縮を見出すために、特定の周波数及び予想位相角について評価されてもよい。
【０４０２】
非定常状態項に、時間の指数関数を乗算する。これは、定常状態にどれだけ迅速に到達するかを決定することとなる。ＲＣ値は、インピーダンス計算情報から一次近似として決定することができる。下式
【数１９】
2020170011.tif 000028
が与えられると、
【数２０】
2020170011.tif 000029
が得られる。
【０４０３】
５度の位相角で１００Ｈｚのセンサについて、これは、時定数が１８．２ミリ秒であることを意味するであろう。１％未満に整定するために、これは、約８５ミリ秒の整定時間又は８．５サイクルを意味するであろう。一方、６５度の位相角で０．１０Ｈｚのセンサについて、これは、時定数が約０．７５秒であることを意味するであろう。１％未満に整定するためには、これは、約３．４秒の整定時間を意味するであろう。
【０４０４】
したがって、本明細書で上記に詳述したように本発明の実施形態では、ＡＳＩＣは、（少なくとも）７つの電極パッドを含み、そのうち５つがＷＯＲＫ電極（即ち、検知電極又は作用電極又はＷＥ）として割り当てられ、そのうち１つがＣＯＵＮＴＥＲ（即ち、対電極又はＣＥ）であり、１つがＲＥＦＥＲＥＮＣＥ（即ち、基準電極又はＲＥ）である。対電極用増幅器（counter amplifier）４３２１（図４２Ｂを参照されたい）は、ＣＯＵＮＴＥＲ、ＲＥＦＥＲＥＮＣＥ及び／又はＷＯＲＫの任意に割り当てたパッド及びそれらの任意の組み合わせにプログラム可能に接続されてもよい。すでに述べたように、本発明の実施形態は、例えば、６つ以上のＷＥを含んでもよい。この点で、本発明の実施形態はまた、６つ以上の作用電極とインターフェースするＡＳＩＣを対象としてもよい。
【０４０５】
本明細書に記載したようなＡＳＩＣにより、上記５つの作用電極、対電極及び基準電極のそれぞれは、個別に独立してアドレッシング可能であることが重要である。そのため、５個の作用電極のうちの任意の１つは、オンにしてＩｓｉｇ（電極電流）を測定してもよく、任意の１つは、オフにしてもよい。更に、５つの作用電極のうちの任意の１つは、ＥＩＳ関連パラメータ、例えば、インピーダンス及び位相の測定のためにＥＩＳ回路に動作可能に接続／結合されてもよい。即ち、ＥＩＳは、作用電極の任意の１つ以上で選択的に実行されてもよい。加えて、５つの作用電極のそれぞれの対応する電圧レベルは、基準電極に対して振幅及び符号において独立にプログラムされてもよい。これには、電極（複数可）が干渉に敏感にならないように、例えば、１つ以上の電極上の電圧を変化させるなどの多くの応用がある。
【０４０６】
２つ以上の作用電極が冗長電極として採用されている実施形態では、本明細書で説明されるＥＩＳ技術は、例えば、複数の冗長電極のいずれが最適に機能しているか（例えば、より高速な始動、ディップが最小又はないこと、感度損失が最小又はないこと）を判定するために使用されるため、最適な作用電極（複数可）のみをグルコース測定値を得るためにアドレッシングすることができる。次いで、後者は、連続較正の必要性を、排除しない場合でも、大幅に低減してもよい。同時に、他の（冗長）作用電極（複数可）は、（ｉ）ＥＩＳが「オフ」の電極に対しては実行しなくてもよいため、オフにして、電力管理を容易にしてもよく、（ｉｉ）パワーダウンしてもよく、かつ／又は（ｉｉｉ）ＥＩＳを介して周期的に監視して、回復したために作動状態に復帰させてよいかどうかを判定してもよい。一方、非最適化電極（複数可）は、較正の要求をトリガしてもよい。ＡＳＩＣはまた、例えば、故障している又は非作動状態の作用電極を含む、電極の任意を対電極にすることができる。したがって、本発明の実施形態では、ＡＳＩＣは、２つ以上の対電極を有してもよい。
【０４０７】
上記では、冗長電極が同じサイズであり、同じ化学的作用、同じ設計などを有するという、単純な冗長性を全般的には扱っているが、上述した診断アルゴリズム、融合方法及び関連するＡＳＩＣはまた、インプラント時間の関数としてセンサインプラントの完全性を評価する方法として、空間的に分布させた、同様の大きさ又は異なる大きさの作用電極と共に使用されてもよい。したがって、本発明の実施形態では、異なる形状、サイズ及び／又は構成を有してもよい同じ屈曲部上の電極を含む、又は特定の環境を対象として使用される同じ若しくは異なる化学的作用を含むセンサを使用することができる。
【０４０８】
例えば、一実施形態では、１つ又は２つの作用電極は、例えば、かなり良好な水和を有するように設計されてもよいが、２日又は３日を経過して持続しなくてもよい。一方、他の作用電極（複数可）は、持続性のある耐久性を有してもよいが、初期水和が遅くてもよい。このような場合、アルゴリズムは、第１の群の作用電極（複数可）を用いて早期経過時にグルコースデータを生成し、その後、中間経過時に第２の群の電極（複数可）に（例えば、ＡＳＩＣを介して）切り替えが行われ得るように設計されてもよい。このような場合、融合アルゴリズムは、例えば、全てのＷＥについて、必ずしも「ヒューズ」データではなくてもよく、ユーザ／患者は、中間経過時にセンシングコンポーネントが切り替えられたことに気づかない。
【０４０９】
更に他の実施形態では、全体のセンサ設計は、異なるサイズのＷＥを含んでもよい。このような小さいＷＥは、より低いＩｓｉｇ（より小さな幾何学的領域）を全般的には出力し、低血糖検出／精度に対して特に使用してもよいが、より大きなＩｓｉｇを出力するより大きなＷＥは、正常血糖及び高血糖精度に対して特に使用してもよい。寸法差を与えられた場合、異なるＥＩＳ閾値及び／又は周波数は、これらの電極間での診断に使用される必要がある。ＡＳＩＣは、本明細書で上述したように、プログラム可能な、電極特有のＥＩＳ基準を有効化することによって、そのような要件に対応する。前の例のように、信号は、必ずしも融合されずに、ＳＧ出力を生成してもよい（即ち、異なるＷＥは、異なる時点にタップされてもよい）。
【０４１０】
前に言及したように、ＡＳＩＣは、刺激の開始及び停止を命令し、約１００Ｈｚより上の周波数に対するＥＩＳ由来パラメータの測定値を調整する、プログラム可能シーケンサ４２６６を含む。シーケンスの終了時に、データは、バッファメモリ内にあり、マイクロプロセッサが必要なパラメータ（の値）を迅速に取得するため利用可能である。これは、時間を節約し、マイクロプロセッサの介入がより少なくて済むため、システム電源要件もまた低減する。
【０４１１】
約１００Ｈｚよりも低い周波数に対して、プログラム可能シーケンサ４２６６は、ＥＩＳ用の刺激の開始及び停止を調整し、データをバッファリングする。測定サイクルの終了時、又はバッファが満杯に近くなった場合のいずれかでは、ＡＳＩＣは、マイクロプロセッサに割り込みをかけて、利用可能なデータを収集する必要があることを示してもよい。バッファの深度は、ＥＩＳ由来パラメータが収集されている間に、マイクロプロセッサが他のタスクを実行することができる時間、又はスリープする時間を決定することとなる。例えば、好ましい一実施形態では、バッファは、６４回の測定深度である。この場合もまた、これは、マイクロプロセッサがデータ断片を収集する必要がなくなるため、エネルギーを節約する。シーケンサ４２６６もまた、より高速で整定する可能性を有する、０とは異なる位相で刺激を開始する能力を有することにも留意されたい。
【０４１２】
ＡＳＩＣは、上述のように、マイクロプロセッサへの電力を制御することができる。したがって、例えば、電源を完全にオフにすることができ、また、例えば、機械スイッチ又は容量性若しくは抵抗性センシングを用いたセンサの接続／切断の検出に基づいて、マイクロプロセッサの電源投入をすることができる。更に、ＡＳＩＣは、マイクロプロセッサのウェイクアップを制御することができる。例えば、マイクロプロセッサは、それ自体を低電力モードにすることができる。次いで、ＡＳＩＣは、例えば、センサ切断／接続検出がＡＳＩＣによって行われる場合、マイクロプロセッサに信号を送ることができ、その信号は、プロセッサをウェイクアップする。これは、例えば、機械スイッチ又は容量ベースの検知スキームなどの技術を用いてＡＳＩＣによって生成された信号に応答することを含む。これによりマイクロプロセッサを長期間にわたりスリープにすることができ、それにより、電力ドレインを大幅に低減することができる。
【０４１３】
本明細書で上述したようなＡＳＩＣにより、酸素検知及び過酸化物検知の両方を同時に実施することができることを繰り返し述べることが重要であるのは、５つ（以上）の作用電極が全て独立しており、独立してアドレッシング可能であり、そのため、所望の任意の方法で構成することができるからである。加えて、ＡＳＩＣは、複数のマーカに対する複数の閾値が可能であるため、ＥＩＳは、固有の閾値（複数可）をそれぞれ有する様々な要因、例えば、Ｖｃｎｔｒのレベル、容量変化、信号ノイズ、Ｉｓｉｇの大きな変化、ドリフト検出などによってトリガすることができる。加えて、そのようなそれぞれの要因について、ＡＳＩＣは、複数のレベルの閾値を有効化する。
【０４１４】
本発明の更に別の実施形態では、ＥＩＳは、代替的なめっき測定ツールとして使用されてもよく、センサ基板の作用電極及び対電極の両方のインピーダンスは、基準電極に対して、電気めっき後に試験されてもよい。より具体的には、電極表面の平均粗さを与えるセンサ基板の測定を行う既存のシステムは、それぞれの電極から小さな領域をサンプリングして、その小さな領域の平均粗さ（Ｒａ）を決定する。例えば、現在は、Ｚｙｇｏ社製非接触干渉計を用いて、電極表面積を定量かつ評価する。Ｚｙｇｏ社製干渉計は、対電極及び作用電極の小さな領域を測定し、平均粗さ値を提供する。この測定は、それぞれのセンサ電極の粗さを、その電極の実際の電気化学的表面積と相関させる。現在使用されているシステムの制限により、製造処理能力の観点から、極めて時間がかかる試みとなるであろうことから、電極表面全体を測定することは可能ではない。
【０４１５】
電極全体を有意義かつ定量的な方法で測定するために、表面積を測定するためのＥＩＳベースの方法が、現在の、例えば、Ｚｙｇｏ社製ベースの試験よりも速く、センサ性能の観点からより有意義である、本発明により開発された。具体的には、電極表面特性評価におけるＥＩＳの使用は、いくつかの点において有利である。第１に、複数のプレートを同時に試験できるようにすることによって、ＥＩＳは、電極を試験するより速い方法を提供し、それにより、より高い効率及び処理能力を提供すると同時に、コスト効果的であり、品質を維持する。
【０４１６】
第２に、ＥＩＳは、試験下の電極における直接電気化学測定であり、即ち、電極に対するＥＩＳ由来パラメータ（複数可）の測定を可能にし、測定値を電極の真の電気化学表面積に相関させる。したがって、電極の小さな区画上で平均高さの差をとる代わりに、ＥＩＳ技術は、電極表面積全体にわたって（表面積に直接関係する）二重層容量を測定し、そのため、実際の表面積を含む電極の特性をより適切に表す。第３に、ＥＩＳ試験は、非破壊であり、そのため、その後のセンサ性能に影響を及ぼさない。第４に、ＥＩＳは、測定されることとなる表面領域が脆弱であるか、又は容易に操作することが困難であるか、のいずれかである場合に、特に有用である。
【０４１７】
本発明のこの実施例の目的のために、注目するＥＩＳ由来パラメータは、オーム単位のインピーダンスの大きさ（｜Ｚ｜）及び電解液に浸漬した電極の度単位の位相角（Φ）の測定値に基づいて、上記で議論されたように得られてもよい、虚数インピーダンス（Ｚｉｍ）である。高速プロセスであることに加え、対電極（ＣＥ）及びＷＥの両方の電気化学的インピーダンスを用いた試験は、それぞれの電極の表面積を測定する正確な方法であることが見出された。これがまた重要でもあるのは、グルコースセンサ性能における電極サイズの役割は、少なくとも部分的には、グルコースのＧＯＸとの酵素反応により生成した過酸化水素の酸化により決定されるが、増加したＷＥ表面積が低始動事象の回数を減少させ、センサ応答性を改善させることを実験が示したからであり、これらは両方ともかなり詳細に上記で議論された潜在的故障モードにある。
【０４１８】
注目するＥＩＳ由来パラメータとして虚数インピーダンスを再び参照すると、電極表面領域、したがって、その虚数インピーダンス値を駆動する重要パラメータは、（ｉ）電気めっき条件（秒単位の時間及びマイクロアンペア単位の電流）、（ｉｉ）表面積と最も良好に相関するＥＩＳ周波数、（ｉｉｉ）ＥＩＳシステムで使用される電解質に関連付けられた単一電極上で実施される測定の数及び（ｉｖ）直流電圧バイアスであることが見出された。
【０４１９】
上記パラメータに関連して、実験は、電解質として白金めっき液を用いると、スペクトル全体にわたって虚数インピーダンスと表面積との間で相関が低いことを示した。しかし、電解質として硫酸（Ｈ２ＳＯ４）を用いると、非常に良好な相関データを示し、リン酸緩衝塩溶液をゼロｍｇ／ｍＬのグルコース（ＰＢＳ−０）と共に用いると、虚数インピーダンスと表面積比（ＳＡＲ）との間で、特に１００Ｈｚ〜５Ｈｚの比較的低い周波数で、更により良好な相関データを示す。更に、三次回帰モデルを用いた適合回帰分析は、本発明の実施形態では、最良の相関が１０Ｈｚの周波数で生じる場合があることを示す。加えて、バイアス電圧を５３５ｍＶからゼロまで低減すると、虚数インピーダンス測定における毎日の変動性が劇的に低減されることが見出された。
【０４２０】
上記のパラメータを使用すると、虚数インピーダンスの値の受容性の限界は、所与のセンサ設計用に定義することができる。したがって、例えば、Ｍｅｄｔｒｏｎｉｃ  Ｍｉｎｉｍｅｄによって製造されたＣｏｍｆｏｒｔ  Ｓｅｎｓｏｒについて、ＷＥとＲＥ（白金メッシュ）との間で測定される虚数インピーダンスは、−１００オーム以上でなければならない。即ち、−１００オーム未満の（ＷＥの）虚数インピーダンス値を有するセンサは、不合格とされることとなる。ＷＥについて、−１００オーム以上のインピーダンス値は、０．５５μｍよりも大きい等価Ｒａ測定により特定された以上の表面積に対応する。
【０４２１】
同様に、ＣＥとＲＥ（白金メッシュ）との間で測定される虚数インピーダンスは、−６０オーム以上でなければならないため、−６０オーム未満の（ＣＥの）虚数インピーダンス値を有するセンサは、不合格とされることとなる。ＣＥについて、−６０オーム以上のインピーダンス値は、０．５０μｍよりも大きい等価Ｒａ測定により特定された以上の表面積に対応する。
【０４２２】
本発明の実施形態によれば、図４８に示すような等価回路モデルを用いて、測定されたＥＩＳを作用電極ＷＥと基準電極ＲＥとの間でモデル化してもよい。図４８に示す回路は、合計で６つの要素を有し、これらの要素は、３つの一般的なカテゴリ、（ｉ）反応関連要素、（ｉｉ）膜関連要素及び（ｉｉｉ）溶液関連要素に分けられてもよい。後者のカテゴリでは、Ｒｓｏｌは、溶液抵抗であり、センサシステム外部の環境の特性（例えば、生体内の間質液）に対応する。
【０４２３】
反応関連要素は、分極抵抗（即ち、電極と電解質との間の電圧バイアス及び電荷移動に対する抵抗）であるＲｐ、電極−電解質界面における二重層容量であるＣｄｌと、を含む。このモデルでは、二重層容量は、界面の不均一性により一定位相要素（constant phase element、ＣＰＥ）として示され、純容量としてもまたモデル化することができることに留意されたい。ＣＰＥとして、二重層容量は、２つのパラメータ、アドミッタンスを示すＣｄｌと、ＣＰＥの一定位相（即ち、コンデンサにどれだけの漏洩があるのか）を示すαと、を有する。ＣＰＥの周波数依存インピーダンスは、下式のように計算してもよい。
【数２１】
2020170011.tif 000030
したがって、モデルは、合計で３つのパラメータ、Ｒｐ、Ｃｄｌ及びαで表される、２つの反応関連要素Ｒｐ及びＣｄｌを含む。
【０４２４】
膜関連要素は、膜抵抗（又は化学層による抵抗）であるＲｍｅｍと、膜容量（化学層による容量）であるＣｍｅｍと、を含む。Ｃｍｅｍは、純容量として図４８に示すが、特殊な場合にはＣＰＥとしてモデル化することもできる。示したように、Ｗは、有界ワールブルク素子であり、２つのパラメータ、化学層内のグルコース／Ｈ２Ｏ２拡散によるワールブルク素子のアドミッタンスを表すＹ０と、ワールブルク素子の拡散時定数を表すλと、を有する。ワールブルクはまた、他の方法（例えば、非有界）でモデル化されてもよいことに留意されたい。有界ワールブルク素子の周波数依存性インピーダンスは、下式のように計算してもよい。
【数２２】
2020170011.tif 000031
したがって、モデルは、合計で４つパラメータ、Ｒｍｅｍ、Ｃｍｅｍ、Ｙ０及びλにより表される３つの膜関連要素、Ｒｍｅｍ、Ｃｍｅｍ及びＷを含む。
【０４２５】
図４８の上部分は、本発明の実施形態に従ったセンサの全体構造を示し、白金ブラックは電極を指す。ここで、単一の電極が図示されているが、これは限定ではなく、例示としてのみ示されている点に留意することが重要であり、なぜなら、モデルが、図４８に示す例示的な３層の単一電極構造よりも、より多くの層数及びより多くの電極を有するセンサに適用されてもよいからである。本明細書で上述したように、ＧＬＭは、センサのグルコース制限膜であり、ＨＳＡは、ヒト血清アルブミンであり、ＧＯＸは、（触媒として使用される）グルコースオキシダーゼ酵素であり、溶液は、例えば、ユーザの体液（複数可）などの電極が配置される環境を指す。
【０４２６】
以下の説明では、図４８の等価回路モデルを使用して、センサ挙動の物理的特性のうちのいくつかを説明する。それでもなお、グルコース拡散がどのようにモデル化されているかに応じて、他の回路構成もまた可能であってもよいことを指摘しておく。この点に関して、図４９Ａ〜図４９Ｃは、いくつかの追加の回路モデルの説明図を示し、これらのうちのいくつかは、より多くの素子及び／又はパラメータを含む。しかし、本発明の目的に対して、質量輸送制限、即ち、ワールブルク成分は、膜を通したグルコース拡散に起因する図４８の回路モデルが、実験データに対する最良の適合をもたらすことが見出された。図５０Ａは、等価回路シミュレーション５０２０が実験データ５０１０に非常によく適合することを示すナイキスト線図である。図５０Ｂは、図５０Ａの高周波数部分の拡大図であり、シミュレーションが実際のセンサのデータをその領域でもまた極めて正確に追跡することを示す。
【０４２７】
上述した回路要素及びパラメータのそれぞれは、ＥＩＳ出力に様々な形態で影響を与える。図５１は、Ｃｄｌが矢印Ａの方向に増加するナイキスト線図を示す。図からわかるように、Ｃｄｌの値が増加するにつれて、（より低い周波数の）ナイキスト線図の長さが減少し、その勾配が増加する。したがって、ナイキスト線図の長さは、プロット５０３１からプロット５０３９まで減少し、プロット５０３３、５０３５及び５０３７のそれぞれは、Ｃｄｌがプロット５０３１からプロット５０３９にまで増加するにつれて、徐々に減少する対応する長さを有する。逆に、ナイキスト線図の勾配は、プロット５０３１からプロット５０３９まで増加し、プロット５０３３、５０３５及び５０３７のそれぞれは、Ｃｄｌがプロット５０３１からプロット５０３９まで増加するにつれて、徐々に増加する対応する勾配を有する。しかし、ナイキスト線図の高周波領域は、全般的には、影響を受けない。
【０４２８】
図５２は、αが矢印Ａの方向に増加するナイキスト線図を示す。ここで、αが増加するにつれて、ナイキスト線図の勾配は、より低い周波数領域において増加する。図５３では、Ｒｐが矢印Ａの方向に増加するにつれて、より低い周波数のナイキスト線図の長さ及び勾配が増加する。Ｒｐがより大きいほど、化学反応に対する抵抗の量が大きくなり、したがって、電子とイオンとの交換の速度はより遅くなる。したがって、現象論的に、図５３は、電子−イオン交換速度が減少するにつれて、即ち、続いてより低い（Ｉｓｉｇ）出力を意味する、電流化学反応に対する抵抗が増加するにつれて、より低い周波数のナイキスト線図の長さ及び傾斜が増加することを示す。この場合もまた、ナイキスト線図のより高い周波数領域への影響は、最小であるか、又は影響がない。
【０４２９】
ワールブルクアドミッタンスにおける変化の効果を図５４に示す。ワールブルクアドミッタンスが矢印Ａの方向に増加するにつれて、より低い周波数のナイキスト線図の長さ及び勾配の両方が増加する。現象学的に、これは、より低い周波数のナイキスト線図の長さ及び傾斜が、反応物質の流入が増加するにつれて増加する傾向にあることを意味する。図５５では、λが矢印Ａの方向に増加するにつれて、ナイキスト線図の勾配が減少する。
【０４３０】
上述した要素及びパラメータとは対照的に、膜関連要素及びパラメータは、ナイキスト線図のより高い周波数領域に全般的には影響を及ぼす。図５６は、ナイキスト線図に対する膜容量の効果を示す。図５６からわかるように、Ｃｍｅｍにおける変化は、高周波領域の半円部がどの程度見えるかということに影響を及ぼす。したがって、膜容量が矢印Ａの方向に増加するにつれて、見ることができる半円部が徐々に小さくなる。同様に、図５７に示すように、膜抵抗が矢印Ａの方向に増大するにつれて、高周波領域の半円部の多くが見えるようになる。加えて、Ｒｍｅｍが増加するにつれて、ナイキスト線図全体が左から右にシフトする。後者の平行シフト現象はまた、図５８に示すように、Ｒｓｏｌについても当てはまる。
【０４３１】
図４８の等価回路モデルに関連する上記の議論は、以下のように要約してもよい。第１に、Ｃｄｌ、α、Ｒｐ、ワールブルク及びλは、低周波数応答を全般的には制御する。より具体的には、より低い周波数のナイキストスロープ／Ｚｉｍａｇは、Ｃｄｌ、α、Ｒｐ及びλに主に依存し、より低い周波数長／Ｚｍａｇｎｉｔｕｄｅは、Ｃｄｌ、Ｒｐ及びワールブルクアドミッタンスに主に依存する。第２に、Ｒｍｅｍ及びＣｍｅｍは、より高い周波数応答を制御する。特に、Ｒｍｅｍは、高周波半円部直径を決定し、Ｃｍｅｍは、ナイキスト線図に対する全体的な効果が最小となる変曲点周波数を決定する。最後に、Ｒｍｅｍ及びＲｓｏｌにおける変化は、ナイキスト線図における平行シフトを引き起こす。
【０４３２】
図５９Ａ〜図５９Ｃ、図６０Ａ〜図６０Ｃ及び図６１Ａ〜図６１Ｃは、センサ始動時及び較正時に、上記回路素子における変化についてインビトロ実験した結果を示す。図５９Ａ、図６０Ａ及び６１Ａは、同一である。図５９Ａに示すように、実験は、２つの冗長作用電極５０５０、５０６０を用いて、（７日〜）９日の期間で全般的には実施された。１００ｍｇ／ｄＬのベースライングルコース量を使用したが、１００ｍｇ／ｄＬは、実験全体を通した様々な時点でゼロ〜４００ｍｇ／ｄＬで変化された（５０７０）。加えて、３２℃〜４２℃の（溶液）温度変化の影響（５０８０）及び０．１ｍｇ／ｄＬアセトアミノフェン応答（５０８５）が検討された。最後に、実験は、酸素ストレステストを含み、溶液中に溶存する酸素の供給量は、０．１％〜５％で変化（即ち、制限）させた（５０７５）。これらの実験の目的に関して、完全ＥＩＳ掃引（即ち、０．１Ｈｚ〜８ｋＨｚ）を実施し、出力データを３０分毎に約１回記録（かつプロット）した。しかし、より短い又はより長い間隔もまた使用してもよい。
【０４３３】
図５９Ｃでは、ナイキスト線図の変曲点における実数インピーダンスの大きさにより、この場合もまた推定されてもよいＲｓｏｌとＲｍｅｍとの和は、時間の関数として全般的には下向きの傾向を示す。これは、膜が水和する時間がかかるという事実に主に起因し、したがって、時間が経過するにつれて、膜は、電荷に対する抵抗がより小さくなることとなる。Ｉｓｉｇに関するプロット（図５９Ａ）とＲｓｏｌ＋Ｒｍｅｍに関するプロット（図５９Ｃ）との間に、わずかな相関もまた見ることができる。
【０４３４】
図６０Ｂは、Ｃｄｌに対するＥＩＳ出力を示す。ここで、最初に、センサ起動／センサチャージアッププロセスによって、数時間の期間にわたって、比較的急速な低下（５０８７）がある。しかし、その後は、Ｃｄｌは、ほとんど一定であり、Ｉｓｉｇ（図６０Ａ）との強い相関を示す。後者の相関が与えられると、Ｃｄｌデータは、ＥＩＳパラメータとして、グルコース独立性が望まれる用途ではあまり有用ではない恐れがある。図６０Ｃに示すように、Ｒｐの傾向は、Ｃｄｌに関するプロットの鏡像として全般的には記述されていてもよい。膜がより水和されるにつれて、流入が増加し、図６１Ｂのワールブルクアドミッタンスのプロットに反映されている。図６１Ｃに示すように、λは、全体を通して全般的には一定のままである。
【０４３５】
図６２〜図６５は、上記実験の様々な部分に対する実際のＥＩＳ応答を示す。具体的には、最初の３日間に行われた変化、即ち、図５９Ａ、図６０Ａ及び図６１Ａに示すような、グルコース変化、酸素ストレス及び温度変化は、図６２において枠で囲んであり（５０９１）、Ｖｃｎｔｒ応答５０９３は、この図の下の部分及び図５９Ｂに示してある。図６３は、グルコースの増加を介したＩｓｉｇ較正がナイキスト線図の勾配及び長さを減少させたことを示す。図６４では、酸素（又はＶｃｎｔｒ）応答は、２日目に示されており、Ｖｃｎｔｒは、酸素含有量が減少するにつれてますます負になる。ここで、ナイキスト線図は、長さが短くなり、その勾配は、減少し（５０９４）、虚数インピーダンスの大幅な減少を示す。プロット長は、主にＣｄｌ及びＲｐに依存し、Ｖｃｎｔｒに強く相関するため、続いて、グルコース及び酸素の変化に応答する。図６５では、Ｉｓｉｇの変化は、２日目〜３日目には無視できる。それでもなお、ナイキスト線図は、３２℃（５０９５）及び４２℃（５０９７）で取得されたデータに関して（３７℃のプロットから）水平方向にシフトする。しかし、ナイキスト線図の長さ、勾配又はＩｓｉｇに対する顕著な影響はない。
【０４３６】
上記のＥＩＳ出力及びシグネチャ情報を一緒にすることで、センサ始動中に、Ｒｍｅｍ＋Ｒｓｏｌの大きさが、ナイキスト線図における右から左へのシフトに対応して、経時的に減少することが発見された。この期間中、Ｃｄｌが減少し、Ｒｐが増加し、それに対応してナイキストスロープが増加する。最後に、ワールブルクのアドミッタンスもまた増加する。既に指摘したように、前述の内容は、水和プロセスと一貫性があり、ＥＩＳプロット及びパラメータ値は、安定化するまでに１〜２日（例えば、２４〜３６時間）程度を要する。
【０４３７】
本発明の実施形態は、リアルタイム自己較正、より具体的には、ＥＩＳデータに基づくグルコースセンサのインビボ自己較正に関する。自己較正アルゴリズムを含む任意の較正アルゴリズムは、感度損失に対処する必要がある。上述したように、２種類の感度損失が生じる恐れがあり、（１）感度の一時的損失であり、センサ動作の最初の数日中に一般的には生じる、Ｉｓｉｇディップ及び（２）センサ寿命の末期に生じ、場合によりＶｃｎｔｒレイルの存在と相関する、永久的感度損失である。
【０４３８】
感度損失が、ナイキスト線図において右への平行シフトとして観察することができるＲｓｏｌ若しくはＲｍｅｍ（あるいはその両方）の増加として、又は、Ｒｍｅｍが変化する場合、（高周波数虚数インピーダンスの増加をもたらす）より高い周波数での半円部へのより可視的な開始として、出現することができることが発見された。Ｒｓｏｌ及びＲｍｅｍに加えて、又はその代わりに、Ｃｍｅｍの増加のみが存在する場合がある。これは、高周波数半円部における変化として観察することができる。感度損失は、（ナイキスト線図のより低い周波数セグメント内の長いテールとして）Ｃｄｌにおける変化を伴うこととなる。前述のシグネチャは、ＥＩＳ出力の異なる変化が、感度の変化を補償するためにどのように使用することができるのかを決定するための手段を提供する。
【０４３９】
正常に動作しているグルコースセンサについて、血糖値（ＢＧ）とセンサの電流出力（Ｉｓｉｇ）との間には線形関係がある。したがって、
ＢＧ＝ＣＦ×（Ｉｓｉｇ＋ｃ）であり、
式中、「ＣＦ」は、較正係数（Cal Factor）であり、「ｃ」は、オフセットである。これは、図６６に示されており、較正曲線は、直線６００５によって示されるとおりであり、「ｃ」は、ベースラインオフセット６００７（ｎＡ単位）である。しかし、Ｒｍｅｍの増加及び／又はＣｍｅｍの減少があるときには、ｃは、影響を受けることとなる。したがって、直線６００９は、膜特性の変化を示す、Ｒｍｅｍが増加し、Ｃｍｅｍが減少し、それにより、オフセット「ｃ」が６０１１に移動する、即ち、較正曲線の下方へのシフトを引き起こす状況を示す。同様に、Ｃｄｌにおける（非グルコース関連の）変化及びＲｐの増加があり、（より低い周波数の）ナイキスト線図の長さが結果として増加すると、勾配は、影響を受けることとなり、この場合、勾配＝１／ＣＦである。したがって、図６６では、直線６０１３は、直線６００５とは異なる（より小さい）勾配を有する。組み合わせた変化もまた発生することができ、これは直線６０１５で示され、感度損失を示す。
【０４４０】
簡便のために、１２８Ｈｚ〜０．１０５Ｈｚ（実数）インピーダンスの長さとして例示的に推定されてもよい、ナイキスト線図（Ｌｎｙｑｕｉｓｔ）のより低い周波数セグメントの長さは、グルコース変化と高度に相関する。モデル適合を通して、グルコース変化中に変化するパラメータのみが二重層容量Ｃｄｌである、具体的には二層アドミッタンスであることが発見された。したがって、図４８の等価回路モデルにおけるＩｓｉｇ依存のみのパラメータ、また拡張すれば、グルコース依存のパラメータは、Ｃｄｌであり、他の全てのパラメータは、実質的にＩｓｉｇ独立である。
【０４４１】
上記の観点から、本発明の一実施形態では、Ｒｍｅｍ及びＣｍｅｍの変化は、較正係数（ＢＧ／Ｉｓｉｇ）の再調整に到達するまで追跡してもよく、それにより、連続したフィンガースティック検査を必要とせずにセンサの自己較正をリアルタイムに行うことができる。これが可能であるのは、部分的に、Ｒｍｅｍ及びＣｍｅｍにおける変化が、較正曲線の、勾配における変化ではなく、オフセット（ｃ）における変化を結果として生じるためである。即ち、モデルの膜関連パラメータにおけるそのような変化は、センサが依然として適切に機能していることを全般的には示す。
【０４４２】
グラフ表示すると、図６７Ａは、記録されている実際の血糖（ＢＧ）データ６０５５を示し、作用電極からのＩｓｉｇ出力６０６０を重ね合わせてある。約１〜４日目を含む第１の期間（又は時間窓）（６０５１）からのデータと、約６〜９日目を含む第２の期間（６０５３）からのデータとを比較すると、図６７Ａは、センサが第２の期間中に全般的には下方にドリフトしていることを示し、これはおそらくセンサにおける中程度の感度損失があることを示す。Ｖｃｎｔｒにおける増加もまた、図６７Ｂに示すように、第２の期間中に存在する。
【０４４３】
図６８及び図６９を参照すると、感度損失が、６〜９日目の第２の期間中に、膜抵抗６０６１の比較的顕著な増加によって、また同時にワールブルクアドミッタンス６０６３の対応する低下によって明確に示されていることがわかり得る。したがって、図７０は、第２の期間６０５３用の較正曲線６０７３が、第１の期間６０５１用の較正曲線６０７１から、平行に、下方にシフトされることを示す。また、図５７と関連して本明細書で上述したように、膜抵抗（Ｒｍｅｍ）が増加するにつれて、ナイキスト線図全体は、左から右にシフトし、高周波領域半円部の多くが見えるようになる。図６７Ａ〜図７０のデータについて、この現象は、図７１に示されており、ナイキスト線図の拡大された、より高い周波数領域は、第２の期間６０５３からのデータが第１の期間６０５１からのデータと比較して、プロットを左から右に移動させることと、ナイキスト線図におけるシフトが左から右に進むにつれて、半円部が更に見えるようになること（６０８０）と、を示す。加えて、プロットの拡大したより低い周波数領域はＬｎｙｑｕｉｓｔにおいて顕著な変化が無いことを示す。
【０４４４】
一方、Ｃｄｌ及びＲｐにおける変化は通常、電極（複数可）が既に損なわれている恐れがあることを示すため、回復がもはや可能ではない恐れがある。更に、Ｃｄｌ及びＲｐにおける変化はまた、例えば、診断ツールとして追跡されて、これらのパラメータにおける変化の方向／傾向に基づいて、ドリフト又は感度損失が、適正なセンサ動作がもはや回復可能ではない又は達成可能でない時点に到達したかどうかを決定してもよい。この点で、本発明の実施形態では、対応する閾値下限及び／又は閾値上限若しくは閾値の範囲は、Ｃｄｌ及びＲｐのそれぞれについて又は勾配における変化について計算されてもよいため、対応する閾値（範囲）から外れるこれらのパラメータに対するＥＩＳ出力値は、例えば、回復不可能な感度損失によりセンサの停止及び／又は交換をトリガしてもよい。特定の実施形態では、センサ設計及び／又は患者固有の範囲又は閾値が計算されてもよく、範囲／閾値は、例えば、Ｃｄｌ、Ｒｐ及び／又は勾配における変化に相対的であってもよい。
【０４４５】
グラフ表示すると、図７２Ａは、記録されている実際の血糖（ＢＧ）６１５５データを示し、２つの作用電極ＷＥ１  ６１６０及びＷＥ２  ６１６２からのＩｓｉｇ出力を重ね合わせてある。グラフは、１日目用の第１の時間窓（６１７０）、３〜５日目用の第２の時間枠（６１７２）、３日目用の第３の時間窓（６１７４）及び５と１／２〜９と１／２日目の第４の時間窓（６１７６）からのデータを示す。３日目に開始すると、図７２Ｂは、Ｖｃｎｔｒのレイルが１．２ボルトであることを示す。しかし、感度の低下は、約５日目程度から発生する（６１８０）。Ｖｃｎｔｒがレイルになると、Ｃｄｌは、大幅に増加し、それに対応するＲｐが減少し、電気化学反応全体に対するより高い抵抗を示す。予想どおり、較正曲線の勾配もまた変化（減少）し、Ｌｎｙｑｕｉｓｔがより短くなる（図７３〜図７５を参照されたい）。本発明の実施形態において、Ｖｃｎｔｒのレイルの発生を使用して、センサの停止を回復不能なものとしてトリガできることに留意されたい。
【０４４６】
膜抵抗の増加、Ｃｄｌの低下、及びＶｃｎｔｒのレイルを組み合わせた効果を図７６Ａ〜７６Ｂ、及び７７〜８０に示す。図７６Ａにおいて、実際の血糖（ＢＧ）データ６２１０を、２つの作用電極、ＷＥ１  ６２０３及びＷＥ２  ６２０５からのＩｓｉｇ出力により重ね合わせる。分かるように、ＷＥ１は通常、実際のＢＧデータ６２１０を追跡する、即ち、ＷＥ１は正常に機能している。一方、ＷＥ２からのＩｓｉｇはより低い点から開始するようであり、開始から１０日目まで全体的に下降を続ける傾向にあるため、感度の漸減を表す。このことは、図７７に示すように、両方の作用電極についてのＣｄｌが概ね下降傾向を示しても、ＷＥ１（６２１３）についてのＣｄｌよりもＷＥ２（６２１５）についてのＣｄｌのほうが低いことと一致している。
【０４４７】
図７９は、較正曲線に対する組み合わせ効果を示し、ここでは、感度損失（６２３５）の期間についての直線適合のオフセット及び傾斜の両方が、正常機能の時間窓についての較正曲線６２３１に対して変化している。更に、図８０のナイキスト線図は、低周波数領域において、センサが正常に機能している場合（６２４１）と比較して感度損失（６２４５）がある場合に、ナイキスト線図の長さはより長いことを示す。更に、変曲点付近にて、感度の喪失が存在する場合に半円（６２５５）はより可視的になる。重要なことに、感度損失が存在する場合、図８０のナイキスト線図は時間の関数として左から右に水平に移動する。本発明の実施形態において、後での移動を、センサの補償又は自己較正のために測定値として使用することができる。
【０４４８】
したがって、ＥＩＳの特徴として、膜抵抗（Ｒｍｅｍ）の増加及び／又は局所Ｒｓｏｌの増加により、一時的なディップが引き起こされる場合があることが発見されている。Ｒｍｅｍの増加は、高周波数の虚数インピーダンスの増加により反映される。この増加は、高周波数における勾配（Ｓｎｙｑｕｉｓｔ）を特徴とし得る。簡略化のために、これは８ｋＨｚと１２８Ｈｚとの間の勾配として図面から推定可能である。更に、長さと勾配が低下するように、ＶｃｎｔｒのレーリングはＣｄｌを増加させ、Ｒｐを減少させる。これは、感度損失に関係するＣｄｌの漸減及びＲｐの漸増に続く場合がある。一般に、Ｒｐの増加（長さの増加）とＲｍｅｍの増加と組み合わさったＣｄｌの低下は、感度損失を引き起こすのに十分であり得る。
【０４４９】
本発明の実施形態に従い、感度変化及び／又は喪失の検出に基づいたセンサの自己較正のためのアルゴリズムを、図８１に示す。ブロック６３０５及び６３１５では、ベースラインナイキスト線図長（Ｌｎｙｑｕｉｓｔ）及びベースライン高周波勾配はそれぞれ、センサ寿命の開始時にＥＩＳ状態を反映するように設定されている。記載したように、ナイキスト線図の長さはＣｄｌに相関し、より高周波数のナイキストスロープは膜抵抗に相関する。次にプロセスは、ナイキスト線図の長さ（６３３５）と、より高周波数の勾配（６３４５）と、Ｖｃｎｔｒ値（６３２５）とを監視することにより継続する。ＶｃｎｔｒのレーリングがＣｄｌを著しく変化させるため、Ｖｃｎｔｒがレイルになると、ベースラインのＬｎｙｑｕｉｓｔが調節される、又はリセットされる（６３５５）。したがって、監視されたＥＩＳパラメータにおける実時間変化に対応するフィードバックループ６３５８が存在する。
【０４５０】
ブロック６３７５に示すように、ナイキスト線図の長さが監視されると、その長さにおける著しい増加は低下した感度を示す。特定の実施形態において、センサ設計及び／又はセンサ患者特異的範囲若しくは閾値を計算することが可能であり、範囲／閾値は、例えば、ナイキスト線図の長さの変化に対するものであることができる。同様に、より負の高周波数の勾配Ｓｎｙｑｕｉｓｔは、高周波数の半円の外観の増加に対応し、可能なディップ６３６５を示す。例えば、連続的に又は定期的にのいずれかで、そして、感度低下の期間及び傾向に基づいて、Ｌｎｙｑｕｉｓｔ及びＳｎｙｑｕｉｓｔの任意のこのような変化を監視し、特定のセンサグルコース（ＳＧ）値を除外する（６３８５）ように、全体の（即ち厳密な）感度損失が生じたかどうかに関する測定を行う。ブロック６３９５において、監視したパラメータに基づいて較正係数を調節し、「無較正」ＣＧＭセンサを提供することができる。本発明の文脈において、用語「無較正」とは、特定のセンサが全く較正を必要としないことを意味するものではないことに留意されたい。むしろ、センサが、リアルタイムでのＥＩＳ出力データに基づき、そして、追加のフィンガースティック又は計量データを必要とせずに自己較正することができることを意味する。較正は所定の時間スケジュールに基づいてではなく、必要に応じてリアルタイムで行われるため、この意味において、自己較正とは、「知能」較正もまた意味することができる。
【０４５１】
本発明の実施形態では、較正係数（ＣＦ）及び／又はオフセットを調整するためのアルゴリズムは、膜抵抗に基づいてもよく、これは、ＲｍｅｍとＲｓｏｌとの和によって推定されてもよい。膜抵抗はセンサの物理的性質を表すため、通常は単一周波数で実行されるＥＩＳデータからは推定することができない。言い換えれば、周波数はセンサの状態に応じて移動するため、単一周波数は一貫して膜抵抗を表さないことが観察されている。したがって、図８２は、感度損失がある程度存在する場合、ナイキスト線図の水平移動、それ故、Ｒｍｅｍ＋Ｒｓｏｌの値を推定する変曲点の移動が存在することを示す。この場合において、インピーダンスの実数成分の移動は、実際に極めて大きい。しかし、高周波数（例えば８ｋＨｚ）の実数インピーダンスのみが監視される場合、図８２の円で囲った領域に示すように、移動はほとんど、又は全く存在しない。
【０４５２】
それ故、物理的に意味のある方法で膜抵抗を追跡する必要がある。理想的には、これはモデルフィッティングにより行うことができ、ここでは、Ｒｍｅｍ及びＲｓｏｌはモデルフィッティングにより導出され、ＲｍはＲｍ＝Ｒｍｅｍ＋Ｒｓｏｌとして計算される。しかし実際には、このアプローチは、予測不可能なほどの長時間を必要とするために計算的に不経済であるだけでなく、いくつかの状況では全く収束しないため、影響を受けやすくもある。それ故、発見的メトリックを開発して、Ｒｍ＝Ｒｍｅｍ＋Ｒｓｏｌの値を近似する、又は推定することができる。そのような一メトリックにおいて、Ｒｍｅｍ＋Ｒｓｏｌは、とても安定した虚数インピーダンス値における実数インピーダンス切片の値により近似される。したがって、図８３に示すように、例えば、（Ｙ軸上の）虚数インピーダンスに対する一般的な安定領域を、約２０００Ωで識別することができる。これを基準値として取得し、Ｘ軸に平行に移動させることにより、Ｒｍに比例する値を、基準線がナイキスト線図と交差する箇所の実数インピーダンス値として近似することができる。周波数間の補間を実施して、ΔＲｍ∝Δ（Ｒｍｅｍ＋Ｒｓｏｌ）を推定することができる。
【０４５３】
上で論じたＲｍの値を推定すると、Ｒｍと較正係数（ＣＦ）及び／又はＩｓｉｇとの関係を調査することができる。具体的には、図８４は、推定したＲｍとＣＦとの関係を示し、前者は後者に正比例している。図８４の目的のためのデータポイントは、定常状態センサ動作のために導出された。図８５は、正規化Ｉｓｉｇの１／Ｒｍに対するプロットであり、Ｉｓｉｇは、（Ｉｓｉｇの）ＢＧ範囲で正規化されている。図からわかるように、Ｉｓｉｇは、Ｒｍにおける変化に基づいて調整することができる。具体的には、Ｉｓｉｇと１／Ｒｍには線形関係が存在するため、１／Ｒｍの増加（即ち膜抵抗の低下）は、Ｉｓｉｇの比例増加をもたらす。
【０４５４】
したがって、一実施形態において、較正係数を調節するためのアルゴリズムは、参照較正係数に基づいた膜抵抗変化の監視、及び続いての、ＲｍとＣＦとの相関関係に基づいた、較正係数の比例修正を必要とする。言い換えれば、
【数２３】
2020170011.tif 000032
別の実施形態において、較正係数調節アルゴリズムは、１／Ｒｍの比例変化に基づき、ＣＦ計算とは独立したＩｓｉｇの修正を必要とする場合がある。したがって、そのようなアルゴリズムの目的のために、調節したＩｓｉｇを以下のように導出する。
【数２４】
2020170011.tif 000033
【０４５５】
実験では、最も動的なＣＦ変化は、センサ寿命の最初の８時間で生じていることが示されている。具体的には、インビトロ実験の一セットにおいて、Ｉｓｉｇを時間の関数としてプロットしたが、センサの寿命に対して様々なグルコースレベルを一定に保っていた。最初の２時間は３分毎にＥＩＳを実施したが、全てのモデルパラメータを、経時的に推定し追跡した。以前に記したように、限定的なスペクトルＥＩＳを考慮すると、Ｒｍｅｍ及びＲｓｏｌをロバストに（独立して）推定することはできない。しかし、Ｒｍ＝Ｒｍｅｍ＋Ｒｓｏｌを推定することができる。
【０４５６】
図８６は、４００ｍｇ／ｄＬ（６４１０）、２００ｍｇ／ｄＬ（６４２０）、１００ｍｇ／ｄＬ（６４３０）、６０ｍｇ／ｄＬ（６４４０）、及び０ｍｇ／ｄＬ（６４５０）を含む様々なグルコースレベルに関する、経時的なＩｓｉｇに対するプロットを示す。始動時にて、通常は全てのパラメータにおいて劇的な変化が現れる。図８７に一例を示す。ここでは、Ｃｄｌを時間の関数としてプロットし、プロット６４１５は４００ｍｇ／ｄＬグルコースに対応し、プロット６４２５は２００ｍｇ／ｄＬグルコースに対応し、プロット６４３５は１００ｍｇ／ｄＬグルコースに対応し、プロット６４４５は６０ｍｇ／ｄＬグルコースに対応し、プロット６４５５は０ｍｇ／ｄＬグルコースに対応する。図８７の例示的実施例の場合のように、大部分のパラメータは最初の０．５時間での変化と十分相関しているが、通常は０．５時間を超える時間フレームでの変化を考慮し得ない。
【０４５７】
しかし、Ｒｍ＝Ｒｍｅｍ＋Ｒｓｏｌは、同様の始動時間フレームにわたるＩｓｉｇの変化を考慮することができる唯一のパラメータであることが発見されている。具体的には、図８８は、特に低グルコース濃度、例えば１００ｍｇ／ｄＬ以下において、約Ｔ＝１時間にて生じるピーク、即ち第２の変曲点が存在するという表示を除いて、図８６と同じグラフを示す。しかし、調査したＥＩＳパラメータ全ての中で、膜抵抗のみが、Ｉｓｉｇのこの変化に対する関係を示した唯一のパラメータであった。他のパラメータは一般的に、安定状態にかなり円滑に進む傾向にある。したがって、図８９に示すように、Ｒｍは、同時にＩｓｉｇのピークに対応する、約Ｔ＝１時間における第２の変曲点もまた示す。
【０４５８】
図９０は、センサ操作の最初の８時間の間の、インビボデータについての較正係数とＲｍの関係を示す。ここで、ＥＩＳを始動時から約３０分にておよそ一度実施し、間の期間に関して補間した。分かるように、Ｒｍ＝Ｒｍｅｍ＋Ｒｓｏｌは、センサ操作の最初の８時間の間の較正係数（ＣＦ）に相関する。図９０の図の目的のために、ベースラインオフセットを３ｎＡと推定した。
【０４５９】
図８３〜８５に関して上で記載したように、本発明の一実施形態において、開始時に較正係数を調節するためのアルゴリズムは、較正係数に対する基準値（ＣＦｒｅｆｅｒｅｎｃｅ）を選択することと、ＣＦ＝ＣＦｒｅｆｅｒｅｎｃｅに対する膜抵抗（Ｒｒｅｆｅｒｅｎｃｅ）の値を推定することと、膜抵抗の変化（Ｒｍ＝Ｒｍｅｍ＋Ｒｓｏｌ）を監視することと、その変化の大きさに基づいて、図９０に示す関係に従い較正係数を調節することと、を含むことができる。したがって
ＣＦ（ｔ）＝ＣＦｒｅｆｅｒｅｎｃｅ−ｍ（Ｒｒｅｆｅｒｅｎｃｅ−Ｒｍ（ｔ））
式中、ｍは図９０の相関関係の傾きである。上のアルゴリズムの目的のために、ＣＦｒｅｆｅｒｅｎｃｅの値はセンサ特異的であり、センサ間の差を考慮することに留意されたい。
【０４６０】
別の実施形態において、較正係数調節アルゴリズムを、調節が生じるＲｍの制限範囲を使用することにより修正することができる。これは、ノイズにより発生し得る、Ｒｍが約７０００Ωよりも小さくなる場合の小さな差に役立つことができる。制限されたＲｍ範囲はまた、センサの非常に遅い水和／安定化により生じ得る、Ｒｍが非常に大きい場合にも役立つことができる。更に別の実施形態において、例えば、ＣＦに対してより低い制限（４．５）を設定することなどにより、許容されるＣＦの範囲は制限される場合がある。
【０４６１】
図９１Ａは、センサの寿命の最初の約８時間における、有効な全てのＢＧでのＭＡＲＤに対するインビボ結果を示すチャートである。始動後１時間、１．５時間、又は２時間のいずれかにて、第１のＢＧにより単一（第１）の較正を実施する。分かるように、いかなる較正係数調節も行わないと、１時間における較正に対するＭＡＲＤは、２時間にて実施した較正に対するＭＡＲＤよりもはるかに高い（２２．２３と１９．３４）。しかし、調節を行うと、又は修正調節を行うと、上述のとおり、それぞれのＭＡＲＤの数値の差は小さくなる。それ故、例えば、調節を行うと、２時間にて実施する較正の１５．４２と比較して、１時間における較正に対するＭＡＲＤは１６．９８である。更に、１時間における較正に対する調節によるＭＡＲＤは、２時間にて実施する較正に対する調節のないＭＡＲＤよりもはるかに小さい（１６．９８と１９．３４）。そのため、本発明の実施形態に従うと、較正係数調節（及び修正調節）を使用して、例えば、本実施例では、１時間早くセンサを開始することにより、ＭＡＲＤを維持する、又は改善しながら、センサの利用可能な寿命を延ばすことができる。図９１Ｂのチャートは、最初の約８時間における、全ての有効なＢＧにわたる中央ＡＲＤ数を示す。
【０４６２】
図９２Ａ〜図９２Ｃ、図９３Ａ〜図９３Ｃ、及び図９４Ａ〜図９４Ｃは、上述の較正係数調節アルゴリズムがいくつかの現在の、ＥＩＳに基づかない方法よりも良く作用する際の実施例を示す。「初日補償」（又はＦＤＣ）と一般に呼ばれるこのような一方法において、第１の較正係数を測定する。測定した較正係数が所定範囲の外に出る場合、一定の線形減衰関数を適用し、減衰速度により測定した設計時間にて、較正係数を通常の範囲に戻す。図９２Ａ〜図９４Ｃからわかるように、本発明の較正係数調節アルゴリズム（図では「補償」と呼ばれる）６７０１、６７１１、６７２１は、ＦＤＣ法６７０３、６７１３、６７２３により入手した結果よりも実際の血糖（ＢＧ）測定値６７０７、６７１７、６７２７に近い結果をもたらす。
【０４６３】
ＥＩＳが関係するパラメータの値を推定する複雑さを考慮すると、ＦＤＣを含む現在の方法の中には、本明細書に記載するＥＩＳ較正係数調節アルゴリズムほど計算的には複雑でないものもあり得る。しかし、２つのアプローチもまた、相補的な様式で実装することが可能である。具体的には、即時的な較正係数調節アルゴリズムによりＦＤＣが増加され得る状況が存在し得る。例えば、後者を使用して、ＦＤＣの変化速度を規定することができる、又は、（ＣＦのみを使用する以外で）どのＦＤＣを適用するべきかの範囲を識別することができる、又は、特別な場合においてＦＤＣの方向を反転することができる。
【０４６４】
更に別の実施形態において、較正係数ではなくオフセットを調節することができる。更に、又は代わりに、Ｒｍ及びＣＦの適用可能な範囲に制限を課すことができる。特定の実施形態において、相対値ではなく絶対値を使用してよい。更に、較正係数と膜との関係を、相可的にではなく相乗的に表すことができる。したがって、
【数２５】
2020170011.tif 000034
【０４６５】
ＥＩＳに基づく動的なオフセットを使用する実施形態において、測定される総電流を、ファラデー電流と非ファラデー電流との合計として定義することができ、前者はグルコース依存性である一方、後者はグルコース独立性である。したがって、数学的に、
ｉｔｏｔａｌ＝ｉＦａｒａｄａｉｃ＋ｉｎｏｎ−Ｆａｒａｄａｉｃ
【０４６６】
理想的には、非ファラデー電流は、固定された作用電位でゼロとすべきであるため、
【数２６】
2020170011.tif 000035
式中、Ａは表面積であり、
【数２７】
2020170011.tif 000036
は過酸化物のグラジエントである。
【０４６７】
しかし、二重層容量が変化しているとき、非ファラデー電流を無視することはできない。具体的には、非ファラデー電流を、
【数２８】
2020170011.tif 000037
として計算することができ、式中、ｑは電荷であり、Ｖは電圧であり、Ｃは（二重層）容量である。上からわかるように、電圧（Ｖ）と容量（Ｃ）の両方が一定である場合、式の右手側の時間微分値は共にゼロに等しく、ｉｎｏｎ−Ｆａｒａｄａｉｃ＝０となる。このような理想的な状況において、焦点を次に、拡散と反応に当てることができる。
【０４６８】
Ｖ及びＣが両方とも（例えば、センサ初期化時に）時間の関数であるとき、
【数２９】
2020170011.tif 000038
【０４６９】
一方、Ｖが一定であり、Ｃが時間の関数であるとき、
【数３０】
2020170011.tif 000039
である。
このような条件は、例えば、センサ操作の１日目に存在する。図９５は、１日目、この場合、センサ挿入後の最初の６時間の間の、二重層容量における一般的な（初期）減衰の例を示す。グラフに示すように、プロット６８０５は、半時間間隔で得たＥＩＳデータに基づいたそのままのＣｄｌデータを示し、プロット６８１０は、５分間隔でのそのままのＣｄｌデータにおけるスプラインフィットを示し、プロット６８１５は５分間隔での平滑曲線を示し、プロット６８２０は５分間隔での平滑Ｃｄｌデータにおける多項フィットを示す。
【０４７０】
Ｃｄｌ減衰が指数関数的ではないことに留意されたい。このように、減衰は、指数関数によりシミュレーションすることができない。むしろ、６次多項式適合（６８２０）が合理的なシミュレーションを提供することが見出された。したがって、上述のシナリオの目的のために、Ｖが一定でＣが時間の関数である場合、多項係数が既知の場合にｉｎｏｎ−Ｆａｒａｄａｉｃを計算することができる。具体的には、
Ｃ＝Ｐ（１）ｔ６＋Ｐ（２）ｔ５＋Ｐ（３）ｔ４＋Ｐ（４）ｔ３＋Ｐ（５）ｔ２＋Ｐ（６）ｔ１＋Ｐ（７）
式中、Ｐは多項係数の配列であり、ｔは時間である。次に、非ファラデー電流を、以下のように計算することができる。
【数３１】
2020170011.tif 000040
最終的に、ｉｔｏｔａｌ＝ｉＦａｒａｄａｉｃ＋ｉｎｏｎ−Ｆａｒａｄａｉｃであるため、電流の非ファラデー成分を、以下のように、再構成することにより取り除くことができる。
ｉＦａｒａｄａｉｃ＝ｉｔｏｔａｌ−ｉｎｏｎ−Ｆａｒａｄａｉｃ
【０４７１】
図９６は、時間の関数として、総電流に基づいたＩｓｉｇ（６８４０）、及び、容量減衰に基づいた非ファラデー電流を取り除いた後のＩｓｉｇ（６８５０）を示す。電流の非ファラデー成分は、１０〜１５ｎＡの大きさであってもよい。図からわかるように、非ファラデー電流を取り除くことが、センサ寿命の開始時における、大部分の低始動Ｉｓｉｇデータを取り除くのに役立つ。
【０４７２】
上のアプローチを使用してＭＡＲＤを低下させる、及び、センサ寿命のまさに開始時に較正係数を調節することができることが発見されている。後者に関して、図９７Ａは、第１の作用電極（ＷＥ１）６８６０、及び、第２の作用電極（ＷＥ２）６８７０に対する、非ファラデー電流を取り除く前の較正係数を示す。一方、図９７Ｂは、非ファラデー電流を取り除いた後の、ＷＥ１（６８６２）及びＷＥ２（６８７２）に対する較正係数を示す。図９７ＡのＷＥ１（６８６０）に対する較正係数を、図９７ＢのＷＥ１（６８６２）に対する較正係数と比較すると、非ファラデー成分を取り除くことにとり、較正係数（６８６２）は予測範囲にたいへん近いことが分かる。
【０４７３】
更に、ＭＡＲＤの低下は、図９８Ａ及び９８ＢＧに示す実施例で確認することができ、ここではセンサグルコース値が経時的にプロットされている。図９８Ａに示すように、非ファラデー電流を取り除く前に、低始動時での較正は、ＷＥ１（６８８０）における、センサの著しい過大読み取りを引き起こし、ＭＡＲＤが１１．２３％となる。非ファラデー電流を取り除いた後、ＷＥ１については１０．５３％のＭＡＲＤを達成する。図９７Ａ〜図９８Ｂの例示的目的のために、関係
【数３２】
2020170011.tif 000041
（式中、Ｐは二重層容量曲線に適合するために使用した多項係数（配列）である）を使用して、処理前に非ファラデー電流を計算して取り除いたことに留意されたい。
【０４７４】
リアルタイムで、ファラデー電流及び非ファラデー電流の分離を使用して、時間を自動的に測定し、第１の較正を実施することができる。図９９は、経時的な二重層容量減衰を示す。具体的には、一定の時間間隔ΔＴにわたり、二重層容量は第１の値
【数３３】
2020170011.tif 000042
（７００５）から第２の値ＣＴ（７０１０）に変化する。次に、第１オーダーの時間差法を例えば使用して、非ファラデー電流を以下のように計算することができる。
【数３４】
2020170011.tif 000043
他の方法、例えば、第２オーダーの正確な有限値法（ＦＶＭ）、Ｓａｖｉｔｚｋｙ−Ｇｏｌａｙなどもまた使用して、導関数
【数３５】
2020170011.tif 000044
を計算することができる。
【０４７５】
次に、総電流、即ち、非ファラデー電流を含むＩｓｉｇの百分率を、割合ｉｎｏｎ−Ｆａｒａｄａｉｃ／Ｉｓｉｇとして簡単に計算することができる。この割合が下側閾値に達すると、次いで、センサを較正準備できているか否かに関して、リアルタイムで決定を行うことができる。したがって、本発明の実施形態において、閾値は、５％〜１０％であってもよい。
【０４７６】
別の実施形態において、上述のアルゴリズム、即ち、ＥＩＳベースの動的オフセットアルゴリズムを使用して、リアルタイムでオフセット値を計算してよい。以下の式
【数３６】
2020170011.tif 000045
及びセンサ電流Ｉｓｉｇはファラデー成分及び非ファラデー成分を含む総電流であることを思い出されたい。
ｉｔｏｔａｌ＝ｉＦａｒａｄａｉｃ＋ｉｎｏｎ−Ｆａｒａｄａｉｃ
ファラデー成分は、以下のように計算される。
ｉＦａｒａｄａｉｃ＝ｉｔｏｔａｌ−ｉｎｏｎ−Ｆａｒａｄａｉｃ
【０４７７】
したがって、本発明の実施形態において、非ファラデー電流ｉｎｏｎ−Ｆａｒａｄａｉｃを、Ｉｓｉｇへの追加オフセットとして処理することができる。実際、二重層容量が低下する際、例えば、センサ寿命の第一日目の間、ｉｎｏｎ−Ｆａｒａｄａｉｃは負であり、時間の関数として減少する。それ故、本発明の実施形態に従うと、より大きなオフセット、即ち、現在の方法で計算する通常のオフセット＋ｉｎｏｎ−Ｆａｒａｄａｉｃをセンサ寿命のまさに開始時にＩｓｉｇに加え、５次多項曲線の減衰を可能にする。即ち、追加のオフセットｉｎｏｎ−Ｆａｒａｄａｉｃは５次多項に続き、その係数は求められなければならない。二重層容量の変化がどれだけ劇的であるかに応じて、本発明の本実施形態に従ったアルゴリズムをセンサ寿命の最初の数時間、例えば最初の６〜１２時間に適用してよい。
【０４７８】
多項フィットは様々な方法で計算することができる。例えば、本発明の実施形態において、係数Ｐは既存のデータに基づいて予め求めることができる。次に、上で論じた動的オフセットを適用するが、それは第１の較正係数が通常範囲、例えば約７より上の場合のみである。通常、リアルタイムの二重層容量測定は所望されるほど信頼できない場合にこの方法は最も機能することを、実験は示している。
【０４７９】
代替実施形態では、インラインのフィッティングアルゴリズムを使用する。具体的には、インラインの二重層容量バッファを時間Ｔにて作成する。次に、時間Ｔにおける多項フィットを使用して、バッファに基づいてＰを計算する。最後に、時間ＴにおけるＰを使用して、時間Ｔ＋ΔＴにおける非ファラデー電流（動的オフセット）を、計算する。このアルゴリズムでは、二重層容量測定を電流レベル（３０分毎）よりも頻繁にする必要があり、測定は信頼できるものである（即ち、アーチファクトなしである）ことに留意されたい。例えば、ＥＩＳ測定はセンサ寿命の最初の２〜３時間の間、５分に１回、又は１０分に１回行うことができる。
【０４８０】
リアルタイムの自己較正センサの開発において、最終的な目標は、ＢＧ計への依存を最小化する、又は全て取り除くことである。しかしこれには、とりわけ、ＥＩＳが関係するパラメータとＩｓｉｇ、較正係数（ＣＦ）、及びオフセットとの関係を理解することを必要とする。例えば、インビボ実験は、Ｉｓｉｇと、Ｃｄｌ及びワールブルクアドミッタンスとには、後者のそれぞれが（少なくともある程度は）Ｉｓｉｇ依存性であり得るように、相関関係があることを示している。更に、センサの工場較正の観点から、Ｉｓｉｇ及びＲｍ（＝Ｒｍｅｍ＋Ｒｓｏｌ）は較正係数に関して最も重要なパラメータ（即ち、寄与する因子）である一方、ワールブルクアドミッタンス、Ｃｄｌ、及びＶｃｎｔｒはオフセットに関して最も重要なパラメータであることが見出されている。
【０４８１】
生体外研究では、ＥＩＳから抽出されたメトリック（例えば、Ｒｍｅｍ）は、較正係数と強い相関関係を示す傾向がある。しかし、生体内では、同じ相関関係は、弱くなる場合がある。これは、部分的には、患者特異的、又は（センサ）挿入部位特異的な性質が、自己較正又は工場較正のためにＥＩＳの使用を可能にするセンサの面を隠すという事実による。これに関して、本発明の実施形態において、重複センサを使用して、患者特異的な応答を推定するのに利用可能な参照点を提供することができる。これはよりロバストな工場較正を可能にし、また、センサの内側又は外側のいずれかとして、センサ故障モード源の識別に役立つ。
【０４８２】
一般に、ＥＩＳは、センサ電極間で形成する電界の関数である。電界はセンサ膜を超えて延ばすことが可能であり、センサ挿入部位にて（患者の）体の特徴を調査することができる。それ故、センサが挿入される／配置される環境が全試験を通して一定である場合、即ち、組織の組成がインビボで常に同じである（又は、バッファがインビトロで常に同じである）場合、ＥＩＳはセンサのみの特徴に相関することができる。言い換えれば、センサの変化が直接ＥＩＳの変化に繋がると推定することができ、これは例えば較正係数と相関することができる。
【０４８３】
しかし、患者特異的な組織の性質は挿入部位の組成に依存するため、インビボ環境は非常に変化しやすいことがよく知られている。例えば、センサ周辺の組織の導電性は、センサ周辺の脂肪量に依存する。脂肪の導電性は純粋な組織液（ＩＳＦ）の導電性よりはるかに低く、局部脂肪のＩＳＦに対する比は著しく変わる可能性があることが知られている。挿入部位の組成は、挿入部位、挿入深さ、患者特異的な体の組成などに依存する。したがって、センサが同じであっても、ＥＩＳ研究で観察されるＲｍｅｍは、参照環境はあったとしてもほとんど同じではないため、より著しく変化する。即ち、挿入部位の導電性は、センサ／システムのＲｍｅｍに影響を及ぼす。そのため、Ｒｍｅｍを信頼できる較正道具として一定に、そして一貫して使用することは可能でない場合がある。
【０４８４】
前述したように、ＥＩＳはまた、診断ツールとしても使用することができる。したがって、本発明の実施形態において、ＥＩＳを全体の故障分析のために使用してよい。例えば、ＥＩＳを使用して、センサデータを遮断するか否か、そしていつ遮断するかを決定し、最適な較正時間を決定し、センサを停止させるか否か、そしていつ停止させるかを決定するのに有用である深刻な感度損失を検出することができる。この点において、連続的グルコース監視及び分析において、２種類の主な深刻な感度損失：（１）典型的にはセンサ寿命の初期に生じ、一般的に外部センサ遮断の結果であると考えられている一時的感度損失（即ちＩｓｉｇディップ）、及び（２）典型的にセンサ寿命の終わりにて生じ、回復しないためセンサの停止を必要とする永久感度損失：が典型的に考えられることを繰り返して言うことができる。
【０４８５】
生体内データ及び生体外データの両方は、感度損失及びＩｓｉｇディップの間、変化するＥＩＳパラメータがＲｍｅｍ、Ｒｓｏｌ及びＣｍｅｍのいずれか１つ以上であってもよいことを示す。後者の変化はナイキスト線図の高周波数領域への平行移動、及び／又は高周波数半円の外観の増加として明らかになる。一般に、感度損失が深刻になればなるほど、これらの徴候はより明白となる。図１００は、２．６日（７０５０）、３．５日（７０５５）、６日（７０６０）、及び６．５日（７０６５）におけるデータについての、ナイキスト線図の高周波数領域を示す。分かるように、膜抵抗の増加を示す、感度損失（７０７０）の間の左から右への水平移動、即ちＲｍｅｍ＋Ｒｓｏｌ移動が存在し得る。更に、６日間のプロット、及び特に６．５日間のプロット（７０６５）は、感度損失（７０７５）の間の高周波数半円の出現をはっきりと示し、これは膜容量の変化を示している。感度損失の状況、及び深刻さに応じて、上述の発現のいずれか又は両方はナイキスト線図に現れ得る。
【０４８６】
Ｉｓｉｇディップの検出に特に関して、永久感度損失とは対照的に、いくつかの現在の方法では、例えば、Ｉｓｉｇが落ち得る際の速度、又は経時的なＩｓｉｇの増大変化の程度／欠落を監視することによりＩｓｉｇを使用してＩｓｉｇディップを検出するのみであり、これにより、恐らくセンサがグルコースに応答性でないことを示している。しかし、実際のディップが存在する場合でさえも、通常のＢＧ範囲内にＩｓｉｇがとどまるときの実例が存在するため、このことは非常に信頼できるものでない場合がある。このような状況において、感度損失（即ちＩｓｉｇディップ）は低血糖と区別可能ではない。したがって、本発明の実施形態において、ＥＩＳを使用して、Ｉｓｉｇから導出される情報を補完することができ、これにより、検出法の特異度及び感度を増加させる。
【０４８７】
永久感度損失は、一般的にＶｃｎｔｒのレイルと関連し得る。ここで、いくつかの現在のセンサ停止法は、例えば、Ｖｃｎｔｒが１日間でレイルとなるとき、センサが停止することができるように、Ｖｃｎｔｒのレイルデータのみに依存している。しかし、本発明の実施形態に従うと、感度損失によりセンサをいつ停止させるかを決定する一方法は、ＥＩＳデータを使用して、Ｖｃｎｔｒがレイルになった後に感度損失が起こるか否か、そしていつ起こるかを確認することを必要とする。具体的には、ナイキスト線図の高周波数領域における平行移動を使用して、Ｖｃｎｔｒのレイルが観察されると永久感度損失が実際に生じるか否かを決定することができる。この点において、Ｖｃｎｔｒが例えば５日目にセンサ寿命にレイルする状況が存在するが、ナイキスト線図ではＥＩＳデータはほとんど変化しないことを示す。この場合において、通常、センサは５〜６日目にて停止される。しかし、ＥＩＳデータは実際には、永久感度損失が存在しなかったことを示しているため、センサは停止せず、これによりセンサの有用な寿命の残りを保存する（即ち使用する）。
【０４８８】
以前に述べたとおり、感度損失の検出は、１つ以上のＥＩＳパラメータの変化に基づくことができる。したがって、膜抵抗（Ｒｍ＝Ｒｍｅｍ＋Ｒｓｏｌ）の変化は、例えば、それら自体が中周波数（約１ｋＨｚ）の実数インピーダンスにあることを明らかにすることができる。膜容量（Ｃｍｅｍ）に関して、半円が増加するため、変化は高周波数（約８ｋＨｚ）虚数インピーダンスにて明らかとなることができる。二重層容量（Ｃｄｌ）は平均Ｉｓｉｇに比例する。これは、より低い周波数のナイキストスロープの長さＬｎｙｑｕｉｓｔとして近似されてもよい。Ｖｃｎｔｒは酸素量に相関しているため、通常のセンサの挙動は典型的には、Ｉｓｉｇの低下と共にＶｃｎｔｒの低下を伴う。それ故、Ｉｓｉｇの低下と共に、Ｖｃｎｔｒの増加（即ち、更に負となる）もまた、感度損失を示すことができる。更に、平均Ｉｓｉｇレベル、変化速度、又は、低い若しくは生理的に確からしくない信号の変動性を監視することができる。
【０４８９】
それでも、ＥＩＳパラメータは最初に決定しなければならない。較正係数調節と共に、及び関連した開示で以前に記載したとおり、ＥＩＳパラメータを推定する最もロバストな方法は、モデルフィッティングを実施することであり、ここでは、測定したＥＩＳとモデル出力との誤差が最小化されるまで、モデル式のパラメータは変化する。この推定を実施するための多くの方法が存在する。しかし、リアルタイムでの適用に関して、計算負荷、推定時間の変動性、及び収束が不十分な場合が原因で、モデルフィッティングは最適ではない場合がある。通常、実現可能性はハードウェアに依存する。
【０４９０】
上述した完全なモデルフィッティングが不可能な場合、本発明の一実施形態において、リアルタイム適用のための一方法は、発見的方法論を使用するものである。目的は、測定したＥＩＳに適用される簡単な発見的方法を用いて、真のパラメータ値（又は、各パラメータにより示される傾向に比例する、対応するメトリック）を近似することである。この点において、以下は各パラメータの変化を推定するための実装である。
【０４９１】
二重層容量（Ｃｄｌ）
一般的に言って、Ｃｄｌの概算を、低周波数ナイキストスロープ（例えば、約１２８ｋＨｚより小さい周波数）の長さを測定する任意の統計値から得ることができる。これは例えば、Ｌｎｙｑｕｉｓｔ（ナイキスト線図の１２８ｋＨｚ及び０．１ＨｚとのＥＩＳの直角距離）を測定することにより行うことができる。他の周波数範囲もまた使用することができる。別の実施形態において、低周波数インピーダンス（例えば０．１Ｈｚ）の振幅を使用することにより、Ｃｄｌを推定することができる。
【０４９２】
膜抵抗（Ｒｍｅｍ）及び溶液抵抗（Ｒｓｏｌ）
【０４９３】
本明細書で既に論じたように、ナイキスト線図にて、Ｒｍｅｍ＋Ｒｓｏｌは、低周波数半円と高周波数半円との間の変曲点に対応する。したがって、一実施形態において、Ｒｍｅｍ＋Ｒｓｏｌは、ナイキストスロープの向きの変化を検出することによって（例えば、導関数及び／又は差を使用することによって）変曲点を局在化することにより、推定することができる。あるいは、Ｒｍｅｍ＋Ｒｓｏｌの相対的変化を、ナイキストスロープの移動を測定することにより推定することができる。これを行うために、虚軸にて参照点を選択することが可能であり（図８３を参照）、補間を使用して、実軸の対応する点を決定することができる。この補間値を使用して、経時的にＲｍｅｍ＋Ｒｓｏｌの変化を追跡することができる。選択した参照は、所与のセンサ構成に関して、（例えばＶｃｎｔｒのレイルのために）ナイキストスロープの低周波数部分の大きな変化に過度に影響を受けない値の範囲の中になければならない。典型的な値は、１ｋΩ〜３ｋΩの間であり得る。別の実施形態において、単一の高周波数ＥＩＳ（例えば１ｋＨｚ、８ｋＨｚ）の実数成分を使用することが可能である。ある種のセンサ構成において、これはＲｍｅｍ（時間の大部分）をシミュレートすることができるが、単一周波数は全ての状況においてＲｍｅｍを厳密に示すことはできないことに留意されたい。
【０４９４】
膜容量（Ｃｍｅｍ）
【０４９５】
Ｃｍｅｍの増加は、より明白な高周波数半円（又はそのより明確な出現）として明らかとなる。Ｃｍｅｍの変化はそれ故、この半円の存在を推定することにより検出することができる。したがって、一実施形態において、Ｃｍｅｍは、インピーダンスの高周波数虚数成分を追跡することにより推定することができる。この点において、更に負の値は、半円の存在の増加に対応する。
【０４９６】
あるいは、Ｃｍｅｍは、周波数範囲（例えば１ｋＨｚ〜８ｋＨｚ）内の半円の、最も高い点を追跡することにより推定することができる。この周波数範囲はまた、変曲点が生じる周波数を識別し、識別した周波数より高い全ての周波数に関して、最も大きな虚数インピーダンスを得ることにより決定することもできる。この点において、更に負の値は、半円の存在の増加に対応する。
【０４９７】
第３の実施形態において、Ｃｍｅｍは、ナイキスト線図の２つの高周波数点（例えば８ｋＨｚと１ｋＨｚ）の間の直角距離を測定することにより推定することができる。これは、即時適用により以前に定義された高周波数傾斜（Ｓｎｙｑｕｉｓｔ）である。ここで、より大きな絶対値は半円の増加に対応し、（ｙ軸に負の虚数インピーダンス、及びｘ軸に正の実数インピーダンスを伴う）負の勾配は、半円が存在しないことに対応する。上述の方法論において、半円の中で検出した変化の中にはＲｍｅｍの変化に寄与したものもあり得る例が存在することに留意されたい。しかし、いずれかの変化が感度損失を示すため、重複は許容されると考えられる。
【０４９８】
ＥＩＳに関係しないメトリック
【０４９９】
文脈に関して、ＥＩＳメトリックの利用可能性の前に、いくつかの非ＥＩＳ基準に従い、感度損失を全体的に検出したことに留意されたい。これら自体により、これらのメトリックは、検出の完全な感度と特異度を達成するのに典型的には十分信頼できない。しかし、これらをＥＩＳが関係するメトリックと組み合わせて、感度損失の存在を支える証拠をもたらすことができる。これらのいくつかのメトリックとしては、（１）Ｉｓｉｇが（ｎＡにおける）特定の閾値を下回る時間、即ち「低Ｉｓｉｇ」の期間の量；（２）Ｉｓｉｇの変化が生理学的に可能であるか、又は感度損失により誘発されるかを示すものとして使用される、「低Ｉｓｉｇ」の状態に導くＩｓｉｇの、一次導関数又は二次導関数；及び（３）センサがグルコースに応答性であるか、平坦線であるかを示すことができる、「低Ｉｓｉｇ」期間にわたるＩｓｉｇの変動性／変化、が挙げられる。
【０５００】
感度損失検出アルゴリズム
【０５０１】
本発明の実施形態は、感度損失を検出するためのアルゴリズムに関する。アルゴリズムは通常、ＥＩＳ測定値（例えば本明細書に記載したもの）から、及びＥＩＳに関係しないメトリックから推定した、パラメータのベクトルへのアクセスを有する。したがって、例えば、ベクトルは、Ｒｍｅｍ及び／又は（ナイキスト線図の）水平軸における移動、Ｃｍｅｍの変化、及びＣｄｌの変化を含有することができる。同様に、ベクトルは、Ｉｓｉｇが「低」状態にある時間、Ｉｓｉｇの変動性、Ｉｓｉｇの変化速度のデータを含有することができる。このパラメータのベクトルは、経時的に追跡でき、ここで、このアルゴリズムの目的は、感度損失のロバストな証拠を集めることである。この文脈において、「ロバストな証拠」は、例えば、投票システム、複合重み付けメトリック、クラスタリング及び／又は機械学習によって定義することができる。
【０５０２】
具体的には、投票システムは、１つ以上のＥＩＳパラメータの監視を必要としてもよい。例えば、一実施形態では、これは、パラメータベクトル内の要素の所定の数、又は計算された数を超えていつ絶対閾値と交差するかの判定に関与する。代替実施形態では、閾値は、相対（％）閾値であってもよい。同様に、ベクトル要素は、ベクトル内の特定のパラメータの組み合わせがいつ絶対閾値又は相対閾値と交差するのかを判定するために、監視されてもよい。別の実施形態では、ベクトル内の要素のサブセットのいずれかが絶対閾値又は相対閾値と交差するとき、パラメータの残りに対するチェックがトリガされて、感度損失の十分な証拠を得ることができるかどうかを判定してもよい。これは、パラメータのサブセットのうちの少なくとも１つが確実に検出されることとなる感度損失のために必要な（しかしおそらく不十分な）条件であるときに有用である。
【０５０３】
複合重み付けメトリックは、例えば、所定の閾値とどの程度交差するかに応じて、ベクトル内の要素を重み付けする。次いで、感度損失は、集約重み付けメトリックがいつ絶対閾値又は相対閾値と交差するかを検出することができる（即ち、発生しているとして判定することができる）。
【０５０４】
機械学習は、より高度な「ブラックボックス」分類器として使用することができる。例えば、実際的なインビボ実験から抽出されたパラメータベクトルを使用して、感度損失を検出するために人工ニューラルネットワーク（ＡＮＮ）、サポートベクトルマシン（ＳＶＭ）又は遺伝的アルゴリズムに学習させることができる。次いで、学習したネットワークは、非常に時間効率的な方法でリアルタイムで適用することができる。
【０５０５】
図１０１Ａ及び図１０１Ｂは、コンビネータ論理を用いる感度損失検出のためのフロー図の２つの例示的な例を示す。示したように、両方の方法では、１つ以上のメトリック１〜Ｎを監視してもよい。図１０１Ａの方法では、メトリックのそれぞれを追跡して、メトリックが閾値と交差しているかどうか、またいつ交差するかを判定し、本明細書で上述した。次いで、閾値判定ステップの出力は、コンビネータ論理を介して集約され、感度損失に関する決定は、コンビネータ論理の出力に基づいて行われる。図１０１Ｂでは、監視されるメトリック１〜Ｎの値を、コンビネータ論理を通して最初に処理し、その後、後者の集約出力は、閾値（複数可）と比較されて、感度損失が発生したかどうかを判定する。
【０５０６】
本発明の追加の実施形態はまた、ＥＩＳインテリジェント診断アルゴリズムの使用に関する。したがって、一実施形態では、ＥＩＳデータを使用して、センサが新品であるかどうか又は（患者によるセンサの再使用に関連して予め提示された方法に加えて）再使用されているかどうかを判定してもよい。後者に関しては、センサが新品であるかどうか又は再使用されているかどうかを知ることは、この情報がどのような初期化シーケンスが、もしある場合には、使用されるべきかを決定するのに役立つため、重要である。加えて、この情報は、センサのラベルをはがした状態の使用を防止すると共に、複数回の再初期化（即ち、センサが切断された後に再接続される毎に、新しいセンサであると「考え」、したがって、再接続時の再初期化を試みること）によるセンサ損傷を防止することができる。その情報はまた、収集したセンサデータの後処理でも役立つ。
【０５０７】
センサの再使用及び／又は再接続に関連して、初期化前の新しいセンサに対するより低い周波数のナイキストスロープが、切断され、次いで、再び再接続されたセンサに対する低い周波数のナイキストスロープとは異なる（即ち、より低い）ことが発見された。具体的には、インビトロ実験は、ナイキストスロープが、新たに挿入されたセンサとは反対に再使用センサについてはより高いことを示した。したがって、ナイキストスロープは、新しいセンサと使用済み（又は再使用）センサとを区別するためのマーカとして使用することができる。一実施形態では、閾値は、ナイキストスロープに基づいて、特定のセンサが再使用されているかどうかを決定するために使用されてもよい。本発明の実施形態では、閾値は、ナイキストスロープ＝３であってもよい。図１０２は、基準勾配＝３（８０３０）を有する低周波数ナイキスト線図と共に、新しいセンサ（初期化前）８０１０、新しいセンサ（初期化後）８０１５、再接続センサ（初期化前）８０２０及び再接続センサ（初期化後）８０２０に対するプロットを示す。記載したように、新しいセンサ（初期化前）８０１０に対する勾配は、基準又は閾値（８０３０）よりも低く、再接続されたセンサ（初期化前）８０２０に対する勾配は、閾値（８０３０）よりも高い。
【０５０８】
同等に、より低い周波数の位相測定値を用いて、以前に初期化されたセンサを検出してもよい。ここで、０．１０５Ｈｚでの初期化前位相角は、例えば、新しいセンサと使用済み（又は再使用）センサとを区別するために使用されてもよい。具体的には、閾値は、約−７０°の位相角に設定してもよい。したがって、０．１０５Ｈｚでの初期化前位相角が閾値未満である場合には、センサは、古い（即ち、以前に初期化された）センサであると考えられる。そのため、更なる初期化パルスは、センサに印加されないこととなる。
【０５０９】
別の実施形態では、ＥＩＳデータを使用して、使用するセンサの種類を判定してもよい。ここで、センサ設計が大幅に異なる場合には、対応するＥＩＳ出力もまた、平均して大幅に異なるべきであることが発見された。異なるセンサ構成は、異なるモデルパラメータを有する。したがって、センサ寿命の間の任意の時点でこれらのパラメータを識別することを、現在挿入されているセンサの種類を決定するために使用することが可能である。パラメータは、例えば、総障害解析／感度損失解析に関連して本明細書で上述した方法に基づいて推定することができる。識別は、例えば、特定の（単一又は複数の）パラメータに閾値を設定する個別の値に対する共通の方法、機械学習（ＡＮＮ、ＳＶＭ）、又は両方の方法の組み合わせに基づくことができる。
【０５１０】
この情報は、例えば、アルゴリズムパラメータ及び初期化シーケンスを変更するために使用してもよい。したがって、センサ寿命の開始時に、単一の処理ユニット（ＧＳＴ、ＧＳＲ）を使用して、較正アルゴリズム用の最適なパラメータを設定することができる。オフライン（非リアルタイム）では、センサの種類の識別は、現場のセンサの性能の分析／評価を支援するために使用することができる。
【０５１１】
より低い周波数のナイキストスロープの長さを異なるセンサの種類を区別するために使用してもよいこともまた発見された。図１０３Ａ〜図１０３Ｃは、Ｅｎｌｉｔｅ（８０５０）、Ｅｎｌｉｔｅ２（即ち、「Ｅｎｌｉｔｅ  Ｅｎｈａｎｃｅｄ」）（８０６０）及びＥｎｌｉｔｅ３（８０７０）（いずれもＭｅｄｔｒｏｎｉｃ  Ｍｉｎｉｍｅｄ（Ｎｏｒｔｈｒｉｄｇｅ，ＣＡ）製）として識別される異なる３つのセンサ（即ち、異なるセンサ構成）に対するナイキスト線図を示す。これからわかるように、初期化前、初期化後及び第２の初期化後（それぞれ図１０３Ａ〜図１０３Ｃ）を含む様々な段階に対して、Ｅｎｌｉｔｅセンサは、最短のより低い周波数のナイキストスロープ長さ（８０５０）を有し、Ｅｎｌｉｔｅ２（８０６０）、そして最も長い長さを有するＥｎｌｉｔｅ３（８０７０）が続く。後者はまた、図１０４にも示されており、ナイキスト（勾配）の長さが、０．１０５Ｈｚ及び１ＨｚにおけるＥＩＳ間のデカルト距離として算出されて、時間に対してプロットされている。
【０５１２】
本発明の実施形態はまた、行うべき初期化の種類を判定するガイドとして診断ＥＩＳ測定値を使用することにも関する。前述したように、初期化シーケンスは、検出されたセンサの種類（ＥＩＳベース又は他）及び／又は新しいセンサ若しくは古いセンサが挿入されているかどうかの検出（ＥＩＳベース）に基づいて変化させることができる。しかし、加えて、ＥＩＳベースの診断はまた、（例えば、ワールブルクインピーダンスを追跡することにより）初期化前の最小水和状態の判定で、又はセンサ初期化時間を適切に最小化するために（例えば、反応依存性パラメータ、例えば、Ｒｐ、Ｃｄｌ、αなどを追跡することにより）いつ初期化を終了するかの判定で使用してもよい。
【０５１３】
より具体的には、初期化応答時間を最小化するためには、初期化中に発生するプロセスを制御するために追加の診断が必要とされる。この点に関して、ＥＩＳは、必要な追加の診断を提供してもよい。したがって、例えば、ＥＩＳをそれぞれの初期化パルス間で測定し、更にパルスが必要であるかどうかを判定してもよい。代替的に又は追加的に、ＥＩＳを高パルス中に測定し、最適な初期化状態のＥＩＳと比較して、センサが十分に初期化されたときを判定してもよい。最後に、上述したように、ＥＩＳは、特定のモデルパラメータ、Ｒｐ、Ｃｄｌ、αなどの最も可能性が高い１つ以上の反応依存性パラメータを推定する際に使用してもよい。
【０５１４】
上述したように、センサ較正は一般的に、リアルタイムセンサ較正は特に、ロバストな連続的グルコース監視（ＣＧＭ）システムに対して重要である。この点に関して、較正アルゴリズムは、ＢＧがフィンガースティックを行うことによって受信されると、エラーメッセージを生成するか、又は同様に、センサグルコースを計算するために使用される較正係数を更新するかのいずれかのために新たなＢＧ値を使用するように、全般的には設計される。しかし、いくつかの以前のアルゴリズムでは、１０〜２０分の遅延は、フィンガースティックが入力された時点と、受け付けられているフィンガースティック又は較正に必要な新規のフィンガースティックのいずれかをユーザに通知する時点と、の間に存在してもよい。これは、ユーザが数分間、再びＢＧ計を必要とするかどうか知らないままに放置されるため、手間がかかる。
【０５１５】
加えて、いくつかの状況では、較正バッファに古いＢＧ値が存在すると、最新のＢＧ値が１００％未満の重みを有するため、知覚されるシステム遅延、又は（古いＢＧ値がシステムの現在の状態をもはや代表しないため）計算されたＳＧにおける不正確性のいずれかが生じる。更に、場合により誤ったＢＧ値が入力されるが、システムによって捕捉されず、次回の較正までに大きな不正確性をもたらす恐れがある。
【０５１６】
上記の観点では、本発明の実施形態は、特に閉ループシステムと共に使用するためのセンサ性能に関して、先行の方法では潜在的な欠点に対処することを試みる。例えば、システムをより予測可能にするために、較正誤差は、例えば、１０〜１５分後ではなく、フィンガースティック（ＢＧ値）が受信されたときにのみ、送信機で通知されてもよい（即ち、入力される）。加えて、一定の較正誤差（ＣＥ）閾値を使用するいくつかの既存のシステムとは対照的に、本発明の実施形態は、（例えば、センサの信頼性が低下する又は高い変化率のいずれかにより）より大きな誤差が予想されるとき、可変較正誤差閾値を利用して、それにより、不要な較正誤差アラーム及びフィンガースティック要求を防止してもよい。したがって、一態様では、センサがＦＤＣモード、Ｉｓｉｇディップ較正モードにある又は高い変化率（例えば、２パケットの変化率×ＣＦ＞１．５ｍｇ／ｄＬ／ｍｉｎ）を受けているとき、５０％又は５０ｍｇ／ｄＬに相当する制限を使用してもよい。
【０５１７】
一方、少ない誤差が予想されるとき、システムは、例えば、４０％又は４０ｍｇ／ｄＬのようなより厳しい較正誤差限界を使用してもよい。これにより、誤ったＢＧ値が較正に使用される恐れの可能性を低減し、同時にまた、較正試行のステータスを直ちに発行すること（即ち、較正又は較正誤差について受容すること）を可能にする。更に、新しいＩｓｉｇ値が較正誤差を引き起こすであろう状況に対処するために、較正時（例えば、フィンガースティック後５〜１０分）のチェックは、較正に使用するために最適なフィルタ処理済みＩｓｉｇ（ｆＩｓｉｇ）値を選択してもよい。
【０５１８】
ＢＧ値及びＢＧバッファを含む上記問題に関連して、本発明の実施形態は、以前のアルゴリズムで割り当てられたものよりも、新しいＢＧ値に高い重み付けを割り当て、早期較正更新がより頻繁に生じることを保証することによって、遅延の低減及び遅延の知覚を図る。加えて、（例えば、上述し、かつ以下で更に説明することとなるスマート較正ロジックにより、また、最新の較正ＢＧ／Ｉｓｉｇ比により確認されたように）確認された感度変化がある状況では、較正バッファは、部分的にクリアされてもよい。最後に、先行のアルゴリズムは、一定であった予想較正係数（ＣＦ）重みを採用してあってもよいが、本発明の実施形態は、センサ使用時間に基づく可変ＣＦ値を提供する。
【０５１９】
つまり、本発明の実施形態は、較正試行中の誤差の予測に基づく可変較正誤差閾値と共に、追加のセンサデータを待つことなく較正誤差メッセージ（複数可）の発行、較正時のより短い遅延（例えば、５〜１０分）、センサ使用時間に基づく更新された予想較正係数値及び必要に応じて較正バッファの部分クリアを提供する。具体的には、初日補償（ＦＤＣ）に関連して、本発明の実施形態は、より迅速にセンサ性能を補正するために、より高い較正係数閾値がトリガされるとき、追加の較正を要求することを提供する。このようなより高いＣＦ閾値は、例えば、７〜１６ｍｇ／ｄＬ／ｎＡに設定してもよく、後者は、本発明の実施形態における較正誤差の表示のための閾値として役立つ。
【０５２０】
したがって、一態様では、第１の較正の後に高いＣＦ閾値がトリガされる場合には、システムは、次回の較正を３時間以内に行うことを要求する。しかし、第２の又はその後の較正後に高いＣＦ閾値がトリガされた場合には、システムは、次回の較正を６時間以内に行うことを要求する。上記手順は、センサ接続から１２時間の期間に実施されてもよい。
【０５２１】
別の態様では、較正係数を計算するための較正中に使用される予想較正係数は、過小読み取りの可能性を低減するように経時的に増加させる。バックグラウンドとして、既存の方法は、センサ寿命を通して固定された予想較正係数を、センサ感度において起こり得る遷移を考慮せずに使用してもよい。このような方法では、予想較正係数は、最終較正係数の算出において重み付けしてもよく、ノイズを低減するために使用してもよい。
【０５２２】
しかし、本発明の実施形態では、予想ＣＦ（Ｅｘｐｅｃｔｅｄ  ＣＦ）は、センサの使用時間の観点から表現される時間の関数として計算される。具体的には、
【数３７】
2020170011.tif 000046
であり、式中、センサ使用時間は、日数単位で表現される。更なる実施形態では、予想較正係数は、既存のＣＦ及びインピーダンスの関数として計算してもよいため、感度における任意の変化も、予想ＣＦに反映されてもよい。加えて、本発明の態様では、予想ＣＦは、較正間で較正係数を徐々に調整するように、Ｉｓｉｇパケット毎に計算してもよい（ＢＧ入力時のみにそのように行うのではない）。
【０５２３】
較正バッファ及び較正誤差計算に関連して、本発明の実施形態は、較正バッファ重みの変更及び／又は較正バッファのクリアのために提供される。具体的には、インピーダンス測定が、較正係数が変化したであろうことを（例えば、ＥＩＳを介して）示し、較正試行が、変化が発生していたであろうことを示すとき、較正比率（ＣＲ）における変化は、現在のＢＧのＣＲを較正バッファ内の直近のＣＲと比較することによりチェックされる。ここで、このような変化は、関連するＥＩＳ手順に関連して詳細に上述したように、例えば、１ｋＨｚインピーダンスの値によって検証してもよい。加えて、信頼度指数、較正係数が変化すると予想される方向及び／又は較正の変化の速度に基づいて較正バッファ計算において、重みを加えてもよい。後者の状況では、例えば、較正が高い変化率にある場合、より低い重みを割り当ててもよい、又はＣＦを一時的にのみ更新してもよい。
【０５２４】
本発明の実施形態では、較正バッファに対するフィルタ処理済みＩｓｉｇ（ｆＩｓｉｇ）値の選択は、ＢＧ入力後、第２のＩｓｉｇパケット上で開始してもよい。具体的には、較正誤差を生じなかったであろう最も直近の過去の３つのｆＩｓｉｇ値を選択してもよい。次いで、較正のために受容されると、較正処理は、較正誤差が発行されずに進行することとなる。このような較正誤差は、例えば、無効なＩｓｉｇ値、較正比率範囲のチェック、百分率誤差チェックなどによって生じてもよい。
【０５２５】
他の実施形態では、ｆＩｓｉｇの値は、１分分解能を導出するために補間されてもよい。あるいは、ｆＩｓｉｇ値は、値における変化率に基づいて（また遅延を考慮して）最近の値から選択されてもよい。更に他の代替的な実施形態では、ｆＩｓｉｇ値は、予測ＣＲ値に最も近いＣＲの値に基づいて選択してもよい。予測ＣＲ値は、較正係数の現在値に最も近いが、後者、又はＥＩＳデータが、ＣＦが変更されるべきであることを示すまでである。
【０５２６】
上述したように、図２４及び図３４に関連して、例えば、１ｋＨｚ実数インピーダンスの値は、センサ膜表面上に存在してもよい、グルコースがセンサ内を通過するのを一時的に妨げ、信号がディップすることを引き起こす場合がある、潜在的閉塞（複数可）に関する情報を提供する。更に広く見ると、１ｋＨｚ実数インピーダンス測定は、一般的に急激なセンサイベントを検出するために使用してもよく、センサが完全に挿入されていないことを示してもよい。この点に関して、図１０５は、本発明の実施形態に従った、センサデータのブランク表示、又はセンサの停止の方法に関するフロー図を示す。
【０５２７】
方法は、ブロック９００５で開始し、１ｋＨｚ実数インピーダンス値が、例えば、移動平均フィルタを使用してフィルタ処理され、それに基づいて、ＥＩＳ導出値が安定しているかどうかを判定する（９０１０）。ＥＩＳ導出値が安定しないと判定された場合には、方法は、ブロック９０１５に進み、１ｋＨｚインピーダンスの大きさに基づいて更なる判定を行う。具体的には、１ｋＨｚ実数インピーダンスのフィルタ処理値及びフィルタ未処理値の両方が７，０００Ω未満である場合には、ＥＩＳは、安定であるとして設定される（９０２０）。一方、１ｋＨｚ実数インピーダンスのフィルタ処理値とフィルタ未処理値の両方が７，０００Ωではない場合には、ＥＩＳは、不安定であるとして設定される（９０２５）。上記の７，０００Ωの閾値が、安定化されていないセンサに対してデータのブランク表示、又はセンサ停止を防止することに留意されたい。
【０５２８】
ＥＩＳが安定しているとき、アルゴリズムは、ブロック９０３０に進む。ここで、１ｋＨｚ実数インピーダンスが１２，０００Ω未満（９０３０）、かつ１０，０００Ω未満（９０４０）でもある場合には、アルゴリズムは、センサが正常動作範囲内にあると判定し、そのため、センサデータの表示を継続させる（９０４５）。一方、１ｋＨｚの実数インピーダンス値は１０，０００Ωよりも大きい（即ち、１ｋＨｚの実数インピーダンスが１０ｋΩと１２ｋΩとの間の場合）は、ロジックは、１ｋＨｚの実数インピーダンス値が過去３時間にわたって高かった（即ち、１０ｋΩ超であった）かどうかを判定する（９０５０）。１ｋＨｚ実数インピーダンス値が過去３時間に高かったと判定された場合には、センサが引き抜かれたと推定されるため、センサは、９０６０で停止し、センサデータは無効であるとレンダリングする。そうでない場合には、単なるセンサ信号のドリフトかもしれず、上記で議論されたように、回復可能な現象であり得ることから、センサは、停止されない。しかしながら、センサデータは、ブランク表示され（９０５５）、その一方で、センサは、回復する機会を与えられる。
【０５２９】
なお、更なる実施形態では、データをブランク表示すべきか又はセンサを停止すべきかを決定する際、ロジックはまた、上述した閾値に加えて、例えば、インピーダンス導関数を履歴導関数と比較することによって、インピーダンスの急激な増加を考慮してもよいことに留意されたい。更に、アルゴリズムは、高ノイズ−低センサ信号組み合わせの持続時間に応じて、ノイズに基づくブランク表示又は停止を組み込んでもよい。この点で、先行の方法は、高ノイズ及び低センサ信号の３つの連続する２時間ウィンドウの後にセンサの停止を含んでいた。しかし、信頼できないデータがユーザに表示されないようにするために、本発明の実施形態は、ノイズに基づくブランク表示を使用し、このアルゴリズムは、高ノイズ及び低信号を伴う２つの連続する２時間ウィンドウ後（即ち、第３の連続ウィンドウの開始時）にＳＧ値の計算を停止する。更なる態様では、アルゴリズムは、センサ信号が回復したと考えられる場合に、２時間ではなく、１時間のブランク表示の後に、更なる計算及び計算されたＳＧ値の表示を可能にしてもよい。これは、長い時間にわたって信頼できるデータがブランク表示されてしまう方法に対する改良である。
【０５３０】
一方、突然のセンサ故障を検出するために１ｋＨｚ実数インピーダンスを使用してもよく、より高い周波数（例えば、８ｋＨｚ）での虚数インピーダンスの測定は、センサ感度が一般的な感度から顕著にドリフトしているより漸進的な変化を検出するために用いられてもよい。この点に関して、８ｋＨｚ虚数インピーダンスにおける大きなずれが、センサがグルコース感度における大きな変化を経験した又は安定しなくなったことを一般的に意味することが発見された。
【０５３１】
図１０６は、本発明の実施形態に従ったセンサ停止の方法のフロー図を示す。図１０６に示すように、アルゴリズムは、よりロバストなロジックを提供するために、（センサ起動から）１．５日の基準を使用し、ロジックが長期の感度変化に焦点を当てることを保証する。したがって、センサが少なくとも１．５日動作していない場合（９００２）、動作は行われず、アルゴリズムは、「待機する」（９０１２）、即ち、ステップ９００２に周期的にループバックする。ブロック９００２の条件が成立すると、基準虚数インピーダンス値が設定されているかどうかを判定する（９０２２）。基準値が予め設定されていない場合、アルゴリズムは基準値として、センサ初期化からの最小８ｋＨｚ虚数インピーダンス値を割り当ることによって基準値を設定し（９０３２）、−１，０００Ω〜８００Ωの範囲内でクリッピングする（clip）。基準値が設定された状態で、変化値は、基準値と８ｋＨｚの虚数インピーダンスの現在値との間の差の絶対値として計算される（９０５２）。ブロック９０６２では、アルゴリズムは、連続する２つの測定について、その変化値が１，２００Ωよりも大きいかどうかと共に、較正比率が１４よりも大きいかどうかを判定する。後者要件のうちの少なくとも１つが負で応答された場合には、センサは、動作を継続し、ＳＧ値を表示することが可能である（９０７２）。しかし、変化値が連続する２つの測定値に対して１，２００Ωよりも大きい値であり、かつ較正比率が１４よりも大きい場合には、センサは、ブロック９０８２で停止する。
【０５３２】
本発明の実施形態はまた、センサグルコース値の信頼性の評価と共に、ＳＧがユーザに表示されているときにシステムがどの程度の信頼性なのかをユーザ及び自動インスリン送達システム（閉ループシステムにおけるものも含む）に提供するために、センサデータ誤差方向の推定にも関する。センサデータの信頼性に応じて、次いで、このような自動化システムは、対応する重みをＳＧに割り当てることができ、ユーザにどの程度積極的に治療を提供すべきかを決定することができる。加えて、誤差方向はまた、ＳＧが「擬似低」値又は「擬似高」値であることに関連してユーザ及び／又はインスリン送達システムに通知するために使用することができる。上記のことは、例えば、１日目の間にセンサデータにおけるディップを検出すること（ＥＩＳディップ検出）、センサ遅延を検出すること及びより低い周波数（例えば、１０Ｈｚ）のインピーダンス変化によって達成されてもよい。
【０５３３】
具体的には、本発明の実施形態によれば、上記約９ｍｇ／ｄＬ／ｎＡの較正係数（ＣＦ）が低いセンサ信頼性を示す恐れがあり、そのため、より高い誤差の予測値を示すことが発見された。したがって、この範囲の外側のＣＦ値は、グルコース感度異常、信号におけるディップ中に生じた較正、ＢＧ情報の入力遅延又は較正時の高い変化率、較正時のＢＧ誤差及びグルコース感度の過渡的変化を有するセンサ、のうちの１つ以上を全般的には示してもよい。
【０５３４】
図１０７は、本発明の実施形態に従った信号ディップ検出方法のためのフロー図を示し、フィルタ未処理の１ｋＨｚの実数インピーダンスにおける増加は、ディップの開始を識別するために低いＩｓｉｇ値と組み合わせて使用してもよい。図に示すように、ブロック９１０２で、ロジックは、センサデータが信号ディップに起因して現在ブランク表示されているかどうかを判定する。データがブランク表示されていない場合には、ロジックは、センサが起動してから４時間未満が経過したかどうかを判定する（９１０４）。センサが起動してから４時間を超えて経過した場合には、ロジックは、センサが起動してから１２時間を超えて経過したかどうかを判定し（９１０６）、その場合、ディップ検出もデータのブランク表示もないこととなる（９１０８）。したがって、この点に関して、方法は、センサデータの最初の１２時間中に過渡ディップを識別することに関する。
【０５３５】
ブロック９１０６を再び参照すると、センサが起動してから１２時間未満が経過した場合には、問い合せは、直近のＥＩＳ、Ｉｓｉｇ及びＳＧ値に関して行われる。具体的には、ブロック９１１０では、（１ｋＨｚにおける）最も直近の２つの実数インピーダンス値が増加し、Ｉｓｉｇ＜１８ｎＡかつＳＧ＜８０ｍｇ／ｄＬである場合には、アルゴリズムは、ディップの開始が検出されたと判定し、ＳＧ値の表示を停止するようにシステムに通知する（９１１２）。一方、全ての上記条件が満たされていない場合には、ディップ検出もなく、データのブランク表示も行われないこととなる（９１０８）。
【０５３６】
ブロック９１０４で、センサが起動してから４時間未満が経過したと判定された場合には、センサディップ事象は、依然として引き起こされてもよい。具体的には、最も直近の２つのＥＩＳ（即ち、１ｋＨｚのインピーダンス）値が増加し、かつＩｓｉｇ＜２５ｎＡである場合には、アルゴリズムは、ディップの開始が検出されたと判定し、ＳＧ値の表示を停止するようにシステムに通知する（９１１４、９１１６）。しかし、最も直近の２つの１ｋＨｚのインピーダンス値が増加せず、かつＩｓｉｇが２５ｎＡ未満ではない場合には、上記のようにディップ検出もなく、データのブランク表示も行われないこととなる（９１０８）。
【０５３７】
ブロック９１０２を再び参照すると、データがディップに起因しての現在ブランク表示されていると判定された場合には、データがそれにもかかわらず表示されることとなるという可能性が依然としてある。即ち、Ｉｓｉｇがディップ事象の開始時のＩｓｉｇの約１．２倍よりも大きい場合には（９１１８）、Ｉｓｉｇが回復した、即ち、ディップ事象が終了したと判定され、データ表示が再開することとなる（９１２２）。一方、Ｉｓｉｇがディップ事象の開始時のＩｓｉｇの約１．２倍よりも大きくない場合には（９１１８）、Ｉｓｉｇがまだ回復していない、即ち、ディップ事象が終わっていないと判定され、システムは、センサデータのブランク表示を継続することとなる（９１２０）。
【０５３８】
本発明の実施形態によれば、ＳＧにおける誤差の方向（過小読み取り又は過大読み取り）は、一般的に、過小読み取り及び／又は過大読み取りに関する１つ以上の因子を考慮して判定してもよい。したがって、センサにおける過小読み取りは、（１）Ｖｃｎｔｒが極端であるとき（例えば、Ｖｃｎｔｒ＜−１．０Ｖ）、（２）ＣＦが高いとき（例えば、ＣＦ＞９）、（３）（例えば、１０Ｈｚにおける）より低い周波数のインピーダンスが高いとき（例えば、実数１０Ｈｚインピーダンス＞１０．２ｋΩ、（４）ＦＤＣが低ＣＦモードにあるとき、（５）センサ遅延が過小読み取りを示唆するとき、（６）（例えば、１０Ｈｚにおける）より低い周波数のインピーダンスが増加するとき（例えば、１０Ｈｚインピーダンスが７００Ωを超えて増加する）、及び／又は（７）ＥＩＳがディップを検出したときに、生じる恐れがあることが発見された。一方、過大読み取りは、（１）（例えば、１０Ｈｚにおける）より低い周波数のインピーダンスが減少するとき（例えば、より低い周波数のインピーダンス＜−２００Ω）、（２）センサ遅延が過大読み取りを示唆するとき及び／又は（３）ＣＦが極端モードにあるＦＤＣのときに、生じる恐れがある。
【０５３９】
このような過小読み取り又は過大読み取りは、特に閉ループシステムでは、患者の安全性に対して多大な影響を有する可能性がある。例えば、低血糖範囲（即ち、＜７０ｍｇ／ｄＬ）付近の過大読み取りは、患者に投与されることとなるインスリンの過剰投与を引き起こす恐れがある。この点で、試験判定基準として使用されてもよい、誤差方向の複数の指標が特定されており、（１）低感度指標、（２）センサ遅延、（３）ＦＤＣモード及び（４）較正後の感度の損失／上昇を含む。
【０５４０】
そのような２つの低感度指標は、高い（より低い周波数の）実数インピーダンス（例えば、＞１０ｋΩ）及び高いＶｃｎｔｒ（例えば、Ｖｃｎｔｒ＜−１．０Ｖ）であり、両方とも、一般的に、感度の損失を示す。図１０８Ａは、時間の関数としてＶｃｎｔｒ９１３０が徐々に増加する（即ち、より負になる）例を示す。約１１５時間では、直線９１３５によって示すように、Ｖｃｎｔｒは、直線９１３７によって示されるように、−１．０Ｖと交差し、約−１．２Ｖまで増加し続ける（即ち、Ｖｃｎｔｒ＜−１．０Ｖ）。示すように、約１１５時間の前では、Ｉｓｉｇトレンド９１３２は、Ｖｃｎｔｒトレンドに全般的に追従している。しかし、Ｖｃｎｔｒが閾値を通過すると（即ち、直線９１３５の右）、Ｉｓｉｇは、Ｖｃｎｔｒから外れて、落ち込み続ける。同時に、図１０８Ｂに示すように、グルコース９１３４もまた全般的に下向きの傾向を有しており、較正誤差９１３６は、約１３０時間及び約１６５時間に示されている。
【０５４１】
上記で議論したように、（ＥＩＳ）センサディップもまた一時的な感度損失を示す。同様に、高い較正係数は、感度低下を補償しようとするセンサの試みを示す。図１０９Ａ及び図１０９Ｂに示した一例では、較正係数９１４０は、時間の関数として定常的に増加する。約１２０時間（９１４５）では、較正係数９１４０は、９である閾値（９１４７）と交差する。図１０９Ｂに示すように、較正係数が閾値と交差すると、グルコース値９１４２は、ＢＧ値からより頻繁に離脱し、いくつかの誤差９１４４は、約１３５時間〜１７０時間に発生する。
【０５４２】
上述したように、センサ遅延は、誤差方向の別の指標である。したがって、本発明の実施形態では、センサ遅延によって生じる誤差は、グルコース値があるべき値に近づけることによって補償される。具体的には、本発明の実施形態では、センサ遅延由来の誤差は、下式のように定義することによって近づけてもよい。
【数３８】
2020170011.tif 000047
式中、ｓｇ（ｔ）は、センサグルコース関数であり、「ｈ」は、センサ遅延である。次いで、誤差は、下式のように計算してもよい。
【数３９】
2020170011.tif 000048
【０５４３】
初日較正（ＦＤＣ）は、較正係数（ＣＦ）が予想範囲内にないときに生じる。ＣＦは、例えば、図１１０Ａ及び図１１０Ｂに示すように、較正により示された値に設定され、次いで、予想範囲に対して上昇又は下降する。この時間中、通常は高いが、全般的には予測可能である、誤差が存在する場合があり、過大読み取り又は過小読み取りをもたらす可能性がある。図１１０Ａ及び図１１０Ｂからわかるように、ＣＦは、上昇又は下降に伴って全般的に一定の勾配で変化した後、この場合は４．５又は５．５で整定する。
【０５４４】
最後に、較正後の感度変化、即ち、較正以降の感度の損失／上昇も、誤差／誤差方向の指標である。通常の状況の下で、本明細書の上記で議論されているように初日較正を除いて、較正係数は、新たな較正を行うまで全般的に一定のままである。したがって、較正後の感度のシフトは、より低い周波数（例えば、１０Ｈｚ）の実数インピーダンスの値によって反映されてもよい、過大読み取り及び過小読み取りをもたらす可能性がある。
【０５４５】
具体的には、より低い周波数の実数インピーダンスにおける低下が過大読み取りをもたらし、誤差の方向が実数インピーダンス曲線によって示されることが発見された。逆に、より低い周波数の実数インピーダンスの増加は、過小読み取りをもたらし、誤差の方向もまた実数インピーダンス曲線によって示される。しかし、電流方向性試験は、グルコースプロファイルのピーク及び谷における点をすぐに読み取ることができない場合もある。したがって、一実施形態では、例えば、ローパスフィルタ処理によるデコンボリューションなどのフィルタ処理により、このようなピーク及び谷の鮮鋭度を低減してもよい。
【０５４６】
図８１に関連して上述されたように、例えば、感度変化及び／又は損失を用いて、適切なセンサ較正を通知してもよい。この点で、本発明の更なる態様では、センサ感度における変化は、例えば、センサ感度が変化したときに、アドレス連続生成及び／又は不正確なグルコースデータの表示に役立つ「スマート較正」の実施を可能にするように、以前の較正係数又はインピーダンスに基づいて予測されてもよい。
【０５４７】
いくつかの既存の連続的グルコース監視システム（ＣＧＭＳ）では、較正フィンガースティックが１２時間ごとに必要であることが既知である。較正は、測定したセンサ電流を表示されたグルコース濃度値に変換するために使用される機能をＣＧＭＳが更新できようにする。このようなシステムでは、１２時間の較正間隔は、（余分なフィンガースティックを行う）ユーザの負担を軽減することと、不正確性が過大な問題をもたらす可能性がある前にセンサ感度における変化を調整するために十分な間隔を使用することと、を両立させるものとして選択される。しかし、この間隔は、一般的に適切であってもよいが、センサ感度が変化した場合、（閉ループインスリン送達の支援において）高レベルの精度が予想される場合には、１２時間を待つことが長すぎる可能性がある。
【０５４８】
したがって、本発明の実施形態は、感度が変化した場合に予測するために、前回の較正係数を用いて（以下のＦＤＣの議論を参照されたい）又はインピーダンス（以下のＥＩＳベースの「スマート較正」に関する議論を参照のこと）によって、上記の問題に対処する。本発明の態様はまた、ユーザの予測可能性を維持するために時間制限を使用すると共に、センサ間の変化に対して検出がロバストであることを保証する（関連する方法における）ステップを含む。
【０５４９】
図１１１は、初日較正（ＦＤＣ）に関して本発明の実施形態に従ったフロー図を示す。ブロック９１５０で開始して、較正が成功した後にＦＤＣがオンでない場合、スマート較正要求は単に行われない（９１５１）。しかし、ＦＤＣがオンの場合、これが初回較正であるかどうかについてブロック９１５３において判定が行われ、初回較正ではない場合には、スマート較正要求が行われ、タイマは、６時間に設定される、即ち、追加較正を６時間以内に行うことが要求される（９１５５）。一方、これが初回較正である場合には、ブロック９１５７は、較正比率が４未満又は７よりも大きいかどうかを判定する。ブロック９１５７における条件が満たされない場合には、ロジックは、ブロック９１５５に進み、上述のように、スマート較正要求が行われ、タイマは、６時間に設定される。しかし、ブロック９１５７における判定基準が満たされない場合には、スマート較正要求が行われ、タイマは、３時間に設定される、即ち、追加較正を３時間以内に行うことが要求される（９１５９）。したがって、調整された較正を必要とするセンサの精度を向上させるために、追加（スマート）較正が要求され、調整が不正確である時間の量を限定する。
【０５５０】
ＦＤＣモードとは対照的に、ＥＩＳベースのスマート較正モードは、インピーダンスが変化する場合に追加較正を提供する。したがって、図１１２に示す本発明の実施形態では、インピーダンス値に関する許容範囲（本明細書で以下に定義されるように）は、較正後の時間に設定され、較正に続いて、インピーダンスが範囲外である場合、追加較正の要求が行われる。したがって、較正から１時間以内ではない場合、フィルタ処理された１ｋＨｚの虚数インピーダンス値が範囲外であるかどうかについて判定が行われる（９１６０、９１６２）。インピーダンス値が範囲外でない場合には、変更を行わない（９１６４）。しかし、フィルタ処理された１ｋＨｚの虚数インピーダンス値が範囲外である場合には、前回の較正から６時間で行うために較正が要求されるように較正タイマを更新する（９１６８）。周波数スペクトルのより高い端に向かって、より高い周波数の虚数インピーダンスは、グルコース感度における変化をより良好に識別する傾向があるが、測定は、全般的にはよりノイズを含み、そのため、フィルタ処理を必要とする場合があることに留意されたい。
【０５５１】
ブロック９１６０を再び参照すると、較正から１時間未満が経過したと判定した場合には、インピーダンス値の範囲を更新してもよい（９１６６）。具体的には、一実施形態では、インピーダンス範囲計算は、較正後１時間の最後のＥＩＳ測定について実行される。好ましい実施形態では、この範囲は、下式のように定義される。
ｒａｎｇｅ＝３×ｍｅｄｉａｎ（｜ｘｉ＋ｘｊ｜）
式中、ｊは、現在の測定値、ｉは、直近の２時間の値である。加えて、範囲を５０Ω〜１００Ωの値に制限してもよい。上記で定義したような範囲は、中央値の３倍が可能であることに留意されたい。後者は、いくつかの先行アルゴリズムで使用された２標準偏差アプローチよりもロバストであることが発見され、ノイズ及び異常値が不一致をもたらすことを許容した。
【０５５２】
上記の説明は本発明の特定の実施形態に関していたが、これらの趣旨から逸脱することなく多くの変更形態が作製されることは理解されるであろう。本発明の主要な教示が実施されている限り、アルゴリズムのステップの追加、及び順序の変更を行ってもよい。したがって、添付の特許請求の範囲は、本発明の真の範囲及び趣旨にある限り、こうした変化形態を網羅することを目的としている。したがって、本開示の実施形態は、全ての点において、限定的でなく、例示的であるとして、考えられるべきであり、本発明の範囲は、先行の記述よりもむしろ添付の請求項によって示される。特許請求の範囲の意味及び範囲、同等性の範囲内にある全ての変化は、本明細書において包含されることを意図している。
例えば、以下のような構成を含んでいる。
［請求項１］
ユーザの体内におけるグルコース濃度を測定するためのグルコースセンサのリアルタイム較正のための方法であって、前記センサは、物理センサエレクトロニクスと、マイクロコントローラと、作用電極と、を含み、前記方法は、
（ａ）前記物理センサエレクトロニクスにより、前記作用電極についての電極電流（Ｉｓｉｇ）を測定する工程と、
（ｂ）前記ユーザについての血糖（ＢＧ）値を取得する工程と、
（ｃ）前記グルコースセンサの使用時間に基づく予想較正係数（ＣＦ）値を、前記マイクロコントローラにより計算する工程と、
（ｄ）前記ＣＦ値、及び前記ＢＧ値に基づいて、前記Ｉｓｉｇに関連する較正済みセンサグルコース（ＳＧ）値を、前記マイクロコントローラにより計算する工程と、を含む、方法。
［請求項２］
過小読み取りの可能性が低くなるように、前記予想較正係数値を経時的に増加させる、請求項１に記載の方法。
［請求項３］
前記予想較正係数値は、以下の関係に従って計算される、請求項１に記載の方法。
Ｅｘｐｅｃｔｅｄ  ＣＦ＝Ｓｅｎｓｏｒ  Ａｇｅ×（０．１０９ｍｇ／ｄＬ／ｎＡ）／ｄａｙ＋４．７３０ｍｇ／ｄＬ／ｎＡ
［請求項４］
前記Ｉｓｉｇ値をバッファ内に記憶する工程を更に含む、請求項１に記載の方法。
［請求項５］
工程（ａ）〜（ｄ）を周期的に繰り返すことを更に含む、請求項１に記載の方法。
［請求項６］
工程（ｂ）の前に、複数のＩｓｉｇ値が取得されるように、計算された間隔で工程（ａ）を繰り返すことを更に含む、請求項１に記載の方法。
［請求項７］
ＢＧ値が取得された場合にのみ、工程（ｃ）が行われる、請求項６に記載の方法。
［請求項８］
前記複数のＩｓｉｇ値のそれぞれについて、工程（ｃ）が行われる、請求項６に記載の方法。
［請求項９］
前記計算されたＳＧ値を、インスリン送達装置に送信する工程を更に含む、請求項１に記載の方法。
［請求項１０］
前記インスリン送達装置は、インスリンポンプである、請求項９に記載の方法。
［請求項１１］
前記グルコースセンサ、及び前記インスリンポンプは、閉ループシステムにおいて協働する、請求項１０に記載の方法。
［請求項１２］
前記センサは、複数の作用電極を含み、工程（ａ）〜（ｄ）は、前記複数の電極のそれぞれについて行われる、請求項１に記載の方法。
［請求項１３］
フィルタ処理済みＩｓｉｇ（ｆＩｓｉｇ）値が取得されるように、前記Ｉｓｉｇ値が、前記マイクロコントローラによってフィルタ処理される、請求項１に記載の方法。
［請求項１４］
前記物理センサエレクトロニクスは、計算された間隔で、複数のＩｓｉｇ値を測定し、前記マイクロコントローラは、前記複数のＩｓｉｇ値をフィルタ処理して、対応するフィルタ処理済みＩｓｉｇ（ｆＩｓｉｇ）値を取得する、請求項１に記載の方法。
［請求項１５］
較正バッファ内に、少なくとも１つの、前記ｆＩｓｉｇ値のサブセットを記憶する工程を更に含む、請求項１４に記載の方法。
［請求項１６］
前記較正バッファ内に記憶された前記ｆＩｓｉｇ値のサブセットに、対応する重みを割り当てる工程を更に含む、請求項１５に記載の方法。
［請求項１７］
前記作用電極に対して電気化学インピーダンス分光法（ＥＩＳ）手順を行い、前記電極に対するインピーダンス由来パラメータの、各複数の値を取得する工程と、前記インピーダンス由来パラメータの前記値に基づいて、前記各重みを変更する工程と、を更に含む、請求項１６に記載の方法。
［請求項１８］
前記予想較正係数値は、以下の関係に従って計算される、請求項１７に記載の方法。
Ｅｘｐｅｃｔｅｄ  ＣＦ＝Ｓｅｎｓｏｒ  Ａｇｅ×（０．１０９ｍｇ／ｄＬ／ｎＡ）／ｄａｙ＋４．７３０ｍｇ／ｄＬ／ｎＡ
［請求項１９］
前記計算されたＳＧ値を、インスリン送達装置に送信する工程を更に含む、請求項１８に記載の方法。
［請求項２０］
前記作用電極に対して電気化学インピーダンス分光法（ＥＩＳ）手順を行い、前記電極に対するインピーダンス由来パラメータの、各複数の値を取得する工程と、前記インピーダンス由来パラメータの前記値が計算された範囲外にある場合、前記較正バッファをクリアする工程と、を更に含む、請求項１６に記載の方法。
［請求項２１］
グルコースセンサデータの有効性を判定するための方法であって、前記グルコースセンサは、物理センサエレクトロニクスと、マイクロコントローラと、作用電極と、を含み、かつ、前記データをユーザに表示するように構成されたディスプレイ装置と機能的に接続されており、前記方法は、
（ａ）前記マイクロコントローラにより、電気化学インピーダンス分光法（ＥＩＳ）手順を行い、前記電極についての実数インピーダンス値を取得する工程と、
（ｂ）前記マイクロコントローラにより、前記実数インピーダンス値をフィルタ処理する工程と、
（ｃ）前記マイクロコントローラにより、前記実数インピーダンス値を分析して、前記値が安定であるかどうか判定する工程と、
（ｄ）前記実数インピーダンス値が安定である場合に、直近の実数インピーダンス値を第１の閾値と比較する工程と、
（ｅ）前記比較に基づき、前記センサデータが有効であるかどうか判定する工程と、を含む、方法。
［請求項２２］
前記実数インピーダンス値は、１ｋＨｚの実数インピーダンス値である、請求項２１に記載の方法。
［請求項２３］
前記グルコースセンサデータが有効と判定された場合、前記ディスプレイ装置において表示するために、前記データが送信される、請求項２１に記載の方法。
［請求項２４］
前記第１の閾値は、１０，０００Ωである、請求項２１に記載の方法。
［請求項２５］
前記直近の実数インピーダンス値が前記第１の閾値未満の場合、前記センサデータは、有効と判定される、請求項２４に記載の方法。
［請求項２６］
前記方法は、前記直近の実数インピーダンス値が前記第１の閾値よりも大きい場合に、前記実数インピーダンス値が、ある期間にわたって第２の閾値を超えたかどうかを、前記マイクロコントローラによって判定する工程を更に含む、請求項２５に記載の方法。
［請求項２７］
前記期間は、過去３時間である、請求項２６に記載の方法。
［請求項２８］
前記実数インピーダンス値が過去３時間にわたって前記第２の閾値を超えていたと判定された場合に、前記センサが停止させられる、請求項２７に記載の方法。
［請求項２９］
前記実数インピーダンス値が過去３時間にわたって前記第２の閾値を超えていなかったと判定された場合に、前記センサデータは、無効と判定され、前記ディスプレイ装置に表示されない、請求項２７に記載の方法。
［請求項３０］
工程（ａ）〜（ｅ）を周期的に繰り返すことを更に含む、請求項２９に記載の方法。
［請求項３１］
前記センサデータが有効と判定されると、前記ディスプレイ装置において表示するために、前記データが送信される、請求項３０に記載の方法。
［請求項３２］
前記第２の閾値は、約１０，０００Ω〜約１２，０００Ωである、請求項２６に記載の方法。
［請求項３３］
グルコースセンサデータの有効性を判定するための方法であって、前記グルコースセンサは、物理センサエレクトロニクスと、マイクロコントローラと、作用電極と、を含み、前記方法は、
（ａ）前記マイクロコントローラにより、電気化学インピーダンス分光法（ＥＩＳ）手順を行い、前記電極についての虚数インピーダンス値を取得する工程と、
（ｂ）前記虚数インピーダンス値についての閾値基準を設定する工程と、
（ｃ）前記閾値基準と前記直近の虚数インピーダンス値との間の差としての変化値を計算する工程と、
（ｄ）前記センサに対する前記較正係数の測定値を取得する工程と、
（ｅ）前記変化値と第１の閾値との比較、及び前記較正係数と第２の閾値との比較を、前記マイクロコントローラによって行う工程と、
（ｆ）前記比較に基づき、前記センサデータが有効であり、前記センサが動作を継続可能であるか、又は、前記データが無効であり、前記センサを停止すべきかを判定する工程と、を含む、方法。
［請求項３４］
前記虚数インピーダンス値は、８ｋＨｚの虚数インピーダンス値である、請求項３３に記載の方法。
［請求項３５］
前記閾値基準は、センサ初期化以来、最小の８ｋＨｚの虚数インピーダンス値として計算される、請求項３３に記載の方法。
［請求項３６］
前記閾値基準を、−１，０００Ω〜８００Ωの範囲内に収まるようにクリッピングする、請求項３５に記載の方法。
［請求項３７］
前記変化値は、前記閾値基準と前記直近の虚数インピーダンス値との間の差の絶対値として計算される、請求項３３に記載の方法。
［請求項３８］
前記第１の閾値は、１，２００Ωであり、前記第２の閾値は、１４ｍｇ／ｄＬ／ｎＡである、請求項３３に記載の方法。
［請求項３９］
前記較正係数が第２の下側閾値未満であるか、又は、前記変化値の、２つの連続する測定値について、前記変化値が第１の下側閾値未満であるか、のいずれかの場合に、前記センサデータが有効と判定される、請求項３３に記載の方法。
［請求項４０］
前記変化値の、２つの連続する測定値について、前記変化値が前記第１の閾値よりも大きく、かつ、前記較正係数が前記第２の閾値よりも大きい場合に、前記センサを停止させる工程を更に含む、請求項３３に記載の方法。
［請求項４１］
前記センサは、複数の作用電極を含み、工程（ａ）〜（ｆ）は、前記複数の電極のそれぞれについて行われる、請求項３３に記載の方法。
［請求項６２］
ユーザの体内におけるグルコース濃度を測定するためのグルコースセンサの初日較正（ＦＤＣ）のための方法であって、前記センサは、物理センサエレクトロニクスと、マイクロコントローラと、作用電極と、を含み、前記方法は、
（ａ）前記物理センサエレクトロニクスにより、前記作用電極についての電極電流（Ｉｓｉｇ）を測定する工程と、
（ｂ）前記マイクロコントローラによって、較正比率（ＣＲ）を計算する工程と、
（ｃ）前記較正比率を、ある閾値範囲と比較する工程と、
（ｄ）前記比較に基づき、次の較正までの時間間隔を計算する工程と、を含む、方法。
［請求項６３］
前記閾値範囲は、４＜ＣＲ＜７である、請求項６２に記載の方法。
［請求項６４］
ＣＲが前記閾値範囲外である場合に、前記次の較正までの前記時間間隔が、３時間と計算される、請求項６２に記載の方法。
［請求項６５］
ＣＲが前記閾値範囲内である場合に、前記次の較正までの前記時間間隔が、６時間と計算される、請求項６２に記載の方法。
［請求項６６］
ユーザの体内におけるグルコース濃度を測定するためのグルコースセンサのリアルタイム較正のための方法であって、前記グルコースセンサは、物理センサエレクトロニクスと、マイクロコントローラと、作用電極と、を含み、前記方法は、
（ａ）前記マイクロコントローラにより、電気化学インピーダンス分光法（ＥＩＳ）手順を行い、前記電極についての虚数インピーダンス値を取得する工程と、
（ｂ）前記虚数インピーダンス値に関連する基準範囲を、前記マイクロコントローラにより計算する工程であって、前記範囲は、現在の虚数インピーダンス値と、以前の虚数インピーダンス値との間の差に依存する、工程と、
（ｃ）前記虚数インピーダンスの現在値と前記基準範囲を比較する工程と、
（ｄ）前記比較に基づき、次の較正までの時間間隔を決定する工程と、を含む、方法。
［請求項６７］
前記虚数インピーダンス値は、フィルタ処理された虚数インピーダンス値である、請求項６６に記載の方法。
［請求項６８］
前記虚数インピーダンス値は、１ｋＨｚの虚数インピーダンス値である、請求項６６に記載の方法。
［請求項６９］
前記基準範囲は、以下の関係に従って計算される、請求項６６に記載の方法。
ｒａｎｇｅ＝３×ｍｅｄｉａｎ（｜ｘｉ−ｘｊ｜）
（式中、ｊは、現在の虚数インピーダンス値を表し、ｉは、直近２時間の虚数インピーダンス値を表す）
［請求項７０］
前記基準範囲を５０Ω〜１００Ωとなるようにクリッピングする、請求項６９に記載の方法。
［請求項７１］
前記虚数インピーダンス値は、フィルタ処理された１ｋＨｚの虚数インピーダンス値である、請求項６９に記載の方法。
［請求項７２］
フィルタ処理された現在の１ｋＨｚの虚数値が前記基準範囲外にある場合に、前記次の較正までの前記時間間隔を、直近の較正から６時間に設定する、請求項７１に記載の方法。
【図１】
2020170011.tif 000049
【図２Ａ】
2020170011.tif 000050
【図２Ｂ】
2020170011.tif 000051
【図３】
2020170011.tif 000052
【図４】
2020170011.tif 000053
【図５】
2020170011.tif 000054
【図６Ａ】
2020170011.tif 000055
【図６Ｂ】
2020170011.tif 000056
【図６Ｃ】
2020170011.tif 000057
【図７】
2020170011.tif 000058
【図８Ａ】
2020170011.tif 000059
【図８Ｂ】
2020170011.tif 000060
【図８Ｃ】
2020170011.tif 000061
【図８Ｄ】
2020170011.tif 000062
【図９Ａ】
2020170011.tif 000063
【図９Ｂ】
2020170011.tif 000064
【図１０】
2020170011.tif 000065
【図１１】
2020170011.tif 000066
【図１２】
2020170011.tif 000067
【図１３Ａ】
2020170011.tif 000068
【図１３Ｂ】
2020170011.tif 000069
【図１４Ａ】
2020170011.tif 000070
【図１４Ｂ】
2020170011.tif 000071
【図１４Ｃ】
2020170011.tif 000072
【図１５Ａ】
2020170011.tif 000073
【図１５Ｂ】
2020170011.tif 000074
【図１６Ａ】
2020170011.tif 000075
【図１６Ｂ】
2020170011.tif 000076
【図１６Ｃ】
2020170011.tif 000077
【図１６Ｄ】
2020170011.tif 000078
【図１６Ｅ】
2020170011.tif 000079
【図１６Ｆ】
2020170011.tif 000080
【図１７】
2020170011.tif 000081
【図１８】
2020170011.tif 000082
【図１９】
2020170011.tif 000083
【図２０】
2020170011.tif 000084
【図２１Ａ】
2020170011.tif 000085
【図２１Ｂ】
2020170011.tif 000086
【図２２】
2020170011.tif 000087
【図２３Ａ】
2020170011.tif 000088
【図２３Ｂ】
2020170011.tif 000089
【図２３Ｃ】
2020170011.tif 000090
【図２４】
2020170011.tif 000091
【図２５Ａ】
2020170011.tif 000092
【図２５Ｂ】
2020170011.tif 000093
【図２５Ｃ】
2020170011.tif 000094
【図２６】
2020170011.tif 000095
【図２７】
2020170011.tif 000096
【図２８Ａ】
2020170011.tif 000097
【図２８Ｂ】
2020170011.tif 000098
【図２８Ｃ】
2020170011.tif 000099
【図２８Ｄ】
2020170011.tif 000100
【図２９】
2020170011.tif 000101
【図３０Ａ】
2020170011.tif 000102
【図３０Ｂ】
2020170011.tif 000103
【図３０Ｃ】
2020170011.tif 000104
【図３０Ｄ】
2020170011.tif 000105
【図３１】
2020170011.tif 000106
【図３２Ａ】
2020170011.tif 000107
【図３２Ｂ】
2020170011.tif 000108
【図３３Ａ】
2020170011.tif 000109
【図３３Ｂ】
2020170011.tif 000110
【図３４】
2020170011.tif 000111
【図３５】
2020170011.tif 000112
【図３６】
2020170011.tif 000113
【図３７】
2020170011.tif 000114
【図３８Ａ】
2020170011.tif 000115
【図３８Ｂ】
2020170011.tif 000116
【図３９】
2020170011.tif 000117
【図４０Ａ】
2020170011.tif 000118
【図４０Ｂ】
2020170011.tif 000119
【図４０Ｃ】
2020170011.tif 000120
【図４１】
2020170011.tif 000121
【図４２Ａ】
2020170011.tif 000122
【図４２Ｂ】
2020170011.tif 000123
【図４３】
2020170011.tif 000124
【図４４】
2020170011.tif 000125
【図４５】
2020170011.tif 000126
【図４６Ａ】
2020170011.tif 000127
【図４６Ｂ】
2020170011.tif 000128
【図４６Ｃ】
2020170011.tif 000129
【図４６Ｄ】
2020170011.tif 000130
【図４６Ｅ】
2020170011.tif 000131
【図４６Ｆ】
2020170011.tif 000132
【図４７Ａ】
2020170011.tif 000133
【図４７Ｂ】
2020170011.tif 000134
【図４７Ｃ】
2020170011.tif 000135
【図４７Ｄ】
2020170011.tif 000136
【図４７Ｅ】
2020170011.tif 000137
【図４７Ｆ】
2020170011.tif 000138
【図４８】
2020170011.tif 000139
【図４９Ａ】
2020170011.tif 000140
【図４９Ｂ】
2020170011.tif 000141
【図４９Ｃ】
2020170011.tif 000142
【図５０Ａ】
2020170011.tif 000143
【図５０Ｂ】
2020170011.tif 000144
【図５１】
2020170011.tif 000145
【図５２】
2020170011.tif 000146
【図５３】
2020170011.tif 000147
【図５４】
2020170011.tif 000148
【図５５】
2020170011.tif 000149
【図５６】
2020170011.tif 000150
【図５７】
2020170011.tif 000151
【図５８】
2020170011.tif 000152
【図５９Ａ】
2020170011.tif 000153
【図５９Ｂ】
2020170011.tif 000154
【図５９Ｃ】
2020170011.tif 000155
【図６０Ａ】
2020170011.tif 000156
【図６０Ｂ】
2020170011.tif 000157
【図６０Ｃ】
2020170011.tif 000158
【図６１Ａ】
2020170011.tif 000159
【図６１Ｂ】
2020170011.tif 000160
【図６１Ｃ】
2020170011.tif 000161
【図６２】
2020170011.tif 000162
【図６３】
2020170011.tif 000163
【図６４】
2020170011.tif 000164
【図６５】
2020170011.tif 000165
【図６６】
2020170011.tif 000166
【図６７】
2020170011.tif 000167
【図６８】
2020170011.tif 000168
【図６９】
2020170011.tif 000169
【図７０】
2020170011.tif 000170
【図７１】
2020170011.tif 000171
【図７２】
2020170011.tif 000172
【図７３】
2020170011.tif 000173
【図７４】
2020170011.tif 000174
【図７５】
2020170011.tif 000175
【図７６】
2020170011.tif 000176
【図７７】
2020170011.tif 000177
【図７８】
2020170011.tif 000178
【図７９】
2020170011.tif 000179
【図８０】
2020170011.tif 000180
【図８１】
2020170011.tif 000181
【図８２】
2020170011.tif 000182
【図８３】
2020170011.tif 000183
【図８４】
2020170011.tif 000184
【図８５】
2020170011.tif 000185
【図８６】
2020170011.tif 000186
【図８７】
2020170011.tif 000187
【図８８】
2020170011.tif 000188
【図８９】
2020170011.tif 000189
【図９０】
2020170011.tif 000190
【図９１Ａ】
2020170011.tif 000191
【図９１Ｂ】
2020170011.tif 000192
【図９２Ａ】
2020170011.tif 000193
【図９２Ｂ】
2020170011.tif 000194
【図９２Ｃ】
2020170011.tif 000195
【図９３Ａ】
2020170011.tif 000196
【図９３Ｂ】
2020170011.tif 000197
【図９３Ｃ】
2020170011.tif 000198
【図９４Ａ】
2020170011.tif 000199
【図９４Ｂ】
2020170011.tif 000200
【図９４Ｃ】
2020170011.tif 000201
【図９５】
2020170011.tif 000202
【図９６】
2020170011.tif 000203
【図９７Ａ】
2020170011.tif 000204
【図９７Ｂ】
2020170011.tif 000205
【図９８Ａ】
2020170011.tif 000206
【図９８Ｂ】
2020170011.tif 000207
【図９９】
2020170011.tif 000208
【図１００】
2020170011.tif 000209
【図１０１Ａ】
2020170011.tif 000210
【図１０１Ｂ】
2020170011.tif 000211
【図１０２】
2020170011.tif 000212
【図１０３Ａ】
2020170011.tif 000213
【図１０３Ｂ】
2020170011.tif 000214
【図１０３Ｃ】
2020170011.tif 000215
【図１０４】
2020170011.tif 000216
【図１０５】
2020170011.tif 000217
【図１０６】
2020170011.tif 000218
【図１０７】
2020170011.tif 000219
【図１０８Ａ】
2020170011.tif 000220
【図１０８Ｂ】
2020170011.tif 000221
【図１０９Ａ】
2020170011.tif 000222
【図１０９Ｂ】
2020170011.tif 000223
【図１１０Ａ】
2020170011.tif 000224
【図１１０Ｂ】
2020170011.tif 000225
【図１１１】
2020170011.tif 000226
【図１１２】
2020170011.tif 000227